(57)【要約】【課題】既存往復機関は出力を発生で充分な頃の時代遅れの発明を改良で無茶苦茶、小学校理科の速度Ｘ質量＝重力仕事能力＝１／１０００仮説出力に近付け、公害増大大損失。【解決手段】縮径主燃焼室兼熱交換器で限り無く高圧燃焼熱交換冷却燃焼により４００ＭＰａ過熱蒸気爆発力＋２００ＭＰａ燃焼ガス爆発力に分割し、過熱蒸気噴射ノズルの過熱蒸気爆発力と霧吹きの原理＋燃焼ガス噴射ノズルの燃焼ガス爆発力と霧吹きの原理で夫々１以上の水を混合噴射加速し、夫々大気圧重力仕事能力を燃焼ガスの１０００倍に近付けて弾み車タービン８・８に噴射し、既存往復機関死点後９０度１ＭＰａＸ燃焼ガス質量断続静圧駆動を、死点後９０度４００ＭＰａＸ燃焼ガスの１０００倍質量連続動圧駆動とし、同一燃料量既存往復機関の１０００倍仮説発電量に近付け、供給熱量全部を１００度Ｃの水道水温熱と０度Ｃの水道水冷熱と０度Ｃの燃焼ガス溶解水で利用します。【選択図】図１
2006144765.tif 000002
【特許請求の範囲】
【請求項１】
エネルギ保存圧縮機（２０Ａ）で気化熱空気回収器（２Ｂ）より空気を吸入する各種エネルギ保存サイクル合体機関。
【請求項２】
エネルギ保存圧縮機（２０Ｂ）で気化熱空気回収器（２Ｂ）より空気を吸入する各種エネルギ保存サイクル合体機関。
【請求項３】
エネルギ保存圧縮機（２０Ｃ）で気化熱空気回収器（２Ｂ）より空気を吸入する各種エネルギ保存サイクル合体機関。
【請求項４】
エネルギ保存圧縮機（２０Ｄ）で気化熱空気回収器（２Ｂ）より空気を吸入する各種エネルギ保存サイクル合体機関。
【請求項５】
エネルギ保存圧縮機（２０Ｅ）で気化熱空気回収器（２Ｂ）より空気を吸入する各種エネルギ保存サイクル合体機関。
【請求項６】
エネルギ保存圧縮機（２０Ｆ）で気化熱空気回収器（２Ｂ）より空気を吸入する各種エネルギ保存サイクル合体機関。
【請求項７】
エネルギ保存圧縮機（２０Ｇ）で気化熱空気回収器（２Ｂ）より空気を吸入する各種エネルギ保存サイクル合体機関。
【請求項８】
エネルギ保存圧縮機（２０Ｈ）で気化熱空気回収器（２Ｂ）より空気を吸入する各種エネルギ保存サイクル合体機関。
【請求項９】
全動翼圧縮機（２０Ｊ）で気化熱空気回収器（２Ｂ）より空気を吸入する各種エネルギ保存サイクル合体機関。
【請求項１０】
エネルギ保存圧縮機（２０Ａ）で気化熱空気回収器（２Ｂ）の吸入空気を圧縮する各種エネルギ保存サイクル合体機関。
【請求項１１】
エネルギ保存圧縮機（２０Ｂ）で気化熱空気回収器（２Ｂ）の吸入空気を圧縮する各種エネルギ保存サイクル合体機関。
【請求項１２】
エネルギ保存圧縮機（２０Ｃ）で気化熱空気回収器（２Ｂ）の吸入空気を圧縮する各種エネルギ保存サイクル合体機関。
【請求項１３】
エネルギ保存圧縮機（２０Ｄ）で気化熱空気回収器（２Ｂ）の吸入空気を圧縮する各種エネルギ保存サイクル合体機関。
【請求項１４】
エネルギ保存圧縮機（２０Ｅ）で気化熱空気回収器（２Ｂ）の吸入空気を圧縮する各種エネルギ保存サイクル合体機関。
【請求項１５】
エネルギ保存圧縮機（２０Ｆ）で気化熱空気回収器（２Ｂ）の吸入空気を圧縮する各種エネルギ保存サイクル合体機関。
【請求項１６】
エネルギ保存圧縮機（２０Ｇ）で気化熱空気回収器（２Ｂ）の吸入空気を圧縮する各種エネルギ保存サイクル合体機関。
【請求項１７】
エネルギ保存圧縮機（２０Ｈ）で気化熱空気回収器（２Ｂ）の吸入空気を圧縮する各種エネルギ保存サイクル合体機関。
【請求項１８】
全動翼圧縮機（２０Ｊ）で気化熱空気回収器（２Ｂ）の吸入空気を圧縮する各種エネルギ保存サイクル合体機関。
【請求項１９】
エネルギ保存圧縮機（２０Ａ）で気化熱空気回収器（２Ｂ）より空気を吸入して排気熱量を回収する各種エネルギ保存サイクル合体機関。
【請求項２０】
エネルギ保存圧縮機（２０Ｂ）で気化熱空気回収器（２Ｂ）より空気を吸入して排気熱量を回収する各種エネルギ保存サイクル合体機関。
【請求項２１】
エネルギ保存圧縮機（２０Ｃ）で気化熱空気回収器（２Ｂ）より空気を吸入して排気熱量を回収する各種エネルギ保存サイクル合体機関。
【請求項２２】
エネルギ保存圧縮機（２０Ｄ）で気化熱空気回収器（２Ｂ）より空気を吸入して排気熱量を回収する各種エネルギ保存サイクル合体機関。
【請求項２３】
エネルギ保存圧縮機（２０Ｅ）で気化熱空気回収器（２Ｂ）より空気を吸入して排気熱量を回収する各種エネルギ保存サイクル合体機関。
【請求項２４】
エネルギ保存圧縮機（２０Ｆ）で気化熱空気回収器（２Ｂ）より空気を吸入して排気熱量を回収する各種エネルギ保存サイクル合体機関。
【請求項２５】
エネルギ保存圧縮機（２０Ｇ）で気化熱空気回収器（２Ｂ）より空気を吸入して排気熱量を回収する各種エネルギ保存サイクル合体機関。
【請求項２６】
エネルギ保存圧縮機（２０Ｈ）で気化熱空気回収器（２Ｂ）より空気を吸入して排気熱量を回収する各種エネルギ保存サイクル合体機関。
【請求項２７】
全動翼圧縮機（２０Ｊ）で気化熱空気回収器（２Ｂ）より空気を吸入して排気熱量を回収する各種エネルギ保存サイクル合体機関。
【請求項２８】
エネルギ保存圧縮機（２０Ａ）で気化熱空気回収器（２Ｂ）より空気を吸入して排気熱量を回収し、供給熱量と同様に使用する各種エネルギ保存サイクル合体機関。
【請求項２９】
エネルギ保存圧縮機（２０Ｂ）で気化熱空気回収器（２Ｂ）より空気を吸入して排気熱量を回収し、供給熱量と同様に使用する各種エネルギ保存サイクル合体機関。
【請求項３０】
エネルギ保存圧縮機（２０Ｃ）で気化熱空気回収器（２Ｂ）より空気を吸入して排気熱量を回収し、供給熱量と同様に使用する各種エネルギ保存サイクル合体機関。
【請求項３１】
エネルギ保存圧縮機（２０Ｄ）で気化熱空気回収器（２Ｂ）より空気を吸入して排気熱量を回収し、供給熱量と同様に使用する各種エネルギ保存サイクル合体機関。
【請求項３２】
エネルギ保存圧縮機（２０Ｅ）で気化熱空気回収器（２Ｂ）より空気を吸入して排気熱量を回収し、供給熱量と同様に使用する各種エネルギ保存サイクル合体機関。
【請求項３３】
エネルギ保存圧縮機（２０Ｆ）で気化熱空気回収器（２Ｂ）より空気を吸入して排気熱量を回収し、供給熱量と同様に使用する各種エネルギ保存サイクル合体機関。
【請求項３４】
エネルギ保存圧縮機（２０Ｇ）で気化熱空気回収器（２Ｂ）より空気を吸入して排気熱量を回収し、供給熱量と同様に使用する各種エネルギ保存サイクル合体機関。
【請求項３５】
エネルギ保存圧縮機（２０Ｈ）で気化熱空気回収器（２Ｂ）より空気を吸入して排気熱量を回収し、供給熱量と同様に使用する各種エネルギ保存サイクル合体機関。
【請求項３６】
全動翼圧縮機（２０Ｊ）で気化熱空気回収器（２Ｂ）より空気を吸入して排気熱量を回収し、供給熱量と同様に使用する各種エネルギ保存サイクル合体機関。
【請求項３７】
エネルギ保存圧縮機（２０Ａ）で気化熱空気回収器（２Ｂ）より空気を吸入して排気熱量を回収し、供給熱量に代替して使用する各種エネルギ保存サイクル合体機関。
【請求項３８】
エネルギ保存圧縮機（２０Ｂ）で気化熱空気回収器（２Ｂ）より空気を吸入して排気熱量を回収し、供給熱量に代替して使用する各種エネルギ保存サイクル合体機関。
【請求項３９】
エネルギ保存圧縮機（２０Ｃ）で気化熱空気回収器（２Ｂ）より空気を吸入して排気熱量を回収し、供給熱量に代替して使用する各種エネルギ保存サイクル合体機関。
【請求項４０】
エネルギ保存圧縮機（２０Ｄ）で気化熱空気回収器（２Ｂ）より空気を吸入して排気熱量を回収し、供給熱量に代替して使用する各種エネルギ保存サイクル合体機関。
【請求項４１】
エネルギ保存圧縮機（２０Ｅ）で気化熱空気回収器（２Ｂ）より空気を吸入して排気熱量を回収し、供給熱量に代替して使用する各種エネルギ保存サイクル合体機関。
【請求項４２】
エネルギ保存圧縮機（２０Ｆ）で気化熱空気回収器（２Ｂ）より空気を吸入して排気熱量を回収し、供給熱量に代替して使用する各種エネルギ保存サイクル合体機関。
【請求項４３】
エネルギ保存圧縮機（２０Ｇ）で気化熱空気回収器（２Ｂ）より空気を吸入して排気熱量を回収し、供給熱量に代替して使用する各種エネルギ保存サイクル合体機関。
【請求項４４】
エネルギ保存圧縮機（２０Ｈ）で気化熱空気回収器（２Ｂ）より空気を吸入して排気熱量を回収し、供給熱量に代替して使用する各種エネルギ保存サイクル合体機関。
【請求項４５】
全動翼圧縮機（２０Ｊ）で気化熱空気回収器（２Ｂ）より空気を吸入して排気熱量を回収し、供給熱量に代替して使用する各種エネルギ保存サイクル合体機関。
【請求項４６】
エネルギ保存圧縮機（２０Ａ）で気化熱空気回収器（２Ｂ）より空気を吸入して排気熱量を回収し、供給熱量に代替して使用して供給熱量を縮小する各種エネルギ保存サイクル合体機関。
【請求項４７】
エネルギ保存圧縮機（２０Ｂ）で気化熱空気回収器（２Ｂ）より空気を吸入して排気熱量を回収し、供給熱量に代替して使用して供給熱量を縮小する各種エネルギ保存サイクル合体機関。
【請求項４８】
エネルギ保存圧縮機（２０Ｃ）で気化熱空気回収器（２Ｂ）より空気を吸入して排気熱量を回収し、供給熱量に代替して使用して供給熱量を縮小する各種エネルギ保存サイクル合体機関。
【請求項４９】
エネルギ保存圧縮機（２０Ｄ）で気化熱空気回収器（２Ｂ）より空気を吸入して排気熱量を回収し、供給熱量に代替して使用して供給熱量を縮小する各種エネルギ保存サイクル合体機関。
【請求項５０】
エネルギ保存圧縮機（２０Ｅ）で気化熱空気回収器（２Ｂ）より空気を吸入して排気熱量を回収し、供給熱量に代替して使用して供給熱量を縮小する各種エネルギ保存サイクル合体機関。
【請求項５１】
エネルギ保存圧縮機（２０Ｆ）で気化熱空気回収器（２Ｂ）より空気を吸入して排気熱量を回収し、供給熱量に代替して使用して供給熱量を縮小する各種エネルギ保存サイクル合体機関。
【請求項５２】
エネルギ保存圧縮機（２０Ｇ）で気化熱空気回収器（２Ｂ）より空気を吸入して排気熱量を回収し、供給熱量に代替して使用して供給熱量を縮小する各種エネルギ保存サイクル合体機関。
【請求項５３】
エネルギ保存圧縮機（２０Ｈ）で気化熱空気回収器（２Ｂ）より空気を吸入して排気熱量を回収し、供給熱量に代替して使用して供給熱量を縮小する各種エネルギ保存サイクル合体機関。
【請求項５４】
全動翼圧縮機（２０Ｊ）で気化熱空気回収器（２Ｂ）より空気を吸入して排気熱量を回収し、供給熱量に代替して使用して供給熱量を縮小する各種エネルギ保存サイクル合体機関。
【請求項５５】
エネルギ保存圧縮機（２０Ａ）で気化熱空気回収器（２Ｂ）より空気を吸入して排気熱量を回収利用して使用熱量を増大する各種エネルギ保存サイクル合体機関。
【請求項５６】
エネルギ保存圧縮機（２０Ｂ）で気化熱空気回収器（２Ｂ）より空気を吸入して排気熱量を回収利用して使用熱量を増大する各種エネルギ保存サイクル合体機関。
【請求項５７】
エネルギ保存圧縮機（２０Ｃ）で気化熱空気回収器（２Ｂ）より空気を吸入して排気熱量を回収利用して使用熱量を増大する各種エネルギ保存サイクル合体機関。
【請求項５８】
エネルギ保存圧縮機（２０Ｄ）で気化熱空気回収器（２Ｂ）より空気を吸入して排気熱量を回収利用して使用熱量を増大する各種エネルギ保存サイクル合体機関。
【請求項５９】
エネルギ保存圧縮機（２０Ｅ）で気化熱空気回収器（２Ｂ）より空気を吸入して排気熱量を回収利用して使用熱量を増大する各種エネルギ保存サイクル合体機関。
【請求項６０】
エネルギ保存圧縮機（２０Ｆ）で気化熱空気回収器（２Ｂ）より空気を吸入して排気熱量を回収利用して使用熱量を増大する各種エネルギ保存サイクル合体機関。
【請求項６１】
エネルギ保存圧縮機（２０Ｇ）で気化熱空気回収器（２Ｂ）より空気を吸入して排気熱量を回収利用して使用熱量を増大する各種エネルギ保存サイクル合体機関。
【請求項６２】
エネルギ保存圧縮機（２０Ｈ）で気化熱空気回収器（２Ｂ）より空気を吸入して排気熱量を回収利用して使用熱量を増大する各種エネルギ保存サイクル合体機関。
【請求項６３】
全動翼圧縮機（２０Ｊ）で気化熱空気回収器（２Ｂ）より空気を吸入して排気熱量を回収利用して使用熱量を増大する各種エネルギ保存サイクル合体機関。
【請求項６４】
エネルギ保存圧縮機（２０Ａ）で気化熱空気回収器（２Ｂ）より空気を吸入して排気熱量を回収利用して使用熱量を増大し、供給熱量を縮小する各種エネルギ保存サイクル合体機関。
【請求項６５】
エネルギ保存圧縮機（２０Ｂ）で気化熱空気回収器（２Ｂ）より空気を吸入して排気熱量を回収利用して使用熱量を増大し、供給熱量を縮小する各種エネルギ保存サイクル合体機関。
【請求項６６】
エネルギ保存圧縮機（２０Ｃ）で気化熱空気回収器（２Ｂ）より空気を吸入して排気熱量を回収利用して使用熱量を増大し、供給熱量を縮小する各種エネルギ保存サイクル合体機関。
【請求項６７】
エネルギ保存圧縮機（２０Ｄ）で気化熱空気回収器（２Ｂ）より空気を吸入して排気熱量を回収利用して使用熱量を増大し、供給熱量を縮小する各種エネルギ保存サイクル合体機関。
【請求項６８】
エネルギ保存圧縮機（２０Ｅ）で気化熱空気回収器（２Ｂ）より空気を吸入して排気熱量を回収利用して使用熱量を増大し、供給熱量を縮小する各種エネルギ保存サイクル合体機関。
【請求項６９】
エネルギ保存圧縮機（２０Ｆ）で気化熱空気回収器（２Ｂ）より空気を吸入して排気熱量を回収利用して使用熱量を増大し、供給熱量を縮小する各種エネルギ保存サイクル合体機関。
【請求項７０】
エネルギ保存圧縮機（２０Ｇ）で気化熱空気回収器（２Ｂ）より空気を吸入して排気熱量を回収利用して使用熱量を増大し、供給熱量を縮小する各種エネルギ保存サイクル合体機関。
【請求項７１】
エネルギ保存圧縮機（２０Ｈ）で気化熱空気回収器（２Ｂ）より空気を吸入して排気熱量を回収利用して使用熱量を増大し、供給熱量を縮小する各種エネルギ保存サイクル合体機関。
【請求項７２】
全動翼圧縮機（２０Ｊ）で気化熱空気回収器（２Ｂ）より空気を吸入して排気熱量を回収利用して使用熱量を増大し、供給熱量を縮小する各種エネルギ保存サイクル合体機関。
【請求項７３】
エネルギ保存圧縮機（２０Ａ）で気化熱空気回収器（２Ｂ）より空気を吸入して排気熱量を回収利用して使用熱量を増大し、供給熱量を気化熱以下に縮小する各種エネルギ保存サイクル合体機関。
【請求項７４】
エネルギ保存圧縮機（２０Ｂ）で気化熱空気回収器（２Ｂ）より空気を吸入して排気熱量を回収利用して使用熱量を増大し、供給熱量を気化熱以下に縮小する各種エネルギ保存サイクル合体機関。
【請求項７５】
エネルギ保存圧縮機（２０Ｃ）で気化熱空気回収器（２Ｂ）より空気を吸入して排気熱量を回収利用して使用熱量を増大し、供給熱量を気化熱以下に縮小する各種エネルギ保存サイクル合体機関。
【請求項７６】
エネルギ保存圧縮機（２０Ｄ）で気化熱空気回収器（２Ｂ）より空気を吸入して排気熱量を回収利用して使用熱量を増大し、供給熱量を気化熱以下に縮小する各種エネルギ保存サイクル合体機関。
【請求項７７】
エネルギ保存圧縮機（２０Ｅ）で気化熱空気回収器（２Ｂ）より空気を吸入して排気熱量を回収利用して使用熱量を増大し、供給熱量を気化熱以下に縮小する各種エネルギ保存サイクル合体機関。
【請求項７８】
エネルギ保存圧縮機（２０Ｆ）で気化熱空気回収器（２Ｂ）より空気を吸入して排気熱量を回収利用して使用熱量を増大し、供給熱量を気化熱以下に縮小する各種エネルギ保存サイクル合体機関。
【請求項７９】
エネルギ保存圧縮機（２０Ｇ）で気化熱空気回収器（２Ｂ）より空気を吸入して排気熱量を回収利用して使用熱量を増大し、供給熱量を気化熱以下に縮小する各種エネルギ保存サイクル合体機関。
【請求項８０】
エネルギ保存圧縮機（２０Ｈ）で気化熱空気回収器（２Ｂ）より空気を吸入して排気熱量を回収利用して使用熱量を増大し、供給熱量を気化熱以下に縮小する各種エネルギ保存サイクル合体機関。
【請求項８１】
全動翼圧縮機（２０Ｊ）で気化熱空気回収器（２Ｂ）より空気を吸入して排気熱量を回収利用して使用熱量を増大し、供給熱量を気化熱以下に縮小する各種エネルギ保存サイクル合体機関。
【請求項８２】
エネルギ保存圧縮機（２０Ａ）で気化熱空気回収器（２Ｂ）より空気を吸入圧縮して排気熱量を回収する各種エネルギ保存サイクル合体機関。
【請求項８３】
エネルギ保存圧縮機（２０Ｂ）で気化熱空気回収器（２Ｂ）より空気を吸入圧縮して排気熱量を回収する各種エネルギ保存サイクル合体機関。
【請求項８４】
エネルギ保存圧縮機（２０Ｃ）で気化熱空気回収器（２Ｂ）より空気を吸入圧縮して排気熱量を回収する各種エネルギ保存サイクル合体機関。
【請求項８５】
エネルギ保存圧縮機（２０Ｄ）で気化熱空気回収器（２Ｂ）より空気を吸入圧縮して排気熱量を回収する各種エネルギ保存サイクル合体機関。
【請求項８６】
エネルギ保存圧縮機（２０Ｅ）で気化熱空気回収器（２Ｂ）より空気を吸入圧縮して排気熱量を回収する各種エネルギ保存サイクル合体機関。
【請求項８７】
エネルギ保存圧縮機（２０Ｆ）で気化熱空気回収器（２Ｂ）より空気を吸入圧縮して排気熱量を回収する各種エネルギ保存サイクル合体機関。
【請求項８８】
エネルギ保存圧縮機（２０Ｇ）で気化熱空気回収器（２Ｂ）より空気を吸入圧縮して排気熱量を回収する各種エネルギ保存サイクル合体機関。
【請求項８９】
エネルギ保存圧縮機（２０Ｈ）で気化熱空気回収器（２Ｂ）より空気を吸入圧縮して排気熱量を回収する各種エネルギ保存サイクル合体機関。
【請求項９０】
全動翼圧縮機（２０Ｊ）で気化熱空気回収器（２Ｂ）より空気を吸入圧縮して排気熱量を回収する各種エネルギ保存サイクル合体機関。
【請求項９１】
エネルギ保存圧縮機（２０Ａ）で気化熱空気回収器（２Ｂ）より空気を吸入圧縮して排気熱量を回収し、供給熱量と同様に使用する各種エネルギ保存サイクル合体機関。
【請求項９２】
エネルギ保存圧縮機（２０Ｂ）で気化熱空気回収器（２Ｂ）より空気を吸入圧縮して排気熱量を回収し、供給熱量と同様に使用する各種エネルギ保存サイクル合体機関。
【請求項９３】
エネルギ保存圧縮機（２０Ｃ）で気化熱空気回収器（２Ｂ）より空気を吸入圧縮して排気熱量を回収し、供給熱量と同様に使用する各種エネルギ保存サイクル合体機関。
【請求項９４】
エネルギ保存圧縮機（２０Ｄ）で気化熱空気回収器（２Ｂ）より空気を吸入圧縮して排気熱量を回収し、供給熱量と同様に使用する各種エネルギ保存サイクル合体機関。
【請求項９５】
エネルギ保存圧縮機（２０Ｅ）で気化熱空気回収器（２Ｂ）より空気を吸入圧縮して排気熱量を回収し、供給熱量と同様に使用する各種エネルギ保存サイクル合体機関。
【請求項９６】
エネルギ保存圧縮機（２０Ｆ）で気化熱空気回収器（２Ｂ）より空気を吸入圧縮して排気熱量を回収し、供給熱量と同様に使用する各種エネルギ保存サイクル合体機関。
【請求項９７】
エネルギ保存圧縮機（２０Ｇ）で気化熱空気回収器（２Ｂ）より空気を吸入圧縮して排気熱量を回収し、供給熱量と同様に使用する各種エネルギ保存サイクル合体機関。
【請求項９８】
エネルギ保存圧縮機（２０Ｈ）で気化熱空気回収器（２Ｂ）より空気を吸入圧縮して排気熱量を回収し、供給熱量と同様に使用する各種エネルギ保存サイクル合体機関。
【請求項９９】
全動翼圧縮機（２０Ｊ）で気化熱空気回収器（２Ｂ）より空気を吸入圧縮して排気熱量を回収し、供給熱量と同様に使用する各種エネルギ保存サイクル合体機関。
【請求項１００】
エネルギ保存圧縮機（２０Ａ）で気化熱空気回収器（２Ｂ）より空気を吸入圧縮して排気熱量を回収し、供給熱量に代替して使用する各種エネルギ保存サイクル合体機関。
【請求項１０１】
エネルギ保存圧縮機（２０Ｂ）で気化熱空気回収器（２Ｂ）より空気を吸入圧縮して排気熱量を回収し、供給熱量に代替して使用する各種エネルギ保存サイクル合体機関。
【請求項１０２】
エネルギ保存圧縮機（２０Ｃ）で気化熱空気回収器（２Ｂ）より空気を吸入圧縮して排気熱量を回収し、供給熱量に代替して使用する各種エネルギ保存サイクル合体機関。
【請求項１０３】
エネルギ保存圧縮機（２０Ｄ）で気化熱空気回収器（２Ｂ）より空気を吸入圧縮して排気熱量を回収し、供給熱量に代替して使用する各種エネルギ保存サイクル合体機関。
【請求項１０４】
エネルギ保存圧縮機（２０Ｅ）で気化熱空気回収器（２Ｂ）より空気を吸入圧縮して排気熱量を回収し、供給熱量に代替して使用する各種エネルギ保存サイクル合体機関。
【請求項１０５】
エネルギ保存圧縮機（２０Ｆ）で気化熱空気回収器（２Ｂ）より空気を吸入圧縮して排気熱量を回収し、供給熱量に代替して使用する各種エネルギ保存サイクル合体機関。
【請求項１０６】
エネルギ保存圧縮機（２０Ｇ）で気化熱空気回収器（２Ｂ）より空気を吸入圧縮して排気熱量を回収し、供給熱量に代替して使用する各種エネルギ保存サイクル合体機関。
【請求項１０７】
エネルギ保存圧縮機（２０Ｈ）で気化熱空気回収器（２Ｂ）より空気を吸入圧縮して排気熱量を回収し、供給熱量に代替して使用する各種エネルギ保存サイクル合体機関。
【請求項１０８】
全動翼圧縮機（２０Ｊ）で気化熱空気回収器（２Ｂ）より空気を吸入圧縮して排気熱量を回収し、供給熱量に代替して使用する各種エネルギ保存サイクル合体機関。
【請求項１０９】
エネルギ保存圧縮機（２０Ａ）で気化熱空気回収器（２Ｂ）より空気を吸入圧縮して排気熱量を回収し、供給熱量に代替して使用して供給熱量を縮小する各種エネルギ保存サイクル合体機関。
【請求項１１０】
エネルギ保存圧縮機（２０Ｂ）で気化熱空気回収器（２Ｂ）より空気を吸入圧縮して排気熱量を回収し、供給熱量に代替して使用して供給熱量を縮小する各種エネルギ保存サイクル合体機関。
【請求項１１１】
エネルギ保存圧縮機（２０Ｃ）で気化熱空気回収器（２Ｂ）より空気を吸入圧縮して排気熱量を回収し、供給熱量に代替して使用して供給熱量を縮小する各種エネルギ保存サイクル合体機関。
【請求項１１２】
エネルギ保存圧縮機（２０Ｄ）で気化熱空気回収器（２Ｂ）より空気を吸入圧縮して排気熱量を回収し、供給熱量に代替して使用して供給熱量を縮小する各種エネルギ保存サイクル合体機関。
【請求項１１３】
エネルギ保存圧縮機（２０Ｅ）で気化熱空気回収器（２Ｂ）より空気を吸入圧縮して排気熱量を回収し、供給熱量に代替して使用して供給熱量を縮小する各種エネルギ保存サイクル合体機関。
【請求項１１４】
エネルギ保存圧縮機（２０Ｆ）で気化熱空気回収器（２Ｂ）より空気を吸入圧縮して排気熱量を回収し、供給熱量に代替して使用して供給熱量を縮小する各種エネルギ保存サイクル合体機関。
【請求項１１５】
エネルギ保存圧縮機（２０Ｇ）で気化熱空気回収器（２Ｂ）より空気を吸入圧縮して排気熱量を回収し、供給熱量に代替して使用して供給熱量を縮小する各種エネルギ保存サイクル合体機関。
【請求項１１６】
エネルギ保存圧縮機（２０Ｈ）で気化熱空気回収器（２Ｂ）より空気を吸入圧縮して排気熱量を回収し、供給熱量に代替して使用して供給熱量を縮小する各種エネルギ保存サイクル合体機関。
【請求項１１７】
全動翼圧縮機（２０Ｊ）で気化熱空気回収器（２Ｂ）より空気を吸入圧縮して排気熱量を回収し、供給熱量に代替して使用して供給熱量を縮小する各種エネルギ保存サイクル合体機関。
【請求項１１８】
エネルギ保存圧縮機（２０Ａ）で気化熱空気回収器（２Ｂ）より空気を吸入圧縮して排気熱量を回収利用して使用熱量を増大する各種エネルギ保存サイクル合体機関。
【請求項１１９】
エネルギ保存圧縮機（２０Ｂ）で気化熱空気回収器（２Ｂ）より空気を吸入圧縮して排気熱量を回収利用して使用熱量を増大する各種エネルギ保存サイクル合体機関。
【請求項１２０】
エネルギ保存圧縮機（２０Ｃ）で気化熱空気回収器（２Ｂ）より空気を吸入圧縮して排気熱量を回収利用して使用熱量を増大する各種エネルギ保存サイクル合体機関。
【請求項１２１】
エネルギ保存圧縮機（２０Ｄ）で気化熱空気回収器（２Ｂ）より空気を吸入圧縮して排気熱量を回収利用して使用熱量を増大する各種エネルギ保存サイクル合体機関。
【請求項１２２】
エネルギ保存圧縮機（２０Ｅ）で気化熱空気回収器（２Ｂ）より空気を吸入圧縮して排気熱量を回収利用して使用熱量を増大する各種エネルギ保存サイクル合体機関。
【請求項１２３】
エネルギ保存圧縮機（２０Ｆ）で気化熱空気回収器（２Ｂ）より空気を吸入圧縮して排気熱量を回収利用して使用熱量を増大する各種エネルギ保存サイクル合体機関。
【請求項１２４】
エネルギ保存圧縮機（２０Ｇ）で気化熱空気回収器（２Ｂ）より空気を吸入圧縮して排気熱量を回収利用して使用熱量を増大する各種エネルギ保存サイクル合体機関。
【請求項１２５】
エネルギ保存圧縮機（２０Ｈ）で気化熱空気回収器（２Ｂ）より空気を吸入圧縮して排気熱量を回収利用して使用熱量を増大する各種エネルギ保存サイクル合体機関。
【請求項１２６】
全動翼圧縮機（２０Ｊ）で気化熱空気回収器（２Ｂ）より空気を吸入圧縮して排気熱量を回収利用して使用熱量を増大する各種エネルギ保存サイクル合体機関。
【請求項１２７】
エネルギ保存圧縮機（２０Ａ）で気化熱空気回収器（２Ｂ）より空気を吸入圧縮して排気熱量を回収利用して使用熱量を増大し、供給熱量を縮小する各種エネルギ保存サイクル合体機関。
【請求項１２８】
エネルギ保存圧縮機（２０Ｂ）で気化熱空気回収器（２Ｂ）より空気を吸入圧縮して排気熱量を回収利用して使用熱量を増大し、供給熱量を縮小する各種エネルギ保存サイクル合体機関。
【請求項１２９】
エネルギ保存圧縮機（２０Ｃ）で気化熱空気回収器（２Ｂ）より空気を吸入圧縮して排気熱量を回収利用して使用熱量を増大し、供給熱量を縮小する各種エネルギ保存サイクル合体機関。
【請求項１３０】
エネルギ保存圧縮機（２０Ｄ）で気化熱空気回収器（２Ｂ）より空気を吸入圧縮して排気熱量を回収利用して使用熱量を増大し、供給熱量を縮小する各種エネルギ保存サイクル合体機関。
【請求項１３１】
エネルギ保存圧縮機（２０Ｅ）で気化熱空気回収器（２Ｂ）より空気を吸入圧縮して排気熱量を回収利用して使用熱量を増大し、供給熱量を縮小する各種エネルギ保存サイクル合体機関。
【請求項１３２】
エネルギ保存圧縮機（２０Ｆ）で気化熱空気回収器（２Ｂ）より空気を吸入圧縮して排気熱量を回収利用して使用熱量を増大し、供給熱量を縮小する各種エネルギ保存サイクル合体機関。
【請求項１３３】
エネルギ保存圧縮機（２０Ｇ）で気化熱空気回収器（２Ｂ）より空気を吸入圧縮して排気熱量を回収利用して使用熱量を増大し、供給熱量を縮小する各種エネルギ保存サイクル合体機関。
【請求項１３４】
エネルギ保存圧縮機（２０Ｈ）で気化熱空気回収器（２Ｂ）より空気を吸入圧縮して排気熱量を回収利用して使用熱量を増大し、供給熱量を縮小する各種エネルギ保存サイクル合体機関。
【請求項１３５】
全動翼圧縮機（２０Ｊ）で気化熱空気回収器（２Ｂ）より空気を吸入圧縮して排気熱量を回収利用して使用熱量を増大し、供給熱量を縮小する各種エネルギ保存サイクル合体機関。
【請求項１３６】
エネルギ保存圧縮機（２０Ａ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１３７】
エネルギ保存圧縮機（２０Ｂ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１３８】
エネルギ保存圧縮機（２０Ｃ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１３９】
エネルギ保存圧縮機（２０Ｄ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１４０】
エネルギ保存圧縮機（２０Ｅ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１４１】
エネルギ保存圧縮機（２０Ｆ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１４２】
エネルギ保存圧縮機（２０Ｇ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１４３】
エネルギ保存圧縮機（２０Ｈ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１４４】
全動翼圧縮機（２０Ｊ）で気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項１４５】
エネルギ保存圧縮機（２０Ａ）を予圧圧縮機で使用し、気化熱空気回収器（２Ｂ）より空気を吸入する各種エネルギ保存サイクル合体機関。
【請求項１４６】
エネルギ保存圧縮機（２０Ｂ）を予圧圧縮機で使用し、気化熱空気回収器（２Ｂ）より空気を吸入する各種エネルギ保存サイクル合体機関。
【請求項１４７】
エネルギ保存圧縮機（２０Ｃ）を予圧圧縮機で使用し、気化熱空気回収器（２Ｂ）より空気を吸入する各種エネルギ保存サイクル合体機関。
【請求項１４８】
エネルギ保存圧縮機（２０Ｄ）を予圧圧縮機で使用し、気化熱空気回収器（２Ｂ）より空気を吸入する各種エネルギ保存サイクル合体機関。
【請求項１４９】
エネルギ保存圧縮機（２０Ｅ）を予圧圧縮機で使用し、気化熱空気回収器（２Ｂ）より空気を吸入する各種エネルギ保存サイクル合体機関。
【請求項１５０】
エネルギ保存圧縮機（２０Ｆ）を予圧圧縮機で使用し、気化熱空気回収器（２Ｂ）より空気を吸入する各種エネルギ保存サイクル合体機関。
【請求項１５１】
エネルギ保存圧縮機（２０Ｇ）を予圧圧縮機で使用し、気化熱空気回収器（２Ｂ）より空気を吸入する各種エネルギ保存サイクル合体機関。
【請求項１５２】
エネルギ保存圧縮機（２０Ｈ）を予圧圧縮機で使用し、気化熱空気回収器（２Ｂ）より空気を吸入する各種エネルギ保存サイクル合体機関。
【請求項１５３】
全動翼圧縮機（２０Ｊ）を予圧圧縮機で使用し、気化熱空気回収器（２Ｂ）より空気を吸入する各種エネルギ保存サイクル合体機関。
【請求項１５４】
エネルギ保存圧縮機（２０Ａ）を予圧圧縮機で使用し、気化熱空気回収器（２Ｂ）の吸入空気を圧縮する各種エネルギ保存サイクル合体機関。
【請求項１５５】
エネルギ保存圧縮機（２０Ｂ）を予圧圧縮機で使用し、気化熱空気回収器（２Ｂ）の吸入空気を圧縮する各種エネルギ保存サイクル合体機関。
【請求項１５６】
エネルギ保存圧縮機（２０Ｃ）を予圧圧縮機で使用し、気化熱空気回収器（２Ｂ）の吸入空気を圧縮する各種エネルギ保存サイクル合体機関。
【請求項１５７】
エネルギ保存圧縮機（２０Ｄ）を予圧圧縮機で使用し、気化熱空気回収器（２Ｂ）の吸入空気を圧縮する各種エネルギ保存サイクル合体機関。
【請求項１５８】
エネルギ保存圧縮機（２０Ｅ）を予圧圧縮機で使用し、気化熱空気回収器（２Ｂ）の吸入空気を圧縮する各種エネルギ保存サイクル合体機関。
【請求項１５９】
エネルギ保存圧縮機（２０Ｆ）を予圧圧縮機で使用し、気化熱空気回収器（２Ｂ）の吸入空気を圧縮する各種エネルギ保存サイクル合体機関。
【請求項１６０】
エネルギ保存圧縮機（２０Ｇ）を予圧圧縮機で使用し、気化熱空気回収器（２Ｂ）の吸入空気を圧縮する各種エネルギ保存サイクル合体機関。
【請求項１６１】
エネルギ保存圧縮機（２０Ｈ）を予圧圧縮機で使用し、気化熱空気回収器（２Ｂ）の吸入空気を圧縮する各種エネルギ保存サイクル合体機関。
【請求項１６２】
全動翼圧縮機（２０Ｊ）を予圧圧縮機で使用し、気化熱空気回収器（２Ｂ）の吸入空気を圧縮する各種エネルギ保存サイクル合体機関。
【請求項１６３】
エネルギ保存圧縮機（２０Ａ）を予圧圧縮機で使用し、気化熱空気回収器（２Ｂ）より空気を吸入して排気熱量を回収する各種エネルギ保存サイクル合体機関。
【請求項１６４】
エネルギ保存圧縮機（２０Ｂ）を予圧圧縮機で使用し、気化熱空気回収器（２Ｂ）より空気を吸入して排気熱量を回収する各種エネルギ保存サイクル合体機関。
【請求項１６５】
エネルギ保存圧縮機（２０Ｃ）を予圧圧縮機で使用し、気化熱空気回収器（２Ｂ）より空気を吸入して排気熱量を回収する各種エネルギ保存サイクル合体機関。
【請求項１６６】
エネルギ保存圧縮機（２０Ｄ）を予圧圧縮機で使用し、気化熱空気回収器（２Ｂ）より空気を吸入して排気熱量を回収する各種エネルギ保存サイクル合体機関。
【請求項１６７】
エネルギ保存圧縮機（２０Ｅ）を予圧圧縮機で使用し、気化熱空気回収器（２Ｂ）より空気を吸入して排気熱量を回収する各種エネルギ保存サイクル合体機関。
【請求項１６８】
エネルギ保存圧縮機（２０Ｆ）を予圧圧縮機で使用し、気化熱空気回収器（２Ｂ）より空気を吸入して排気熱量を回収する各種エネルギ保存サイクル合体機関。
【請求項１６９】
エネルギ保存圧縮機（２０Ｇ）を予圧圧縮機で使用し、気化熱空気回収器（２Ｂ）より空気を吸入して排気熱量を回収する各種エネルギ保存サイクル合体機関。
【請求項１７０】
エネルギ保存圧縮機（２０Ｈ）を予圧圧縮機で使用し、気化熱空気回収器（２Ｂ）より空気を吸入して排気熱量を回収する各種エネルギ保存サイクル合体機関。
【請求項１７１】
全動翼圧縮機（２０Ｊ）を予圧圧縮機で使用し、気化熱空気回収器（２Ｂ）より空気を吸入して排気熱量を回収する各種エネルギ保存サイクル合体機関。
【請求項１７２】
エネルギ保存圧縮機（２０Ａ）を予圧圧縮機で使用し、気化熱空気回収器（２Ｂ）より空気を吸入して排気熱量を回収し、供給熱量と同様に使用する各種エネルギ保存サイクル合体機関。
【請求項１７３】
エネルギ保存圧縮機（２０Ｂ）を予圧圧縮機で使用し、気化熱空気回収器（２Ｂ）より空気を吸入して排気熱量を回収し、供給熱量と同様に使用する各種エネルギ保存サイクル合体機関。
【請求項１７４】
エネルギ保存圧縮機（２０Ｃ）を予圧圧縮機で使用し、気化熱空気回収器（２Ｂ）より空気を吸入して排気熱量を回収し、供給熱量と同様に使用する各種エネルギ保存サイクル合体機関。
【請求項１７５】
エネルギ保存圧縮機（２０Ｄ）を予圧圧縮機で使用し、気化熱空気回収器（２Ｂ）より空気を吸入して排気熱量を回収し、供給熱量と同様に使用する各種エネルギ保存サイクル合体機関。
【請求項１７６】
エネルギ保存圧縮機（２０Ｅ）を予圧圧縮機で使用し、気化熱空気回収器（２Ｂ）より空気を吸入して排気熱量を回収し、供給熱量と同様に使用する各種エネルギ保存サイクル合体機関。
【請求項１７７】
エネルギ保存圧縮機（２０Ｆ）を予圧圧縮機で使用し、気化熱空気回収器（２Ｂ）より空気を吸入して排気熱量を回収し、供給熱量と同様に使用する各種エネルギ保存サイクル合体機関。
【請求項１７８】
エネルギ保存圧縮機（２０Ｇ）を予圧圧縮機で使用し、気化熱空気回収器（２Ｂ）より空気を吸入して排気熱量を回収し、供給熱量と同様に使用する各種エネルギ保存サイクル合体機関。
【請求項１７９】
エネルギ保存圧縮機（２０Ｈ）を予圧圧縮機で使用し、気化熱空気回収器（２Ｂ）より空気を吸入して排気熱量を回収し、供給熱量と同様に使用する各種エネルギ保存サイクル合体機関。
【請求項１８０】
全動翼圧縮機（２０Ｊ）を予圧圧縮機で使用し、気化熱空気回収器（２Ｂ）より空気を吸入して排気熱量を回収し、供給熱量と同様に使用する各種エネルギ保存サイクル合体機関。
【請求項１８１】
エネルギ保存圧縮機（２０Ａ）を予圧圧縮機で使用し、気化熱空気回収器（２Ｂ）より空気を吸入して排気熱量を回収し、供給熱量に代替して使用する各種エネルギ保存サイクル合体機関。
【請求項１８２】
エネルギ保存圧縮機（２０Ｂ）を予圧圧縮機で使用し、気化熱空気回収器（２Ｂ）より空気を吸入して排気熱量を回収し、供給熱量に代替して使用する各種エネルギ保存サイクル合体機関。
【請求項１８３】
エネルギ保存圧縮機（２０Ｃ）を予圧圧縮機で使用し、気化熱空気回収器（２Ｂ）より空気を吸入して排気熱量を回収し、供給熱量に代替して使用する各種エネルギ保存サイクル合体機関。
【請求項１８４】
エネルギ保存圧縮機（２０Ｄ）を予圧圧縮機で使用し、気化熱空気回収器（２Ｂ）より空気を吸入して排気熱量を回収し、供給熱量に代替して使用する各種エネルギ保存サイクル合体機関。
【請求項１８５】
エネルギ保存圧縮機（２０Ｅ）を予圧圧縮機で使用し、気化熱空気回収器（２Ｂ）より空気を吸入して排気熱量を回収し、供給熱量に代替して使用する各種エネルギ保存サイクル合体機関。
【請求項１８６】
エネルギ保存圧縮機（２０Ｆ）を予圧圧縮機で使用し、気化熱空気回収器（２Ｂ）より空気を吸入して排気熱量を回収し、供給熱量に代替して使用する各種エネルギ保存サイクル合体機関。
【請求項１８７】
エネルギ保存圧縮機（２０Ｇ）を予圧圧縮機で使用し、気化熱空気回収器（２Ｂ）より空気を吸入して排気熱量を回収し、供給熱量に代替して使用する各種エネルギ保存サイクル合体機関。
【請求項１８８】
エネルギ保存圧縮機（２０Ｈ）を予圧圧縮機で使用し、気化熱空気回収器（２Ｂ）より空気を吸入して排気熱量を回収し、供給熱量に代替して使用する各種エネルギ保存サイクル合体機関。
【請求項１８９】
全動翼圧縮機（２０Ｊ）を予圧圧縮機で使用し、気化熱空気回収器（２Ｂ）より空気を吸入して排気熱量を回収し、供給熱量に代替して使用する各種エネルギ保存サイクル合体機関。
【請求項１９０】
エネルギ保存圧縮機（２０Ａ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９１】
エネルギ保存圧縮機（２０Ｂ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９２】
エネルギ保存圧縮機（２０Ｃ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９３】
エネルギ保存圧縮機（２０Ｄ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９４】
エネルギ保存圧縮機（２０Ｅ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９５】
エネルギ保存圧縮機（２０Ｆ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９６】
エネルギ保存圧縮機（２０Ｇ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９７】
エネルギ保存圧縮機（２０Ｈ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９８】
全動翼圧縮機（２０Ｊ）を予圧圧縮機で使用し、気化熱空気回収器（２Ｂ）より空気を吸入して排気熱量を回収し、供給熱量に代替して使用して供給熱量を縮小する各種エネルギ保存サイクル合体機関。
【請求項１９９】
エネルギ保存圧縮機（２０Ａ）を予圧圧縮機で使用し、気化熱空気回収器（２Ｂ）より空気を吸入して排気熱量を回収利用して使用熱量を増大する各種エネルギ保存サイクル合体機関。
【請求項２００】
エネルギ保存圧縮機（２０Ｂ）を予圧圧縮機で使用し、気化熱空気回収器（２Ｂ）より空気を吸入して排気熱量を回収利用して使用熱量を増大する各種エネルギ保存サイクル合体機関。
【請求項２０１】
エネルギ保存圧縮機（２０Ｃ）を予圧圧縮機で使用し、気化熱空気回収器（２Ｂ）より空気を吸入して排気熱量を回収利用して使用熱量を増大する各種エネルギ保存サイクル合体機関。
【請求項２０２】
エネルギ保存圧縮機（２０Ｄ）を予圧圧縮機で使用し、気化熱空気回収器（２Ｂ）より空気を吸入して排気熱量を回収利用して使用熱量を増大する各種エネルギ保存サイクル合体機関。
【請求項２０３】
エネルギ保存圧縮機（２０Ｅ）を予圧圧縮機で使用し、気化熱空気回収器（２Ｂ）より空気を吸入して排気熱量を回収利用して使用熱量を増大する各種エネルギ保存サイクル合体機関。
【請求項２０４】
エネルギ保存圧縮機（２０Ｆ）を予圧圧縮機で使用し、気化熱空気回収器（２Ｂ）より空気を吸入して排気熱量を回収利用して使用熱量を増大する各種エネルギ保存サイクル合体機関。
【請求項２０５】
エネルギ保存圧縮機（２０Ｇ）を予圧圧縮機で使用し、気化熱空気回収器（２Ｂ）より空気を吸入して排気熱量を回収利用して使用熱量を増大する各種エネルギ保存サイクル合体機関。
【請求項２０６】
エネルギ保存圧縮機（２０Ｈ）を予圧圧縮機で使用し、気化熱空気回収器（２Ｂ）より空気を吸入して排気熱量を回収利用して使用熱量を増大する各種エネルギ保存サイクル合体機関。
【請求項２０７】
全動翼圧縮機（２０Ｊ）を予圧圧縮機で使用し、気化熱空気回収器（２Ｂ）より空気を吸入して排気熱量を回収利用して使用熱量を増大する各種エネルギ保存サイクル合体機関。
【請求項２０８】
エネルギ保存圧縮機（２０Ａ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２０９】
エネルギ保存圧縮機（２０Ｂ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１０】
エネルギ保存圧縮機（２０Ｃ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１１】
エネルギ保存圧縮機（２０Ｄ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１２】
エネルギ保存圧縮機（２０Ｅ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１３】
エネルギ保存圧縮機（２０Ｆ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１４】
エネルギ保存圧縮機（２０Ｇ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１５】
エネルギ保存圧縮機（２０Ｈ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１６】
全動翼圧縮機（２０Ｊ）を予圧圧縮機で使用し、気化熱空気回収器（２Ｂ）より空気を吸入して排気熱量を回収利用して使用熱量を増大し、供給熱量を縮小する各種エネルギ保存サイクル合体機関。
【請求項２１７】
エネルギ保存圧縮機（２０Ａ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２１８】
エネルギ保存圧縮機（２０Ｂ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２１９】
エネルギ保存圧縮機（２０Ｃ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２０】
エネルギ保存圧縮機（２０Ｄ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２１】
エネルギ保存圧縮機（２０Ｅ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２２】
エネルギ保存圧縮機（２０Ｆ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２３】
エネルギ保存圧縮機（２０Ｇ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２４】
エネルギ保存圧縮機（２０Ｈ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２５】
全動翼圧縮機（２０Ｊ）を予圧圧縮機で使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項２２６】
エネルギ保存圧縮機（２０Ａ）を予圧圧縮機で使用し、気化熱空気回収器（２Ｂ）より空気を吸入圧縮して排気熱量を回収する各種エネルギ保存サイクル合体機関。
【請求項２２７】
エネルギ保存圧縮機（２０Ｂ）を予圧圧縮機で使用し、気化熱空気回収器（２Ｂ）より空気を吸入圧縮して排気熱量を回収する各種エネルギ保存サイクル合体機関。
【請求項２２８】
エネルギ保存圧縮機（２０Ｃ）を予圧圧縮機で使用し、気化熱空気回収器（２Ｂ）より空気を吸入圧縮して排気熱量を回収する各種エネルギ保存サイクル合体機関。
【請求項２２９】
エネルギ保存圧縮機（２０Ｄ）を予圧圧縮機で使用し、気化熱空気回収器（２Ｂ）より空気を吸入圧縮して排気熱量を回収する各種エネルギ保存サイクル合体機関。
【請求項２３０】
エネルギ保存圧縮機（２０Ｅ）を予圧圧縮機で使用し、気化熱空気回収器（２Ｂ）より空気を吸入圧縮して排気熱量を回収する各種エネルギ保存サイクル合体機関。
【請求項２３１】
エネルギ保存圧縮機（２０Ｆ）を予圧圧縮機で使用し、気化熱空気回収器（２Ｂ）より空気を吸入圧縮して排気熱量を回収する各種エネルギ保存サイクル合体機関。
【請求項２３２】
エネルギ保存圧縮機（２０Ｇ）を予圧圧縮機で使用し、気化熱空気回収器（２Ｂ）より空気を吸入圧縮して排気熱量を回収する各種エネルギ保存サイクル合体機関。
【請求項２３３】
エネルギ保存圧縮機（２０Ｈ）を予圧圧縮機で使用し、気化熱空気回収器（２Ｂ）より空気を吸入圧縮して排気熱量を回収する各種エネルギ保存サイクル合体機関。
【請求項２３４】
全動翼圧縮機（２０Ｊ）を予圧圧縮機で使用し、気化熱空気回収器（２Ｂ）より空気を吸入圧縮して排気熱量を回収する各種エネルギ保存サイクル合体機関。
【請求項２３５】
エネルギ保存圧縮機（２０Ａ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２３６】
エネルギ保存圧縮機（２０Ｂ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２３７】
エネルギ保存圧縮機（２０Ｃ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２３８】
エネルギ保存圧縮機（２０Ｄ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２３９】
エネルギ保存圧縮機（２０Ｅ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２４０】
エネルギ保存圧縮機（２０Ｆ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２４１】
エネルギ保存圧縮機（２０Ｇ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２４２】
エネルギ保存圧縮機（２０Ｈ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２４３】
全動翼圧縮機（２０Ｊ）を予圧圧縮機で使用し、気化熱空気回収器（２Ｂ）より空気を吸入圧縮して排気熱量を回収し、供給熱量と同様に使用する各種エネルギ保存サイクル合体機関。
【請求項２４４】
エネルギ保存圧縮機（２０Ａ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２４５】
エネルギ保存圧縮機（２０Ｂ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２４６】
エネルギ保存圧縮機（２０Ｃ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２４７】
エネルギ保存圧縮機（２０Ｄ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２４８】
エネルギ保存圧縮機（２０Ｅ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２４９】
エネルギ保存圧縮機（２０Ｆ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２５０】
エネルギ保存圧縮機（２０Ｇ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２５１】
エネルギ保存圧縮機（２０Ｈ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２５２】
全動翼圧縮機（２０Ｊ）を予圧圧縮機で使用し、気化熱空気回収器（２Ｂ）より空気を吸入圧縮して排気熱量を回収し、供給熱量に代替して使用する各種エネルギ保存サイクル合体機関。
【請求項２５３】
エネルギ保存圧縮機（２０Ａ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２５４】
エネルギ保存圧縮機（２０Ｂ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２５５】
エネルギ保存圧縮機（２０Ｃ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２５６】
エネルギ保存圧縮機（２０Ｄ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２５７】
エネルギ保存圧縮機（２０Ｅ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２５８】
エネルギ保存圧縮機（２０Ｆ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２５９】
エネルギ保存圧縮機（２０Ｇ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２６０】
エネルギ保存圧縮機（２０Ｈ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２６１】
全動翼圧縮機（２０Ｊ）を予圧圧縮機で使用し、気化熱空気回収器（２Ｂ）より空気を吸入圧縮して排気熱量を回収し、供給熱量に代替して使用して供給熱量を縮小する各種エネルギ保存サイクル合体機関。
【請求項２６２】
エネルギ保存圧縮機（２０Ａ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６３】
エネルギ保存圧縮機（２０Ｂ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６４】
エネルギ保存圧縮機（２０Ｃ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６５】
エネルギ保存圧縮機（２０Ｄ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６６】
エネルギ保存圧縮機（２０Ｅ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６７】
エネルギ保存圧縮機（２０Ｆ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６８】
エネルギ保存圧縮機（２０Ｇ）を予圧圧縮機で使用し、気化熱空気回収器（２Ｂ）より空気を吸入圧縮して排気熱量を回収利用して使用熱量を増大する各種エネルギ保存サイクル合体機関。
【請求項２６９】
エネルギ保存圧縮機（２０Ｈ）を予圧圧縮機で使用し、気化熱空気回収器（２Ｂ）より空気を吸入圧縮して排気熱量を回収利用して使用熱量を増大する各種エネルギ保存サイクル合体機関。
【請求項２７０】
全動翼圧縮機（２０Ｊ）を予圧圧縮機で使用し、気化熱空気回収器（２Ｂ）より空気を吸入圧縮して排気熱量を回収利用して使用熱量を増大する各種エネルギ保存サイクル合体機関。
【請求項２７１】
エネルギ保存圧縮機（２０Ａ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７２】
エネルギ保存圧縮機（２０Ｂ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７３】
エネルギ保存圧縮機（２０Ｃ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７４】
エネルギ保存圧縮機（２０Ｄ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７５】
エネルギ保存圧縮機（２０Ｅ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７６】
エネルギ保存圧縮機（２０Ｆ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７７】
エネルギ保存圧縮機（２０Ｇ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７８】
エネルギ保存圧縮機（２０Ｈ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２７９】
全動翼圧縮機（２０Ｊ）を予圧圧縮機で使用し、気化熱空気回収器（２Ｂ）より空気を吸入圧縮して排気熱量を回収利用して使用熱量を増大し、供給熱量を縮小する各種エネルギ保存サイクル合体機関。
【請求項２８０】
エネルギ保存圧縮機（２０Ａ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８１】
エネルギ保存圧縮機（２０Ｂ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８２】
エネルギ保存圧縮機（２０Ｃ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８３】
エネルギ保存圧縮機（２０Ｄ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８４】
エネルギ保存圧縮機（２０Ｅ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８５】
エネルギ保存圧縮機（２０Ｆ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８６】
エネルギ保存圧縮機（２０Ｇ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８７】
エネルギ保存圧縮機（２０Ｈ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８８】
全動翼圧縮機（２０Ｊ）を予圧圧縮機で使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項２８９】
エネルギ保存圧縮機（２０Ａ）を予圧圧縮機で２回使用し、気化熱空気回収器（２Ｂ）より空気を吸入する各種エネルギ保存サイクル合体機関。
【請求項２９０】
エネルギ保存圧縮機（２０Ｂ）を予圧圧縮機で２回使用し、気化熱空気回収器（２Ｂ）より空気を吸入する各種エネルギ保存サイクル合体機関。
【請求項２９１】
エネルギ保存圧縮機（２０Ｃ）を予圧圧縮機で２回使用し、気化熱空気回収器（２Ｂ）より空気を吸入する各種エネルギ保存サイクル合体機関。
【請求項２９２】
エネルギ保存圧縮機（２０Ｄ）を予圧圧縮機で２回使用し、気化熱空気回収器（２Ｂ）より空気を吸入する各種エネルギ保存サイクル合体機関。
【請求項２９３】
エネルギ保存圧縮機（２０Ｅ）を予圧圧縮機で２回使用し、気化熱空気回収器（２Ｂ）より空気を吸入する各種エネルギ保存サイクル合体機関。
【請求項２９４】
エネルギ保存圧縮機（２０Ｆ）を予圧圧縮機で２回使用し、気化熱空気回収器（２Ｂ）より空気を吸入する各種エネルギ保存サイクル合体機関。
【請求項２９５】
エネルギ保存圧縮機（２０Ｇ）を予圧圧縮機で２回使用し、気化熱空気回収器（２Ｂ）より空気を吸入する各種エネルギ保存サイクル合体機関。
【請求項２９６】
エネルギ保存圧縮機（２０Ｈ）を予圧圧縮機で２回使用し、気化熱空気回収器（２Ｂ）より空気を吸入する各種エネルギ保存サイクル合体機関。
【請求項２９７】
全動翼圧縮機（２０Ｊ）を予圧圧縮機で２回使用し、気化熱空気回収器（２Ｂ）より空気を吸入する各種エネルギ保存サイクル合体機関。
【請求項２９８】
エネルギ保存圧縮機（２０Ａ）を予圧圧縮機で２回使用し、気化熱空気回収器（２Ｂ）の吸入空気を圧縮する各種エネルギ保存サイクル合体機関。
【請求項２９９】
エネルギ保存圧縮機（２０Ｂ）を予圧圧縮機で２回使用し、気化熱空気回収器（２Ｂ）の吸入空気を圧縮する各種エネルギ保存サイクル合体機関。
【請求項３００】
エネルギ保存圧縮機（２０Ｃ）を予圧圧縮機で２回使用し、気化熱空気回収器（２Ｂ）の吸入空気を圧縮する各種エネルギ保存サイクル合体機関。
【請求項３０１】
エネルギ保存圧縮機（２０Ｄ）を予圧圧縮機で２回使用し、気化熱空気回収器（２Ｂ）の吸入空気を圧縮する各種エネルギ保存サイクル合体機関。
【請求項３０２】
エネルギ保存圧縮機（２０Ｅ）を予圧圧縮機で２回使用し、気化熱空気回収器（２Ｂ）の吸入空気を圧縮する各種エネルギ保存サイクル合体機関。
【請求項３０３】
エネルギ保存圧縮機（２０Ｆ）を予圧圧縮機で２回使用し、気化熱空気回収器（２Ｂ）の吸入空気を圧縮する各種エネルギ保存サイクル合体機関。
【請求項３０４】
エネルギ保存圧縮機（２０Ｇ）を予圧圧縮機で２回使用し、気化熱空気回収器（２Ｂ）の吸入空気を圧縮する各種エネルギ保存サイクル合体機関。
【請求項３０５】
エネルギ保存圧縮機（２０Ｈ）を予圧圧縮機で２回使用し、気化熱空気回収器（２Ｂ）の吸入空気を圧縮する各種エネルギ保存サイクル合体機関。
【請求項３０６】
全動翼圧縮機（２０Ｊ）を予圧圧縮機で２回使用し、気化熱空気回収器（２Ｂ）の吸入空気を圧縮する各種エネルギ保存サイクル合体機関。
【請求項３０７】
エネルギ保存圧縮機（２０Ａ）を予圧圧縮機で２回使用し、気化熱空気回収器（２Ｂ）より空気を吸入して排気熱量を回収する各種エネルギ保存サイクル合体機関。
【請求項３０８】
エネルギ保存圧縮機（２０Ｂ）を予圧圧縮機で２回使用し、気化熱空気回収器（２Ｂ）より空気を吸入して排気熱量を回収する各種エネルギ保存サイクル合体機関。
【請求項３０９】
エネルギ保存圧縮機（２０Ｃ）を予圧圧縮機で２回使用し、気化熱空気回収器（２Ｂ）より空気を吸入して排気熱量を回収する各種エネルギ保存サイクル合体機関。
【請求項３１０】
エネルギ保存圧縮機（２０Ｄ）を予圧圧縮機で２回使用し、気化熱空気回収器（２Ｂ）より空気を吸入して排気熱量を回収する各種エネルギ保存サイクル合体機関。
【請求項３１１】
エネルギ保存圧縮機（２０Ｅ）を予圧圧縮機で２回使用し、気化熱空気回収器（２Ｂ）より空気を吸入して排気熱量を回収する各種エネルギ保存サイクル合体機関。
【請求項３１２】
エネルギ保存圧縮機（２０Ｆ）を予圧圧縮機で２回使用し、気化熱空気回収器（２Ｂ）より空気を吸入して排気熱量を回収する各種エネルギ保存サイクル合体機関。
【請求項３１３】
エネルギ保存圧縮機（２０Ｇ）を予圧圧縮機で２回使用し、気化熱空気回収器（２Ｂ）より空気を吸入して排気熱量を回収する各種エネルギ保存サイクル合体機関。
【請求項３１４】
エネルギ保存圧縮機（２０Ｈ）を予圧圧縮機で２回使用し、気化熱空気回収器（２Ｂ）より空気を吸入して排気熱量を回収する各種エネルギ保存サイクル合体機関。
【請求項３１５】
全動翼圧縮機（２０Ｊ）を予圧圧縮機で２回使用し、気化熱空気回収器（２Ｂ）より空気を吸入して排気熱量を回収する各種エネルギ保存サイクル合体機関。
【請求項３１６】
エネルギ保存圧縮機（２０Ａ）を予圧圧縮機で２回使用し、気化熱空気回収器（２Ｂ）より空気を吸入して排気熱量を回収し、供給熱量と同様に使用する各種エネルギ保存サイクル合体機関。
【請求項３１７】
エネルギ保存圧縮機（２０Ｂ）を予圧圧縮機で２回使用し、気化熱空気回収器（２Ｂ）より空気を吸入して排気熱量を回収し、供給熱量と同様に使用する各種エネルギ保存サイクル合体機関。
【請求項３１８】
エネルギ保存圧縮機（２０Ｃ）を予圧圧縮機で２回使用し、気化熱空気回収器（２Ｂ）より空気を吸入して排気熱量を回収し、供給熱量と同様に使用する各種エネルギ保存サイクル合体機関。
【請求項３１９】
エネルギ保存圧縮機（２０Ｄ）を予圧圧縮機で２回使用し、気化熱空気回収器（２Ｂ）より空気を吸入して排気熱量を回収し、供給熱量と同様に使用する各種エネルギ保存サイクル合体機関。
【請求項３２０】
エネルギ保存圧縮機（２０Ｅ）を予圧圧縮機で２回使用し、気化熱空気回収器（２Ｂ）より空気を吸入して排気熱量を回収し、供給熱量と同様に使用する各種エネルギ保存サイクル合体機関。
【請求項３２１】
エネルギ保存圧縮機（２０Ｆ）を予圧圧縮機で２回使用し、気化熱空気回収器（２Ｂ）より空気を吸入して排気熱量を回収し、供給熱量と同様に使用する各種エネルギ保存サイクル合体機関。
【請求項３２２】
エネルギ保存圧縮機（２０Ｇ）を予圧圧縮機で２回使用し、気化熱空気回収器（２Ｂ）より空気を吸入して排気熱量を回収し、供給熱量と同様に使用する各種エネルギ保存サイクル合体機関。
【請求項３２３】
エネルギ保存圧縮機（２０Ｈ）を予圧圧縮機で２回使用し、気化熱空気回収器（２Ｂ）より空気を吸入して排気熱量を回収し、供給熱量と同様に使用する各種エネルギ保存サイクル合体機関。
【請求項３２４】
全動翼圧縮機（２０Ｊ）を予圧圧縮機で２回使用し、気化熱空気回収器（２Ｂ）より空気を吸入して排気熱量を回収し、供給熱量と同様に使用する各種エネルギ保存サイクル合体機関。
【請求項３２５】
エネルギ保存圧縮機（２０Ａ）を予圧圧縮機で２回使用し、気化熱空気回収器（２Ｂ）より空気を吸入して排気熱量を回収し、供給熱量に代替して使用する各種エネルギ保存サイクル合体機関。
【請求項３２６】
エネルギ保存圧縮機（２０Ｂ）を予圧圧縮機で２回使用し、気化熱空気回収器（２Ｂ）より空気を吸入して排気熱量を回収し、供給熱量に代替して使用する各種エネルギ保存サイクル合体機関。
【請求項３２７】
エネルギ保存圧縮機（２０Ｃ）を予圧圧縮機で２回使用し、気化熱空気回収器（２Ｂ）より空気を吸入して排気熱量を回収し、供給熱量に代替して使用する各種エネルギ保存サイクル合体機関。
【請求項３２８】
エネルギ保存圧縮機（２０Ｄ）を予圧圧縮機で２回使用し、気化熱空気回収器（２Ｂ）より空気を吸入して排気熱量を回収し、供給熱量に代替して使用する各種エネルギ保存サイクル合体機関。
【請求項３２９】
エネルギ保存圧縮機（２０Ｅ）を予圧圧縮機で２回使用し、気化熱空気回収器（２Ｂ）より空気を吸入して排気熱量を回収し、供給熱量に代替して使用する各種エネルギ保存サイクル合体機関。
【請求項３３０】
エネルギ保存圧縮機（２０Ｆ）を予圧圧縮機で２回使用し、気化熱空気回収器（２Ｂ）より空気を吸入して排気熱量を回収し、供給熱量に代替して使用する各種エネルギ保存サイクル合体機関。
【請求項３３１】
エネルギ保存圧縮機（２０Ｇ）を予圧圧縮機で２回使用し、気化熱空気回収器（２Ｂ）より空気を吸入して排気熱量を回収し、供給熱量に代替して使用する各種エネルギ保存サイクル合体機関。
【請求項３３２】
エネルギ保存圧縮機（２０Ｈ）を予圧圧縮機で２回使用し、気化熱空気回収器（２Ｂ）より空気を吸入して排気熱量を回収し、供給熱量に代替して使用する各種エネルギ保存サイクル合体機関。
【請求項３３３】
全動翼圧縮機（２０Ｊ）を予圧圧縮機で２回使用し、気化熱空気回収器（２Ｂ）より空気を吸入して排気熱量を回収し、供給熱量に代替して使用する各種エネルギ保存サイクル合体機関。
【請求項３３４】
エネルギ保存圧縮機（２０Ａ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３３５】
エネルギ保存圧縮機（２０Ｂ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３３６】
エネルギ保存圧縮機（２０Ｃ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３３７】
エネルギ保存圧縮機（２０Ｄ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３３８】
エネルギ保存圧縮機（２０Ｅ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３３９】
エネルギ保存圧縮機（２０Ｆ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３４０】
エネルギ保存圧縮機（２０Ｇ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３４１】
エネルギ保存圧縮機（２０Ｈ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３４２】
全動翼圧縮機（２０Ｊ）を予圧圧縮機で２回使用し、気化熱空気回収器（２Ｂ）より空気を吸入して排気熱量を回収し、供給熱量に代替して使用して供給熱量を縮小する各種エネルギ保存サイクル合体機関。
【請求項３４３】
エネルギ保存圧縮機（２０Ａ）を予圧圧縮機で２回使用し、気化熱空気回収器（２Ｂ）より空気を吸入して排気熱量を回収利用して使用熱量を増大する各種エネルギ保存サイクル合体機関。
【請求項３４４】
エネルギ保存圧縮機（２０Ｂ）を予圧圧縮機で２回使用し、気化熱空気回収器（２Ｂ）より空気を吸入して排気熱量を回収利用して使用熱量を増大する各種エネルギ保存サイクル合体機関。
【請求項３４５】
エネルギ保存圧縮機（２０Ｃ）を予圧圧縮機で２回使用し、気化熱空気回収器（２Ｂ）より空気を吸入して排気熱量を回収利用して使用熱量を増大する各種エネルギ保存サイクル合体機関。
【請求項３４６】
エネルギ保存圧縮機（２０Ｄ）を予圧圧縮機で２回使用し、気化熱空気回収器（２Ｂ）より空気を吸入して排気熱量を回収利用して使用熱量を増大する各種エネルギ保存サイクル合体機関。
【請求項３４７】
エネルギ保存圧縮機（２０Ｅ）を予圧圧縮機で２回使用し、気化熱空気回収器（２Ｂ）より空気を吸入して排気熱量を回収利用して使用熱量を増大する各種エネルギ保存サイクル合体機関。
【請求項３４８】
エネルギ保存圧縮機（２０Ｆ）を予圧圧縮機で２回使用し、気化熱空気回収器（２Ｂ）より空気を吸入して排気熱量を回収利用して使用熱量を増大する各種エネルギ保存サイクル合体機関。
【請求項３４９】
エネルギ保存圧縮機（２０Ｇ）を予圧圧縮機で２回使用し、気化熱空気回収器（２Ｂ）より空気を吸入して排気熱量を回収利用して使用熱量を増大する各種エネルギ保存サイクル合体機関。
【請求項３５０】
エネルギ保存圧縮機（２０Ｈ）を予圧圧縮機で２回使用し、気化熱空気回収器（２Ｂ）より空気を吸入して排気熱量を回収利用して使用熱量を増大する各種エネルギ保存サイクル合体機関。
【請求項３５１】
全動翼圧縮機（２０Ｊ）を予圧圧縮機で２回使用し、気化熱空気回収器（２Ｂ）より空気を吸入して排気熱量を回収利用して使用熱量を増大する各種エネルギ保存サイクル合体機関。
【請求項３５２】
エネルギ保存圧縮機（２０Ａ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５３】
エネルギ保存圧縮機（２０Ｂ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５４】
エネルギ保存圧縮機（２０Ｃ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５５】
エネルギ保存圧縮機（２０Ｄ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５６】
エネルギ保存圧縮機（２０Ｅ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５７】
エネルギ保存圧縮機（２０Ｆ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５８】
エネルギ保存圧縮機（２０Ｇ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３５９】
エネルギ保存圧縮機（２０Ｈ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３６０】
全動翼圧縮機（２０Ｊ）を予圧圧縮機で２回使用し、気化熱空気回収器（２Ｂ）より空気を吸入して排気熱量を回収利用して使用熱量を増大し、供給熱量を縮小する各種エネルギ保存サイクル合体機関。
【請求項３６１】
エネルギ保存圧縮機（２０Ａ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６２】
エネルギ保存圧縮機（２０Ｂ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６３】
エネルギ保存圧縮機（２０Ｃ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６４】
エネルギ保存圧縮機（２０Ｄ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６５】
エネルギ保存圧縮機（２０Ｅ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６６】
エネルギ保存圧縮機（２０Ｆ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６７】
エネルギ保存圧縮機（２０Ｇ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６８】
エネルギ保存圧縮機（２０Ｈ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３６９】
全動翼圧縮機（２０Ｊ）を予圧圧縮機で２回使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項３７０】
エネルギ保存圧縮機（２０Ａ）を予圧圧縮機で２回使用し、気化熱空気回収器（２Ｂ）より空気を吸入圧縮して排気熱量を回収する各種エネルギ保存サイクル合体機関。
【請求項３７１】
エネルギ保存圧縮機（２０Ｂ）を予圧圧縮機で２回使用し、気化熱空気回収器（２Ｂ）より空気を吸入圧縮して排気熱量を回収する各種エネルギ保存サイクル合体機関。
【請求項３７２】
エネルギ保存圧縮機（２０Ｃ）を予圧圧縮機で２回使用し、気化熱空気回収器（２Ｂ）より空気を吸入圧縮して排気熱量を回収する各種エネルギ保存サイクル合体機関。
【請求項３７３】
エネルギ保存圧縮機（２０Ｄ）を予圧圧縮機で２回使用し、気化熱空気回収器（２Ｂ）より空気を吸入圧縮して排気熱量を回収する各種エネルギ保存サイクル合体機関。
【請求項３７４】
エネルギ保存圧縮機（２０Ｅ）を予圧圧縮機で２回使用し、気化熱空気回収器（２Ｂ）より空気を吸入圧縮して排気熱量を回収する各種エネルギ保存サイクル合体機関。
【請求項３７５】
エネルギ保存圧縮機（２０Ｆ）を予圧圧縮機で２回使用し、気化熱空気回収器（２Ｂ）より空気を吸入圧縮して排気熱量を回収する各種エネルギ保存サイクル合体機関。
【請求項３７６】
エネルギ保存圧縮機（２０Ｇ）を予圧圧縮機で２回使用し、気化熱空気回収器（２Ｂ）より空気を吸入圧縮して排気熱量を回収する各種エネルギ保存サイクル合体機関。
【請求項３７７】
エネルギ保存圧縮機（２０Ｈ）を予圧圧縮機で２回使用し、気化熱空気回収器（２Ｂ）より空気を吸入圧縮して排気熱量を回収する各種エネルギ保存サイクル合体機関。
【請求項３７８】
全動翼圧縮機（２０Ｊ）を予圧圧縮機で２回使用し、気化熱空気回収器（２Ｂ）より空気を吸入圧縮して排気熱量を回収する各種エネルギ保存サイクル合体機関。
【請求項３７９】
エネルギ保存圧縮機（２０Ａ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８０】
エネルギ保存圧縮機（２０Ｂ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８１】
エネルギ保存圧縮機（２０Ｃ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８２】
エネルギ保存圧縮機（２０Ｄ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８３】
エネルギ保存圧縮機（２０Ｅ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８４】
エネルギ保存圧縮機（２０Ｆ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８５】
エネルギ保存圧縮機（２０Ｇ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８６】
エネルギ保存圧縮機（２０Ｈ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８７】
全動翼圧縮機（２０Ｊ）を予圧圧縮機で２回使用し、気化熱空気回収器（２Ｂ）より空気を吸入圧縮して排気熱量を回収し、供給熱量と同様に使用する各種エネルギ保存サイクル合体機関。
【請求項３８８】
エネルギ保存圧縮機（２０Ａ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３８９】
エネルギ保存圧縮機（２０Ｂ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９０】
エネルギ保存圧縮機（２０Ｃ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９１】
エネルギ保存圧縮機（２０Ｄ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９２】
エネルギ保存圧縮機（２０Ｅ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９３】
エネルギ保存圧縮機（２０Ｆ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９４】
エネルギ保存圧縮機（２０Ｇ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９５】
エネルギ保存圧縮機（２０Ｈ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９６】
全動翼圧縮機（２０Ｊ）を予圧圧縮機で２回使用し、気化熱空気回収器（２Ｂ）より空気を吸入圧縮して排気熱量を回収し、供給熱量に代替して使用する各種エネルギ保存サイクル合体機関。
【請求項３９７】
エネルギ保存圧縮機（２０Ａ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項３９８】
エネルギ保存圧縮機（２０Ｂ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項３９９】
エネルギ保存圧縮機（２０Ｃ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４００】
エネルギ保存圧縮機（２０Ｄ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４０１】
エネルギ保存圧縮機（２０Ｅ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４０２】
エネルギ保存圧縮機（２０Ｆ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４０３】
エネルギ保存圧縮機（２０Ｇ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４０４】
エネルギ保存圧縮機（２０Ｈ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４０５】
全動翼圧縮機（２０Ｊ）を予圧圧縮機で２回使用し、気化熱空気回収器（２Ｂ）より空気を吸入圧縮して排気熱量を回収し、供給熱量に代替して使用して供給熱量を縮小する各種エネルギ保存サイクル合体機関。
【請求項４０６】
エネルギ保存圧縮機（２０Ａ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４０７】
エネルギ保存圧縮機（２０Ｂ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４０８】
エネルギ保存圧縮機（２０Ｃ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４０９】
エネルギ保存圧縮機（２０Ｄ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４１０】
エネルギ保存圧縮機（２０Ｅ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４１１】
エネルギ保存圧縮機（２０Ｆ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４１２】
エネルギ保存圧縮機（２０Ｇ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４１３】
エネルギ保存圧縮機（２０Ｈ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４１４】
全動翼圧縮機（２０Ｊ）を予圧圧縮機で２回使用し、気化熱空気回収器（２Ｂ）より空気を吸入圧縮して排気熱量を回収利用して使用熱量を増大する各種エネルギ保存サイクル合体機関。
【請求項４１５】
エネルギ保存圧縮機（２０Ａ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４１６】
エネルギ保存圧縮機（２０Ｂ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４１７】
エネルギ保存圧縮機（２０Ｃ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４１８】
エネルギ保存圧縮機（２０Ｄ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４１９】
エネルギ保存圧縮機（２０Ｅ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４２０】
エネルギ保存圧縮機（２０Ｆ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４２１】
エネルギ保存圧縮機（２０Ｇ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４２２】
エネルギ保存圧縮機（２０Ｈ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４２３】
全動翼圧縮機（２０Ｊ）を予圧圧縮機で２回使用し、気化熱空気回収器（２Ｂ）より空気を吸入圧縮して排気熱量を回収利用して使用熱量を増大し、供給熱量を縮小する各種エネルギ保存サイクル合体機関。
【請求項４２４】
エネルギ保存圧縮機（２０Ａ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４２５】
エネルギ保存圧縮機（２０Ｂ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４２６】
エネルギ保存圧縮機（２０Ｃ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４２７】
エネルギ保存圧縮機（２０Ｄ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４２８】
エネルギ保存圧縮機（２０Ｅ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４２９】
エネルギ保存圧縮機（２０Ｆ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４３０】
エネルギ保存圧縮機（２０Ｇ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４３１】
エネルギ保存圧縮機（２０Ｈ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４３２】
全動翼圧縮機（２０Ｊ）を予圧圧縮機で２回使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項４３３】
エネルギ保存圧縮機（２０Ａ）を予圧圧縮機で２回以上使用し、気化熱空気回収器（２Ｂ）より空気を吸入する各種エネルギ保存サイクル合体機関。
【請求項４３４】
エネルギ保存圧縮機（２０Ｂ）を予圧圧縮機で２回以上使用し、気化熱空気回収器（２Ｂ）より空気を吸入する各種エネルギ保存サイクル合体機関。
【請求項４３５】
エネルギ保存圧縮機（２０Ｃ）を予圧圧縮機で２回以上使用し、気化熱空気回収器（２Ｂ）より空気を吸入する各種エネルギ保存サイクル合体機関。
【請求項４３６】
エネルギ保存圧縮機（２０Ｄ）を予圧圧縮機で２回以上使用し、気化熱空気回収器（２Ｂ）より空気を吸入する各種エネルギ保存サイクル合体機関。
【請求項４３７】
エネルギ保存圧縮機（２０Ｅ）を予圧圧縮機で２回以上使用し、気化熱空気回収器（２Ｂ）より空気を吸入する各種エネルギ保存サイクル合体機関。
【請求項４３８】
エネルギ保存圧縮機（２０Ｆ）を予圧圧縮機で２回以上使用し、気化熱空気回収器（２Ｂ）より空気を吸入する各種エネルギ保存サイクル合体機関。
【請求項４３９】
エネルギ保存圧縮機（２０Ｇ）を予圧圧縮機で２回以上使用し、気化熱空気回収器（２Ｂ）より空気を吸入する各種エネルギ保存サイクル合体機関。
【請求項４４０】
エネルギ保存圧縮機（２０Ｈ）を予圧圧縮機で２回以上使用し、気化熱空気回収器（２Ｂ）より空気を吸入する各種エネルギ保存サイクル合体機関。
【請求項４４１】
全動翼圧縮機（２０Ｊ）を予圧圧縮機で２回以上使用し、気化熱空気回収器（２Ｂ）より空気を吸入する各種エネルギ保存サイクル合体機関。
【請求項４４２】
エネルギ保存圧縮機（２０Ａ）を予圧圧縮機で２回以上使用し、気化熱空気回収器（２Ｂ）の吸入空気を圧縮する各種エネルギ保存サイクル合体機関。
【請求項４４３】
エネルギ保存圧縮機（２０Ｂ）を予圧圧縮機で２回以上使用し、気化熱空気回収器（２Ｂ）の吸入空気を圧縮する各種エネルギ保存サイクル合体機関。
【請求項４４４】
エネルギ保存圧縮機（２０Ｃ）を予圧圧縮機で２回以上使用し、気化熱空気回収器（２Ｂ）の吸入空気を圧縮する各種エネルギ保存サイクル合体機関。
【請求項４４５】
エネルギ保存圧縮機（２０Ｄ）を予圧圧縮機で２回以上使用し、気化熱空気回収器（２Ｂ）の吸入空気を圧縮する各種エネルギ保存サイクル合体機関。
【請求項４４６】
エネルギ保存圧縮機（２０Ｅ）を予圧圧縮機で２回以上使用し、気化熱空気回収器（２Ｂ）の吸入空気を圧縮する各種エネルギ保存サイクル合体機関。
【請求項４４７】
エネルギ保存圧縮機（２０Ｆ）を予圧圧縮機で２回以上使用し、気化熱空気回収器（２Ｂ）の吸入空気を圧縮する各種エネルギ保存サイクル合体機関。
【請求項４４８】
エネルギ保存圧縮機（２０Ｇ）を予圧圧縮機で２回以上使用し、気化熱空気回収器（２Ｂ）の吸入空気を圧縮する各種エネルギ保存サイクル合体機関。
【請求項４４９】
エネルギ保存圧縮機（２０Ｈ）を予圧圧縮機で２回以上使用し、気化熱空気回収器（２Ｂ）の吸入空気を圧縮する各種エネルギ保存サイクル合体機関。
【請求項４５０】
全動翼圧縮機（２０Ｊ）を予圧圧縮機で２回以上使用し、気化熱空気回収器（２Ｂ）の吸入空気を圧縮する各種エネルギ保存サイクル合体機関。
【請求項４５１】
エネルギ保存圧縮機（２０Ａ）を予圧圧縮機で２回以上使用し、気化熱空気回収器（２Ｂ）より空気を吸入して排気熱量を回収する各種エネルギ保存サイクル合体機関。
【請求項４５２】
エネルギ保存圧縮機（２０Ｂ）を予圧圧縮機で２回以上使用し、気化熱空気回収器（２Ｂ）より空気を吸入して排気熱量を回収する各種エネルギ保存サイクル合体機関。
【請求項４５３】
エネルギ保存圧縮機（２０Ｃ）を予圧圧縮機で２回以上使用し、気化熱空気回収器（２Ｂ）より空気を吸入して排気熱量を回収する各種エネルギ保存サイクル合体機関。
【請求項４５４】
エネルギ保存圧縮機（２０Ｄ）を予圧圧縮機で２回以上使用し、気化熱空気回収器（２Ｂ）より空気を吸入して排気熱量を回収する各種エネルギ保存サイクル合体機関。
【請求項４５５】
エネルギ保存圧縮機（２０Ｅ）を予圧圧縮機で２回以上使用し、気化熱空気回収器（２Ｂ）より空気を吸入して排気熱量を回収する各種エネルギ保存サイクル合体機関。
【請求項４５６】
エネルギ保存圧縮機（２０Ｆ）を予圧圧縮機で２回以上使用し、気化熱空気回収器（２Ｂ）より空気を吸入して排気熱量を回収する各種エネルギ保存サイクル合体機関。
【請求項４５７】
エネルギ保存圧縮機（２０Ｇ）を予圧圧縮機で２回以上使用し、気化熱空気回収器（２Ｂ）より空気を吸入して排気熱量を回収する各種エネルギ保存サイクル合体機関。
【請求項４５８】
エネルギ保存圧縮機（２０Ｈ）を予圧圧縮機で２回以上使用し、気化熱空気回収器（２Ｂ）より空気を吸入して排気熱量を回収する各種エネルギ保存サイクル合体機関。
【請求項４５９】
全動翼圧縮機（２０Ｊ）を予圧圧縮機で２回以上使用し、気化熱空気回収器（２Ｂ）より空気を吸入して排気熱量を回収する各種エネルギ保存サイクル合体機関。
【請求項４６０】
エネルギ保存圧縮機（２０Ａ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６１】
エネルギ保存圧縮機（２０Ｂ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６２】
エネルギ保存圧縮機（２０Ｃ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６３】
エネルギ保存圧縮機（２０Ｄ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６４】
エネルギ保存圧縮機（２０Ｅ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６５】
エネルギ保存圧縮機（２０Ｆ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６６】
エネルギ保存圧縮機（２０Ｇ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６７】
エネルギ保存圧縮機（２０Ｈ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６８】
全動翼圧縮機（２０Ｊ）を予圧圧縮機で２回以上使用し、気化熱空気回収器（２Ｂ）より空気を吸入して排気熱量を回収し、供給熱量と同様に使用する各種エネルギ保存サイクル合体機関。
【請求項４６９】
エネルギ保存圧縮機（２０Ａ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７０】
エネルギ保存圧縮機（２０Ｂ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７１】
エネルギ保存圧縮機（２０Ｃ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７２】
エネルギ保存圧縮機（２０Ｄ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７３】
エネルギ保存圧縮機（２０Ｅ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７４】
エネルギ保存圧縮機（２０Ｆ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７５】
エネルギ保存圧縮機（２０Ｇ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７６】
エネルギ保存圧縮機（２０Ｈ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７７】
全動翼圧縮機（２０Ｊ）を予圧圧縮機で２回以上使用し、気化熱空気回収器（２Ｂ）より空気を吸入して排気熱量を回収し、供給熱量に代替して使用する各種エネルギ保存サイクル合体機関。
【請求項４７８】
エネルギ保存圧縮機（２０Ａ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４７９】
エネルギ保存圧縮機（２０Ｂ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８０】
エネルギ保存圧縮機（２０Ｃ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８１】
エネルギ保存圧縮機（２０Ｄ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８２】
エネルギ保存圧縮機（２０Ｅ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８３】
エネルギ保存圧縮機（２０Ｆ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８４】
エネルギ保存圧縮機（２０Ｇ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８５】
エネルギ保存圧縮機（２０Ｈ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８６】
全動翼圧縮機（２０Ｊ）を予圧圧縮機で２回以上使用し、気化熱空気回収器（２Ｂ）より空気を吸入して排気熱量を回収し、供給熱量に代替して使用して供給熱量を縮小する各種エネルギ保存サイクル合体機関。
【請求項４８７】
エネルギ保存圧縮機（２０Ａ）を予圧圧縮機で２回以上使用し、気化熱空気回収器（２Ｂ）より空気を吸入して排気熱量を回収利用して使用熱量を増大する各種エネルギ保存サイクル合体機関。
【請求項４８８】
エネルギ保存圧縮機（２０Ｂ）を予圧圧縮機で２回以上使用し、気化熱空気回収器（２Ｂ）より空気を吸入して排気熱量を回収利用して使用熱量を増大する各種エネルギ保存サイクル合体機関。
【請求項４８９】
エネルギ保存圧縮機（２０Ｃ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９０】
エネルギ保存圧縮機（２０Ｄ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９１】
エネルギ保存圧縮機（２０Ｅ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９２】
エネルギ保存圧縮機（２０Ｆ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９３】
エネルギ保存圧縮機（２０Ｇ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９４】
エネルギ保存圧縮機（２０Ｈ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９５】
全動翼圧縮機（２０Ｊ）を予圧圧縮機で２回以上使用し、気化熱空気回収器（２Ｂ）より空気を吸入して排気熱量を回収利用して使用熱量を増大する各種エネルギ保存サイクル合体機関。
【請求項４９６】
エネルギ保存圧縮機（２０Ａ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項４９７】
エネルギ保存圧縮機（２０Ｂ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項４９８】
エネルギ保存圧縮機（２０Ｃ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項４９９】
エネルギ保存圧縮機（２０Ｄ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項５００】
エネルギ保存圧縮機（２０Ｅ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項５０１】
エネルギ保存圧縮機（２０Ｆ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項５０２】
エネルギ保存圧縮機（２０Ｇ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項５０３】
エネルギ保存圧縮機（２０Ｈ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項５０４】
全動翼圧縮機（２０Ｊ）を予圧圧縮機で２回以上使用し、気化熱空気回収器（２Ｂ）より空気を吸入して排気熱量を回収利用して使用熱量を増大し、供給熱量を縮小する各種エネルギ保存サイクル合体機関。
【請求項５０５】
エネルギ保存圧縮機（２０Ａ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５０６】
エネルギ保存圧縮機（２０Ｂ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５０７】
エネルギ保存圧縮機（２０Ｃ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５０８】
エネルギ保存圧縮機（２０Ｄ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５０９】
エネルギ保存圧縮機（２０Ｅ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５１０】
エネルギ保存圧縮機（２０Ｆ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５１１】
エネルギ保存圧縮機（２０Ｇ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５１２】
エネルギ保存圧縮機（２０Ｈ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５１３】
全動翼圧縮機（２０Ｊ）を予圧圧縮機で２回以上使用し、気化熱空気回収器（２Ｂ）より空気を吸入して排気熱量を回収利用して使用熱量を増大し、供給熱量を気化熱以下に縮小する各種エネルギ保存サイクル合体機関。
【請求項５１４】
エネルギ保存圧縮機（２０Ａ）を予圧圧縮機で２回以上使用し、気化熱空気回収器（２Ｂ）より空気を吸入圧縮して排気熱量を回収する各種エネルギ保存サイクル合体機関。
【請求項５１５】
エネルギ保存圧縮機（２０Ｂ）を予圧圧縮機で２回以上使用し、気化熱空気回収器（２Ｂ）より空気を吸入圧縮して排気熱量を回収する各種エネルギ保存サイクル合体機関。
【請求項５１６】
エネルギ保存圧縮機（２０Ｃ）を予圧圧縮機で２回以上使用し、気化熱空気回収器（２Ｂ）より空気を吸入圧縮して排気熱量を回収する各種エネルギ保存サイクル合体機関。
【請求項５１７】
エネルギ保存圧縮機（２０Ｄ）を予圧圧縮機で２回以上使用し、気化熱空気回収器（２Ｂ）より空気を吸入圧縮して排気熱量を回収する各種エネルギ保存サイクル合体機関。
【請求項５１８】
エネルギ保存圧縮機（２０Ｅ）を予圧圧縮機で２回以上使用し、気化熱空気回収器（２Ｂ）より空気を吸入圧縮して排気熱量を回収する各種エネルギ保存サイクル合体機関。
【請求項５１９】
エネルギ保存圧縮機（２０Ｆ）を予圧圧縮機で２回以上使用し、気化熱空気回収器（２Ｂ）より空気を吸入圧縮して排気熱量を回収する各種エネルギ保存サイクル合体機関。
【請求項５２０】
エネルギ保存圧縮機（２０Ｇ）を予圧圧縮機で２回以上使用し、気化熱空気回収器（２Ｂ）より空気を吸入圧縮して排気熱量を回収する各種エネルギ保存サイクル合体機関。
【請求項５２１】
エネルギ保存圧縮機（２０Ｈ）を予圧圧縮機で２回以上使用し、気化熱空気回収器（２Ｂ）より空気を吸入圧縮して排気熱量を回収する各種エネルギ保存サイクル合体機関。
【請求項５２２】
全動翼圧縮機（２０Ｊ）を予圧圧縮機で２回以上使用し、気化熱空気回収器（２Ｂ）より空気を吸入圧縮して排気熱量を回収する各種エネルギ保存サイクル合体機関。
【請求項５２３】
エネルギ保存圧縮機（２０Ａ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５２４】
エネルギ保存圧縮機（２０Ｂ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５２５】
エネルギ保存圧縮機（２０Ｃ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５２６】
エネルギ保存圧縮機（２０Ｄ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５２７】
エネルギ保存圧縮機（２０Ｅ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５２８】
エネルギ保存圧縮機（２０Ｆ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５２９】
エネルギ保存圧縮機（２０Ｇ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５３０】
エネルギ保存圧縮機（２０Ｈ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５３１】
全動翼圧縮機（２０Ｊ）を予圧圧縮機で２回以上使用し、気化熱空気回収器（２Ｂ）より空気を吸入圧縮して排気熱量を回収し、供給熱量と同様に使用する各種エネルギ保存サイクル合体機関。
【請求項５３２】
エネルギ保存圧縮機（２０Ａ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３３】
エネルギ保存圧縮機（２０Ｂ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３４】
エネルギ保存圧縮機（２０Ｃ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３５】
エネルギ保存圧縮機（２０Ｄ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３６】
エネルギ保存圧縮機（２０Ｅ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３７】
エネルギ保存圧縮機（２０Ｆ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３８】
エネルギ保存圧縮機（２０Ｇ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５３９】
エネルギ保存圧縮機（２０Ｈ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５４０】
全動翼圧縮機（２０Ｊ）を予圧圧縮機で２回以上使用し、気化熱空気回収器（２Ｂ）より空気を吸入圧縮して排気熱量を回収し、供給熱量に代替して使用する各種エネルギ保存サイクル合体機関。
【請求項５４１】
エネルギ保存圧縮機（２０Ａ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４２】
エネルギ保存圧縮機（２０Ｂ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４３】
エネルギ保存圧縮機（２０Ｃ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４４】
エネルギ保存圧縮機（２０Ｄ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４５】
エネルギ保存圧縮機（２０Ｅ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４６】
エネルギ保存圧縮機（２０Ｆ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４７】
エネルギ保存圧縮機（２０Ｇ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４８】
エネルギ保存圧縮機（２０Ｈ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５４９】
全動翼圧縮機（２０Ｊ）を予圧圧縮機で２回以上使用し、気化熱空気回収器（２Ｂ）より空気を吸入圧縮して排気熱量を回収し、供給熱量に代替して使用して供給熱量を縮小する各種エネルギ保存サイクル合体機関。
【請求項５５０】
エネルギ保存圧縮機（２０Ａ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５１】
エネルギ保存圧縮機（２０Ｂ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５２】
エネルギ保存圧縮機（２０Ｃ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５３】
エネルギ保存圧縮機（２０Ｄ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５４】
エネルギ保存圧縮機（２０Ｅ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５５】
エネルギ保存圧縮機（２０Ｆ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５６】
エネルギ保存圧縮機（２０Ｇ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５７】
エネルギ保存圧縮機（２０Ｈ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５８】
全動翼圧縮機（２０Ｊ）を予圧圧縮機で２回以上使用し、気化熱空気回収器（２Ｂ）より空気を吸入圧縮して排気熱量を回収利用して使用熱量を増大する各種エネルギ保存サイクル合体機関。
【請求項５５９】
エネルギ保存圧縮機（２０Ａ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６０】
エネルギ保存圧縮機（２０Ｂ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６１】
エネルギ保存圧縮機（２０Ｃ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６２】
エネルギ保存圧縮機（２０Ｄ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６３】
エネルギ保存圧縮機（２０Ｅ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６４】
エネルギ保存圧縮機（２０Ｆ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６５】
エネルギ保存圧縮機（２０Ｇ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６６】
エネルギ保存圧縮機（２０Ｈ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６７】
全動翼圧縮機（２０Ｊ）を予圧圧縮機で２回以上使用し、気化熱空気回収器（２Ｂ）より空気を吸入圧縮して排気熱量を回収利用して使用熱量を増大し、供給熱量を縮小する各種エネルギ保存サイクル合体機関。
【請求項５６８】
エネルギ保存圧縮機（２０Ａ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５６９】
エネルギ保存圧縮機（２０Ｂ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７０】
エネルギ保存圧縮機（２０Ｃ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７１】
エネルギ保存圧縮機（２０Ｄ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７２】
エネルギ保存圧縮機（２０Ｅ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７３】
エネルギ保存圧縮機（２０Ｆ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７４】
エネルギ保存圧縮機（２０Ｇ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７５】
エネルギ保存圧縮機（２０Ｈ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７６】
全動翼圧縮機（２０Ｊ）を予圧圧縮機で２回以上使用し、気化熱空気回収器（２Ｂ）より空気を吸入圧縮して排気熱量を回収利用して使用熱量を増大し、供給熱量を気化熱以下に縮小する各種エネルギ保存サイクル合体機関。
【請求項５７７】
エネルギ保存圧縮機（２０Ａ）で気化熱空気回収器（２Ｂ）の吸入空気を圧縮して燃焼する各種エネルギ保存サイクル合体機関。
【請求項５７８】
エネルギ保存圧縮機（２０Ｂ）で気化熱空気回収器（２Ｂ）の吸入空気を圧縮して燃焼する各種エネルギ保存サイクル合体機関。
【請求項５７９】
エネルギ保存圧縮機（２０Ｃ）で気化熱空気回収器（２Ｂ）の吸入空気を圧縮して燃焼する各種エネルギ保存サイクル合体機関。
【請求項５８０】
エネルギ保存圧縮機（２０Ｄ）で気化熱空気回収器（２Ｂ）の吸入空気を圧縮して燃焼する各種エネルギ保存サイクル合体機関。
【請求項５８１】
エネルギ保存圧縮機（２０Ｅ）で気化熱空気回収器（２Ｂ）の吸入空気を圧縮して燃焼する各種エネルギ保存サイクル合体機関。
【請求項５８２】
エネルギ保存圧縮機（２０Ｆ）で気化熱空気回収器（２Ｂ）の吸入空気を圧縮して燃焼する各種エネルギ保存サイクル合体機関。
【請求項５８３】
エネルギ保存圧縮機（２０Ｇ）で気化熱空気回収器（２Ｂ）の吸入空気を圧縮して燃焼する各種エネルギ保存サイクル合体機関。
【請求項５８４】
エネルギ保存圧縮機（２０Ｈ）で気化熱空気回収器（２Ｂ）の吸入空気を圧縮して燃焼する各種エネルギ保存サイクル合体機関。
【請求項５８５】
全動翼圧縮機（２０Ｊ）で気化熱空気回収器（２Ｂ）の吸入空気を圧縮して燃焼する各種エネルギ保存サイクル合体機関。
【請求項５８６】
公知の圧縮機で気化熱空気回収器（２Ｂ）の吸入空気を圧縮して燃焼する各種エネルギ保存サイクル合体機関。
【請求項５８７】
エネルギ保存圧縮機（２０Ａ）で気化熱空気回収器（２Ｂ）の吸入空気を圧縮して縮径主燃焼室兼熱交換器（１）で燃焼する各種エネルギ保存サイクル合体機関。
【請求項５８８】
エネルギ保存圧縮機（２０Ｂ）で気化熱空気回収器（２Ｂ）の吸入空気を圧縮して縮径主燃焼室兼熱交換器（１）で燃焼する各種エネルギ保存サイクル合体機関。
【請求項５８９】
エネルギ保存圧縮機（２０Ｃ）で気化熱空気回収器（２Ｂ）の吸入空気を圧縮して縮径主燃焼室兼熱交換器（１）で燃焼する各種エネルギ保存サイクル合体機関。
【請求項５９０】
エネルギ保存圧縮機（２０Ｄ）で気化熱空気回収器（２Ｂ）の吸入空気を圧縮して縮径主燃焼室兼熱交換器（１）で燃焼する各種エネルギ保存サイクル合体機関。
【請求項５９１】
エネルギ保存圧縮機（２０Ｅ）で気化熱空気回収器（２Ｂ）の吸入空気を圧縮して縮径主燃焼室兼熱交換器（１）で燃焼する各種エネルギ保存サイクル合体機関。
【請求項５９２】
エネルギ保存圧縮機（２０Ｆ）で気化熱空気回収器（２Ｂ）の吸入空気を圧縮して縮径主燃焼室兼熱交換器（１）で燃焼する各種エネルギ保存サイクル合体機関。
【請求項５９３】
エネルギ保存圧縮機（２０Ｇ）で気化熱空気回収器（２Ｂ）の吸入空気を圧縮して縮径主燃焼室兼熱交換器（１）で燃焼する各種エネルギ保存サイクル合体機関。
【請求項５９４】
エネルギ保存圧縮機（２０Ｈ）で気化熱空気回収器（２Ｂ）の吸入空気を圧縮して縮径主燃焼室兼熱交換器（１）で燃焼する各種エネルギ保存サイクル合体機関。
【請求項５９５】
全動翼圧縮機（２０Ｊ）で気化熱空気回収器（２Ｂ）の吸入空気を圧縮して縮径主燃焼室兼熱交換器（１）で燃焼する各種エネルギ保存サイクル合体機関。
【請求項５９６】
公知の圧縮機で気化熱空気回収器（２Ｂ）の吸入空気を圧縮して縮径主燃焼室兼熱交換器（１）で燃焼する各種エネルギ保存サイクル合体機関。
【請求項５９７】
エネルギ保存圧縮機（２０Ａ）を予圧圧縮機で使用し、気化熱空気回収器（２Ｂ）の吸入空気を圧縮して燃焼する各種エネルギ保存サイクル合体機関。
【請求項５９８】
エネルギ保存圧縮機（２０Ｂ）を予圧圧縮機で使用し、気化熱空気回収器（２Ｂ）の吸入空気を圧縮して燃焼する各種エネルギ保存サイクル合体機関。
【請求項５９９】
エネルギ保存圧縮機（２０Ｃ）を予圧圧縮機で使用し、気化熱空気回収器（２Ｂ）の吸入空気を圧縮して燃焼する各種エネルギ保存サイクル合体機関。
【請求項６００】
エネルギ保存圧縮機（２０Ｄ）を予圧圧縮機で使用し、気化熱空気回収器（２Ｂ）の吸入空気を圧縮して燃焼する各種エネルギ保存サイクル合体機関。
【請求項６０１】
エネルギ保存圧縮機（２０Ｅ）を予圧圧縮機で使用し、気化熱空気回収器（２Ｂ）の吸入空気を圧縮して燃焼する各種エネルギ保存サイクル合体機関。
【請求項６０２】
エネルギ保存圧縮機（２０Ｆ）を予圧圧縮機で使用し、気化熱空気回収器（２Ｂ）の吸入空気を圧縮して燃焼する各種エネルギ保存サイクル合体機関。
【請求項６０３】
エネルギ保存圧縮機（２０Ｇ）を予圧圧縮機で使用し、気化熱空気回収器（２Ｂ）の吸入空気を圧縮して燃焼する各種エネルギ保存サイクル合体機関。
【請求項６０４】
エネルギ保存圧縮機（２０Ｈ）を予圧圧縮機で使用し、気化熱空気回収器（２Ｂ）の吸入空気を圧縮して燃焼する各種エネルギ保存サイクル合体機関。
【請求項６０５】
全動翼圧縮機（２０Ｊ）を予圧圧縮機で使用し、気化熱空気回収器（２Ｂ）の吸入空気を圧縮して燃焼する各種エネルギ保存サイクル合体機関。
【請求項６０６】
公知の圧縮機を予圧圧縮機で使用し、気化熱空気回収器（２Ｂ）の吸入空気を圧縮して燃焼する各種エネルギ保存サイクル合体機関。
【請求項６０７】
エネルギ保存圧縮機（２０Ａ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６０８】
エネルギ保存圧縮機（２０Ｂ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６０９】
エネルギ保存圧縮機（２０Ｃ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１０】
エネルギ保存圧縮機（２０Ｄ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１１】
エネルギ保存圧縮機（２０Ｅ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１２】
エネルギ保存圧縮機（２０Ｆ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１３】
エネルギ保存圧縮機（２０Ｇ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１４】
エネルギ保存圧縮機（２０Ｈ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１５】
全動翼圧縮機（２０Ｊ）を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１６】
公知の圧縮機を予圧圧縮機で使用し、気化熱空気回収器（２Ｂ）の吸入空気を圧縮して縮径主燃焼室兼熱交換器（１）で燃焼する各種エネルギ保存サイクル合体機関。
【請求項６１７】
エネルギ保存圧縮機（２０Ａ）を予圧圧縮機で２回使用し、気化熱空気回収器（２Ｂ）の吸入空気を圧縮して燃焼する各種エネルギ保存サイクル合体機関。
【請求項６１８】
エネルギ保存圧縮機（２０Ｂ）を予圧圧縮機で２回使用し、気化熱空気回収器（２Ｂ）の吸入空気を圧縮して燃焼する各種エネルギ保存サイクル合体機関。
【請求項６１９】
エネルギ保存圧縮機（２０Ｃ）を予圧圧縮機で２回使用し、気化熱空気回収器（２Ｂ）の吸入空気を圧縮して燃焼する各種エネルギ保存サイクル合体機関。
【請求項６２０】
エネルギ保存圧縮機（２０Ｄ）を予圧圧縮機で２回使用し、気化熱空気回収器（２Ｂ）の吸入空気を圧縮して燃焼する各種エネルギ保存サイクル合体機関。
【請求項６２１】
エネルギ保存圧縮機（２０Ｅ）を予圧圧縮機で２回使用し、気化熱空気回収器（２Ｂ）の吸入空気を圧縮して燃焼する各種エネルギ保存サイクル合体機関。
【請求項６２２】
エネルギ保存圧縮機（２０Ｆ）を予圧圧縮機で２回使用し、気化熱空気回収器（２Ｂ）の吸入空気を圧縮して燃焼する各種エネルギ保存サイクル合体機関。
【請求項６２３】
エネルギ保存圧縮機（２０Ｇ）を予圧圧縮機で２回使用し、気化熱空気回収器（２Ｂ）の吸入空気を圧縮して燃焼する各種エネルギ保存サイクル合体機関。
【請求項６２４】
エネルギ保存圧縮機（２０Ｈ）を予圧圧縮機で２回使用し、気化熱空気回収器（２Ｂ）の吸入空気を圧縮して燃焼する各種エネルギ保存サイクル合体機関。
【請求項６２５】
全動翼圧縮機（２０Ｊ）を予圧圧縮機で２回使用し、気化熱空気回収器（２Ｂ）の吸入空気を圧縮して燃焼する各種エネルギ保存サイクル合体機関。
【請求項６２６】
公知の圧縮機を予圧圧縮機で２回使用し、気化熱空気回収器（２Ｂ）の吸入空気を圧縮して燃焼する各種エネルギ保存サイクル合体機関。
【請求項６２７】
エネルギ保存圧縮機（２０Ａ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６２８】
エネルギ保存圧縮機（２０Ｂ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６２９】
エネルギ保存圧縮機（２０Ｃ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３０】
エネルギ保存圧縮機（２０Ｄ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３１】
エネルギ保存圧縮機（２０Ｅ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３２】
エネルギ保存圧縮機（２０Ｆ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３３】
エネルギ保存圧縮機（２０Ｇ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３４】
エネルギ保存圧縮機（２０Ｈ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３５】
全動翼圧縮機（２０Ｊ）を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３６】
公知の圧縮機を予圧圧縮機で２回使用し、気化熱空気回収器（２Ｂ）の吸入空気を圧縮して縮径主燃焼室兼熱交換器（１）で燃焼する各種エネルギ保存サイクル合体機関。
【請求項６３７】
エネルギ保存圧縮機（２０Ａ）を予圧圧縮機で２回以上使用し、気化熱空気回収器（２Ｂ）の吸入空気を圧縮して燃焼する各種エネルギ保存サイクル合体機関。
【請求項６３８】
エネルギ保存圧縮機（２０Ｂ）を予圧圧縮機で２回以上使用し、気化熱空気回収器（２Ｂ）の吸入空気を圧縮して燃焼する各種エネルギ保存サイクル合体機関。
【請求項６３９】
エネルギ保存圧縮機（２０Ｃ）を予圧圧縮機で２回以上使用し、気化熱空気回収器（２Ｂ）の吸入空気を圧縮して燃焼する各種エネルギ保存サイクル合体機関。
【請求項６４０】
エネルギ保存圧縮機（２０Ｄ）を予圧圧縮機で２回以上使用し、気化熱空気回収器（２Ｂ）の吸入空気を圧縮して燃焼する各種エネルギ保存サイクル合体機関。
【請求項６４１】
エネルギ保存圧縮機（２０Ｅ）を予圧圧縮機で２回以上使用し、気化熱空気回収器（２Ｂ）の吸入空気を圧縮して燃焼する各種エネルギ保存サイクル合体機関。
【請求項６４２】
エネルギ保存圧縮機（２０Ｆ）を予圧圧縮機で２回以上使用し、気化熱空気回収器（２Ｂ）の吸入空気を圧縮して燃焼する各種エネルギ保存サイクル合体機関。
【請求項６４３】
エネルギ保存圧縮機（２０Ｇ）を予圧圧縮機で２回以上使用し、気化熱空気回収器（２Ｂ）の吸入空気を圧縮して燃焼する各種エネルギ保存サイクル合体機関。
【請求項６４４】
エネルギ保存圧縮機（２０Ｈ）を予圧圧縮機で２回以上使用し、気化熱空気回収器（２Ｂ）の吸入空気を圧縮して燃焼する各種エネルギ保存サイクル合体機関。
【請求項６４５】
全動翼圧縮機（２０Ｊ）を予圧圧縮機で２回以上使用し、気化熱空気回収器（２Ｂ）の吸入空気を圧縮して燃焼する各種エネルギ保存サイクル合体機関。
【請求項６４６】
公知の圧縮機を予圧圧縮機で２回以上使用し、気化熱空気回収器（２Ｂ）の吸入空気を圧縮して燃焼する各種エネルギ保存サイクル合体機関。
【請求項６４７】
エネルギ保存圧縮機（２０Ａ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６４８】
エネルギ保存圧縮機（２０Ｂ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６４９】
エネルギ保存圧縮機（２０Ｃ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５０】
エネルギ保存圧縮機（２０Ｄ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５１】
エネルギ保存圧縮機（２０Ｅ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５２】
エネルギ保存圧縮機（２０Ｆ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５３】
エネルギ保存圧縮機（２０Ｇ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５４】
エネルギ保存圧縮機（２０Ｈ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５５】
全動翼圧縮機（２０Ｊ）を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５６】
公知の圧縮機を予圧圧縮機で２回以上使用し、気化熱空気回収器（２Ｂ）の吸入空気を圧縮して縮径主燃焼室兼熱交換器（１）で燃焼する各種エネルギ保存サイクル合体機関。
【請求項６５７】
エネルギ保存圧縮機（２０Ａ）で気化熱空気回収器（２Ｂ）の吸入空気を圧縮熱交換冷却して排気熱量を回収し、圧縮して燃焼する各種エネルギ保存サイクル合体機関。
【請求項６５８】
エネルギ保存圧縮機（２０Ｂ）で気化熱空気回収器（２Ｂ）の吸入空気を圧縮熱交換冷却して排気熱量を回収し、圧縮して燃焼する各種エネルギ保存サイクル合体機関。
【請求項６５９】
エネルギ保存圧縮機（２０Ｃ）で気化熱空気回収器（２Ｂ）の吸入空気を圧縮熱交換冷却して排気熱量を回収し、圧縮して燃焼する各種エネルギ保存サイクル合体機関。
【請求項６６０】
エネルギ保存圧縮機（２０Ｄ）で気化熱空気回収器（２Ｂ）の吸入空気を圧縮熱交換冷却して排気熱量を回収し、圧縮して燃焼する各種エネルギ保存サイクル合体機関。
【請求項６６１】
エネルギ保存圧縮機（２０Ｅ）で気化熱空気回収器（２Ｂ）の吸入空気を圧縮熱交換冷却して排気熱量を回収し、圧縮して燃焼する各種エネルギ保存サイクル合体機関。
【請求項６６２】
エネルギ保存圧縮機（２０Ｆ）で気化熱空気回収器（２Ｂ）の吸入空気を圧縮熱交換冷却して排気熱量を回収し、圧縮して燃焼する各種エネルギ保存サイクル合体機関。
【請求項６６３】
エネルギ保存圧縮機（２０Ｇ）で気化熱空気回収器（２Ｂ）の吸入空気を圧縮熱交換冷却して排気熱量を回収し、圧縮して燃焼する各種エネルギ保存サイクル合体機関。
【請求項６６４】
エネルギ保存圧縮機（２０Ｈ）で気化熱空気回収器（２Ｂ）の吸入空気を圧縮熱交換冷却して排気熱量を回収し、圧縮して燃焼する各種エネルギ保存サイクル合体機関。
【請求項６６５】
全動翼圧縮機（２０Ｊ）で気化熱空気回収器（２Ｂ）の吸入空気を圧縮熱交換冷却して排気熱量を回収し、圧縮して燃焼する各種エネルギ保存サイクル合体機関。
【請求項６６６】
公知の圧縮機で気化熱空気回収器（２Ｂ）の吸入空気を圧縮熱交換冷却して排気熱量を回収し、圧縮して燃焼する各種エネルギ保存サイクル合体機関。
【請求項６６７】
エネルギ保存圧縮機（２０Ａ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６６８】
エネルギ保存圧縮機（２０Ｂ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６６９】
エネルギ保存圧縮機（２０Ｃ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７０】
エネルギ保存圧縮機（２０Ｄ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７１】
エネルギ保存圧縮機（２０Ｅ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７２】
エネルギ保存圧縮機（２０Ｆ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７３】
エネルギ保存圧縮機（２０Ｇ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７４】
エネルギ保存圧縮機（２０Ｈ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７５】
全動翼圧縮機（２０Ｊ）で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７６】
公知の圧縮機で気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６７７】
エネルギ保存圧縮機（２０Ａ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６７８】
エネルギ保存圧縮機（２０Ｂ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６７９】
エネルギ保存圧縮機（２０Ｃ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８０】
エネルギ保存圧縮機（２０Ｄ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８１】
エネルギ保存圧縮機（２０Ｅ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８２】
エネルギ保存圧縮機（２０Ｆ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８３】
エネルギ保存圧縮機（２０Ｇ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８４】
エネルギ保存圧縮機（２０Ｈ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８５】
全動翼圧縮機（２０Ｊ）を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８６】
公知の圧縮機を予圧圧縮機で使用し、気化熱空気回収器（２Ｂ）の吸入空気を圧縮熱交換冷却して排気熱量を回収し、圧縮して燃焼する各種エネルギ保存サイクル合体機関。
【請求項６８７】
エネルギ保存圧縮機（２０Ａ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６８８】
エネルギ保存圧縮機（２０Ｂ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６８９】
エネルギ保存圧縮機（２０Ｃ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９０】
エネルギ保存圧縮機（２０Ｄ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９１】
エネルギ保存圧縮機（２０Ｅ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９２】
エネルギ保存圧縮機（２０Ｆ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９３】
エネルギ保存圧縮機（２０Ｇ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９４】
エネルギ保存圧縮機（２０Ｈ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９５】
全動翼圧縮機（２０Ｊ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９６】
公知の圧縮機を予圧圧縮機で使用し、気化熱空気回収器（２Ｂ）の吸入空気を圧縮熱交換冷却して排気熱量を回収し、圧縮して縮径主燃焼室兼熱交換器（１）で燃焼する各種エネルギ保存サイクル合体機関。
【請求項６９７】
エネルギ保存圧縮機（２０Ａ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項６９８】
エネルギ保存圧縮機（２０Ｂ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項６９９】
エネルギ保存圧縮機（２０Ｃ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７００】
エネルギ保存圧縮機（２０Ｄ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０１】
エネルギ保存圧縮機（２０Ｅ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０２】
エネルギ保存圧縮機（２０Ｆ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０３】
エネルギ保存圧縮機（２０Ｇ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０４】
エネルギ保存圧縮機（２０Ｈ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０５】
全動翼圧縮機（２０Ｊ）を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０６】
公知の圧縮機を予圧圧縮機で２回使用し、気化熱空気回収器（２Ｂ）の吸入空気を圧縮熱交換冷却して排気熱量を回収し、圧縮して燃焼する各種エネルギ保存サイクル合体機関。
【請求項７０７】
エネルギ保存圧縮機（２０Ａ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７０８】
エネルギ保存圧縮機（２０Ｂ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７０９】
エネルギ保存圧縮機（２０Ｃ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１０】
エネルギ保存圧縮機（２０Ｄ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１１】
エネルギ保存圧縮機（２０Ｅ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１２】
エネルギ保存圧縮機（２０Ｆ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１３】
エネルギ保存圧縮機（２０Ｇ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１４】
エネルギ保存圧縮機（２０Ｈ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１５】
全動翼圧縮機（２０Ｊ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１６】
公知の圧縮機を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼する各種エネルギ保存サイクル合体機関。
【請求項７１７】
エネルギ保存圧縮機（２０Ａ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７１８】
エネルギ保存圧縮機（２０Ｂ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７１９】
エネルギ保存圧縮機（２０Ｃ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２０】
エネルギ保存圧縮機（２０Ｄ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２１】
エネルギ保存圧縮機（２０Ｅ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２２】
エネルギ保存圧縮機（２０Ｆ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２３】
エネルギ保存圧縮機（２０Ｇ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２４】
エネルギ保存圧縮機（２０Ｈ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２５】
全動翼圧縮機（２０Ｊ）を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２６】
公知の圧縮機を予圧圧縮機で２回以上使用し、気化熱空気回収器（２Ｂ）の吸入空気を２回以上圧縮熱交換冷却して排気熱量を回収し、圧縮して燃焼する各種エネルギ保存サイクル合体機関。
【請求項７２７】
エネルギ保存圧縮機（２０Ａ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７２８】
エネルギ保存圧縮機（２０Ｂ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７２９】
エネルギ保存圧縮機（２０Ｃ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３０】
エネルギ保存圧縮機（２０Ｄ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３１】
エネルギ保存圧縮機（２０Ｅ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３２】
エネルギ保存圧縮機（２０Ｆ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３３】
エネルギ保存圧縮機（２０Ｇ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３４】
エネルギ保存圧縮機（２０Ｈ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３５】
全動翼圧縮機（２０Ｊ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３６】
公知の圧縮機を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼する各種エネルギ保存サイクル合体機関。
【請求項７３７】
エネルギ保存圧縮機（２０Ａ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７３８】
エネルギ保存圧縮機（２０Ｂ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７３９】
エネルギ保存圧縮機（２０Ｃ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４０】
エネルギ保存圧縮機（２０Ｄ）で気化熱空気回収器（２Ｂ）の吸入空気を圧縮熱交換冷却して排気熱量を回収し、圧縮して燃焼する各種エネルギ保存サイクル合体機関。
【請求項７４１】
エネルギ保存圧縮機（２０Ｅ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４２】
エネルギ保存圧縮機（２０Ｆ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４３】
エネルギ保存圧縮機（２０Ｇ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４４】
エネルギ保存圧縮機（２０Ｈ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４５】
全動翼圧縮機（２０Ｊ）で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４６】
公知の圧縮機で気化熱空気回収器（２Ｂ）の吸入空気を圧縮熱交換冷却して排気熱量を回収し、圧縮して燃焼して回転出力を増大する各種エネルギ保存サイクル合体機関。
【請求項７４７】
エネルギ保存圧縮機（２０Ａ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７４８】
エネルギ保存圧縮機（２０Ｂ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７４９】
エネルギ保存圧縮機（２０Ｃ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５０】
エネルギ保存圧縮機（２０Ｄ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５１】
エネルギ保存圧縮機（２０Ｅ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５２】
エネルギ保存圧縮機（２０Ｆ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５３】
エネルギ保存圧縮機（２０Ｇ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５４】
エネルギ保存圧縮機（２０Ｈ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５５】
全動翼圧縮機（２０Ｊ）で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５６】
公知の圧縮機で気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７５７】
エネルギ保存圧縮機（２０Ａ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７５８】
エネルギ保存圧縮機（２０Ｂ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７５９】
エネルギ保存圧縮機（２０Ｃ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６０】
エネルギ保存圧縮機（２０Ｄ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６１】
エネルギ保存圧縮機（２０Ｅ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６２】
エネルギ保存圧縮機（２０Ｆ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６３】
エネルギ保存圧縮機（２０Ｇ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６４】
エネルギ保存圧縮機（２０Ｈ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６５】
全動翼圧縮機（２０Ｊ）を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６６】
公知の圧縮機を予圧圧縮機で使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７６７】
エネルギ保存圧縮機（２０Ａ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７６８】
エネルギ保存圧縮機（２０Ｂ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７６９】
エネルギ保存圧縮機（２０Ｃ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７０】
エネルギ保存圧縮機（２０Ｄ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７１】
エネルギ保存圧縮機（２０Ｅ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７２】
エネルギ保存圧縮機（２０Ｆ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７３】
エネルギ保存圧縮機（２０Ｇ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７４】
エネルギ保存圧縮機（２０Ｈ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７５】
全動翼圧縮機（２０Ｊ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７６】
公知の圧縮機を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して回転出力を増大する各種エネルギ保存サイクル合体機関。
【請求項７７７】
エネルギ保存圧縮機（２０Ａ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７７８】
エネルギ保存圧縮機（２０Ｂ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７７９】
エネルギ保存圧縮機（２０Ｃ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８０】
エネルギ保存圧縮機（２０Ｄ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８１】
エネルギ保存圧縮機（２０Ｅ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８２】
エネルギ保存圧縮機（２０Ｆ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８３】
エネルギ保存圧縮機（２０Ｇ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８４】
エネルギ保存圧縮機（２０Ｈ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８５】
全動翼圧縮機（２０Ｊ）を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８６】
公知の圧縮機を予圧圧縮機で２回使用し、気化熱空気回収器（２Ｂ）の吸入空気を圧縮熱交換冷却して排気熱量を回収し、圧縮して燃焼して回転出力を増大する各種エネルギ保存サイクル合体機関。
【請求項７８７】
エネルギ保存圧縮機（２０Ａ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７８８】
エネルギ保存圧縮機（２０Ｂ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７８９】
エネルギ保存圧縮機（２０Ｃ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９０】
エネルギ保存圧縮機（２０Ｄ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９１】
エネルギ保存圧縮機（２０Ｅ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９２】
エネルギ保存圧縮機（２０Ｆ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９３】
エネルギ保存圧縮機（２０Ｇ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９４】
エネルギ保存圧縮機（２０Ｈ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９５】
全動翼圧縮機（２０Ｊ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９６】
公知の圧縮機を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して回転出力を増大する各種エネルギ保存サイクル合体機関。
【請求項７９７】
エネルギ保存圧縮機（２０Ａ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項７９８】
エネルギ保存圧縮機（２０Ｂ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項７９９】
エネルギ保存圧縮機（２０Ｃ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８００】
エネルギ保存圧縮機（２０Ｄ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０１】
エネルギ保存圧縮機（２０Ｅ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０２】
エネルギ保存圧縮機（２０Ｆ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０３】
エネルギ保存圧縮機（２０Ｇ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０４】
エネルギ保存圧縮機（２０Ｈ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０５】
全動翼圧縮機（２０Ｊ）を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０６】
公知の圧縮機を予圧圧縮機で２回以上使用し、気化熱空気回収器（２Ｂ）の吸入空気を２回以上圧縮熱交換冷却して排気熱量を回収し、圧縮して燃焼して回転出力を増大する各種エネルギ保存サイクル合体機関。
【請求項８０７】
エネルギ保存圧縮機（２０Ａ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８０８】
エネルギ保存圧縮機（２０Ｂ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８０９】
エネルギ保存圧縮機（２０Ｃ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１０】
エネルギ保存圧縮機（２０Ｄ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１１】
エネルギ保存圧縮機（２０Ｅ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１２】
エネルギ保存圧縮機（２０Ｆ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１３】
エネルギ保存圧縮機（２０Ｇ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１４】
エネルギ保存圧縮機（２０Ｈ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１５】
全動翼圧縮機（２０Ｊ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１６】
公知の圧縮機を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して回転出力を増大する各種エネルギ保存サイクル合体機関。
【請求項８１７】
エネルギ保存圧縮機（２０Ａ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８１８】
エネルギ保存圧縮機（２０Ｂ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８１９】
エネルギ保存圧縮機（２０Ｃ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２０】
エネルギ保存圧縮機（２０Ｄ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２１】
エネルギ保存圧縮機（２０Ｅ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２２】
エネルギ保存圧縮機（２０Ｆ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２３】
エネルギ保存圧縮機（２０Ｇ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２４】
エネルギ保存圧縮機（２０Ｈ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２５】
全動翼圧縮機（２０Ｊ）で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２６】
公知の圧縮機で気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８２７】
エネルギ保存圧縮機（２０Ａ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８２８】
エネルギ保存圧縮機（２０Ｂ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８２９】
エネルギ保存圧縮機（２０Ｃ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３０】
エネルギ保存圧縮機（２０Ｄ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３１】
エネルギ保存圧縮機（２０Ｅ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３２】
エネルギ保存圧縮機（２０Ｆ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３３】
エネルギ保存圧縮機（２０Ｇ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３４】
エネルギ保存圧縮機（２０Ｈ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３５】
全動翼圧縮機（２０Ｊ）で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３６】
公知の圧縮機で気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８３７】
エネルギ保存圧縮機（２０Ａ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８３８】
エネルギ保存圧縮機（２０Ｂ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８３９】
エネルギ保存圧縮機（２０Ｃ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４０】
エネルギ保存圧縮機（２０Ｄ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４１】
エネルギ保存圧縮機（２０Ｅ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４２】
エネルギ保存圧縮機（２０Ｆ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４３】
エネルギ保存圧縮機（２０Ｇ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４４】
エネルギ保存圧縮機（２０Ｈ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４５】
全動翼圧縮機（２０Ｊ）を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４６】
公知の圧縮機を予圧圧縮機で使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８４７】
エネルギ保存圧縮機（２０Ａ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８４８】
エネルギ保存圧縮機（２０Ｂ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８４９】
エネルギ保存圧縮機（２０Ｃ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５０】
エネルギ保存圧縮機（２０Ｄ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５１】
エネルギ保存圧縮機（２０Ｅ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５２】
エネルギ保存圧縮機（２０Ｆ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５３】
エネルギ保存圧縮機（２０Ｇ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５４】
エネルギ保存圧縮機（２０Ｈ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５５】
全動翼圧縮機（２０Ｊ）を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５６】
公知の圧縮機を予圧圧縮機で使用し、気化熱空気回収器（２Ｂ）の吸入空気を圧縮熱交換冷却して排気熱量を回収し、圧縮して縮径主燃焼室兼熱交換器（１）で燃焼して噴射推進出力を増大する各種エネルギ保存サイクル合体機関。
【請求項８５７】
エネルギ保存圧縮機（２０Ａ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８５８】
エネルギ保存圧縮機（２０Ｂ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８５９】
エネルギ保存圧縮機（２０Ｃ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６０】
エネルギ保存圧縮機（２０Ｄ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６１】
エネルギ保存圧縮機（２０Ｅ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６２】
エネルギ保存圧縮機（２０Ｆ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６３】
エネルギ保存圧縮機（２０Ｇ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６４】
エネルギ保存圧縮機（２０Ｈ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６５】
全動翼圧縮機（２０Ｊ）を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６６】
公知の圧縮機を予圧圧縮機で２回使用し、気化熱空気回収器（２Ｂ）の吸入空気を圧縮熱交換冷却して排気熱量を回収し、圧縮して燃焼して噴射推進出力を増大する各種エネルギ保存サイクル合体機関。
【請求項８６７】
エネルギ保存圧縮機（２０Ａ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８６８】
エネルギ保存圧縮機（２０Ｂ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８６９】
エネルギ保存圧縮機（２０Ｃ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７０】
エネルギ保存圧縮機（２０Ｄ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７１】
エネルギ保存圧縮機（２０Ｅ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７２】
エネルギ保存圧縮機（２０Ｆ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７３】
エネルギ保存圧縮機（２０Ｇ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７４】
エネルギ保存圧縮機（２０Ｈ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７５】
全動翼圧縮機（２０Ｊ）を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７６】
公知の圧縮機を予圧圧縮機で２回使用し、気化熱空気回収器（２Ｂ）の吸入空気を２回圧縮熱交換冷却して排気熱量を回収し、圧縮して縮径主燃焼室兼熱交換器（１）で燃焼して噴射推進出力を増大する各種エネルギ保存サイクル合体機関。
【請求項８７７】
エネルギ保存圧縮機（２０Ａ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８７８】
エネルギ保存圧縮機（２０Ｂ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８７９】
エネルギ保存圧縮機（２０Ｃ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８０】
エネルギ保存圧縮機（２０Ｄ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８１】
エネルギ保存圧縮機（２０Ｅ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８２】
エネルギ保存圧縮機（２０Ｆ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８３】
エネルギ保存圧縮機（２０Ｇ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８４】
エネルギ保存圧縮機（２０Ｈ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８５】
全動翼圧縮機（２０Ｊ）を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８６】
公知の圧縮機を予圧圧縮機で２回以上使用し、気化熱空気回収器（２Ｂ）の吸入空気を２回以上圧縮熱交換冷却して排気熱量を回収し、圧縮して燃焼して噴射推進出力を増大する各種エネルギ保存サイクル合体機関。
【請求項８８７】
エネルギ保存圧縮機（２０Ａ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８８８】
エネルギ保存圧縮機（２０Ｂ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８８９】
エネルギ保存圧縮機（２０Ｃ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９０】
エネルギ保存圧縮機（２０Ｄ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９１】
エネルギ保存圧縮機（２０Ｅ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９２】
エネルギ保存圧縮機（２０Ｆ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９３】
エネルギ保存圧縮機（２０Ｇ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９４】
エネルギ保存圧縮機（２０Ｈ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９５】
全動翼圧縮機（２０Ｊ）を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９６】
公知の圧縮機を予圧圧縮機で２回以上使用し、気化熱空気回収器（２Ｂ）の吸入空気を２回以上圧縮熱交換冷却して排気熱量を回収し、圧縮して縮径主燃焼室兼熱交換器（１）で燃焼して噴射推進出力を増大する各種エネルギ保存サイクル合体機関。
【請求項８９７】
予圧圧縮機兼熱交換器（１Ａ）を縮径主燃焼室兼熱交換器（１）と略同様に具備して合体機関燃焼部（２９Ａ）とする各種エネルギ保存サイクル合体機関。
【請求項８９８】
予圧圧縮機兼熱交換器（１Ａ）を縮径主燃焼室兼熱交換器（１）と略同様に具備して合体機関燃焼部（２９Ｂ）とする各種エネルギ保存サイクル合体機関。
【請求項８９９】
予圧圧縮機兼熱交換器（１Ａ）を縮径主燃焼室兼熱交換器（１）と略同様に具備して合体機関燃焼部（２９Ｃ）とする各種エネルギ保存サイクル合体機関。
【請求項９００】
予圧圧縮機兼熱交換器（１Ａ）を縮径主燃焼室兼熱交換器（１）と略同様に具備して合体機関燃焼部（２９Ｄ）とする各種エネルギ保存サイクル合体機関。
【請求項９０１】
予圧圧縮機兼熱交換器（１Ａ）を縮径主燃焼室兼熱交換器（１）と略同様に具備して合体機関燃焼部（２９Ｅ）とする各種エネルギ保存サイクル合体機関。
【請求項９０２】
予圧圧縮機兼熱交換器（１Ａ）を縮径主燃焼室兼熱交換器（１）と略同様に具備して合体機関燃焼部（２９Ｆ）とする各種エネルギ保存サイクル合体機関。
【請求項９０３】
予圧圧縮機兼熱交換器（１Ａ）を縮径主燃焼室兼熱交換器（１）と略同様に具備して合体機関燃焼部（２９Ｇ）とする各種エネルギ保存サイクル合体機関。
【請求項９０４】
予圧圧縮機兼熱交換器（１Ａ）を縮径主燃焼室兼熱交換器（１）と略同様に具備して合体機関燃焼部（２９Ｈ）とする各種エネルギ保存サイクル合体機関。
【請求項９０５】
予圧圧縮機兼熱交換器（１Ａ）を縮径主燃焼室兼熱交換器（１）と略同様に具備して予圧空気を熱交換水冷却する合体機関燃焼部（２９Ａ）とする各種エネルギ保存サイクル合体機関。
【請求項９０６】
予圧圧縮機兼熱交換器（１Ａ）を縮径主燃焼室兼熱交換器（１）と略同様に具備して予圧空気を熱交換水冷却する合体機関燃焼部（２９Ｂ）とする各種エネルギ保存サイクル合体機関。
【請求項９０７】
予圧圧縮機兼熱交換器（１Ａ）を縮径主燃焼室兼熱交換器（１）と略同様に具備して予圧空気を熱交換水冷却する合体機関燃焼部（２９Ｃ）とする各種エネルギ保存サイクル合体機関。
【請求項９０８】
予圧圧縮機兼熱交換器（１Ａ）を縮径主燃焼室兼熱交換器（１）と略同様に具備して予圧空気を熱交換水冷却する合体機関燃焼部（２９Ｄ）とする各種エネルギ保存サイクル合体機関。
【請求項９０９】
予圧圧縮機兼熱交換器（１Ａ）を縮径主燃焼室兼熱交換器（１）と略同様に具備して予圧空気を熱交換水冷却する合体機関燃焼部（２９Ｅ）とする各種エネルギ保存サイクル合体機関。
【請求項９１０】
予圧圧縮機兼熱交換器（１Ａ）を縮径主燃焼室兼熱交換器（１）と略同様に具備して予圧空気を熱交換水冷却する合体機関燃焼部（２９Ｆ）とする各種エネルギ保存サイクル合体機関。
【請求項９１１】
予圧圧縮機兼熱交換器（１Ａ）を縮径主燃焼室兼熱交換器（１）と略同様に具備して予圧空気を熱交換水冷却する合体機関燃焼部（２９Ｇ）とする各種エネルギ保存サイクル合体機関。
【請求項９１２】
予圧圧縮機兼熱交換器（１Ａ）を縮径主燃焼室兼熱交換器（１）と略同様に具備して予圧空気を熱交換水冷却する合体機関燃焼部（２９Ｈ）とする各種エネルギ保存サイクル合体機関。
【請求項９１３】
予圧圧縮機兼熱交換器（１Ａ）を縮径主燃焼室兼熱交換器（１）と略同様に具備して予圧空気を熱交換水冷却熱回収する合体機関燃焼部（２９Ａ）とする各種エネルギ保存サイクル合体機関。
【請求項９１４】
予圧圧縮機兼熱交換器（１Ａ）を縮径主燃焼室兼熱交換器（１）と略同様に具備して予圧空気を熱交換水冷却熱回収する合体機関燃焼部（２９Ｂ）とする各種エネルギ保存サイクル合体機関。
【請求項９１５】
予圧圧縮機兼熱交換器（１Ａ）を縮径主燃焼室兼熱交換器（１）と略同様に具備して予圧空気を熱交換水冷却熱回収する合体機関燃焼部（２９Ｃ）とする各種エネルギ保存サイクル合体機関。
【請求項９１６】
予圧圧縮機兼熱交換器（１Ａ）を縮径主燃焼室兼熱交換器（１）と略同様に具備して予圧空気を熱交換水冷却熱回収する合体機関燃焼部（２９Ｄ）とする各種エネルギ保存サイクル合体機関。
【請求項９１７】
予圧圧縮機兼熱交換器（１Ａ）を縮径主燃焼室兼熱交換器（１）と略同様に具備して予圧空気を熱交換水冷却熱回収する合体機関燃焼部（２９Ｅ）とする各種エネルギ保存サイクル合体機関。
【請求項９１８】
予圧圧縮機兼熱交換器（１Ａ）を縮径主燃焼室兼熱交換器（１）と略同様に具備して予圧空気を熱交換水冷却熱回収する合体機関燃焼部（２９Ｆ）とする各種エネルギ保存サイクル合体機関。
【請求項９１９】
予圧圧縮機兼熱交換器（１Ａ）を縮径主燃焼室兼熱交換器（１）と略同様に具備して予圧空気を熱交換水冷却熱回収する合体機関燃焼部（２９Ｇ）とする各種エネルギ保存サイクル合体機関。
【請求項９２０】
予圧圧縮機兼熱交換器（１Ａ）を縮径主燃焼室兼熱交換器（１）と略同様に具備して予圧空気を熱交換水冷却熱回収する合体機関燃焼部（２９Ｈ）とする各種エネルギ保存サイクル合体機関。
【請求項９２１】
予圧圧縮機兼熱交換器（１Ａ）を縮径主燃焼室兼熱交換器（１）と略同様に具備して気化熱空気回収器（２Ｂ）＋合体機関燃焼部（２９Ａ）とする各種エネルギ保存サイクル合体機関。
【請求項９２２】
予圧圧縮機兼熱交換器（１Ａ）を縮径主燃焼室兼熱交換器（１）と略同様に具備して気化熱空気回収器（２Ｂ）＋合体機関燃焼部（２９Ｂ）とする各種エネルギ保存サイクル合体機関。
【請求項９２３】
予圧圧縮機兼熱交換器（１Ａ）を縮径主燃焼室兼熱交換器（１）と略同様に具備して気化熱空気回収器（２Ｂ）＋合体機関燃焼部（２９Ｃ）とする各種エネルギ保存サイクル合体機関。
【請求項９２４】
予圧圧縮機兼熱交換器（１Ａ）を縮径主燃焼室兼熱交換器（１）と略同様に具備して気化熱空気回収器（２Ｂ）＋合体機関燃焼部（２９Ｄ）とする各種エネルギ保存サイクル合体機関。
【請求項９２５】
予圧圧縮機兼熱交換器（１Ａ）を縮径主燃焼室兼熱交換器（１）と略同様に具備して気化熱空気回収器（２Ｂ）＋合体機関燃焼部（２９Ｅ）とする各種エネルギ保存サイクル合体機関。
【請求項９２６】
予圧圧縮機兼熱交換器（１Ａ）を縮径主燃焼室兼熱交換器（１）と略同様に具備して気化熱空気回収器（２Ｂ）＋合体機関燃焼部（２９Ｆ）とする各種エネルギ保存サイクル合体機関。
【請求項９２７】
予圧圧縮機兼熱交換器（１Ａ）を縮径主燃焼室兼熱交換器（１）と略同様に具備して気化熱空気回収器（２Ｂ）＋合体機関燃焼部（２９Ｇ）とする各種エネルギ保存サイクル合体機関。
【請求項９２８】
予圧圧縮機兼熱交換器（１Ａ）を縮径主燃焼室兼熱交換器（１）と略同様に具備して気化熱空気回収器（２Ｂ）＋合体機関燃焼部（２９Ｈ）とする各種エネルギ保存サイクル合体機関。
【請求項９２９】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ａ）とする各種エネルギ保存サイクル合体機関。
【請求項９３０】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｂ）とする各種エネルギ保存サイクル合体機関。
【請求項９３１】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｃ）とする各種エネルギ保存サイクル合体機関。
【請求項９３２】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｄ）とする各種エネルギ保存サイクル合体機関。
【請求項９３３】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｅ）とする各種エネルギ保存サイクル合体機関。
【請求項９３４】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｆ）とする各種エネルギ保存サイクル合体機関。
【請求項９３５】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｇ）とする各種エネルギ保存サイクル合体機関。
【請求項９３６】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｈ）とする各種エネルギ保存サイクル合体機関。
【請求項９３７】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ａ）とする各種エネルギ保存サイクル合体機関。
【請求項９３８】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｂ）とする各種エネルギ保存サイクル合体機関。
【請求項９３９】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｃ）とする各種エネルギ保存サイクル合体機関。
【請求項９４０】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｄ）とする各種エネルギ保存サイクル合体機関。
【請求項９４１】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｅ）とする各種エネルギ保存サイクル合体機関。
【請求項９４２】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｆ）とする各種エネルギ保存サイクル合体機関。
【請求項９４３】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｇ）とする各種エネルギ保存サイクル合体機関。
【請求項９４４】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｈ）とする各種エネルギ保存サイクル合体機関。
【請求項９４５】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ａ）とする各種エネルギ保存サイクル合体機関。
【請求項９４６】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｂ）とする各種エネルギ保存サイクル合体機関。
【請求項９４７】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｃ）とする各種エネルギ保存サイクル合体機関。
【請求項９４８】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｄ）とする各種エネルギ保存サイクル合体機関。
【請求項９４９】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｅ）とする各種エネルギ保存サイクル合体機関。
【請求項９５０】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｆ）とする各種エネルギ保存サイクル合体機関。
【請求項９５１】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｇ）とする各種エネルギ保存サイクル合体機関。
【請求項９５２】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｈ）とする各種エネルギ保存サイクル合体機関。
【請求項９５３】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ａ）とする各種エネルギ保存サイクル合体機関。
【請求項９５４】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｂ）とする各種エネルギ保存サイクル合体機関。
【請求項９５５】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｃ）とする各種エネルギ保存サイクル合体機関。
【請求項９５６】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｄ）とする各種エネルギ保存サイクル合体機関。
【請求項９５７】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｅ）とする各種エネルギ保存サイクル合体機関。
【請求項９５８】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｆ）とする各種エネルギ保存サイクル合体機関。
【請求項９５９】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｇ）とする各種エネルギ保存サイクル合体機関。
【請求項９６０】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｈ）とする各種エネルギ保存サイクル合体機関。
【請求項９６１】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ａ）とする各種エネルギ保存サイクル合体機関。
【請求項９６２】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｂ）とする各種エネルギ保存サイクル合体機関。
【請求項９６３】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｃ）とする各種エネルギ保存サイクル合体機関。
【請求項９６４】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｄ）とする各種エネルギ保存サイクル合体機関。
【請求項９６５】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｅ）とする各種エネルギ保存サイクル合体機関。
【請求項９６６】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｆ）とする各種エネルギ保存サイクル合体機関。
【請求項９６７】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｇ）とする各種エネルギ保存サイクル合体機関。
【請求項９６８】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｈ）とする各種エネルギ保存サイクル合体機関。
【請求項９６９】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ａ）とする各種エネルギ保存サイクル合体機関。
【請求項９７０】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｂ）とする各種エネルギ保存サイクル合体機関。
【請求項９７１】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｃ）とする各種エネルギ保存サイクル合体機関。
【請求項９７２】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｄ）とする各種エネルギ保存サイクル合体機関。
【請求項９７３】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｅ）とする各種エネルギ保存サイクル合体機関。
【請求項９７４】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｆ）とする各種エネルギ保存サイクル合体機関。
【請求項９７５】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｇ）とする各種エネルギ保存サイクル合体機関。
【請求項９７６】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｈ）とする各種エネルギ保存サイクル合体機関。
【請求項９７７】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ａ）とする各種エネルギ保存サイクル合体機関。
【請求項９７８】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｂ）とする各種エネルギ保存サイクル合体機関。
【請求項９７９】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｃ）とする各種エネルギ保存サイクル合体機関。
【請求項９８０】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｄ）とする各種エネルギ保存サイクル合体機関。
【請求項９８１】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｅ）とする各種エネルギ保存サイクル合体機関。
【請求項９８２】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｆ）とする各種エネルギ保存サイクル合体機関。
【請求項９８３】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｇ）とする各種エネルギ保存サイクル合体機関。
【請求項９８４】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｈ）とする各種エネルギ保存サイクル合体機関。
【請求項９８５】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ａ）とする各種エネルギ保存サイクル合体機関。
【請求項９８６】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｂ）とする各種エネルギ保存サイクル合体機関。
【請求項９８７】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｃ）とする各種エネルギ保存サイクル合体機関。
【請求項９８８】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｄ）とする各種エネルギ保存サイクル合体機関。
【請求項９８９】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｅ）とする各種エネルギ保存サイクル合体機関。
【請求項９９０】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｆ）とする各種エネルギ保存サイクル合体機関。
【請求項９９１】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｇ）とする各種エネルギ保存サイクル合体機関。
【請求項９９２】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｈ）とする各種エネルギ保存サイクル合体機関。
【請求項９９３】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ａ）とする各種エネルギ保存サイクル合体機関。
【請求項９９４】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｂ）とする各種エネルギ保存サイクル合体機関。
【請求項９９５】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｃ）とする各種エネルギ保存サイクル合体機関。
【請求項９９６】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｄ）とする各種エネルギ保存サイクル合体機関。
【請求項９９７】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｅ）とする各種エネルギ保存サイクル合体機関。
【請求項９９８】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｆ）とする各種エネルギ保存サイクル合体機関。
【請求項９９９】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｇ）とする各種エネルギ保存サイクル合体機関。
【請求項１０００】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｈ）とする各種エネルギ保存サイクル合体機関。
【請求項１００１】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ａ）とする各種エネルギ保存サイクル合体機関。
【請求項１００２】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｂ）とする各種エネルギ保存サイクル合体機関。
【請求項１００３】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｃ）とする各種エネルギ保存サイクル合体機関。
【請求項１００４】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｄ）とする各種エネルギ保存サイクル合体機関。
【請求項１００５】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｅ）とする各種エネルギ保存サイクル合体機関。
【請求項１００６】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｆ）とする各種エネルギ保存サイクル合体機関。
【請求項１００７】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｇ）とする各種エネルギ保存サイクル合体機関。
【請求項１００８】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｈ）とする各種エネルギ保存サイクル合体機関。
【請求項１００９】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ａ）とする各種エネルギ保存サイクル合体機関。
【請求項１０１０】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｂ）とする各種エネルギ保存サイクル合体機関。
【請求項１０１１】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｃ）とする各種エネルギ保存サイクル合体機関。
【請求項１０１２】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｄ）とする各種エネルギ保存サイクル合体機関。
【請求項１０１３】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｅ）とする各種エネルギ保存サイクル合体機関。
【請求項１０１４】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｆ）とする各種エネルギ保存サイクル合体機関。
【請求項１０１５】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｇ）とする各種エネルギ保存サイクル合体機関。
【請求項１０１６】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｈ）とする各種エネルギ保存サイクル合体機関。
【請求項１０１７】
予圧圧縮機兼熱交換器（１Ａ）を縮径主燃焼室兼熱交換器（１）と略同様に具備して合体機関燃焼部（２９Ａ）とし、排気熱量を繰返し使用する各種エネルギ保存サイクル合体機関。
【請求項１０１８】
予圧圧縮機兼熱交換器（１Ａ）を縮径主燃焼室兼熱交換器（１）と略同様に具備して合体機関燃焼部（２９Ｂ）とし、排気熱量を繰返し使用する各種エネルギ保存サイクル合体機関。
【請求項１０１９】
予圧圧縮機兼熱交換器（１Ａ）を縮径主燃焼室兼熱交換器（１）と略同様に具備して合体機関燃焼部（２９Ｃ）とし、排気熱量を繰返し使用する各種エネルギ保存サイクル合体機関。
【請求項１０２０】
予圧圧縮機兼熱交換器（１Ａ）を縮径主燃焼室兼熱交換器（１）と略同様に具備して合体機関燃焼部（２９Ｄ）とし、排気熱量を繰返し使用する各種エネルギ保存サイクル合体機関。
【請求項１０２１】
予圧圧縮機兼熱交換器（１Ａ）を縮径主燃焼室兼熱交換器（１）と略同様に具備して合体機関燃焼部（２９Ｅ）とし、排気熱量を繰返し使用する各種エネルギ保存サイクル合体機関。
【請求項１０２２】
予圧圧縮機兼熱交換器（１Ａ）を縮径主燃焼室兼熱交換器（１）と略同様に具備して合体機関燃焼部（２９Ｆ）とし、排気熱量を繰返し使用する各種エネルギ保存サイクル合体機関。
【請求項１０２３】
予圧圧縮機兼熱交換器（１Ａ）を縮径主燃焼室兼熱交換器（１）と略同様に具備して合体機関燃焼部（２９Ｇ）とし、排気熱量を繰返し使用する各種エネルギ保存サイクル合体機関。
【請求項１０２４】
予圧圧縮機兼熱交換器（１Ａ）を縮径主燃焼室兼熱交換器（１）と略同様に具備して合体機関燃焼部（２９Ｈ）とし、排気熱量を繰返し使用する各種エネルギ保存サイクル合体機関。
【請求項１０２５】
予圧圧縮機兼熱交換器（１Ａ）を縮径主燃焼室兼熱交換器（１）と略同様に具備して予圧空気を熱交換水冷却する合体機関燃焼部（２９Ａ）とし、排気熱量を繰返し使用する各種エネルギ保存サイクル合体機関。
【請求項１０２６】
予圧圧縮機兼熱交換器（１Ａ）を縮径主燃焼室兼熱交換器（１）と略同様に具備して予圧空気を熱交換水冷却する合体機関燃焼部（２９Ｂ）とし、排気熱量を繰返し使用する各種エネルギ保存サイクル合体機関。
【請求項１０２７】
予圧圧縮機兼熱交換器（１Ａ）を縮径主燃焼室兼熱交換器（１）と略同様に具備して予圧空気を熱交換水冷却する合体機関燃焼部（２９Ｃ）とし、排気熱量を繰返し使用する各種エネルギ保存サイクル合体機関。
【請求項１０２８】
予圧圧縮機兼熱交換器（１Ａ）を縮径主燃焼室兼熱交換器（１）と略同様に具備して予圧空気を熱交換水冷却する合体機関燃焼部（２９Ｄ）とし、排気熱量を繰返し使用する各種エネルギ保存サイクル合体機関。
【請求項１０２９】
予圧圧縮機兼熱交換器（１Ａ）を縮径主燃焼室兼熱交換器（１）と略同様に具備して予圧空気を熱交換水冷却する合体機関燃焼部（２９Ｅ）とし、排気熱量を繰返し使用する各種エネルギ保存サイクル合体機関。
【請求項１０３０】
予圧圧縮機兼熱交換器（１Ａ）を縮径主燃焼室兼熱交換器（１）と略同様に具備して予圧空気を熱交換水冷却する合体機関燃焼部（２９Ｆ）とし、排気熱量を繰返し使用する各種エネルギ保存サイクル合体機関。
【請求項１０３１】
予圧圧縮機兼熱交換器（１Ａ）を縮径主燃焼室兼熱交換器（１）と略同様に具備して予圧空気を熱交換水冷却する合体機関燃焼部（２９Ｇ）とし、排気熱量を繰返し使用する各種エネルギ保存サイクル合体機関。
【請求項１０３２】
予圧圧縮機兼熱交換器（１Ａ）を縮径主燃焼室兼熱交換器（１）と略同様に具備して予圧空気を熱交換水冷却する合体機関燃焼部（２９Ｈ）とし、排気熱量を繰返し使用する各種エネルギ保存サイクル合体機関。
【請求項１０３３】
予圧圧縮機兼熱交換器（１Ａ）を縮径主燃焼室兼熱交換器（１）と略同様に具備して予圧空気を熱交換水冷却熱回収する合体機関燃焼部（２９Ａ）とし、排気熱量を繰返し使用する各種エネルギ保存サイクル合体機関。
【請求項１０３４】
予圧圧縮機兼熱交換器（１Ａ）を縮径主燃焼室兼熱交換器（１）と略同様に具備して予圧空気を熱交換水冷却熱回収する合体機関燃焼部（２９Ｂ）とし、排気熱量を繰返し使用する各種エネルギ保存サイクル合体機関。
【請求項１０３５】
予圧圧縮機兼熱交換器（１Ａ）を縮径主燃焼室兼熱交換器（１）と略同様に具備して予圧空気を熱交換水冷却熱回収する合体機関燃焼部（２９Ｃ）とし、排気熱量を繰返し使用する各種エネルギ保存サイクル合体機関。
【請求項１０３６】
予圧圧縮機兼熱交換器（１Ａ）を縮径主燃焼室兼熱交換器（１）と略同様に具備して予圧空気を熱交換水冷却熱回収する合体機関燃焼部（２９Ｄ）とし、排気熱量を繰返し使用する各種エネルギ保存サイクル合体機関。
【請求項１０３７】
予圧圧縮機兼熱交換器（１Ａ）を縮径主燃焼室兼熱交換器（１）と略同様に具備して予圧空気を熱交換水冷却熱回収する合体機関燃焼部（２９Ｅ）とし、排気熱量を繰返し使用する各種エネルギ保存サイクル合体機関。
【請求項１０３８】
予圧圧縮機兼熱交換器（１Ａ）を縮径主燃焼室兼熱交換器（１）と略同様に具備して予圧空気を熱交換水冷却熱回収する合体機関燃焼部（２９Ｆ）とし、排気熱量を繰返し使用する各種エネルギ保存サイクル合体機関。
【請求項１０３９】
予圧圧縮機兼熱交換器（１Ａ）を縮径主燃焼室兼熱交換器（１）と略同様に具備して予圧空気を熱交換水冷却熱回収する合体機関燃焼部（２９Ｇ）とし、排気熱量を繰返し使用する各種エネルギ保存サイクル合体機関。
【請求項１０４０】
予圧圧縮機兼熱交換器（１Ａ）を縮径主燃焼室兼熱交換器（１）と略同様に具備して予圧空気を熱交換水冷却熱回収する合体機関燃焼部（２９Ｈ）とし、排気熱量を繰返し使用する各種エネルギ保存サイクル合体機関。
【請求項１０４１】
予圧圧縮機兼熱交換器（１Ａ）を縮径主燃焼室兼熱交換器（１）と略同様に具備して気化熱空気回収器（２Ｂ）＋合体機関燃焼部（２９Ａ）とし、排気熱量を繰返し使用する各種エネルギ保存サイクル合体機関。
【請求項１０４２】
予圧圧縮機兼熱交換器（１Ａ）を縮径主燃焼室兼熱交換器（１）と略同様に具備して気化熱空気回収器（２Ｂ）＋合体機関燃焼部（２９Ｂ）とし、排気熱量を繰返し使用する各種エネルギ保存サイクル合体機関。
【請求項１０４３】
予圧圧縮機兼熱交換器（１Ａ）を縮径主燃焼室兼熱交換器（１）と略同様に具備して気化熱空気回収器（２Ｂ）＋合体機関燃焼部（２９Ｃ）とし、排気熱量を繰返し使用する各種エネルギ保存サイクル合体機関。
【請求項１０４４】
予圧圧縮機兼熱交換器（１Ａ）を縮径主燃焼室兼熱交換器（１）と略同様に具備して気化熱空気回収器（２Ｂ）＋合体機関燃焼部（２９Ｄ）とし、排気熱量を繰返し使用する各種エネルギ保存サイクル合体機関。
【請求項１０４５】
予圧圧縮機兼熱交換器（１Ａ）を縮径主燃焼室兼熱交換器（１）と略同様に具備して気化熱空気回収器（２Ｂ）＋合体機関燃焼部（２９Ｅ）とし、排気熱量を繰返し使用する各種エネルギ保存サイクル合体機関。
【請求項１０４６】
予圧圧縮機兼熱交換器（１Ａ）を縮径主燃焼室兼熱交換器（１）と略同様に具備して気化熱空気回収器（２Ｂ）＋合体機関燃焼部（２９Ｆ）とし、排気熱量を繰返し使用する各種エネルギ保存サイクル合体機関。
【請求項１０４７】
予圧圧縮機兼熱交換器（１Ａ）を縮径主燃焼室兼熱交換器（１）と略同様に具備して気化熱空気回収器（２Ｂ）＋合体機関燃焼部（２９Ｇ）とし、排気熱量を繰返し使用する各種エネルギ保存サイクル合体機関。
【請求項１０４８】
予圧圧縮機兼熱交換器（１Ａ）を縮径主燃焼室兼熱交換器（１）と略同様に具備して気化熱空気回収器（２Ｂ）＋合体機関燃焼部（２９Ｈ）とし、排気熱量を繰返し使用する各種エネルギ保存サイクル合体機関。
【請求項１０４９】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ａ）とし、排気熱量を繰返し使用する各種エネルギ保存サイクル合体機関。
【請求項１０５０】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｂ）とし、排気熱量を繰返し使用する各種エネルギ保存サイクル合体機関。
【請求項１０５１】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｃ）とし、排気熱量を繰返し使用する各種エネルギ保存サイクル合体機関。
【請求項１０５２】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｄ）とし、排気熱量を繰返し使用する各種エネルギ保存サイクル合体機関。
【請求項１０５３】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｅ）とし、排気熱量を繰返し使用する各種エネルギ保存サイクル合体機関。
【請求項１０５４】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｆ）とし、排気熱量を繰返し使用する各種エネルギ保存サイクル合体機関。
【請求項１０５５】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｇ）とし、排気熱量を繰返し使用する各種エネルギ保存サイクル合体機関。
【請求項１０５６】
予圧圧縮機兼熱交換器（１Ａ）を縮径主燃焼室兼熱交換器（１）と略同様に具備して予圧空気を熱交換水冷却する気化熱空気回収器（２Ｂ）＋合体機関燃焼部（２９Ｈ）とし、排気熱量を繰返し使用する各種エネルギ保存サイクル合体機関。
【請求項１０５７】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ａ）とし、排気熱量を繰返し使用する各種エネルギ保存サイクル合体機関。
【請求項１０５８】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｂ）とし、排気熱量を繰返し使用する各種エネルギ保存サイクル合体機関。
【請求項１０５９】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｃ）とし、排気熱量を繰返し使用する各種エネルギ保存サイクル合体機関。
【請求項１０６０】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｄ）とし、排気熱量を繰返し使用する各種エネルギ保存サイクル合体機関。
【請求項１０６１】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｅ）とし、排気熱量を繰返し使用する各種エネルギ保存サイクル合体機関。
【請求項１０６２】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｆ）とし、排気熱量を繰返し使用する各種エネルギ保存サイクル合体機関。
【請求項１０６３】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｇ）とし、排気熱量を繰返し使用する各種エネルギ保存サイクル合体機関。
【請求項１０６４】
予圧圧縮機兼熱交換器（１Ａ）を縮径主燃焼室兼熱交換器（１）と略同様に具備して予圧空気を熱交換水冷却熱回収する気化熱空気回収器（２Ｂ）＋合体機関燃焼部（２９Ｈ）とし、排気熱量を繰返し使用する各種エネルギ保存サイクル合体機関。
【請求項１０６５】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ａ）とし、排気熱量を繰返し使用する各種エネルギ保存サイクル合体機関。
【請求項１０６６】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｂ）とし、排気熱量を繰返し使用する各種エネルギ保存サイクル合体機関。
【請求項１０６７】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｃ）とし、排気熱量を繰返し使用する各種エネルギ保存サイクル合体機関。
【請求項１０６８】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｄ）とし、排気熱量を繰返し使用する各種エネルギ保存サイクル合体機関。
【請求項１０６９】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｅ）とし、排気熱量を繰返し使用する各種エネルギ保存サイクル合体機関。
【請求項１０７０】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｆ）とし、排気熱量を繰返し使用する各種エネルギ保存サイクル合体機関。
【請求項１０７１】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｇ）とし、排気熱量を繰返し使用する各種エネルギ保存サイクル合体機関。
【請求項１０７２】
予圧圧縮機兼熱交換器（１Ａ）を縮径主燃焼室兼熱交換器（１）と略同様に具備して排気熱量を回収する気化熱空気回収器（２Ｂ）＋合体機関燃焼部（２９Ｈ）とし、排気熱量を繰返し使用する各種エネルギ保存サイクル合体機関。
【請求項１０７３】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ａ）とし、排気熱量を繰返し使用する各種エネルギ保存サイクル合体機関。
【請求項１０７４】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｂ）とし、排気熱量を繰返し使用する各種エネルギ保存サイクル合体機関。
【請求項１０７５】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｃ）とし、排気熱量を繰返し使用する各種エネルギ保存サイクル合体機関。
【請求項１０７６】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｄ）とし、排気熱量を繰返し使用する各種エネルギ保存サイクル合体機関。
【請求項１０７７】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｅ）とし、排気熱量を繰返し使用する各種エネルギ保存サイクル合体機関。
【請求項１０７８】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｆ）とし、排気熱量を繰返し使用する各種エネルギ保存サイクル合体機関。
【請求項１０７９】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｇ）とし、排気熱量を繰返し使用する各種エネルギ保存サイクル合体機関。
【請求項１０８０】
予圧圧縮機兼熱交換器（１Ａ）を縮径主燃焼室兼熱交換器（１）と略同様に具備して予圧空気を熱交換水冷却し、排気熱量を回収する気化熱空気回収器（２Ｂ）＋合体機関燃焼部（２９Ｈ）とし、排気熱量を繰返し使用する各種エネルギ保存サイクル合体機関。
【請求項１０８１】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ａ）とし、排気熱量を繰返し使用する各種エネルギ保存サイクル合体機関。
【請求項１０８２】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｂ）とし、排気熱量を繰返し使用する各種エネルギ保存サイクル合体機関。
【請求項１０８３】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｃ）とし、排気熱量を繰返し使用する各種エネルギ保存サイクル合体機関。
【請求項１０８４】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｄ）とし、排気熱量を繰返し使用する各種エネルギ保存サイクル合体機関。
【請求項１０８５】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｅ）とし、排気熱量を繰返し使用する各種エネルギ保存サイクル合体機関。
【請求項１０８６】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｆ）とし、排気熱量を繰返し使用する各種エネルギ保存サイクル合体機関。
【請求項１０８７】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｇ）とし、排気熱量を繰返し使用する各種エネルギ保存サイクル合体機関。
【請求項１０８８】
予圧圧縮機兼熱交換器（１Ａ）を縮径主燃焼室兼熱交換器（１）と略同様に具備して予圧空気を熱交換水冷却し、熱回収排気熱量を回収する気化熱空気回収器（２Ｂ）＋合体機関燃焼部（２９Ｈ）とし、排気熱量を繰返し使用する各種エネルギ保存サイクル合体機関。
【請求項１０８９】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ａ）とし、排気熱量を繰返し使用する各種エネルギ保存サイクル合体機関。
【請求項１０９０】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｂ）とし、排気熱量を繰返し使用する各種エネルギ保存サイクル合体機関。
【請求項１０９１】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｃ）とし、排気熱量を繰返し使用する各種エネルギ保存サイクル合体機関。
【請求項１０９２】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｄ）とし、排気熱量を繰返し使用する各種エネルギ保存サイクル合体機関。
【請求項１０９３】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｅ）とし、排気熱量を繰返し使用する各種エネルギ保存サイクル合体機関。
【請求項１０９４】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｆ）とし、排気熱量を繰返し使用する各種エネルギ保存サイクル合体機関。
【請求項１０９５】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｇ）とし、排気熱量を繰返し使用する各種エネルギ保存サイクル合体機関。
【請求項１０９６】
予圧圧縮機兼熱交換器（１Ａ）を縮径主燃焼室兼熱交換器（１）と略同様に具備して排気熱量を一回以上回収する気化熱空気回収器（２Ｂ）＋合体機関燃焼部（２９Ｈ）とし、排気熱量を繰返し使用する各種エネルギ保存サイクル合体機関。
【請求項１０９７】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ａ）とし、排気熱量を繰返し使用する各種エネルギ保存サイクル合体機関。
【請求項１０９８】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｂ）とし、排気熱量を繰返し使用する各種エネルギ保存サイクル合体機関。
【請求項１０９９】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｃ）とし、排気熱量を繰返し使用する各種エネルギ保存サイクル合体機関。
【請求項１１００】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｄ）とし、排気熱量を繰返し使用する各種エネルギ保存サイクル合体機関。
【請求項１１０１】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｅ）とし、排気熱量を繰返し使用する各種エネルギ保存サイクル合体機関。
【請求項１１０２】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｆ）とし、排気熱量を繰返し使用する各種エネルギ保存サイクル合体機関。
【請求項１１０３】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｇ）とし、排気熱量を繰返し使用する各種エネルギ保存サイクル合体機関。
【請求項１１０４】
予圧圧縮機兼熱交換器（１Ａ）を縮径主燃焼室兼熱交換器（１）と略同様に具備して予圧空気を熱交換水冷却し、排気熱量を一回以上回収する気化熱空気回収器（２Ｂ）＋合体機関燃焼部（２９Ｈ）とし、排気熱量を繰返し使用する各種エネルギ保存サイクル合体機関。
【請求項１１０５】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ａ）とし、排気熱量を繰返し使用する各種エネルギ保存サイクル合体機関。
【請求項１１０６】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｂ）とし、排気熱量を繰返し使用する各種エネルギ保存サイクル合体機関。
【請求項１１０７】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｃ）とし、排気熱量を繰返し使用する各種エネルギ保存サイクル合体機関。
【請求項１１０８】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｄ）とし、排気熱量を繰返し使用する各種エネルギ保存サイクル合体機関。
【請求項１１０９】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｅ）とし、排気熱量を繰返し使用する各種エネルギ保存サイクル合体機関。
【請求項１１１０】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｆ）とし、排気熱量を繰返し使用する各種エネルギ保存サイクル合体機関。
【請求項１１１１】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｇ）とし、排気熱量を繰返し使用する各種エネルギ保存サイクル合体機関。
【請求項１１１２】
予圧圧縮機兼熱交換器（１Ａ）を縮径主燃焼室兼熱交換器（１）と略同様に具備して予圧空気を熱交換水冷却し、熱回収排気熱量を一回以上回収する気化熱空気回収器（２Ｂ）＋合体機関燃焼部（２９Ｈ）とし、排気熱量を繰返し使用する各種エネルギ保存サイクル合体機関。
【請求項１１１３】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ａ）とし、排気熱量を繰返し使用する各種エネルギ保存サイクル合体機関。
【請求項１１１４】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｂ）とし、排気熱量を繰返し使用する各種エネルギ保存サイクル合体機関。
【請求項１１１５】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｃ）とし、排気熱量を繰返し使用する各種エネルギ保存サイクル合体機関。
【請求項１１１６】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｄ）とし、排気熱量を繰返し使用する各種エネルギ保存サイクル合体機関。
【請求項１１１７】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｅ）とし、排気熱量を繰返し使用する各種エネルギ保存サイクル合体機関。
【請求項１１１８】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｆ）とし、排気熱量を繰返し使用する各種エネルギ保存サイクル合体機関。
【請求項１１１９】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｇ）とし、排気熱量を繰返し使用する各種エネルギ保存サイクル合体機関。
【請求項１１２０】
予圧圧縮機兼熱交換器（１Ａ）を縮径主燃焼室兼熱交換器（１）と略同様に具備して排気熱量を複数段熱交換回収する気化熱空気回収器（２Ｂ）＋合体機関燃焼部（２９Ｈ）とし、排気熱量を繰返し使用する各種エネルギ保存サイクル合体機関。
【請求項１１２１】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ａ）とし、排気熱量を繰返し使用する各種エネルギ保存サイクル合体機関。
【請求項１１２２】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｂ）とし、排気熱量を繰返し使用する各種エネルギ保存サイクル合体機関。
【請求項１１２３】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｃ）とし、排気熱量を繰返し使用する各種エネルギ保存サイクル合体機関。
【請求項１１２４】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｄ）とし、排気熱量を繰返し使用する各種エネルギ保存サイクル合体機関。
【請求項１１２５】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｅ）とし、排気熱量を繰返し使用する各種エネルギ保存サイクル合体機関。
【請求項１１２６】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｆ）とし、排気熱量を繰返し使用する各種エネルギ保存サイクル合体機関。
【請求項１１２７】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｇ）とし、排気熱量を繰返し使用する各種エネルギ保存サイクル合体機関。
【請求項１１２８】
予圧圧縮機兼熱交換器（１Ａ）を縮径主燃焼室兼熱交換器（１）と略同様に具備して予圧空気を熱交換水冷却し、排気熱量を複数段熱交換回収する気化熱空気回収器（２Ｂ）＋合体機関燃焼部（２９Ｈ）とし、排気熱量を繰返し使用する各種エネルギ保存サイクル合体機関。
【請求項１１２９】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ａ）とし、排気熱量を繰返し使用する各種エネルギ保存サイクル合体機関。
【請求項１１３０】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｂ）とし、排気熱量を繰返し使用する各種エネルギ保存サイクル合体機関。
【請求項１１３１】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｃ）とし、排気熱量を繰返し使用する各種エネルギ保存サイクル合体機関。
【請求項１１３２】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｄ）とし、排気熱量を繰返し使用する各種エネルギ保存サイクル合体機関。
【請求項１１３３】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｅ）とし、排気熱量を繰返し使用する各種エネルギ保存サイクル合体機関。
【請求項１１３４】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｆ）とし、排気熱量を繰返し使用する各種エネルギ保存サイクル合体機関。
【請求項１１３５】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｇ）とし、排気熱量を繰返し使用する各種エネルギ保存サイクル合体機関。
【請求項１１３６】
予圧圧縮機兼熱交換器（１Ａ）を縮径主燃焼室兼熱交換器（１）と略同様に具備して予圧空気を熱交換水冷却し、熱回収排気熱量を複数段熱交換回収する気化熱空気回収器（２Ｂ）＋合体機関燃焼部（２９Ｈ）とし、排気熱量を繰返し使用する各種エネルギ保存サイクル合体機関。
【請求項１１３７】
気化熱空気回収器（２Ｂ）を合体機関燃焼部（２９Ａ）の弾み車タービン（８ｂ）排気部に具備した各種エネルギ保存サイクル合体機関。
【請求項１１３８】
気化熱空気回収器（２Ｂ）を合体機関燃焼部（２９Ｂ）の弾み車タービン（８ｂ）排気部に具備した各種エネルギ保存サイクル合体機関。
【請求項１１３９】
気化熱空気回収器（２Ｂ）を合体機関燃焼部（２９Ｃ）の弾み車タービン（８ｂ）排気部に具備した各種エネルギ保存サイクル合体機関。
【請求項１１４０】
気化熱空気回収器（２Ｂ）を合体機関燃焼部（２９Ｄ）の弾み車タービン（８ｂ）排気部に具備した各種エネルギ保存サイクル合体機関。
【請求項１１４１】
気化熱空気回収器（２Ｂ）を合体機関燃焼部（２９Ｅ）の弾み車タービン（８ｂ）排気部に具備した各種エネルギ保存サイクル合体機関。
【請求項１１４２】
気化熱空気回収器（２Ｂ）を合体機関燃焼部（２９Ｆ）の弾み車タービン（８ｂ）排気部に具備した各種エネルギ保存サイクル合体機関。
【請求項１１４３】
気化熱空気回収器（２Ｂ）を合体機関燃焼部（２９Ｇ）の弾み車タービン（８ｂ）排気部に具備した各種エネルギ保存サイクル合体機関。
【請求項１１４４】
気化熱空気回収器（２Ｂ）を合体機関燃焼部（２９Ｈ）の弾み車タービン（８ｂ）排気部に具備した各種エネルギ保存サイクル合体機関。
【請求項１１４５】
気化熱空気回収器（２Ｂ）を合体機関燃焼部（２９Ａ）の弾み車タービン（８ｂ）（８ｂ）排気部に具備した各種エネルギ保存サイクル合体機関。
【請求項１１４６】
気化熱空気回収器（２Ｂ）を合体機関燃焼部（２９Ｂ）の弾み車タービン（８ｂ）（８ｂ）排気部に具備した各種エネルギ保存サイクル合体機関。
【請求項１１４７】
気化熱空気回収器（２Ｂ）を合体機関燃焼部（２９Ｃ）の弾み車タービン（８ｂ）（８ｂ）排気部に具備した各種エネルギ保存サイクル合体機関。
【請求項１１４８】
気化熱空気回収器（２Ｂ）を合体機関燃焼部（２９Ｄ）の弾み車タービン（８ｂ）（８ｂ）排気部に具備した各種エネルギ保存サイクル合体機関。
【請求項１１４９】
気化熱空気回収器（２Ｂ）を合体機関燃焼部（２９Ｅ）の弾み車タービン（８ｂ）（８ｂ）排気部に具備した各種エネルギ保存サイクル合体機関。
【請求項１１５０】
気化熱空気回収器（２Ｂ）を合体機関燃焼部（２９Ｆ）の弾み車タービン（８ｂ）（８ｂ）排気部に具備した各種エネルギ保存サイクル合体機関。
【請求項１１５１】
気化熱空気回収器（２Ｂ）を合体機関燃焼部（２９Ｇ）の弾み車タービン（８ｂ）（８ｂ）排気部に具備した各種エネルギ保存サイクル合体機関。
【請求項１１５２】
気化熱空気回収器（２Ｂ）を合体機関燃焼部（２９Ｈ）の弾み車タービン（８ｂ）（８ｂ）排気部に具備した各種エネルギ保存サイクル合体機関。
【請求項１１５３】
気化熱空気回収器（２Ｂ）を合体機関燃焼部（２９Ａ）の弾み車タービン（８ｂ）排気部に具備して熱回収、過熱蒸気（５０）を凝縮水（５２ｆ）にする各種エネルギ保存サイクル合体機関。
【請求項１１５４】
気化熱空気回収器（２Ｂ）を合体機関燃焼部（２９Ｂ）の弾み車タービン（８ｂ）排気部に具備して熱回収、過熱蒸気（５０）を凝縮水（５２ｆ）にする各種エネルギ保存サイクル合体機関。
【請求項１１５５】
気化熱空気回収器（２Ｂ）を合体機関燃焼部（２９Ｃ）の弾み車タービン（８ｂ）排気部に具備して熱回収、過熱蒸気（５０）を凝縮水（５２ｆ）にする各種エネルギ保存サイクル合体機関。
【請求項１１５６】
気化熱空気回収器（２Ｂ）を合体機関燃焼部（２９Ｄ）の弾み車タービン（８ｂ）排気部に具備して熱回収、過熱蒸気（５０）を凝縮水（５２ｆ）にする各種エネルギ保存サイクル合体機関。
【請求項１１５７】
気化熱空気回収器（２Ｂ）を合体機関燃焼部（２９Ｅ）の弾み車タービン（８ｂ）排気部に具備して熱回収、過熱蒸気（５０）を凝縮水（５２ｆ）にする各種エネルギ保存サイクル合体機関。
【請求項１１５８】
気化熱空気回収器（２Ｂ）を合体機関燃焼部（２９Ｆ）の弾み車タービン（８ｂ）排気部に具備して熱回収、過熱蒸気（５０）を凝縮水（５２ｆ）にする各種エネルギ保存サイクル合体機関。
【請求項１１５９】
気化熱空気回収器（２Ｂ）を合体機関燃焼部（２９Ｇ）の弾み車タービン（８ｂ）排気部に具備して熱回収、過熱蒸気（５０）を凝縮水（５２ｆ）にする各種エネルギ保存サイクル合体機関。
【請求項１１６０】
気化熱空気回収器（２Ｂ）を合体機関燃焼部（２９Ｈ）の弾み車タービン（８ｂ）排気部に具備して熱回収、過熱蒸気（５０）を凝縮水（５２ｆ）にする各種エネルギ保存サイクル合体機関。
【請求項１１６１】
気化熱空気回収器（２Ｂ）を合体機関燃焼部（２９Ａ）の弾み車タービン（８ｂ）（８ｂ）排気部に具備して熱回収、過熱蒸気（５０）を凝縮水（５２ｆ）にする各種エネルギ保存サイクル合体機関。
【請求項１１６２】
気化熱空気回収器（２Ｂ）を合体機関燃焼部（２９Ｂ）の弾み車タービン（８ｂ）（８ｂ）排気部に具備して熱回収、過熱蒸気（５０）を凝縮水（５２ｆ）にする各種エネルギ保存サイクル合体機関。
【請求項１１６３】
気化熱空気回収器（２Ｂ）を合体機関燃焼部（２９Ｃ）の弾み車タービン（８ｂ）（８ｂ）排気部に具備して熱回収、過熱蒸気（５０）を凝縮水（５２ｆ）にする各種エネルギ保存サイクル合体機関。
【請求項１１６４】
気化熱空気回収器（２Ｂ）を合体機関燃焼部（２９Ｄ）の弾み車タービン（８ｂ）（８ｂ）排気部に具備して熱回収、過熱蒸気（５０）を凝縮水（５２ｆ）にする各種エネルギ保存サイクル合体機関。
【請求項１１６５】
気化熱空気回収器（２Ｂ）を合体機関燃焼部（２９Ｅ）の弾み車タービン（８ｂ）（８ｂ）排気部に具備して熱回収、過熱蒸気（５０）を凝縮水（５２ｆ）にする各種エネルギ保存サイクル合体機関。
【請求項１１６６】
気化熱空気回収器（２Ｂ）を合体機関燃焼部（２９Ｆ）の弾み車タービン（８ｂ）（８ｂ）排気部に具備して熱回収、過熱蒸気（５０）を凝縮水（５２ｆ）にする各種エネルギ保存サイクル合体機関。
【請求項１１６７】
気化熱空気回収器（２Ｂ）を合体機関燃焼部（２９Ｇ）の弾み車タービン（８ｂ）（８ｂ）排気部に具備して熱回収、過熱蒸気（５０）を凝縮水（５２ｆ）にする各種エネルギ保存サイクル合体機関。
【請求項１１６８】
気化熱空気回収器（２Ｂ）を合体機関燃焼部（２９Ｈ）の弾み車タービン（８ｂ）（８ｂ）排気部に具備して熱回収、過熱蒸気（５０）を凝縮水（５２ｆ）にする各種エネルギ保存サイクル合体機関。
【請求項１１６９】
気化熱空気回収器（２Ｂ）を合体機関燃焼部（２９Ａ）の弾み車タービン（８ｂ）排気部に具備して吸入空気で熱回収、過熱蒸気（５０）を凝縮水（５２ｆ）にする各種エネルギ保存サイクル合体機関。
【請求項１１７０】
気化熱空気回収器（２Ｂ）を合体機関燃焼部（２９Ｂ）の弾み車タービン（８ｂ）排気部に具備して吸入空気で熱回収、過熱蒸気（５０）を凝縮水（５２ｆ）にする各種エネルギ保存サイクル合体機関。
【請求項１１７１】
気化熱空気回収器（２Ｂ）を合体機関燃焼部（２９Ｃ）の弾み車タービン（８ｂ）排気部に具備して吸入空気で熱回収、過熱蒸気（５０）を凝縮水（５２ｆ）にする各種エネルギ保存サイクル合体機関。
【請求項１１７２】
気化熱空気回収器（２Ｂ）を合体機関燃焼部（２９Ｄ）の弾み車タービン（８ｂ）排気部に具備して吸入空気で熱回収、過熱蒸気（５０）を凝縮水（５２ｆ）にする各種エネルギ保存サイクル合体機関。
【請求項１１７３】
気化熱空気回収器（２Ｂ）を合体機関燃焼部（２９Ｅ）の弾み車タービン（８ｂ）排気部に具備して吸入空気で熱回収、過熱蒸気（５０）を凝縮水（５２ｆ）にする各種エネルギ保存サイクル合体機関。
【請求項１１７４】
気化熱空気回収器（２Ｂ）を合体機関燃焼部（２９Ｆ）の弾み車タービン（８ｂ）排気部に具備して吸入空気で熱回収、過熱蒸気（５０）を凝縮水（５２ｆ）にする各種エネルギ保存サイクル合体機関。
【請求項１１７５】
気化熱空気回収器（２Ｂ）を合体機関燃焼部（２９Ｇ）の弾み車タービン（８ｂ）排気部に具備して吸入空気で熱回収、過熱蒸気（５０）を凝縮水（５２ｆ）にする各種エネルギ保存サイクル合体機関。
【請求項１１７６】
気化熱空気回収器（２Ｂ）を合体機関燃焼部（２９Ｈ）の弾み車タービン（８ｂ）排気部に具備して吸入空気で熱回収、過熱蒸気（５０）を凝縮水（５２ｆ）にする各種エネルギ保存サイクル合体機関。
【請求項１１７７】
気化熱空気回収器（２Ｂ）を合体機関燃焼部（２９Ａ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１７８】
気化熱空気回収器（２Ｂ）を合体機関燃焼部（２９Ｂ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１７９】
気化熱空気回収器（２Ｂ）を合体機関燃焼部（２９Ｃ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１８０】
気化熱空気回収器（２Ｂ）を合体機関燃焼部（２９Ｄ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１８１】
気化熱空気回収器（２Ｂ）を合体機関燃焼部（２９Ｅ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１８２】
気化熱空気回収器（２Ｂ）を合体機関燃焼部（２９Ｆ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１８３】
気化熱空気回収器（２Ｂ）を合体機関燃焼部（２９Ｇ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１８４】
気化熱空気回収器（２Ｂ）を合体機関燃焼部（２９Ｈ）の弾み車タービン（８ｂ）（８ｂ）排気部に具備して吸入空気で熱回収、過熱蒸気（５０）を凝縮水（５２ｆ）にする各種エネルギ保存サイクル合体機関。
【請求項１１８５】
気化熱空気回収器（２Ｂ）を合体機関燃焼部（２９Ａ）の弾み車タービン（８ｂ）排気部に具備して予圧空気で熱回収、過熱蒸気（５０）を凝縮水（５２ｆ）にする各種エネルギ保存サイクル合体機関。
【請求項１１８６】
気化熱空気回収器（２Ｂ）を合体機関燃焼部（２９Ｂ）の弾み車タービン（８ｂ）排気部に具備して予圧空気で熱回収、過熱蒸気（５０）を凝縮水（５２ｆ）にする各種エネルギ保存サイクル合体機関。
【請求項１１８７】
気化熱空気回収器（２Ｂ）を合体機関燃焼部（２９Ｃ）の弾み車タービン（８ｂ）排気部に具備して予圧空気で熱回収、過熱蒸気（５０）を凝縮水（５２ｆ）にする各種エネルギ保存サイクル合体機関。
【請求項１１８８】
気化熱空気回収器（２Ｂ）を合体機関燃焼部（２９Ｄ）の弾み車タービン（８ｂ）排気部に具備して予圧空気で熱回収、過熱蒸気（５０）を凝縮水（５２ｆ）にする各種エネルギ保存サイクル合体機関。
【請求項１１８９】
気化熱空気回収器（２Ｂ）を合体機関燃焼部（２９Ｅ）の弾み車タービン（８ｂ）排気部に具備して予圧空気で熱回収、過熱蒸気（５０）を凝縮水（５２ｆ）にする各種エネルギ保存サイクル合体機関。
【請求項１１９０】
気化熱空気回収器（２Ｂ）を合体機関燃焼部（２９Ｆ）の弾み車タービン（８ｂ）排気部に具備して予圧空気で熱回収、過熱蒸気（５０）を凝縮水（５２ｆ）にする各種エネルギ保存サイクル合体機関。
【請求項１１９１】
気化熱空気回収器（２Ｂ）を合体機関燃焼部（２９Ｇ）の弾み車タービン（８ｂ）排気部に具備して予圧空気で熱回収、過熱蒸気（５０）を凝縮水（５２ｆ）にする各種エネルギ保存サイクル合体機関。
【請求項１１９２】
気化熱空気回収器（２Ｂ）を合体機関燃焼部（２９Ｈ）の弾み車タービン（８ｂ）排気部に具備して予圧空気で熱回収、過熱蒸気（５０）を凝縮水（５２ｆ）にする各種エネルギ保存サイクル合体機関。
【請求項１１９３】
気化熱空気回収器（２Ｂ）を合体機関燃焼部（２９Ａ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１１９４】
気化熱空気回収器（２Ｂ）を合体機関燃焼部（２９Ｂ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１１９５】
気化熱空気回収器（２Ｂ）を合体機関燃焼部（２９Ｃ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１１９６】
気化熱空気回収器（２Ｂ）を合体機関燃焼部（２９Ｄ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１１９７】
気化熱空気回収器（２Ｂ）を合体機関燃焼部（２９Ｅ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１１９８】
気化熱空気回収器（２Ｂ）を合体機関燃焼部（２９Ｆ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１１９９】
気化熱空気回収器（２Ｂ）を合体機関燃焼部（２９Ｇ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１２００】
気化熱空気回収器（２Ｂ）を合体機関燃焼部（２９Ｈ）の弾み車タービン（８ｂ）（８ｂ）排気部に具備して予圧空気で熱回収、過熱蒸気（５０）を凝縮水（５２ｆ）にする各種エネルギ保存サイクル合体機関。
【請求項１２０１】
気化熱空気回収器（２Ｂ）を合体機関燃焼部（２９Ａ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０２】
気化熱空気回収器（２Ｂ）を合体機関燃焼部（２９Ｂ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０３】
気化熱空気回収器（２Ｂ）を合体機関燃焼部（２９Ｃ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０４】
気化熱空気回収器（２Ｂ）を合体機関燃焼部（２９Ｄ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０５】
気化熱空気回収器（２Ｂ）を合体機関燃焼部（２９Ｅ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０６】
気化熱空気回収器（２Ｂ）を合体機関燃焼部（２９Ｆ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０７】
気化熱空気回収器（２Ｂ）を合体機関燃焼部（２９Ｇ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０８】
気化熱空気回収器（２Ｂ）を合体機関燃焼部（２９Ｈ）の弾み車タービン（８ｂ）排気部に具備して吸入空気と予圧空気で熱回収、過熱蒸気（５０）を凝縮水（５２ｆ）にする各種エネルギ保存サイクル合体機関。
【請求項１２０９】
気化熱空気回収器（２Ｂ）を合体機関燃焼部（２９Ａ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１０】
気化熱空気回収器（２Ｂ）を合体機関燃焼部（２９Ｂ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１１】
気化熱空気回収器（２Ｂ）を合体機関燃焼部（２９Ｃ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１２】
気化熱空気回収器（２Ｂ）を合体機関燃焼部（２９Ｄ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１３】
気化熱空気回収器（２Ｂ）を合体機関燃焼部（２９Ｅ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１４】
気化熱空気回収器（２Ｂ）を合体機関燃焼部（２９Ｆ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１５】
気化熱空気回収器（２Ｂ）を合体機関燃焼部（２９Ｇ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１６】
気化熱空気回収器（２Ｂ）を合体機関燃焼部（２９Ｈ）の弾み車タービン（８ｂ）（８ｂ）排気部に具備して吸入空気と予圧空気で熱回収、過熱蒸気（５０）を凝縮水（５２ｆ）にする各種エネルギ保存サイクル合体機関。
【請求項１２１７】
気化熱空気回収器（２Ｂ）を合体機関燃焼部（２９Ａ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２１８】
気化熱空気回収器（２Ｂ）を合体機関燃焼部（２９Ｂ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２１９】
気化熱空気回収器（２Ｂ）を合体機関燃焼部（２９Ｃ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２２０】
気化熱空気回収器（２Ｂ）を合体機関燃焼部（２９Ｄ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２２１】
気化熱空気回収器（２Ｂ）を合体機関燃焼部（２９Ｅ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２２２】
気化熱空気回収器（２Ｂ）を合体機関燃焼部（２９Ｆ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２２３】
気化熱空気回収器（２Ｂ）を合体機関燃焼部（２９Ｇ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２２４】
気化熱空気回収器（２Ｂ）を合体機関燃焼部（２９Ｈ）の弾み車タービン（８ｂ）排気部に具備して吸入空気と複数回予圧空気で熱回収、過熱蒸気（５０）を凝縮水（５２ｆ）にする各種エネルギ保存サイクル合体機関。
【請求項１２２５】
気化熱空気回収器（２Ｂ）を合体機関燃焼部（２９Ａ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２２６】
気化熱空気回収器（２Ｂ）を合体機関燃焼部（２９Ｂ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２２７】
気化熱空気回収器（２Ｂ）を合体機関燃焼部（２９Ｃ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２２８】
気化熱空気回収器（２Ｂ）を合体機関燃焼部（２９Ｄ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２２９】
気化熱空気回収器（２Ｂ）を合体機関燃焼部（２９Ｅ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２３０】
気化熱空気回収器（２Ｂ）を合体機関燃焼部（２９Ｆ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２３１】
気化熱空気回収器（２Ｂ）を合体機関燃焼部（２９Ｇ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２３２】
気化熱空気回収器（２Ｂ）を合体機関燃焼部（２９Ｈ）の弾み車タービン（８ｂ）（８ｂ）排気部に具備して吸入空気と複数回予圧空気で熱回収、過熱蒸気（５０）を凝縮水（５２ｆ）にする各種エネルギ保存サイクル合体機関。
【請求項１２３３】
気化熱空気回収器（２Ｂ）を合体機関燃焼部（２９Ａ）の弾み車タービン（８ｂ）排気部に具備し、排気熱量を繰返し使用する各種エネルギ保存サイクル合体機関。
【請求項１２３４】
気化熱空気回収器（２Ｂ）を合体機関燃焼部（２９Ｂ）の弾み車タービン（８ｂ）排気部に具備し、排気熱量を繰返し使用する各種エネルギ保存サイクル合体機関。
【請求項１２３５】
気化熱空気回収器（２Ｂ）を合体機関燃焼部（２９Ｃ）の弾み車タービン（８ｂ）排気部に具備し、排気熱量を繰返し使用する各種エネルギ保存サイクル合体機関。
【請求項１２３６】
気化熱空気回収器（２Ｂ）を合体機関燃焼部（２９Ｄ）の弾み車タービン（８ｂ）排気部に具備し、排気熱量を繰返し使用する各種エネルギ保存サイクル合体機関。
【請求項１２３７】
気化熱空気回収器（２Ｂ）を合体機関燃焼部（２９Ｅ）の弾み車タービン（８ｂ）排気部に具備し、排気熱量を繰返し使用する各種エネルギ保存サイクル合体機関。
【請求項１２３８】
気化熱空気回収器（２Ｂ）を合体機関燃焼部（２９Ｆ）の弾み車タービン（８ｂ）排気部に具備し、排気熱量を繰返し使用する各種エネルギ保存サイクル合体機関。
【請求項１２３９】
気化熱空気回収器（２Ｂ）を合体機関燃焼部（２９Ｇ）の弾み車タービン（８ｂ）排気部に具備し、排気熱量を繰返し使用する各種エネルギ保存サイクル合体機関。
【請求項１２４０】
気化熱空気回収器（２Ｂ）を合体機関燃焼部（２９Ｈ）の弾み車タービン（８ｂ）排気部に具備し、排気熱量を繰返し使用する各種エネルギ保存サイクル合体機関。
【請求項１２４１】
気化熱空気回収器（２Ｂ）を合体機関燃焼部（２９Ａ）の弾み車タービン（８ｂ）（８ｂ）排気部に具備し、排気熱量を繰返し使用する各種エネルギ保存サイクル合体機関。
【請求項１２４２】
気化熱空気回収器（２Ｂ）を合体機関燃焼部（２９Ｂ）の弾み車タービン（８ｂ）（８ｂ）排気部に具備し、排気熱量を繰返し使用する各種エネルギ保存サイクル合体機関。
【請求項１２４３】
気化熱空気回収器（２Ｂ）を合体機関燃焼部（２９Ｃ）の弾み車タービン（８ｂ）（８ｂ）排気部に具備し、排気熱量を繰返し使用する各種エネルギ保存サイクル合体機関。
【請求項１２４４】
気化熱空気回収器（２Ｂ）を合体機関燃焼部（２９Ｄ）の弾み車タービン（８ｂ）（８ｂ）排気部に具備し、排気熱量を繰返し使用する各種エネルギ保存サイクル合体機関。
【請求項１２４５】
気化熱空気回収器（２Ｂ）を合体機関燃焼部（２９Ｅ）の弾み車タービン（８ｂ）（８ｂ）排気部に具備し、排気熱量を繰返し使用する各種エネルギ保存サイクル合体機関。
【請求項１２４６】
気化熱空気回収器（２Ｂ）を合体機関燃焼部（２９Ｆ）の弾み車タービン（８ｂ）（８ｂ）排気部に具備し、排気熱量を繰返し使用する各種エネルギ保存サイクル合体機関。
【請求項１２４７】
気化熱空気回収器（２Ｂ）を合体機関燃焼部（２９Ｇ）の弾み車タービン（８ｂ）（８ｂ）排気部に具備し、排気熱量を繰返し使用する各種エネルギ保存サイクル合体機関。
【請求項１２４８】
気化熱空気回収器（２Ｂ）を合体機関燃焼部（２９Ｈ）の弾み車タービン（８ｂ）（８ｂ）排気部に具備し、排気熱量を繰返し使用する各種エネルギ保存サイクル合体機関。
【請求項１２４９】
気化熱空気回収器（２Ｂ）を合体機関燃焼部（２９Ａ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５０】
気化熱空気回収器（２Ｂ）を合体機関燃焼部（２９Ｂ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５１】
気化熱空気回収器（２Ｂ）を合体機関燃焼部（２９Ｃ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５２】
気化熱空気回収器（２Ｂ）を合体機関燃焼部（２９Ｄ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５３】
気化熱空気回収器（２Ｂ）を合体機関燃焼部（２９Ｅ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５４】
気化熱空気回収器（２Ｂ）を合体機関燃焼部（２９Ｆ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５５】
気化熱空気回収器（２Ｂ）を合体機関燃焼部（２９Ｇ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５６】
気化熱空気回収器（２Ｂ）を合体機関燃焼部（２９Ｈ）の弾み車タービン（８ｂ）排気部に具備して熱回収、過熱蒸気（５０）を凝縮水（５２ｆ）にし、排気熱量を繰返し使用する各種エネルギ保存サイクル合体機関。
【請求項１２５７】
気化熱空気回収器（２Ｂ）を合体機関燃焼部（２９Ａ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２５８】
気化熱空気回収器（２Ｂ）を合体機関燃焼部（２９Ｂ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２５９】
気化熱空気回収器（２Ｂ）を合体機関燃焼部（２９Ｃ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２６０】
気化熱空気回収器（２Ｂ）を合体機関燃焼部（２９Ｄ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２６１】
気化熱空気回収器（２Ｂ）を合体機関燃焼部（２９Ｅ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２６２】
気化熱空気回収器（２Ｂ）を合体機関燃焼部（２９Ｆ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２６３】
気化熱空気回収器（２Ｂ）を合体機関燃焼部（２９Ｇ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２６４】
気化熱空気回収器（２Ｂ）を合体機関燃焼部（２９Ｈ）の弾み車タービン（８ｂ）（８ｂ）排気部に具備して熱回収、過熱蒸気（５０）を凝縮水（５２ｆ）にし、排気熱量を繰返し使用する各種エネルギ保存サイクル合体機関。
【請求項１２６５】
気化熱空気回収器（２Ｂ）を合体機関燃焼部（２９Ａ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２６６】
気化熱空気回収器（２Ｂ）を合体機関燃焼部（２９Ｂ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２６７】
気化熱空気回収器（２Ｂ）を合体機関燃焼部（２９Ｃ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２６８】
気化熱空気回収器（２Ｂ）を合体機関燃焼部（２９Ｄ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２６９】
気化熱空気回収器（２Ｂ）を合体機関燃焼部（２９Ｅ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７０】
気化熱空気回収器（２Ｂ）を合体機関燃焼部（２９Ｆ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７１】
気化熱空気回収器（２Ｂ）を合体機関燃焼部（２９Ｇ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７２】
気化熱空気回収器（２Ｂ）を合体機関燃焼部（２９Ｈ）の弾み車タービン（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７３】
気化熱空気回収器（２Ｂ）を合体機関燃焼部（２９Ａ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７４】
気化熱空気回収器（２Ｂ）を合体機関燃焼部（２９Ｂ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７５】
気化熱空気回収器（２Ｂ）を合体機関燃焼部（２９Ｃ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７６】
気化熱空気回収器（２Ｂ）を合体機関燃焼部（２９Ｄ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７７】
気化熱空気回収器（２Ｂ）を合体機関燃焼部（２９Ｅ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７８】
気化熱空気回収器（２Ｂ）を合体機関燃焼部（２９Ｆ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２７９】
気化熱空気回収器（２Ｂ）を合体機関燃焼部（２９Ｇ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２８０】
気化熱空気回収器（２Ｂ）を合体機関燃焼部（２９Ｈ）の弾み車タービン（８ｂ）（８ｂ）排気部に具備して吸入空気で熱回収、過熱蒸気（５０）を凝縮水（５２ｆ）にし、排気熱量を繰返し使用する各種エネルギ保存サイクル合体機関。
【請求項１２８１】
気化熱空気回収器（２Ｂ）を合体機関燃焼部（２９Ａ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８２】
気化熱空気回収器（２Ｂ）を合体機関燃焼部（２９Ｂ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８３】
気化熱空気回収器（２Ｂ）を合体機関燃焼部（２９Ｃ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８４】
気化熱空気回収器（２Ｂ）を合体機関燃焼部（２９Ｄ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８５】
気化熱空気回収器（２Ｂ）を合体機関燃焼部（２９Ｅ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８６】
気化熱空気回収器（２Ｂ）を合体機関燃焼部（２９Ｆ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８７】
気化熱空気回収器（２Ｂ）を合体機関燃焼部（２９Ｇ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８８】
気化熱空気回収器（２Ｂ）を合体機関燃焼部（２９Ｈ）の弾み車タービン（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２８９】
気化熱空気回収器（２Ｂ）を合体機関燃焼部（２９Ａ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９０】
気化熱空気回収器（２Ｂ）を合体機関燃焼部（２９Ｂ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９１】
気化熱空気回収器（２Ｂ）を合体機関燃焼部（２９Ｃ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９２】
気化熱空気回収器（２Ｂ）を合体機関燃焼部（２９Ｄ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９３】
気化熱空気回収器（２Ｂ）を合体機関燃焼部（２９Ｅ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９４】
気化熱空気回収器（２Ｂ）を合体機関燃焼部（２９Ｆ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９５】
気化熱空気回収器（２Ｂ）を合体機関燃焼部（２９Ｇ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９６】
気化熱空気回収器（２Ｂ）を合体機関燃焼部（２９Ｈ）の弾み車タービン（８ｂ）（８ｂ）排気部に具備して予圧空気で熱回収、過熱蒸気（５０）を凝縮水（５２ｆ）にし、排気熱量を繰返し使用する各種エネルギ保存サイクル合体機関。
【請求項１２９７】
気化熱空気回収器（２Ｂ）を合体機関燃焼部（２９Ａ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１２９８】
気化熱空気回収器（２Ｂ）を合体機関燃焼部（２９Ｂ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１２９９】
気化熱空気回収器（２Ｂ）を合体機関燃焼部（２９Ｃ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３００】
気化熱空気回収器（２Ｂ）を合体機関燃焼部（２９Ｄ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０１】
気化熱空気回収器（２Ｂ）を合体機関燃焼部（２９Ｅ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０２】
気化熱空気回収器（２Ｂ）を合体機関燃焼部（２９Ｆ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０３】
気化熱空気回収器（２Ｂ）を合体機関燃焼部（２９Ｇ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０４】
気化熱空気回収器（２Ｂ）を合体機関燃焼部（２９Ｈ）の弾み車タービン（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０５】
気化熱空気回収器（２Ｂ）を合体機関燃焼部（２９Ａ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０６】
気化熱空気回収器（２Ｂ）を合体機関燃焼部（２９Ｂ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０７】
気化熱空気回収器（２Ｂ）を合体機関燃焼部（２９Ｃ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０８】
気化熱空気回収器（２Ｂ）を合体機関燃焼部（２９Ｄ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３０９】
気化熱空気回収器（２Ｂ）を合体機関燃焼部（２９Ｅ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３１０】
気化熱空気回収器（２Ｂ）を合体機関燃焼部（２９Ｆ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３１１】
気化熱空気回収器（２Ｂ）を合体機関燃焼部（２９Ｇ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３１２】
気化熱空気回収器（２Ｂ）を合体機関燃焼部（２９Ｈ）の弾み車タービン（８ｂ）（８ｂ）排気部に具備して吸入空気と予圧空気で熱回収、過熱蒸気（５０）を凝縮水（５２ｆ）にし、排気熱量を繰返し使用する各種エネルギ保存サイクル合体機関。
【請求項１３１３】
気化熱空気回収器（２Ｂ）を合体機関燃焼部（２９Ａ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３１４】
気化熱空気回収器（２Ｂ）を合体機関燃焼部（２９Ｂ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３１５】
気化熱空気回収器（２Ｂ）を合体機関燃焼部（２９Ｃ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３１６】
気化熱空気回収器（２Ｂ）を合体機関燃焼部（２９Ｄ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３１７】
気化熱空気回収器（２Ｂ）を合体機関燃焼部（２９Ｅ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３１８】
気化熱空気回収器（２Ｂ）を合体機関燃焼部（２９Ｆ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３１９】
気化熱空気回収器（２Ｂ）を合体機関燃焼部（２９Ｇ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２０】
気化熱空気回収器（２Ｂ）を合体機関燃焼部（２９Ｈ）の弾み車タービン（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２１】
気化熱空気回収器（２Ｂ）を合体機関燃焼部（２９Ａ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２２】
気化熱空気回収器（２Ｂ）を合体機関燃焼部（２９Ｂ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２３】
気化熱空気回収器（２Ｂ）を合体機関燃焼部（２９Ｃ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２４】
気化熱空気回収器（２Ｂ）を合体機関燃焼部（２９Ｄ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２５】
気化熱空気回収器（２Ｂ）を合体機関燃焼部（２９Ｅ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２６】
気化熱空気回収器（２Ｂ）を合体機関燃焼部（２９Ｆ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２７】
気化熱空気回収器（２Ｂ）を合体機関燃焼部（２９Ｇ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２８】
気化熱空気回収器（２Ｂ）を合体機関燃焼部（２９Ｈ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用する各種エネルギ保存サイクル合体機関。
【請求項１３２９】
気化熱空気回収器（２Ｂ）を合体機関燃焼部（２９Ａ）の弾み車タービン（８ｂ）排気部に具備し、排気熱量を繰返し使用して回転出力を増大する各種エネルギ保存サイクル合体機関。
【請求項１３３０】
気化熱空気回収器（２Ｂ）を合体機関燃焼部（２９Ｂ）の弾み車タービン（８ｂ）排気部に具備し、排気熱量を繰返し使用して回転出力を増大する各種エネルギ保存サイクル合体機関。
【請求項１３３１】
気化熱空気回収器（２Ｂ）を合体機関燃焼部（２９Ｃ）の弾み車タービン（８ｂ）排気部に具備し、排気熱量を繰返し使用して回転出力を増大する各種エネルギ保存サイクル合体機関。
【請求項１３３２】
気化熱空気回収器（２Ｂ）を合体機関燃焼部（２９Ｄ）の弾み車タービン（８ｂ）排気部に具備し、排気熱量を繰返し使用して回転出力を増大する各種エネルギ保存サイクル合体機関。
【請求項１３３３】
気化熱空気回収器（２Ｂ）を合体機関燃焼部（２９Ｅ）の弾み車タービン（８ｂ）排気部に具備し、排気熱量を繰返し使用して回転出力を増大する各種エネルギ保存サイクル合体機関。
【請求項１３３４】
気化熱空気回収器（２Ｂ）を合体機関燃焼部（２９Ｆ）の弾み車タービン（８ｂ）排気部に具備し、排気熱量を繰返し使用して回転出力を増大する各種エネルギ保存サイクル合体機関。
【請求項１３３５】
気化熱空気回収器（２Ｂ）を合体機関燃焼部（２９Ｇ）の弾み車タービン（８ｂ）排気部に具備し、排気熱量を繰返し使用して回転出力を増大する各種エネルギ保存サイクル合体機関。
【請求項１３３６】
気化熱空気回収器（２Ｂ）を合体機関燃焼部（２９Ｈ）の弾み車タービン（８ｂ）排気部に具備し、排気熱量を繰返し使用して回転出力を増大する各種エネルギ保存サイクル合体機関。
【請求項１３３７】
気化熱空気回収器（２Ｂ）を合体機関燃焼部（２９Ａ）の弾み車タービン（８ｂ）（８ｂ）排気部に具備し、排気熱量を繰返し使用して回転出力を増大する各種エネルギ保存サイクル合体機関。
【請求項１３３８】
気化熱空気回収器（２Ｂ）を合体機関燃焼部（２９Ｂ）の弾み車タービン（８ｂ）（８ｂ）排気部に具備し、排気熱量を繰返し使用して回転出力を増大する各種エネルギ保存サイクル合体機関。
【請求項１３３９】
気化熱空気回収器（２Ｂ）を合体機関燃焼部（２９Ｃ）の弾み車タービン（８ｂ）（８ｂ）排気部に具備し、排気熱量を繰返し使用して回転出力を増大する各種エネルギ保存サイクル合体機関。
【請求項１３４０】
気化熱空気回収器（２Ｂ）を合体機関燃焼部（２９Ｄ）の弾み車タービン（８ｂ）（８ｂ）排気部に具備し、排気熱量を繰返し使用して回転出力を増大する各種エネルギ保存サイクル合体機関。
【請求項１３４１】
気化熱空気回収器（２Ｂ）を合体機関燃焼部（２９Ｅ）の弾み車タービン（８ｂ）（８ｂ）排気部に具備し、排気熱量を繰返し使用して回転出力を増大する各種エネルギ保存サイクル合体機関。
【請求項１３４２】
気化熱空気回収器（２Ｂ）を合体機関燃焼部（２９Ｆ）の弾み車タービン（８ｂ）（８ｂ）排気部に具備し、排気熱量を繰返し使用して回転出力を増大する各種エネルギ保存サイクル合体機関。
【請求項１３４３】
気化熱空気回収器（２Ｂ）を合体機関燃焼部（２９Ｇ）の弾み車タービン（８ｂ）（８ｂ）排気部に具備し、排気熱量を繰返し使用して回転出力を増大する各種エネルギ保存サイクル合体機関。
【請求項１３４４】
気化熱空気回収器（２Ｂ）を合体機関燃焼部（２９Ｈ）の弾み車タービン（８ｂ）（８ｂ）排気部に具備し、排気熱量を繰返し使用して回転出力を増大する各種エネルギ保存サイクル合体機関。
【請求項１３４５】
気化熱空気回収器（２Ｂ）を合体機関燃焼部（２９Ａ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３４６】
気化熱空気回収器（２Ｂ）を合体機関燃焼部（２９Ｂ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３４７】
気化熱空気回収器（２Ｂ）を合体機関燃焼部（２９Ｃ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３４８】
気化熱空気回収器（２Ｂ）を合体機関燃焼部（２９Ｄ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３４９】
気化熱空気回収器（２Ｂ）を合体機関燃焼部（２９Ｅ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５０】
気化熱空気回収器（２Ｂ）を合体機関燃焼部（２９Ｆ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５１】
気化熱空気回収器（２Ｂ）を合体機関燃焼部（２９Ｇ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５２】
気化熱空気回収器（２Ｂ）を合体機関燃焼部（２９Ｈ）の弾み車タービン（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５３】
気化熱空気回収器（２Ｂ）を合体機関燃焼部（２９Ａ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５４】
気化熱空気回収器（２Ｂ）を合体機関燃焼部（２９Ｂ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５５】
気化熱空気回収器（２Ｂ）を合体機関燃焼部（２９Ｃ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５６】
気化熱空気回収器（２Ｂ）を合体機関燃焼部（２９Ｄ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５７】
気化熱空気回収器（２Ｂ）を合体機関燃焼部（２９Ｅ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５８】
気化熱空気回収器（２Ｂ）を合体機関燃焼部（２９Ｆ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３５９】
気化熱空気回収器（２Ｂ）を合体機関燃焼部（２９Ｇ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３６０】
気化熱空気回収器（２Ｂ）を合体機関燃焼部（２９Ｈ）の弾み車タービン（８ｂ）（８ｂ）排気部に具備して熱回収、過熱蒸気（５０）を凝縮水（５２ｆ）にし、排気熱量を繰返し使用して回転出力を増大する各種エネルギ保存サイクル合体機関。
【請求項１３６１】
気化熱空気回収器（２Ｂ）を合体機関燃焼部（２９Ａ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６２】
気化熱空気回収器（２Ｂ）を合体機関燃焼部（２９Ｂ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６３】
気化熱空気回収器（２Ｂ）を合体機関燃焼部（２９Ｃ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６４】
気化熱空気回収器（２Ｂ）を合体機関燃焼部（２９Ｄ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６５】
気化熱空気回収器（２Ｂ）を合体機関燃焼部（２９Ｅ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６６】
気化熱空気回収器（２Ｂ）を合体機関燃焼部（２９Ｆ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６７】
気化熱空気回収器（２Ｂ）を合体機関燃焼部（２９Ｇ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６８】
気化熱空気回収器（２Ｂ）を合体機関燃焼部（２９Ｈ）の弾み車タービン（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３６９】
気化熱空気回収器（２Ｂ）を合体機関燃焼部（２９Ａ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７０】
気化熱空気回収器（２Ｂ）を合体機関燃焼部（２９Ｂ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７１】
気化熱空気回収器（２Ｂ）を合体機関燃焼部（２９Ｃ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７２】
気化熱空気回収器（２Ｂ）を合体機関燃焼部（２９Ｄ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７３】
気化熱空気回収器（２Ｂ）を合体機関燃焼部（２９Ｅ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７４】
気化熱空気回収器（２Ｂ）を合体機関燃焼部（２９Ｆ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７５】
気化熱空気回収器（２Ｂ）を合体機関燃焼部（２９Ｇ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７６】
気化熱空気回収器（２Ｂ）を合体機関燃焼部（２９Ｈ）の弾み車タービン（８ｂ）（８ｂ）排気部に具備して吸入空気で熱回収、過熱蒸気（５０）を凝縮水（５２ｆ）にし、排気熱量を繰返し使用して回転出力を増大する各種エネルギ保存サイクル合体機関。
【請求項１３７７】
気化熱空気回収器（２Ｂ）を合体機関燃焼部（２９Ａ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３７８】
気化熱空気回収器（２Ｂ）を合体機関燃焼部（２９Ｂ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３７９】
気化熱空気回収器（２Ｂ）を合体機関燃焼部（２９Ｃ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８０】
気化熱空気回収器（２Ｂ）を合体機関燃焼部（２９Ｄ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８１】
気化熱空気回収器（２Ｂ）を合体機関燃焼部（２９Ｅ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８２】
気化熱空気回収器（２Ｂ）を合体機関燃焼部（２９Ｆ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８３】
気化熱空気回収器（２Ｂ）を合体機関燃焼部（２９Ｇ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８４】
気化熱空気回収器（２Ｂ）を合体機関燃焼部（２９Ｈ）の弾み車タービン（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８５】
気化熱空気回収器（２Ｂ）を合体機関燃焼部（２９Ａ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８６】
気化熱空気回収器（２Ｂ）を合体機関燃焼部（２９Ｂ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８７】
気化熱空気回収器（２Ｂ）を合体機関燃焼部（２９Ｃ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８８】
気化熱空気回収器（２Ｂ）を合体機関燃焼部（２９Ｄ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３８９】
気化熱空気回収器（２Ｂ）を合体機関燃焼部（２９Ｅ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３９０】
気化熱空気回収器（２Ｂ）を合体機関燃焼部（２９Ｆ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３９１】
気化熱空気回収器（２Ｂ）を合体機関燃焼部（２９Ｇ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３９２】
気化熱空気回収器（２Ｂ）を合体機関燃焼部（２９Ｈ）の弾み車タービン（８ｂ）（８ｂ）排気部に具備して予圧空気で熱回収、過熱蒸気（５０）を凝縮水（５２ｆ）にし、排気熱量を繰返し使用して回転出力を増大する各種エネルギ保存サイクル合体機関。
【請求項１３９３】
気化熱空気回収器（２Ｂ）を合体機関燃焼部（２９Ａ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１３９４】
気化熱空気回収器（２Ｂ）を合体機関燃焼部（２９Ｂ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１３９５】
気化熱空気回収器（２Ｂ）を合体機関燃焼部（２９Ｃ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１３９６】
気化熱空気回収器（２Ｂ）を合体機関燃焼部（２９Ｄ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１３９７】
気化熱空気回収器（２Ｂ）を合体機関燃焼部（２９Ｅ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１３９８】
気化熱空気回収器（２Ｂ）を合体機関燃焼部（２９Ｆ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１３９９】
気化熱空気回収器（２Ｂ）を合体機関燃焼部（２９Ｇ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４００】
気化熱空気回収器（２Ｂ）を合体機関燃焼部（２９Ｈ）の弾み車タービン（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０１】
気化熱空気回収器（２Ｂ）を合体機関燃焼部（２９Ａ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０２】
気化熱空気回収器（２Ｂ）を合体機関燃焼部（２９Ｂ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０３】
気化熱空気回収器（２Ｂ）を合体機関燃焼部（２９Ｃ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０４】
気化熱空気回収器（２Ｂ）を合体機関燃焼部（２９Ｄ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０５】
気化熱空気回収器（２Ｂ）を合体機関燃焼部（２９Ｅ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０６】
気化熱空気回収器（２Ｂ）を合体機関燃焼部（２９Ｆ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０７】
気化熱空気回収器（２Ｂ）を合体機関燃焼部（２９Ｇ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０８】
気化熱空気回収器（２Ｂ）を合体機関燃焼部（２９Ｈ）の弾み車タービン（８ｂ）（８ｂ）排気部に具備して吸入空気と予圧空気で熱回収、過熱蒸気（５０）を凝縮水（５２ｆ）にし、排気熱量を繰返し使用して回転出力を増大する各種エネルギ保存サイクル合体機関。
【請求項１４０９】
気化熱空気回収器（２Ｂ）を合体機関燃焼部（２９Ａ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１０】
気化熱空気回収器（２Ｂ）を合体機関燃焼部（２９Ｂ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１１】
気化熱空気回収器（２Ｂ）を合体機関燃焼部（２９Ｃ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１２】
気化熱空気回収器（２Ｂ）を合体機関燃焼部（２９Ｄ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１３】
気化熱空気回収器（２Ｂ）を合体機関燃焼部（２９Ｅ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１４】
気化熱空気回収器（２Ｂ）を合体機関燃焼部（２９Ｆ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１５】
気化熱空気回収器（２Ｂ）を合体機関燃焼部（２９Ｇ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１６】
気化熱空気回収器（２Ｂ）を合体機関燃焼部（２９Ｈ）の弾み車タービン（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１７】
気化熱空気回収器（２Ｂ）を合体機関燃焼部（２９Ａ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１８】
気化熱空気回収器（２Ｂ）を合体機関燃焼部（２９Ｂ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４１９】
気化熱空気回収器（２Ｂ）を合体機関燃焼部（２９Ｃ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４２０】
気化熱空気回収器（２Ｂ）を合体機関燃焼部（２９Ｄ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４２１】
気化熱空気回収器（２Ｂ）を合体機関燃焼部（２９Ｅ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４２２】
気化熱空気回収器（２Ｂ）を合体機関燃焼部（２９Ｆ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４２３】
気化熱空気回収器（２Ｂ）を合体機関燃焼部（２９Ｇ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４２４】
気化熱空気回収器（２Ｂ）を合体機関燃焼部（２９Ｈ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して回転出力を増大する各種エネルギ保存サイクル合体機関。
【請求項１４２５】
気化熱空気回収器（２Ｂ）を合体機関燃焼部（２９Ａ）の弾み車タービン（８ｂ）排気部に具備し、排気熱量を繰返し使用して噴射推進出力を増大する各種エネルギ保存サイクル合体機関。
【請求項１４２６】
気化熱空気回収器（２Ｂ）を合体機関燃焼部（２９Ｂ）の弾み車タービン（８ｂ）排気部に具備し、排気熱量を繰返し使用して噴射推進出力を増大する各種エネルギ保存サイクル合体機関。
【請求項１４２７】
気化熱空気回収器（２Ｂ）を合体機関燃焼部（２９Ｃ）の弾み車タービン（８ｂ）排気部に具備し、排気熱量を繰返し使用して噴射推進出力を増大する各種エネルギ保存サイクル合体機関。
【請求項１４２８】
気化熱空気回収器（２Ｂ）を合体機関燃焼部（２９Ｄ）の弾み車タービン（８ｂ）排気部に具備し、排気熱量を繰返し使用して噴射推進出力を増大する各種エネルギ保存サイクル合体機関。
【請求項１４２９】
気化熱空気回収器（２Ｂ）を合体機関燃焼部（２９Ｅ）の弾み車タービン（８ｂ）排気部に具備し、排気熱量を繰返し使用して噴射推進出力を増大する各種エネルギ保存サイクル合体機関。
【請求項１４３０】
気化熱空気回収器（２Ｂ）を合体機関燃焼部（２９Ｆ）の弾み車タービン（８ｂ）排気部に具備し、排気熱量を繰返し使用して噴射推進出力を増大する各種エネルギ保存サイクル合体機関。
【請求項１４３１】
気化熱空気回収器（２Ｂ）を合体機関燃焼部（２９Ｇ）の弾み車タービン（８ｂ）排気部に具備し、排気熱量を繰返し使用して噴射推進出力を増大する各種エネルギ保存サイクル合体機関。
【請求項１４３２】
気化熱空気回収器（２Ｂ）を合体機関燃焼部（２９Ｈ）の弾み車タービン（８ｂ）排気部に具備し、排気熱量を繰返し使用して噴射推進出力を増大する各種エネルギ保存サイクル合体機関。
【請求項１４３３】
気化熱空気回収器（２Ｂ）を合体機関燃焼部（２９Ａ）の弾み車タービン（８ｂ）（８ｂ）排気部に具備し、排気熱量を繰返し使用して噴射推進出力を増大する各種エネルギ保存サイクル合体機関。
【請求項１４３４】
気化熱空気回収器（２Ｂ）を合体機関燃焼部（２９Ｂ）の弾み車タービン（８ｂ）（８ｂ）排気部に具備し、排気熱量を繰返し使用して噴射推進出力を増大する各種エネルギ保存サイクル合体機関。
【請求項１４３５】
気化熱空気回収器（２Ｂ）を合体機関燃焼部（２９Ｃ）の弾み車タービン（８ｂ）（８ｂ）排気部に具備し、排気熱量を繰返し使用して噴射推進出力を増大する各種エネルギ保存サイクル合体機関。
【請求項１４３６】
気化熱空気回収器（２Ｂ）を合体機関燃焼部（２９Ｄ）の弾み車タービン（８ｂ）（８ｂ）排気部に具備し、排気熱量を繰返し使用して噴射推進出力を増大する各種エネルギ保存サイクル合体機関。
【請求項１４３７】
気化熱空気回収器（２Ｂ）を合体機関燃焼部（２９Ｅ）の弾み車タービン（８ｂ）（８ｂ）排気部に具備し、排気熱量を繰返し使用して噴射推進出力を増大する各種エネルギ保存サイクル合体機関。
【請求項１４３８】
気化熱空気回収器（２Ｂ）を合体機関燃焼部（２９Ｆ）の弾み車タービン（８ｂ）（８ｂ）排気部に具備し、排気熱量を繰返し使用して噴射推進出力を増大する各種エネルギ保存サイクル合体機関。
【請求項１４３９】
気化熱空気回収器（２Ｂ）を合体機関燃焼部（２９Ｇ）の弾み車タービン（８ｂ）（８ｂ）排気部に具備し、排気熱量を繰返し使用して噴射推進出力を増大する各種エネルギ保存サイクル合体機関。
【請求項１４４０】
気化熱空気回収器（２Ｂ）を合体機関燃焼部（２９Ｈ）の弾み車タービン（８ｂ）（８ｂ）排気部に具備し、排気熱量を繰返し使用して噴射推進出力を増大する各種エネルギ保存サイクル合体機関。
【請求項１４４１】
気化熱空気回収器（２Ｂ）を合体機関燃焼部（２９Ａ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４２】
気化熱空気回収器（２Ｂ）を合体機関燃焼部（２９Ｂ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４３】
気化熱空気回収器（２Ｂ）を合体機関燃焼部（２９Ｃ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４４】
気化熱空気回収器（２Ｂ）を合体機関燃焼部（２９Ｄ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４５】
気化熱空気回収器（２Ｂ）を合体機関燃焼部（２９Ｅ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４６】
気化熱空気回収器（２Ｂ）を合体機関燃焼部（２９Ｆ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４７】
気化熱空気回収器（２Ｂ）を合体機関燃焼部（２９Ｇ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４８】
気化熱空気回収器（２Ｂ）を合体機関燃焼部（２９Ｈ）の弾み車タービン（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４４９】
気化熱空気回収器（２Ｂ）を合体機関燃焼部（２９Ａ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５０】
気化熱空気回収器（２Ｂ）を合体機関燃焼部（２９Ｂ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５１】
気化熱空気回収器（２Ｂ）を合体機関燃焼部（２９Ｃ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５２】
気化熱空気回収器（２Ｂ）を合体機関燃焼部（２９Ｄ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５３】
気化熱空気回収器（２Ｂ）を合体機関燃焼部（２９Ｅ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５４】
気化熱空気回収器（２Ｂ）を合体機関燃焼部（２９Ｆ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５５】
気化熱空気回収器（２Ｂ）を合体機関燃焼部（２９Ｇ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５６】
気化熱空気回収器（２Ｂ）を合体機関燃焼部（２９Ｈ）の弾み車タービン（８ｂ）（８ｂ）排気部に具備して熱回収、過熱蒸気（５０）を凝縮水（５２ｆ）にし、排気熱量を繰返し使用して噴射推進出力を増大する各種エネルギ保存サイクル合体機関。
【請求項１４５７】
気化熱空気回収器（２Ｂ）を合体機関燃焼部（２９Ａ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４５８】
気化熱空気回収器（２Ｂ）を合体機関燃焼部（２９Ｂ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４５９】
気化熱空気回収器（２Ｂ）を合体機関燃焼部（２９Ｃ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６０】
気化熱空気回収器（２Ｂ）を合体機関燃焼部（２９Ｄ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６１】
気化熱空気回収器（２Ｂ）を合体機関燃焼部（２９Ｅ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６２】
気化熱空気回収器（２Ｂ）を合体機関燃焼部（２９Ｆ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６３】
気化熱空気回収器（２Ｂ）を合体機関燃焼部（２９Ｇ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６４】
気化熱空気回収器（２Ｂ）を合体機関燃焼部（２９Ｈ）の弾み車タービン（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６５】
気化熱空気回収器（２Ｂ）を合体機関燃焼部（２９Ａ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６６】
気化熱空気回収器（２Ｂ）を合体機関燃焼部（２９Ｂ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６７】
気化熱空気回収器（２Ｂ）を合体機関燃焼部（２９Ｃ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６８】
気化熱空気回収器（２Ｂ）を合体機関燃焼部（２９Ｄ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４６９】
気化熱空気回収器（２Ｂ）を合体機関燃焼部（２９Ｅ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４７０】
気化熱空気回収器（２Ｂ）を合体機関燃焼部（２９Ｆ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４７１】
気化熱空気回収器（２Ｂ）を合体機関燃焼部（２９Ｇ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４７２】
気化熱空気回収器（２Ｂ）を合体機関燃焼部（２９Ｈ）の弾み車タービン（８ｂ）（８ｂ）排気部に具備して吸入空気で熱回収、過熱蒸気（５０）を凝縮水（５２ｆ）にし、排気熱量を繰返し使用して噴射推進出力を増大する各種エネルギ保存サイクル合体機関。
【請求項１４７３】
気化熱空気回収器（２Ｂ）を合体機関燃焼部（２９Ａ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４７４】
気化熱空気回収器（２Ｂ）を合体機関燃焼部（２９Ｂ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４７５】
気化熱空気回収器（２Ｂ）を合体機関燃焼部（２９Ｃ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４７６】
気化熱空気回収器（２Ｂ）を合体機関燃焼部（２９Ｄ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４７７】
気化熱空気回収器（２Ｂ）を合体機関燃焼部（２９Ｅ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４７８】
気化熱空気回収器（２Ｂ）を合体機関燃焼部（２９Ｆ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４７９】
気化熱空気回収器（２Ｂ）を合体機関燃焼部（２９Ｇ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８０】
気化熱空気回収器（２Ｂ）を合体機関燃焼部（２９Ｈ）の弾み車タービン（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８１】
気化熱空気回収器（２Ｂ）を合体機関燃焼部（２９Ａ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８２】
気化熱空気回収器（２Ｂ）を合体機関燃焼部（２９Ｂ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８３】
気化熱空気回収器（２Ｂ）を合体機関燃焼部（２９Ｃ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８４】
気化熱空気回収器（２Ｂ）を合体機関燃焼部（２９Ｄ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８５】
気化熱空気回収器（２Ｂ）を合体機関燃焼部（２９Ｅ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８６】
気化熱空気回収器（２Ｂ）を合体機関燃焼部（２９Ｆ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８７】
気化熱空気回収器（２Ｂ）を合体機関燃焼部（２９Ｇ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８８】
気化熱空気回収器（２Ｂ）を合体機関燃焼部（２９Ｈ）の弾み車タービン（８ｂ）（８ｂ）排気部に具備して予圧空気で熱回収、過熱蒸気（５０）を凝縮水（５２ｆ）にし、排気熱量を繰返し使用して噴射推進出力を増大する各種エネルギ保存サイクル合体機関。
【請求項１４８９】
気化熱空気回収器（２Ｂ）を合体機関燃焼部（２９Ａ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９０】
気化熱空気回収器（２Ｂ）を合体機関燃焼部（２９Ｂ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９１】
気化熱空気回収器（２Ｂ）を合体機関燃焼部（２９Ｃ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９２】
気化熱空気回収器（２Ｂ）を合体機関燃焼部（２９Ｄ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９３】
気化熱空気回収器（２Ｂ）を合体機関燃焼部（２９Ｅ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９４】
気化熱空気回収器（２Ｂ）を合体機関燃焼部（２９Ｆ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９５】
気化熱空気回収器（２Ｂ）を合体機関燃焼部（２９Ｇ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９６】
気化熱空気回収器（２Ｂ）を合体機関燃焼部（２９Ｈ）の弾み車タービン（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９７】
気化熱空気回収器（２Ｂ）を合体機関燃焼部（２９Ａ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９８】
気化熱空気回収器（２Ｂ）を合体機関燃焼部（２９Ｂ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１４９９】
気化熱空気回収器（２Ｂ）を合体機関燃焼部（２９Ｃ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１５００】
気化熱空気回収器（２Ｂ）を合体機関燃焼部（２９Ｄ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１５０１】
気化熱空気回収器（２Ｂ）を合体機関燃焼部（２９Ｅ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１５０２】
気化熱空気回収器（２Ｂ）を合体機関燃焼部（２９Ｆ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１５０３】
気化熱空気回収器（２Ｂ）を合体機関燃焼部（２９Ｇ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１５０４】
気化熱空気回収器（２Ｂ）を合体機関燃焼部（２９Ｈ）の弾み車タービン（８ｂ）（８ｂ）排気部に具備して吸入空気と予圧空気で熱回収、過熱蒸気（５０）を凝縮水（５２ｆ）にし、排気熱量を繰返し使用して噴射推進出力を増大する各種エネルギ保存サイクル合体機関。
【請求項１５０５】
気化熱空気回収器（２Ｂ）を合体機関燃焼部（２９Ａ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５０６】
気化熱空気回収器（２Ｂ）を合体機関燃焼部（２９Ｂ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５０７】
気化熱空気回収器（２Ｂ）を合体機関燃焼部（２９Ｃ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５０８】
気化熱空気回収器（２Ｂ）を合体機関燃焼部（２９Ｄ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５０９】
気化熱空気回収器（２Ｂ）を合体機関燃焼部（２９Ｅ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１０】
気化熱空気回収器（２Ｂ）を合体機関燃焼部（２９Ｆ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１１】
気化熱空気回収器（２Ｂ）を合体機関燃焼部（２９Ｇ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１２】
気化熱空気回収器（２Ｂ）を合体機関燃焼部（２９Ｈ）の弾み車タービン（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１３】
気化熱空気回収器（２Ｂ）を合体機関燃焼部（２９Ａ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１４】
気化熱空気回収器（２Ｂ）を合体機関燃焼部（２９Ｂ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１５】
気化熱空気回収器（２Ｂ）を合体機関燃焼部（２９Ｃ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１６】
気化熱空気回収器（２Ｂ）を合体機関燃焼部（２９Ｄ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１７】
気化熱空気回収器（２Ｂ）を合体機関燃焼部（２９Ｅ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１８】
気化熱空気回収器（２Ｂ）を合体機関燃焼部（２９Ｆ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５１９】
気化熱空気回収器（２Ｂ）を合体機関燃焼部（２９Ｇ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５２０】
気化熱空気回収器（２Ｂ）を合体機関燃焼部（２９Ｈ）の弾み車タービン（８ｂ）（８ｂ）排気部に具備して吸入空気と複数回予圧空気で熱回収、過熱蒸気（５０）を凝縮水（５２ｆ）にし、排気熱量を繰返し使用して噴射推進出力を増大する各種エネルギ保存サイクル合体機関。
【請求項１５２１】
多気筒の合体機関燃焼部（２９Ａ）として多気筒を予圧圧縮機として具備する各種エネルギ保存サイクル合体機関。
【請求項１５２２】
多気筒の合体機関燃焼部（２９Ｂ）として多気筒を予圧圧縮機として具備する各種エネルギ保存サイクル合体機関。
【請求項１５２３】
多気筒の合体機関燃焼部（２９Ｃ）として多気筒を予圧圧縮機として具備する各種エネルギ保存サイクル合体機関。
【請求項１５２４】
多気筒の合体機関燃焼部（２９Ｄ）として多気筒を予圧圧縮機として具備する各種エネルギ保存サイクル合体機関。
【請求項１５２５】
多気筒の合体機関燃焼部（２９Ｅ）として多気筒を予圧圧縮機として具備する各種エネルギ保存サイクル合体機関。
【請求項１５２６】
多気筒の合体機関燃焼部（２９Ｆ）として多気筒を予圧圧縮機として具備する各種エネルギ保存サイクル合体機関。
【請求項１５２７】
多気筒の合体機関燃焼部（２９Ｇ）として多気筒を予圧圧縮機として具備する各種エネルギ保存サイクル合体機関。
【請求項１５２８】
多気筒の合体機関燃焼部（２９Ｈ）として多気筒を予圧圧縮機として具備する各種エネルギ保存サイクル合体機関。
【請求項１５２９】
多気筒の合体機関燃焼部（２９Ａ）として多気筒を１以上の予圧圧縮機として具備する各種エネルギ保存サイクル合体機関。
【請求項１５３０】
多気筒の合体機関燃焼部（２９Ｂ）として多気筒を１以上の予圧圧縮機として具備する各種エネルギ保存サイクル合体機関。
【請求項１５３１】
多気筒の合体機関燃焼部（２９Ｃ）として多気筒を１以上の予圧圧縮機として具備する各種エネルギ保存サイクル合体機関。
【請求項１５３２】
多気筒の合体機関燃焼部（２９Ｄ）として多気筒を１以上の予圧圧縮機として具備する各種エネルギ保存サイクル合体機関。
【請求項１５３３】
多気筒の合体機関燃焼部（２９Ｅ）として多気筒を１以上の予圧圧縮機として具備する各種エネルギ保存サイクル合体機関。
【請求項１５３４】
多気筒の合体機関燃焼部（２９Ｆ）として多気筒を１以上の予圧圧縮機として具備する各種エネルギ保存サイクル合体機関。
【請求項１５３５】
多気筒の合体機関燃焼部（２９Ｇ）として多気筒を１以上の予圧圧縮機として具備する各種エネルギ保存サイクル合体機関。
【請求項１５３６】
多気筒の合体機関燃焼部（２９Ｈ）として多気筒を１以上の予圧圧縮機として具備する各種エネルギ保存サイクル合体機関。
【請求項１５３７】
多気筒の合体機関燃焼部（２９Ａ）として多気筒を予圧圧縮機や予圧圧縮室兼熱交換器（１Ａ）として具備する各種エネルギ保存サイクル合体機関。
【請求項１５３８】
多気筒の合体機関燃焼部（２９Ｂ）として多気筒を予圧圧縮機や予圧圧縮室兼熱交換器（１Ａ）として具備する各種エネルギ保存サイクル合体機関。
【請求項１５３９】
多気筒の合体機関燃焼部（２９Ｃ）として多気筒を予圧圧縮機や予圧圧縮室兼熱交換器（１Ａ）として具備する各種エネルギ保存サイクル合体機関。
【請求項１５４０】
多気筒の合体機関燃焼部（２９Ｄ）として多気筒を予圧圧縮機や予圧圧縮室兼熱交換器（１Ａ）として具備する各種エネルギ保存サイクル合体機関。
【請求項１５４１】
多気筒の合体機関燃焼部（２９Ｅ）として多気筒を予圧圧縮機や予圧圧縮室兼熱交換器（１Ａ）として具備する各種エネルギ保存サイクル合体機関。
【請求項１５４２】
多気筒の合体機関燃焼部（２９Ｆ）として多気筒を予圧圧縮機や予圧圧縮室兼熱交換器（１Ａ）として具備する各種エネルギ保存サイクル合体機関。
【請求項１５４３】
多気筒の合体機関燃焼部（２９Ｇ）として多気筒を予圧圧縮機や予圧圧縮室兼熱交換器（１Ａ）として具備する各種エネルギ保存サイクル合体機関。
【請求項１５４４】
多気筒の合体機関燃焼部（２９Ｈ）として多気筒を予圧圧縮機や予圧圧縮室兼熱交換器（１Ａ）として具備する各種エネルギ保存サイクル合体機関。
【請求項１５４５】
多気筒の合体機関燃焼部（２９Ａ）として多気筒を１以上の予圧圧縮機や予圧圧縮室兼熱交換器（１Ａ）として具備する各種エネルギ保存サイクル合体機関。
【請求項１５４６】
多気筒の合体機関燃焼部（２９Ｂ）として多気筒を１以上の予圧圧縮機や予圧圧縮室兼熱交換器（１Ａ）として具備する各種エネルギ保存サイクル合体機関。
【請求項１５４７】
多気筒の合体機関燃焼部（２９Ｃ）として多気筒を１以上の予圧圧縮機や予圧圧縮室兼熱交換器（１Ａ）として具備する各種エネルギ保存サイクル合体機関。
【請求項１５４８】
多気筒の合体機関燃焼部（２９Ｄ）として多気筒を１以上の予圧圧縮機や予圧圧縮室兼熱交換器（１Ａ）として具備する各種エネルギ保存サイクル合体機関。
【請求項１５４９】
多気筒の合体機関燃焼部（２９Ｅ）として多気筒を１以上の予圧圧縮機や予圧圧縮室兼熱交換器（１Ａ）として具備する各種エネルギ保存サイクル合体機関。
【請求項１５５０】
多気筒の合体機関燃焼部（２９Ｆ）として多気筒を１以上の予圧圧縮機や予圧圧縮室兼熱交換器（１Ａ）として具備する各種エネルギ保存サイクル合体機関。
【請求項１５５１】
多気筒の合体機関燃焼部（２９Ｇ）として多気筒を１以上の予圧圧縮機や予圧圧縮室兼熱交換器（１Ａ）として具備する各種エネルギ保存サイクル合体機関。
【請求項１５５２】
多気筒の合体機関燃焼部（２９Ｈ）として多気筒を１以上の予圧圧縮機や予圧圧縮室兼熱交換器（１Ａ）として具備する各種エネルギ保存サイクル合体機関。
【請求項１５５３】
多気筒の合体機関燃焼部（２９Ａ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５５４】
多気筒の合体機関燃焼部（２９Ｂ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５５５】
多気筒の合体機関燃焼部（２９Ｃ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５５６】
多気筒の合体機関燃焼部（２９Ｄ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５５７】
多気筒の合体機関燃焼部（２９Ｅ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５５８】
多気筒の合体機関燃焼部（２９Ｆ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５５９】
多気筒の合体機関燃焼部（２９Ｇ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６０】
多気筒の合体機関燃焼部（２９Ｈ）として多気筒を予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６１】
多気筒の合体機関燃焼部（２９Ａ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６２】
多気筒の合体機関燃焼部（２９Ｂ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６３】
多気筒の合体機関燃焼部（２９Ｃ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６４】
多気筒の合体機関燃焼部（２９Ｄ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６５】
多気筒の合体機関燃焼部（２９Ｅ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６６】
多気筒の合体機関燃焼部（２９Ｆ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６７】
多気筒の合体機関燃焼部（２９Ｇ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６８】
多気筒の合体機関燃焼部（２９Ｈ）として多気筒を１以上の予圧圧縮機や予圧圧縮室兼熱交換器（１Ａ）として気化熱空気回収器（２Ｂ）で排気熱量を回収熱交換冷却する各種エネルギ保存サイクル合体機関。
【請求項１５６９】
多気筒の合体機関燃焼部（２９Ａ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７０】
多気筒の合体機関燃焼部（２９Ｂ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７１】
多気筒の合体機関燃焼部（２９Ｃ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７２】
多気筒の合体機関燃焼部（２９Ｄ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７３】
多気筒の合体機関燃焼部（２９Ｅ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７４】
多気筒の合体機関燃焼部（２９Ｆ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７５】
多気筒の合体機関燃焼部（２９Ｇ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７６】
多気筒の合体機関燃焼部（２９Ｈ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７７】
多気筒の合体機関燃焼部（２９Ａ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７８】
多気筒の合体機関燃焼部（２９Ｂ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５７９】
多気筒の合体機関燃焼部（２９Ｃ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５８０】
多気筒の合体機関燃焼部（２９Ｄ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５８１】
多気筒の合体機関燃焼部（２９Ｅ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５８２】
多気筒の合体機関燃焼部（２９Ｆ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５８３】
多気筒の合体機関燃焼部（２９Ｇ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５８４】
多気筒の合体機関燃焼部（２９Ｈ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮する各種エネルギ保存サイクル合体機関。
【請求項１５８５】
多気筒の合体機関燃焼部（２９Ａ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５８６】
多気筒の合体機関燃焼部（２９Ｂ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５８７】
多気筒の合体機関燃焼部（２９Ｃ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５８８】
多気筒の合体機関燃焼部（２９Ｄ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５８９】
多気筒の合体機関燃焼部（２９Ｅ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９０】
多気筒の合体機関燃焼部（２９Ｆ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９１】
多気筒の合体機関燃焼部（２９Ｇ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９２】
多気筒の合体機関燃焼部（２９Ｈ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９３】
多気筒の合体機関燃焼部（２９Ａ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９４】
多気筒の合体機関燃焼部（２９Ｂ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９５】
多気筒の合体機関燃焼部（２９Ｃ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９６】
多気筒の合体機関燃焼部（２９Ｄ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９７】
多気筒の合体機関燃焼部（２９Ｅ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９８】
多気筒の合体機関燃焼部（２９Ｆ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１５９９】
多気筒の合体機関燃焼部（２９Ｇ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６００】
多気筒の合体機関燃焼部（２９Ｈ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６０１】
多気筒の合体機関燃焼部（２９Ａ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０２】
多気筒の合体機関燃焼部（２９Ｂ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０３】
多気筒の合体機関燃焼部（２９Ｃ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０４】
多気筒の合体機関燃焼部（２９Ｄ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０５】
多気筒の合体機関燃焼部（２９Ｅ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０６】
多気筒の合体機関燃焼部（２９Ｆ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０７】
多気筒の合体機関燃焼部（２９Ｇ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０８】
多気筒の合体機関燃焼部（２９Ｈ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６０９】
多気筒の合体機関燃焼部（２９Ａ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１０】
多気筒の合体機関燃焼部（２９Ｂ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１１】
多気筒の合体機関燃焼部（２９Ｃ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１２】
多気筒の合体機関燃焼部（２９Ｄ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１３】
多気筒の合体機関燃焼部（２９Ｅ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１４】
多気筒の合体機関燃焼部（２９Ｆ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１５】
多気筒の合体機関燃焼部（２９Ｇ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１６】
多気筒の合体機関燃焼部（２９Ｈ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６１７】
多気筒の合体機関燃焼部（２９Ａ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６１８】
多気筒の合体機関燃焼部（２９Ｂ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６１９】
多気筒の合体機関燃焼部（２９Ｃ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２０】
多気筒の合体機関燃焼部（２９Ｄ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２１】
多気筒の合体機関燃焼部（２９Ｅ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２２】
多気筒の合体機関燃焼部（２９Ｆ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２３】
多気筒の合体機関燃焼部（２９Ｇ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２４】
多気筒の合体機関燃焼部（２９Ｈ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２５】
多気筒の合体機関燃焼部（２９Ａ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２６】
多気筒の合体機関燃焼部（２９Ｂ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２７】
多気筒の合体機関燃焼部（２９Ｃ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２８】
多気筒の合体機関燃焼部（２９Ｄ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６２９】
多気筒の合体機関燃焼部（２９Ｅ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６３０】
多気筒の合体機関燃焼部（２９Ｆ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６３１】
多気筒の合体機関燃焼部（２９Ｇ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６３２】
多気筒の合体機関燃焼部（２９Ｈ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６３３】
多気筒の合体機関燃焼部（２９Ａ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６３４】
多気筒の合体機関燃焼部（２９Ｂ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６３５】
多気筒の合体機関燃焼部（２９Ｃ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６３６】
多気筒の合体機関燃焼部（２９Ｄ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６３７】
多気筒の合体機関燃焼部（２９Ｅ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６３８】
多気筒の合体機関燃焼部（２９Ｆ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６３９】
多気筒の合体機関燃焼部（２９Ｇ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４０】
多気筒の合体機関燃焼部（２９Ｈ）として多気筒を予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４１】
多気筒の合体機関燃焼部（２９Ａ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４２】
多気筒の合体機関燃焼部（２９Ｂ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４３】
多気筒の合体機関燃焼部（２９Ｃ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４４】
多気筒の合体機関燃焼部（２９Ｄ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４５】
多気筒の合体機関燃焼部（２９Ｅ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４６】
多気筒の合体機関燃焼部（２９Ｆ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４７】
多気筒の合体機関燃焼部（２９Ｇ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４８】
多気筒の合体機関燃焼部（２９Ｈ）として多気筒を１以上の予圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６４９】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５０】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５１】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５２】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５３】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５４】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５５】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５６】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５７】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５８】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６５９】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６６０】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６６１】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６６２】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６６３】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６６４】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割する各種エネルギ保存サイクル合体機関。
【請求項１６６５】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６６６】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６６７】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６６８】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６６９】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７０】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７１】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７２】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７３】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７４】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７５】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７６】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７７】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７８】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６７９】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６８０】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１６８１】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８２】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８３】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８４】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８５】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８６】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８７】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８８】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６８９】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９０】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９１】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９２】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９３】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９４】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９５】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９６】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割する各種エネルギ保存サイクル合体機関。
【請求項１６９７】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６９８】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１６９９】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７００】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０１】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０２】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０３】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０４】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０５】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０６】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０７】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０８】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７０９】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７１０】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７１１】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７１２】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割する各種エネルギ保存サイクル合体機関。
【請求項１７１３】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７１４】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７１５】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７１６】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７１７】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７１８】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７１９】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２０】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２１】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２２】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２３】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２４】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２５】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２６】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２７】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２８】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して回転出力を発生する各種エネルギ保存サイクル合体機関。
【請求項１７２９】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３０】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３１】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３２】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３３】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３４】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３５】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３６】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３７】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３８】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７３９】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７４０】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７４１】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割する各種エネルギ保存サイクル合体機関。
【請求項１７４２】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７４３】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７４４】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して回転出力を発生する各種エネルギ保存サイクル合体機関。
【請求項１７４５】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７４６】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７４７】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７４８】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７４９】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５０】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５１】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５２】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５３】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５４】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５５】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５６】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５７】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５８】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７５９】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７６０】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して回転出力を発生する各種エネルギ保存サイクル合体機関。
【請求項１７６１】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６２】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６３】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６４】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６５】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６６】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６７】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６８】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７６９】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７０】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７１】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７２】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７３】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７４】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７５】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７６】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して回転出力を発生する各種エネルギ保存サイクル合体機関。
【請求項１７７７】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７７８】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７７９】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８０】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８１】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８２】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８３】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８４】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８５】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８６】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８７】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８８】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７８９】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７９０】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７９１】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７９２】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して空気や真空を吸引噴射の出力を発生する各種エネルギ保存サイクル合体機関。
【請求項１７９３】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１７９４】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１７９５】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１７９６】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１７９７】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１７９８】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１７９９】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８００】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０１】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０２】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０３】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０４】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０５】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０６】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０７】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０８】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して空気や真空を吸引噴射の出力を発生する各種エネルギ保存サイクル合体機関。
【請求項１８０９】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１０】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１１】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１２】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１３】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１４】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１５】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１６】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１７】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１８】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８１９】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８２０】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８２１】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８２２】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８２３】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８２４】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して空気や真空を吸引噴射の出力を発生する各種エネルギ保存サイクル合体機関。
【請求項１８２５】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８２６】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８２７】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８２８】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８２９】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３０】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３１】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３２】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３３】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３４】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３５】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３６】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３７】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３８】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８３９】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８４０】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃２００ＭＰａ以上の燃焼ガス爆発力に分割して空気や真空を吸引噴射の出力を発生する各種エネルギ保存サイクル合体機関。
【請求項１８４１】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４２】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４３】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４４】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４５】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４６】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４７】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４８】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８４９】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５０】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５１】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５２】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５３】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５４】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５５】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５６】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して最適温度の過熱蒸気爆発力＋燃焼ガス爆発力に分割して水を吸引噴射する出力を発生する各種エネルギ保存サイクル合体機関。
【請求項１８５７】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８５８】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８５９】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６０】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６１】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６２】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６３】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６４】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６５】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６６】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６７】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６８】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８６９】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８７０】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８７１】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８７２】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃過熱蒸気爆発力＋３０〜８００℃燃焼ガス爆発力に分割して水を吸引噴射する出力を発生する各種エネルギ保存サイクル合体機関。
【請求項１８７３】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８７４】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８７５】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８７６】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８７７】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８７８】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８７９】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８０】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８１】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８２】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８３】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８４】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８５】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８６】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８７】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８８】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃５〜４００ＭＰａ過熱蒸気爆発力＋３０〜８００℃５〜４００ＭＰａ燃焼ガス爆発力に分割して水を吸引噴射する出力を発生する各種エネルギ保存サイクル合体機関。
【請求項１８８９】
多気筒の合体機関燃焼部（２９Ａ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９０】
多気筒の合体機関燃焼部（２９Ｂ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９１】
多気筒の合体機関燃焼部（２９Ｃ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９２】
多気筒の合体機関燃焼部（２９Ｄ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９３】
多気筒の合体機関燃焼部（２９Ｅ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９４】
多気筒の合体機関燃焼部（２９Ｆ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９５】
多気筒の合体機関燃焼部（２９Ｇ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９６】
多気筒の合体機関燃焼部（２９Ｈ）として多気筒を予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９７】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９８】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１８９９】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１９００】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１９０１】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１９０２】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１９０３】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１９０４】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収熱交換冷却した空気で排気熱を回収本圧圧縮して３００〜６００℃１００ＭＰａ以上過熱蒸気爆発力＋３０〜８００℃１００ＭＰａ以上の燃焼ガス爆発力に分割して水を吸引噴射する出力を発生する各種エネルギ保存サイクル合体機関。
【請求項１９０５】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９０６】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９０７】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９０８】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９０９】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９１０】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９１１】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９１２】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能した各種エネルギ保存サイクル合体機関。
【請求項１９１３】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９１４】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９１５】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９１６】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９１７】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９１８】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９１９】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９２０】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能した各種エネルギ保存サイクル合体機関。
【請求項１９２１】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２２】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２３】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２４】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２５】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２６】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２７】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２８】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能した各種エネルギ保存サイクル合体機関。
【請求項１９２９】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３０】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３１】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３２】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３３】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３４】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３５】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３６】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能した各種エネルギ保存サイクル合体機関。
【請求項１９３７】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９３８】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９３９】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９４０】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９４１】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９４２】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９４３】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９４４】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を１８０度以上回転可能して垂直上昇や垂直降下や逆噴射をする各種エネルギ保存サイクル合体機関。
【請求項１９４５】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９４６】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９４７】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９４８】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９４９】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９５０】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９５１】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９５２】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、合体機関噴射部外箱（７７Ｆ）を２００度以内回転可能して垂直上昇や垂直降下や逆噴射をする各種エネルギ保存サイクル合体機関。
【請求項１９５３】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９５４】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９５５】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９５６】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９５７】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９５８】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９５９】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９６０】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を１８０度以上回転可能して垂直上昇や垂直降下や逆噴射をする各種エネルギ保存サイクル合体機関。
【請求項１９６１】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６２】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６３】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６４】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６５】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６６】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６７】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６８】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射する合体機関噴射部外箱（７７Ｆ）を２００度以内回転可能して垂直上昇や垂直降下や逆噴射をする各種エネルギ保存サイクル合体機関。
【請求項１９６９】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７０】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７１】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７２】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７３】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７４】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７５】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７６】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を１８０度以上回転可能して垂直上昇や垂直降下や逆噴射をする各種エネルギ保存サイクル合体機関。
【請求項１９７７】
多気筒の合体機関燃焼部（２９Ａ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９７８】
多気筒の合体機関燃焼部（２９Ｂ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９７９】
多気筒の合体機関燃焼部（２９Ｃ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９８０】
多気筒の合体機関燃焼部（２９Ｄ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９８１】
多気筒の合体機関燃焼部（２９Ｅ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９８２】
多気筒の合体機関燃焼部（２９Ｆ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９８３】
多気筒の合体機関燃焼部（２９Ｇ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９８４】
多気筒の合体機関燃焼部（２９Ｈ）として多気筒を１以上の予圧圧縮機や本圧圧縮機や予圧圧縮室兼熱交換器（１Ａ）として気化熱空気回収器（２Ｂ）で排気熱量を回収し、前方の空気や真空を吸引噴射して噴射推進出力を発生する合体機関噴射部外箱（７７Ｆ）を２００度以内回転可能して垂直上昇や垂直降下や逆噴射をする各種エネルギ保存サイクル合体機関。
【請求項１９８５】
多気筒の合体機関燃焼部（２９Ａ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９８６】
多気筒の合体機関燃焼部（２９Ｂ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９８７】
多気筒の合体機関燃焼部（２９Ｃ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９８８】
多気筒の合体機関燃焼部（２９Ｄ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９８９】
多気筒の合体機関燃焼部（２９Ｅ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９９０】
多気筒の合体機関燃焼部（２９Ｆ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９９１】
多気筒の合体機関燃焼部（２９Ｇ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９９２】
多気筒の合体機関燃焼部（２９Ｈ）の気化熱空気回収器（２Ｂ）で排気熱量を回収し、流線型過熱蒸気燃焼ガス噴射ノズル（６Ｈ）により前方の空気や真空を吸引噴射して噴射推進出力を発生するする各種エネルギ保存サイクル合体機関。
【請求項１９９３】
多気筒の合体機関燃焼部（２９Ａ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項１９９４】
多気筒の合体機関燃焼部（２９Ｂ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項１９９５】
多気筒の合体機関燃焼部（２９Ｃ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項１９９６】
多気筒の合体機関燃焼部（２９Ｄ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項１９９７】
多気筒の合体機関燃焼部（２９Ｅ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項１９９８】
多気筒の合体機関燃焼部（２９Ｆ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項１９９９】
多気筒の合体機関燃焼部（２９Ｇ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項２０００】
多気筒の合体機関燃焼部（２９Ｈ）の気化熱空気回収器（２Ｂ）で排気熱量を回収し、流線型過熱蒸気燃焼ガス噴射ノズル（６Ｘ）により前方の空気や真空を吸引噴射して噴射推進出力を発生するする各種エネルギ保存サイクル合体機関。
【請求項２００１】
多気筒の合体機関燃焼部（２９Ａ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００２】
多気筒の合体機関燃焼部（２９Ｂ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００３】
多気筒の合体機関燃焼部（２９Ｃ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００４】
多気筒の合体機関燃焼部（２９Ｄ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００５】
多気筒の合体機関燃焼部（２９Ｅ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００６】
多気筒の合体機関燃焼部（２９Ｆ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００７】
多気筒の合体機関燃焼部（２９Ｇ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００８】
多気筒の合体機関燃焼部（２９Ｈ）の気化熱空気回収器（２Ｂ）で排気熱量を回収し、流線型過熱蒸気燃焼ガス噴射ノズル（６Ｈ）により前方の水を吸引噴射して噴射推進出力を発生するする各種エネルギ保存サイクル合体機関。
【請求項２００９】
多気筒の合体機関燃焼部（２９Ａ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１０】
多気筒の合体機関燃焼部（２９Ｂ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１１】
多気筒の合体機関燃焼部（２９Ｃ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１２】
多気筒の合体機関燃焼部（２９Ｄ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１３】
多気筒の合体機関燃焼部（２９Ｅ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１４】
多気筒の合体機関燃焼部（２９Ｆ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１５】
多気筒の合体機関燃焼部（２９Ｇ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１６】
多気筒の合体機関燃焼部（２９Ｈ）の気化熱空気回収器（２Ｂ）で排気熱量を回収し、流線型過熱蒸気燃焼ガス噴射ノズル（６Ｘ）により前方の水を吸引噴射して噴射推進出力を発生するする各種エネルギ保存サイクル合体機関。
【請求項２０１７】
多気筒の合体機関燃焼部（２９Ａ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０１８】
多気筒の合体機関燃焼部（２９Ｂ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０１９】
多気筒の合体機関燃焼部（２９Ｃ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０２０】
多気筒の合体機関燃焼部（２９Ｄ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０２１】
多気筒の合体機関燃焼部（２９Ｅ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０２２】
多気筒の合体機関燃焼部（２９Ｆ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０２３】
多気筒の合体機関燃焼部（２９Ｇ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０２４】
多気筒の合体機関燃焼部（２９Ｈ）の気化熱空気回収器（２Ｂ）で排気熱量を回収し、合体機関噴射部（７７Ｋ）の流線型過熱蒸気燃焼ガス噴射ノズル（６Ｈ）により前方の空気や真空を吸引噴射して噴射推進出力を発生するする各種エネルギ保存サイクル合体機関。
【請求項２０２５】
多気筒の合体機関燃焼部（２９Ａ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０２６】
多気筒の合体機関燃焼部（２９Ｂ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０２７】
多気筒の合体機関燃焼部（２９Ｃ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０２８】
多気筒の合体機関燃焼部（２９Ｄ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０２９】
多気筒の合体機関燃焼部（２９Ｅ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０３０】
多気筒の合体機関燃焼部（２９Ｆ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０３１】
多気筒の合体機関燃焼部（２９Ｇ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０３２】
多気筒の合体機関燃焼部（２９Ｈ）の気化熱空気回収器（２Ｂ）で排気熱量を回収し、合体機関噴射部（７７Ｋ）の流線型過熱蒸気燃焼ガス噴射ノズル（６Ｘ）により前方の空気や真空を吸引噴射して噴射推進出力を発生するする各種エネルギ保存サイクル合体機関。
【請求項２０３３】
多気筒の合体機関燃焼部（２９Ａ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０３４】
多気筒の合体機関燃焼部（２９Ｂ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０３５】
多気筒の合体機関燃焼部（２９Ｃ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０３６】
多気筒の合体機関燃焼部（２９Ｄ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０３７】
多気筒の合体機関燃焼部（２９Ｅ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０３８】
多気筒の合体機関燃焼部（２９Ｆ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０３９】
多気筒の合体機関燃焼部（２９Ｇ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０４０】
多気筒の合体機関燃焼部（２９Ｈ）の気化熱空気回収器（２Ｂ）で排気熱量を回収し、ウォータージェット（７７Ｍ）の流線型過熱蒸気燃焼ガス噴射ノズル（６Ｈ）により前方の水を吸引噴射して噴射推進出力を発生するする各種エネルギ保存サイクル合体機関。
【請求項２０４１】
多気筒の合体機関燃焼部（２９Ａ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４２】
多気筒の合体機関燃焼部（２９Ｂ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４３】
多気筒の合体機関燃焼部（２９Ｃ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４４】
多気筒の合体機関燃焼部（２９Ｄ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４５】
多気筒の合体機関燃焼部（２９Ｅ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４６】
多気筒の合体機関燃焼部（２９Ｆ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４７】
多気筒の合体機関燃焼部（２９Ｇ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４８】
多気筒の合体機関燃焼部（２９Ｈ）の気化熱空気回収器（２Ｂ）で排気熱量を回収し、ウォータージェット（７７Ｍ）の流線型過熱蒸気燃焼ガス噴射ノズル（６Ｘ）により前方の水を吸引噴射して噴射推進出力を発生するする各種エネルギ保存サイクル合体機関。
【請求項２０４９】
多気筒の合体機関燃焼部（２９Ａ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５０】
多気筒の合体機関燃焼部（２９Ｂ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５１】
多気筒の合体機関燃焼部（２９Ｃ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５２】
多気筒の合体機関燃焼部（２９Ｄ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５３】
多気筒の合体機関燃焼部（２９Ｅ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５４】
多気筒の合体機関燃焼部（２９Ｆ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５５】
多気筒の合体機関燃焼部（２９Ｇ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５６】
多気筒の合体機関燃焼部（２９Ｈ）の気化熱空気回収器（２Ｂ）で排気熱量を回収し、合体機関噴射部（７７Ｌ）の流線型過熱蒸気燃焼ガス噴射ノズル（６Ｈ）により前方の空気や真空を吸引噴射して噴射推進出力を発生するする各種エネルギ保存サイクル合体機関。
【請求項２０５７】
多気筒の合体機関燃焼部（２９Ａ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０５８】
多気筒の合体機関燃焼部（２９Ｂ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０５９】
多気筒の合体機関燃焼部（２９Ｃ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０６０】
多気筒の合体機関燃焼部（２９Ｄ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０６１】
多気筒の合体機関燃焼部（２９Ｅ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０６２】
多気筒の合体機関燃焼部（２９Ｆ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０６３】
多気筒の合体機関燃焼部（２９Ｇ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０６４】
多気筒の合体機関燃焼部（２９Ｈ）の気化熱空気回収器（２Ｂ）で排気熱量を回収し、合体機関噴射部（７７Ｌ）の流線型過熱蒸気燃焼ガス噴射ノズル（６Ｘ）により前方の空気や真空を吸引噴射して噴射推進出力を発生するする各種エネルギ保存サイクル合体機関。
【請求項２０６５】
多気筒の合体機関燃焼部（２９Ａ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０６６】
多気筒の合体機関燃焼部（２９Ｂ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０６７】
多気筒の合体機関燃焼部（２９Ｃ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０６８】
多気筒の合体機関燃焼部（２９Ｄ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０６９】
多気筒の合体機関燃焼部（２９Ｅ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０７０】
多気筒の合体機関燃焼部（２９Ｆ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０７１】
多気筒の合体機関燃焼部（２９Ｇ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０７２】
多気筒の合体機関燃焼部（２９Ｈ）の気化熱空気回収器（２Ｂ）で排気熱量を回収し、ウォータージェット（７７Ｎ）の流線型過熱蒸気燃焼ガス噴射ノズル（６Ｈ）により前方の水を吸引噴射して噴射推進出力を発生するする各種エネルギ保存サイクル合体機関。
【請求項２０７３】
多気筒の合体機関燃焼部（２９Ａ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０７４】
多気筒の合体機関燃焼部（２９Ｂ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０７５】
多気筒の合体機関燃焼部（２９Ｃ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０７６】
多気筒の合体機関燃焼部（２９Ｄ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０７７】
多気筒の合体機関燃焼部（２９Ｅ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０７８】
多気筒の合体機関燃焼部（２９Ｆ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０７９】
多気筒の合体機関燃焼部（２９Ｇ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０８０】
多気筒の合体機関燃焼部（２９Ｈ）の気化熱空気回収器（２Ｂ）で排気熱量を回収し、ウォータージェット（７７Ｎ）の流線型過熱蒸気燃焼ガス噴射ノズル（６Ｘ）により前方の水を吸引噴射して噴射推進出力を発生するする各種エネルギ保存サイクル合体機関。
【請求項２０８１】
前記縮径主燃焼室兼熱交換器（１）を予圧圧縮室兼熱交換器（１Ａ）で使用する各種エネルギ保存サイクル合体機関。
【請求項２０８２】
前記縮径主燃焼室熱交換器（２）を予圧圧縮室熱交換器（２Ａ）で使用する各種エネルギ保存サイクル合体機関。
【請求項２０８３】
前記縮径主燃焼室兼熱交換器（１）を予圧圧縮室兼熱交換器（１Ａ）で使用して予圧空気を熱交換冷却する各種エネルギ保存サイクル合体機関。
【請求項２０８４】
前記縮径主燃焼室熱交換器（２）を予圧圧縮室熱交換器（２Ａ）で使用して予圧空気を熱交換冷却する各種エネルギ保存サイクル合体機関。
【請求項２０８５】
前記縮径主燃焼室兼熱交換器（１）を１以上の予圧圧縮室兼熱交換器（１Ａ）で使用する各種エネルギ保存サイクル合体機関。
【請求項２０８６】
前記縮径主燃焼室熱交換器（２）を１以上の予圧圧縮室熱交換器（２Ａ）で使用する各種エネルギ保存サイクル合体機関。
【請求項２０８７】
前記縮径主燃焼室兼熱交換器（１）を１以上の予圧圧縮室兼熱交換器（１Ａ）で使用して予圧空気を熱交換冷却する各種エネルギ保存サイクル合体機関。
【請求項２０８８】
前記縮径主燃焼室熱交換器（２）を１以上の予圧圧縮室熱交換器（２Ａ）で使用して予圧空気を熱交換冷却する各種エネルギ保存サイクル合体機関。
【請求項２０８９】
前記縮径主燃焼室兼熱交換器（１）を１以上の予圧圧縮室兼熱交換器（１Ａ）で使用して１以上予圧の空気を熱交換冷却する各種エネルギ保存サイクル合体機関。
【請求項２０９０】
前記縮径主燃焼室熱交換器（２）を１以上の予圧圧縮室熱交換器（２Ａ）で使用して１以上予圧の空気を熱交換冷却する各種エネルギ保存サイクル合体機関。
【請求項２０９１】
前記弾み車蒸気タービン（８ｂ）の排気の過程に気化熱空気回収器（２Ｂ）を具備した各種エネルギ保存サイクル合体機関。
【請求項２０９２】
前記弾み車蒸気タービン（８ｂ）の排気の過程に気化熱空気回収器（２Ｂ）を具備して、吸入空気で排気熱量を回収する各種エネルギ保存サイクル合体機関。
【請求項２０９３】
前記弾み車蒸気タービン（８ｂ）の排気の過程に気化熱空気回収器（２Ｂ）を具備して、吸入空気で排気熱量を回収圧縮して予圧圧縮室兼熱交換器（１Ａ）で給水を加熱する各種エネルギ保存サイクル合体機関。
【請求項２０９４】
前記弾み車蒸気タービン（８ｂ）の排気の過程に気化熱空気回収器（２Ｂ）を具備して、吸入空気で排気熱量を回収圧縮して予圧圧縮室兼熱交換器（１Ａ）で給水を加熱し、その冷却空気で排気熱量を回収する各種エネルギ保存サイクル合体機関。
【請求項２０９５】
前記弾み車蒸気タービン（８ｂ）の排気の過程に気化熱空気回収器（２Ｂ）を具備して、吸入空気で排気熱量を回収圧縮して予圧圧縮室兼熱交換器（１Ａ）で給水を加熱し、その冷却空気で排気熱量を回収して本圧圧縮する各種エネルギ保存サイクル合体機関。
【請求項２０９６】
前記弾み車蒸気タービン（８ｂ）の排気の過程に気化熱空気回収器（２Ｂ）を具備して、吸入空気で排気熱量を回収圧縮して予圧圧縮室兼熱交換器（１Ａ）で給水を加熱し、その冷却空気で排気熱量を回収して本圧圧縮して縮径主燃焼室兼熱交換器（１）で限り無く高圧燃焼熱交換冷却燃焼する各種エネルギ保存サイクル合体機関。
【請求項２０９７】
前記弾み車蒸気タービン（８ｂ）（８ｂ）の排気の過程に気化熱空気回収器（２Ｂ）を具備した各種エネルギ保存サイクル合体機関。
【請求項２０９８】
前記弾み車蒸気タービン（８ｂ）（８ｂ）の排気の過程に気化熱空気回収器（２Ｂ）を具備して、吸入空気で排気熱量を回収する各種エネルギ保存サイクル合体機関。
【請求項２０９９】
前記弾み車蒸気タービン（８ｂ）（８ｂ）の排気の過程に気化熱空気回収器（２Ｂ）を具備して、吸入空気で排気熱量を回収圧縮して予圧圧縮室兼熱交換器（１Ａ）で給水を加熱する各種エネルギ保存サイクル合体機関。
【請求項２１００】
前記弾み車蒸気タービン（８ｂ）（８ｂ）の排気の過程に気化熱空気回収器（２Ｂ）を具備して、吸入空気で排気熱量を回収圧縮して予圧圧縮室兼熱交換器（１Ａ）で給水を加熱し、その冷却空気で排気熱量を回収する各種エネルギ保存サイクル合体機関。
【請求項２１０１】
前記弾み車蒸気タービン（８ｂ）（８ｂ）の排気の過程に気化熱空気回収器（２Ｂ）を具備して、吸入空気で排気熱量を回収圧縮して予圧圧縮室兼熱交換器（１Ａ）で給水を加熱し、その冷却空気で排気熱量を回収して本圧圧縮する各種エネルギ保存サイクル合体機関。
【請求項２１０２】
前記弾み車蒸気タービン（８ｂ）（８ｂ）の排気の過程に気化熱空気回収器（２Ｂ）を具備して、吸入空気で排気熱量を回収圧縮して予圧圧縮室兼熱交換器（１Ａ）で給水を加熱し、その冷却空気で排気熱量を回収して本圧圧縮して縮径主燃焼室兼熱交換器（１）で限り無く高圧燃焼熱交換冷却燃焼する各種エネルギ保存サイクル合体機関。
【請求項２１０３】
前記弾み車蒸気タービン（８ｂ）の排気の過程に気化熱空気回収器（２Ｂ）及び気化熱水回収器（２ｂ）を具備した各種エネルギ保存サイクル合体機関。
【請求項２１０４】
前記弾み車蒸気タービン（８ｂ）の排気の過程に気化熱空気回収器（２Ｂ）及び気化熱水回収器（２ｂ）を具備して、吸入空気で排気熱量を回収する各種エネルギ保存サイクル合体機関。
【請求項２１０５】
前記弾み車蒸気タービン（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱する各種エネルギ保存サイクル合体機関。
【請求項２１０６】
前記弾み車蒸気タービン（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱し、その冷却空気で排気熱量を回収する各種エネルギ保存サイクル合体機関。
【請求項２１０７】
前記弾み車蒸気タービン（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱し、その冷却空気で排気熱量を回収して本圧圧縮する各種エネルギ保存サイクル合体機関。
【請求項２１０８】
前記弾み車蒸気タービン（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱し、その冷却空気で排気熱量を回収して本圧圧縮して縮径主燃焼室兼熱交換器（１）で限り無く高圧燃焼熱交換冷却燃焼する各種エネルギ保存サイクル合体機関。
【請求項２１０９】
前記弾み車蒸気タービン（８ｂ）（８ｂ）の排気の過程に気化熱空気回収器（２Ｂ）及び気化熱水回収器（２ｂ）を具備した各種エネルギ保存サイクル合体機関。
【請求項２１１０】
前記弾み車蒸気タービン（８ｂ）（８ｂ）の排気の過程に気化熱空気回収器（２Ｂ）及び気化熱水回収器（２ｂ）を具備して、吸入空気で排気熱量を回収する各種エネルギ保存サイクル合体機関。
【請求項２１１１】
前記弾み車蒸気タービン（８ｂ）（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱する各種エネルギ保存サイクル合体機関。
【請求項２１１２】
前記弾み車蒸気タービン（８ｂ）（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱し、その冷却空気で排気熱量を回収する各種エネルギ保存サイクル合体機関。
【請求項２１１３】
前記弾み車蒸気タービン（８ｂ）（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱し、その冷却空気で排気熱量を回収して本圧圧縮する各種エネルギ保存サイクル合体機関。
【請求項２１１４】
前記弾み車蒸気タービン（８ｂ）（８ｂ）の排気の過程に気化熱空気回収器（２Ｂ）及び気化熱水回収器（２ｂ）を具備して、吸入空気で排気熱量を回収圧縮して予圧圧縮室兼熱交換器（１Ａ）で給水を加熱し、その冷却空気で排気熱量を回収して本圧圧縮して縮径主燃焼室兼熱交換器（１）で限り無く高圧燃焼熱交換冷却燃焼する各種エネルギ保存サイクル合体機関。
【請求項２１１５】
前記弾み車蒸気タービン（８ｂ）の排気の過程に気化熱空気回収器（２Ｂ）を具備して熱交換凝縮水（５２ｆ）を限り無く縮径主燃焼室熱交換器（２）に供給する各種エネルギ保存サイクル合体機関。
【請求項２１１６】
前記弾み車蒸気タービン（８ｂ）の排気の過程に気化熱空気回収器（２Ｂ）及び気化熱水回収器（２ｂ）を具備して熱交換凝縮水（５２ｆ）を限り無く縮径主燃焼室熱交換器（２）に供給する各種エネルギ保存サイクル合体機関。
【請求項２１１７】
前記弾み車蒸気タービン（８ｂ）の排気の過程に気化熱空気回収器（２Ｂ）を具備して熱交換した１００℃に近い空気を限り無く予圧圧縮室兼熱交換器（１Ａ）に供給する各種エネルギ保存サイクル合体機関。
【請求項２１１８】
前記弾み車蒸気タービン（８ｂ）の排気の過程に気化熱空気回収器（２Ｂ）及び気化熱水回収器（２ｂ）を具備して熱交換した１００℃に近い空気を限り無く予圧圧縮室兼熱交換器（１Ａ）に供給する各種エネルギ保存サイクル合体機関。
【請求項２１１９】
前記弾み車蒸気タービン（８ｂ）の排気の過程に気化熱空気回収器（２Ｂ）を具備して熱交換した１００℃に近い空気を限り無く予圧圧縮室兼熱交換器（１Ａ）に供給して予圧圧縮室熱交換器（２Ａ）で熱回収する各種エネルギ保存サイクル合体機関。
【請求項２１２０】
前記弾み車蒸気タービン（８ｂ）の排気の過程に気化熱空気回収器（２Ｂ）及び気化熱水回収器（２ｂ）を具備して熱交換した１００℃に近い空気を限り無く予圧圧縮室兼熱交換器（１Ａ）に供給して予圧圧縮室熱交換器（２Ａ）で熱回収する各種エネルギ保存サイクル合体機関。
【請求項２１２１】
前記弾み車蒸気タービン（８ｂ）の排気の過程に気化熱空気回収器（２Ｂ）及び空気抽出器（５１）を具備して熱交換凝縮水（５２ｆ）を限り無く縮径主燃焼室熱交換器（２）に供給する各種エネルギ保存サイクル合体機関。
【請求項２１２２】
前記弾み車蒸気タービン（８ｂ）の排気の過程に気化熱空気回収器（２Ｂ）及び空気抽出器（５１）を具備して熱交換した１００℃に近い空気を圧縮して限り無く縮径主燃焼室兼熱交換器（１）に供給する各種エネルギ保存サイクル合体機関。
【請求項２１２３】
前記弾み車蒸気タービン（８ｂ）の排気の過程に気化熱空気回収器（２Ｂ）及び空気抽出器（５１）を具備して凝縮水温度を調整し、熱交換した１００℃に近い凝縮水（５２ｆ）を限り無く縮径主燃焼室熱交換器（２）に供給加熱する各種エネルギ保存サイクル合体機関。
【請求項２１２４】
前記弾み車蒸気タービン（８ｂ）の排気の過程に気化熱空気回収器（２Ｂ）及び空気抽出器（５１）を具備して凝縮水温度を調整し、熱交換した１００℃に近い空気を圧縮して限り無く縮径主燃焼室兼熱交換器（１）に供給する各種エネルギ保存サイクル合体機関。
【請求項２１２５】
前記弾み車蒸気タービン（８ｂ）の排気の過程に気化熱空気回収器（２Ｂ）及び空気抽出器（５１）を具備して凝縮水温度を調整し、熱交換した１００℃に近い空気を圧縮して限り無く縮径主燃焼室兼熱交換器（１）に供給して燃焼に使用する各種エネルギ保存サイクル合体機関。
【請求項２１２６】
前記弾み車蒸気タービン（８ｂ）の排気の過程に気化熱空気回収器（２Ｂ）及び気化熱水回収器（２ｂ）及び空気抽出器（５１）を具備して熱交換凝縮水（５２ｆ）限り無く縮径主燃焼室熱交換器（２）に供給する各種エネルギ保存サイクル合体機関。
【請求項２１２７】
前記弾み車蒸気タービン（８ｂ）の排気の過程に気化熱空気回収器（２Ｂ）及び気化熱水回収器（２ｂ）及び空気抽出器（５１）を具備して熱交換した１００℃に近い空気を圧縮して限り無く縮径主燃焼室兼熱交換器（１）に供給する各種エネルギ保存サイクル合体機関。
【請求項２１２８】
前記弾み車蒸気タービン（８ｂ）の排気の過程に気化熱空気回収器（２Ｂ）及び気化熱水回収器（２ｂ）及び空気抽出器（５１）を具備して凝縮水温度を調整し、熱交換した１００℃に近い凝縮水（５２ｆ）を限り無く縮径主燃焼室熱交換器（２）に供給加熱する各種エネルギ保存サイクル合体機関。
【請求項２１２９】
前記弾み車蒸気タービン（８ｂ）の排気の過程に気化熱空気回収器（２Ｂ）及び気化熱水回収器（２ｂ）及び空気抽出器（５１）を具備して凝縮水温度を調整し、熱交換した１００℃に近い空気を圧縮して限り無く縮径主燃焼室兼熱交換器（１）に供給する各種エネルギ保存サイクル合体機関。
【請求項２１３０】
前記弾み車蒸気タービン（８ｂ）の排気の過程に気化熱空気回収器（２Ｂ）及び気化熱水回収器（２ｂ）及び空気抽出器（５１）を具備して凝縮水温度を調整し、熱交換した１００℃に近い空気を圧縮して限り無く縮径主燃焼室兼熱交換器（１）に供給して燃焼に使用する各種エネルギ保存サイクル合体機関。
【請求項２１３１】
前記弾み車蒸気タービン（８ｂ）の排気の過程に気化熱空気回収器（２Ｂ）及び気化熱水回収器（２ｂ）を具備して高温水（５２ｂ）を限り無く高温水溜（９５）に供給する各種エネルギ保存サイクル合体機関。
【請求項２１３２】
前記弾み車蒸気タービン（８ｂ）の排気の過程に気化熱空気回収器（２Ｂ）及び気化熱水回収器（２ｂ）及び空気抽出器（５１）を具備して高温水（５２ｂ）を限り無く高温水溜（９５）に供給する各種エネルギ保存サイクル合体機関。
【請求項２１３３】
前記弾み車蒸気タービン（８ｂ）の排気の過程に気化熱空気回収器（２Ｂ）及び気化熱水回収器（２ｂ）を具備して水道水温熱（５２ｄ）を熱交換回収する各種エネルギ保存サイクル合体機関。
【請求項２１３４】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収する各種エネルギ保存サイクル合体機関。
【請求項２１３５】
前記弾み車蒸気タービン（８ｂ）の排気の過程に気化熱空気回収器（２Ｂ）及び気化熱水回収器(２ｂ)を具備して水道水温熱（５２ｄ）を熱交換回収して需要家に供給する各種エネルギ保存サイクル合体機関。
【請求項２１３６】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給する各種エネルギ保存サイクル合体機関。
【請求項２１３７】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の各種暖房設備機器を供給する各種エネルギ保存サイクル合体機関。
【請求項２１３８】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の各種暖房設備機器を供給する各種エネルギ保存サイクル合体機関。
【請求項２１３９】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の各種調理設備機器を供給する各種エネルギ保存サイクル合体機関。
【請求項２１４０】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の各種調理設備機器を供給する各種エネルギ保存サイクル合体機関。
【請求項２１４１】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の各種温水設備機器を供給する各種エネルギ保存サイクル合体機関。
【請求項２１４２】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の各種温水設備機器を供給する各種エネルギ保存サイクル合体機関。
【請求項２１４３】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の各種食器洗い機を供給する各種エネルギ保存サイクル合体機関。
【請求項２１４４】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の各種食器洗い機を供給する各種エネルギ保存サイクル合体機関。
【請求項２１４５】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の各種洗濯乾燥機を供給する各種エネルギ保存サイクル合体機関。
【請求項２１４６】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の各種洗濯乾燥機を供給する各種エネルギ保存サイクル合体機関。
【請求項２１４７】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の海水淡水化設備機器を供給する各種エネルギ保存サイクル合体機関。
【請求項２１４８】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の海水淡水化設備機器を供給する各種エネルギ保存サイクル合体機関。
【請求項２１４９】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する家庭用の各種水道水温熱配管ビルを供給する各種エネルギ保存サイクル合体機関。
【請求項２１５０】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する家庭用の各種水道水温熱配管ビルを供給する各種エネルギ保存サイクル合体機関。
【請求項２１５１】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の各種暖房設備機器を供給する各種エネルギ保存サイクル合体機関。
【請求項２１５２】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の各種暖房設備機器を供給する各種エネルギ保存サイクル合体機関。
【請求項２１５３】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の各種調理設備機器を供給する各種エネルギ保存サイクル合体機関。
【請求項２１５４】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の各種調理設備機器を供給する各種エネルギ保存サイクル合体機関。
【請求項２１５５】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の各種温水設備機器を供給する各種エネルギ保存サイクル合体機関。
【請求項２１５６】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の各種温水設備機器を供給する各種エネルギ保存サイクル合体機関。
【請求項２１５７】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の各種食器洗い機を供給する各種エネルギ保存サイクル合体機関。
【請求項２１５８】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の各種食器洗い機を供給する各種エネルギ保存サイクル合体機関。
【請求項２１５９】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の各種洗濯乾燥機を供給する各種エネルギ保存サイクル合体機関。
【請求項２１６０】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の各種洗濯乾燥機を供給する各種エネルギ保存サイクル合体機関。
【請求項２１６１】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の海水淡水化設備機器を供給する各種エネルギ保存サイクル合体機関。
【請求項２１６２】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の海水淡水化設備機器を供給する各種エネルギ保存サイクル合体機関。
【請求項２１６３】
前記弾み車蒸気タービン（８ｂ）の排気の過程に気化熱空気回収器（２Ｂ）及び気化熱水回収器（２ｂ）を具備して水道水温熱（５２ｄ）を熱交換回収して需要家に供給すると共に、水道水温熱を利用する業務用の各種水道水温熱配管ビルを供給する各種エネルギ保存サイクル合体機関。
【請求項２１６４】
前記弾み車蒸気タービン（８ｂ）の排気の過程に気化熱空気回収器（２Ｂ）及び気化熱水回収器（２ｂ）及び空気抽出器（５１）を具備して水道水温熱（５２ｄ）を熱交換回収して需要家に供給すると共に、水道水温熱を利用する業務用の各種水道水温熱配管ビルを供給する各種エネルギ保存サイクル合体機関。
【請求項２１６５】
前記弾み車ガスタービン（８ａ）の排気の過程に廃熱回収熱交換器（２ａ）を具備して合体機関燃焼部（２９Ａ）を構成する各種エネルギ保存サイクル合体機関。
【請求項２１６６】
前記弾み車ガスタービン（８ａ）の排気の過程に廃熱回収熱交換器（２ａ）を具備して合体機関燃焼部（２９Ｂ）を構成する各種エネルギ保存サイクル合体機関。
【請求項２１６７】
前記弾み車ガスタービン（８ａ）の排気の過程に廃熱回収熱交換器（２ａ）を具備して合体機関燃焼部（２９Ｃ）を構成する各種エネルギ保存サイクル合体機関。
【請求項２１６８】
前記弾み車ガスタービン（８ａ）の排気の過程に廃熱回収熱交換器（２ａ）を具備して合体機関燃焼部（２９Ｄ）を構成する各種エネルギ保存サイクル合体機関。
【請求項２１６９】
前記弾み車ガスタービン（８ａ）の排気の過程に廃熱回収熱交換器（２ａ）を具備して合体機関燃焼部（２９Ｅ）を構成する各種エネルギ保存サイクル合体機関。
【請求項２１７０】
前記弾み車ガスタービン（８ａ）の排気の過程に廃熱回収熱交換器（２ａ）を具備して合体機関燃焼部（２９Ｆ）を構成する各種エネルギ保存サイクル合体機関。
【請求項２１７１】
前記弾み車ガスタービン（８ａ）の排気の過程に廃熱回収熱交換器（２ａ）を具備して合体機関燃焼部（２９Ｇ）を構成する各種エネルギ保存サイクル合体機関。
【請求項２１７２】
前記弾み車ガスタービン（８ａ）の排気の過程に廃熱回収熱交換器（２ａ）を具備して合体機関燃焼部（２９Ｈ）を構成する各種エネルギ保存サイクル合体機関。
【請求項２１７３】
前記弾み車ガスタービン（８ａ）の排気の過程に廃熱回収熱交換器（２ａ）を具備して水道水温熱（５２ｄ）を回収する合体機関燃焼部（２９Ａ）を構成する各種エネルギ保存サイクル合体機関。
【請求項２１７４】
前記弾み車ガスタービン（８ａ）の排気の過程に廃熱回収熱交換器（２ａ）を具備して水道水温熱（５２ｄ）を回収する合体機関燃焼部（２９Ｂ）を構成する各種エネルギ保存サイクル合体機関。
【請求項２１７５】
前記弾み車ガスタービン（８ａ）の排気の過程に廃熱回収熱交換器（２ａ）を具備して水道水温熱（５２ｄ）を回収する合体機関燃焼部（２９Ｃ）を構成する各種エネルギ保存サイクル合体機関。
【請求項２１７６】
前記弾み車ガスタービン（８ａ）の排気の過程に廃熱回収熱交換器（２ａ）を具備して水道水温熱（５２ｄ）を回収する合体機関燃焼部（２９Ｄ）を構成する各種エネルギ保存サイクル合体機関。
【請求項２１７７】
前記弾み車ガスタービン（８ａ）の排気の過程に廃熱回収熱交換器（２ａ）を具備して水道水温熱（５２ｄ）を回収する合体機関燃焼部（２９Ｅ）を構成する各種エネルギ保存サイクル合体機関。
【請求項２１７８】
前記弾み車ガスタービン（８ａ）の排気の過程に廃熱回収熱交換器（２ａ）を具備して水道水温熱（５２ｄ）を回収する合体機関燃焼部（２９Ｆ）を構成する各種エネルギ保存サイクル合体機関。
【請求項２１７９】
前記弾み車ガスタービン（８ａ）の排気の過程に廃熱回収熱交換器（２ａ）を具備して水道水温熱（５２ｄ）を回収する合体機関燃焼部（２９Ｇ）を構成する各種エネルギ保存サイクル合体機関。
【請求項２１８０】
前記弾み車ガスタービン（８ａ）の排気の過程に廃熱回収熱交換器（２ａ）を具備して水道水温熱（５２ｄ）を回収する合体機関燃焼部（２９Ｈ）を構成する各種エネルギ保存サイクル合体機関。
【請求項２１８１】
前記弾み車ガスタービン（８ａ）の排気の過程に廃熱回収熱交換器（２ａ）を具備して温熱水を回収する合体機関燃焼部（２９Ａ）を構成する各種エネルギ保存サイクル合体機関。
【請求項２１８２】
前記弾み車ガスタービン（８ａ）の排気の過程に廃熱回収熱交換器（２ａ）を具備して温熱水を回収する合体機関燃焼部（２９Ｂ）を構成する各種エネルギ保存サイクル合体機関。
【請求項２１８３】
前記弾み車ガスタービン（８ａ）の排気の過程に廃熱回収熱交換器（２ａ）を具備して温熱水を回収する合体機関燃焼部（２９Ｃ）を構成する各種エネルギ保存サイクル合体機関。
【請求項２１８４】
前記弾み車ガスタービン（８ａ）の排気の過程に廃熱回収熱交換器（２ａ）を具備して温熱水を回収する合体機関燃焼部（２９Ｄ）を構成する各種エネルギ保存サイクル合体機関。
【請求項２１８５】
前記弾み車ガスタービン（８ａ）の排気の過程に廃熱回収熱交換器（２ａ）を具備して温熱水を回収する合体機関燃焼部（２９Ｅ）を構成する各種エネルギ保存サイクル合体機関。
【請求項２１８６】
前記弾み車ガスタービン（８ａ）の排気の過程に廃熱回収熱交換器（２ａ）を具備して温熱水を回収する合体機関燃焼部（２９Ｆ）を構成する各種エネルギ保存サイクル合体機関。
【請求項２１８７】
前記弾み車ガスタービン（８ａ）の排気の過程に廃熱回収熱交換器（２ａ）を具備して温熱水を回収する合体機関燃焼部（２９Ｇ）を構成する各種エネルギ保存サイクル合体機関。
【請求項２１８８】
前記弾み車ガスタービン（８ａ）の排気の過程に廃熱回収熱交換器（２ａ）を具備して温熱水を回収する合体機関燃焼部（２９Ｈ）を構成する各種エネルギ保存サイクル合体機関。
【請求項２１８９】
前記弾み車ガスタービン（８ａ）の排気の過程に冷熱回収器（１０３）を具備して冷水（５２ｈ）を熱交換回収する各種エネルギ保存サイクル合体機関。
【請求項２１９０】
前記弾み車ガスタービン（８ａ）の排気の過程に冷熱回収器（１０３）を具備して冷水（５２ｈ）を熱交換回収して限り無く水溜（９５ｂ）に供給して冷水噴射ノズル（６Ｇ）より噴射する各種エネルギ保存サイクル合体機関。
【請求項２１９１】
前記弾み車ガスタービン（８ａ）の排気の過程に冷熱回収器（１０３）を具備して水（５２ａ）を水溜（９５ｂ）に供給して冷水噴射ノズル（６Ｇ）より噴射する各種エネルギ保存サイクル合体機関。
【請求項２１９２】
前記弾み車ガスタービン（８ａ）の排気の過程に冷熱回収器（１０３）を具備して高温水（５２ｂ）を水溜（９５ｂ）に供給して冷水噴射ノズル（６Ｇ）より噴射する各種エネルギ保存サイクル合体機関。
【請求項２１９３】
前記弾み車ガスタービン（８ａ）の排気の過程に冷熱回収器（１０３）を具備して１００℃以上の高温水（５２ｂ）を水溜（９５ｂ）に供給して冷水噴射ノズル（６Ｇ）より噴射する各種エネルギ保存サイクル合体機関。
【請求項２１９４】
前記弾み車ガスタービン（８ａ）の排気の過程に冷熱回収器（１０３）（１０３）及びガス抽出器（５１ａ）を具備して水道水冷熱（５２ｅ）を熱交換回収する各種エネルギ保存サイクル合体機関。
【請求項２１９５】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷凍設備機器を供給する各種エネルギ保存サイクル合体機関。
【請求項２１９６】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷凍設備機器を供給する各種エネルギ保存サイクル合体機関。
【請求項２１９７】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷蔵設備機器を供給する各種エネルギ保存サイクル合体機関。
【請求項２１９８】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷蔵設備機器を供給する各種エネルギ保存サイクル合体機関。
【請求項２１９９】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷房設備機器を供給する各種エネルギ保存サイクル合体機関。
【請求項２２００】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷房設備機器を供給する各種エネルギ保存サイクル合体機関。
【請求項２２０１】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種冷却設備機器を供給する各種エネルギ保存サイクル合体機関。
【請求項２２０２】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種冷却設備機器を供給する各種エネルギ保存サイクル合体機関。
【請求項２２０３】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種製氷設備機器を供給する各種エネルギ保存サイクル合体機関。
【請求項２２０４】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種製氷設備機器を供給する各種エネルギ保存サイクル合体機関。
【請求項２２０５】
前記弾み車ガスタービン（８ａ）の排気の過程に冷熱回収器（１０３）（１０３）を具備して水道水冷熱（５２ｅ）を熱交換回収して需要家に供給すると共に、水道水冷熱を利用する家庭用の各種水道水冷熱配管ビルを供給する各種エネルギ保存サイクル合体機関。
【請求項２２０６】
前記弾み車ガスタービン（８ａ）の排気の過程に冷熱回収器（１０３）（１０３）及びガス抽出器（５１ａ）を具備して水道水冷熱（５２ｅ）を熱交換回収して需要家に供給すると共に、水道水冷熱を利用する家庭用の各種水道水冷熱配管ビルを供給する各種エネルギ保存サイクル合体機関。
【請求項２２０７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収する各種エネルギ保存サイクル合体機関。
【請求項２２０８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収する各種エネルギ保存サイクル合体機関。
【請求項２２０９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して需要家に供給する各種エネルギ保存サイクル合体機関。
【請求項２２１０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して需要家に供給する各種エネルギ保存サイクル合体機関。
【請求項２２１１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定する各種エネルギ保存サイクル合体機関。
【請求項２２１２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定する各種エネルギ保存サイクル合体機関。
【請求項２２１３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定する各種エネルギ保存サイクル合体機関。
【請求項２２１４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定する各種エネルギ保存サイクル合体機関。
【請求項２２１５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定する各種エネルギ保存サイクル合体機関。
【請求項２２１６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定する各種エネルギ保存サイクル合体機関。
【請求項２２１７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定する過程でバイオガスを回収する各種エネルギ保存サイクル合体機関。
【請求項２２１８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定する過程でバイオガスを回収する各種エネルギ保存サイクル合体機関。
【請求項２２１９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定する過程でバイオガスを回収する各種エネルギ保存サイクル合体機関。
【請求項２２２０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定する過程でバイオガスを回収する各種エネルギ保存サイクル合体機関。
【請求項２２２１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定する過程でバイオガスを回収する各種エネルギ保存サイクル合体機関。
【請求項２２２２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定する過程でバイオガスを回収する各種エネルギ保存サイクル合体機関。
【請求項２２２３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して泥土に分解固定して肥料にする各種エネルギ保存サイクル合体機関。
【請求項２２２４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して泥土に分解固定して肥料にする各種エネルギ保存サイクル合体機関。
【請求項２２２５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して植物片に分解固定して肥料にする各種エネルギ保存サイクル合体機関。
【請求項２２２６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して植物片に分解固定して肥料にする各種エネルギ保存サイクル合体機関。
【請求項２２２７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して残飯等に分解固定して肥料にする各種エネルギ保存サイクル合体機関。
【請求項２２２８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して残飯等に分解固定して肥料にする各種エネルギ保存サイクル合体機関。
【請求項２２２９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給する各種エネルギ保存サイクル合体機関。
【請求項２２３０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給する各種エネルギ保存サイクル合体機関。
【請求項２２３１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して植物プランクトンを増殖する各種エネルギ保存サイクル合体機関。
【請求項２２３２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して植物プランクトンを増殖する各種エネルギ保存サイクル合体機関。
【請求項２２３３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海藻類を増殖する各種エネルギ保存サイクル合体機関。
【請求項２２３４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海藻類を増殖する各種エネルギ保存サイクル合体機関。
【請求項２２３５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して微生物を増殖する各種エネルギ保存サイクル合体機関。
【請求項２２３６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して微生物を増殖する各種エネルギ保存サイクル合体機関。
【請求項２２３７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して植物プランクトンを増殖して魚介類を増産する各種エネルギ保存サイクル合体機関。
【請求項２２３８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して植物プランクトンを増殖して魚介類を増産する各種エネルギ保存サイクル合体機関。
【請求項２２３９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海藻類を増殖して魚介類を増産する各種エネルギ保存サイクル合体機関。
【請求項２２４０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海藻類を増殖して魚介類を増産する各種エネルギ保存サイクル合体機関。
【請求項２２４１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して微生物を増殖して魚介類を増産する各種エネルギ保存サイクル合体機関。
【請求項２２４２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して微生物を増殖して魚介類を増産する各種エネルギ保存サイクル合体機関。
【請求項２２４３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して植物プランクトンを増殖して魚介類を増産する各種エネルギ保存サイクル合体機関。
【請求項２２４４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して植物プランクトンを増殖して魚介類を増産する各種エネルギ保存サイクル合体機関。
【請求項２２４５】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して海藻類を増殖して魚介類を増産する各種エネルギ保存サイクル合体機関。
【請求項２２４６】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して海藻類を増殖して魚介類を増産する各種エネルギ保存サイクル合体機関。
【請求項２２４７】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して海中に供給して海水を冷却して微生物を増殖して魚介類を増産する各種エネルギ保存サイクル合体機関。
【請求項２２４８】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して海中に供給して海水を冷却して微生物を増殖して魚介類を増産する各種エネルギ保存サイクル合体機関。
【請求項２２４９】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して植物プランクトンを増殖して魚介類を増産する各種エネルギ保存サイクル合体機関。
【請求項２２５０】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して植物プランクトンを増殖して魚介類を増産する各種エネルギ保存サイクル合体機関。
【請求項２２５１】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して海藻類を増殖して魚介類を増産する各種エネルギ保存サイクル合体機関。
【請求項２２５２】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して海藻類を増殖して魚介類を増産する各種エネルギ保存サイクル合体機関。
【請求項２２５３】
前記弾み車ガスタービン（８ａ）の排気の過程に冷熱回収器（１０３）（１０３）及びガス抽出器（５１ａ）を具備して燃焼ガス溶解水（５２ｇ）を熱交換回収して空気と共に海中に供給して微生物を増殖して魚介類を増産する各種エネルギ保存サイクル合体機関。
【請求項２２５４】
前記弾み車ガスタービン（８ａ）の排気の過程に冷熱回収器（１０３）（１０３）及びガス抽出器（５１ａ）を具備して燃焼ガス溶解水（５２ｇ）を熱交換及び水溶解回収して空気と共に海中に供給して微生物を増殖して魚介類を増産する各種エネルギ保存サイクル合体機関。
【請求項２２５５】
前記排気熱量を繰返し使用して回転出力を増大する各種自動車とした各種エネルギ保存サイクル合体機関。
【請求項２２５６】
前記排気熱量を繰返し使用して回転出力を増大する各種戦闘車両類とした各種エネルギ保存サイクル合体機関。
【請求項２２５７】
前記排気熱量を繰返し使用して回転出力を増大する各種乗用自動車として使用する各種エネルギ保存サイクル合体機関。
【請求項２２５８】
前記排気熱量を繰返し使用して回転出力を増大する各種貨物自動車とした各種エネルギ保存サイクル合体機関。
【請求項２２５９】
前記排気熱量を繰返し使用して回転出力を増大する各種電車とした各種エネルギ保存サイクル合体機関。
【請求項２２６０】
前記排気熱量を繰返し使用して回転出力を増大する各種逆電車とした各種エネルギ保存サイクル合体機関。
【請求項２２６１】
前記排気熱量を繰返し使用して回転出力を増大する各種作業車とした各種エネルギ保存サイクル合体機関。
【請求項２２６２】
前記排気熱量を繰返し使用して回転出力を増大する各種機関車とした各種エネルギ保存サイクル合体機関。
【請求項２２６３】
前記排気熱量を繰返し使用して回転出力を増大する各種汎用機関とした各種エネルギ保存サイクル合体機関。
【請求項２２６４】
前記排気熱量を繰返し使用して回転出力を増大する各種機械類とした各種エネルギ保存サイクル合体機関。
【請求項２２６５】
前記排気熱量を繰返し使用して回転出力を増大する各種機関車とした各種エネルギ保存サイクル合体機関。
【請求項２２６６】
前記排気熱量を繰返し使用して回転出力を増大する各種陸上輸送移動機器とした各種エネルギ保存サイクル合体機関。
【請求項２２６７】
前記排気熱量を繰返し使用して回転出力を増大する各種水上輸送移動機器とした各種エネルギ保存サイクル合体機関。
【請求項２２６８】
前記排気熱量を繰返し使用して回転出力を増大する各種プロペラ船舶とした各種エネルギ保存サイクル合体機関。
【請求項２２６９】
前記排気熱量を繰返し使用して回転出力を増大する各種プロペラ高速船舶とした各種エネルギ保存サイクル合体機関。
【請求項２２７０】
前記排気熱量を繰返し使用して回転出力を増大する各種プロペラ戦闘船舶とした各種エネルギ保存サイクル合体機関。
【請求項２２７１】
前記排気熱量を繰返し使用して回転出力を増大する各種プロペラ高速戦闘船舶とした各種エネルギ保存サイクル合体機関。
【請求項２２７２】
前記排気熱量を繰返し使用して回転出力を増大する各種プロペラ航空母艦とした各種エネルギ保存サイクル合体機関。
【請求項２２７３】
前記排気熱量を繰返し使用して回転出力を増大する各種プロペラ高速航空母艦とした各種エネルギ保存サイクル合体機関。
【請求項２２７４】
前記排気熱量を繰返し使用して回転出力を増大する各種家庭用の熱と電気と冷熱の供給設備とした各種エネルギ保存サイクル合体機関。
【請求項２２７５】
前記排気熱量を繰返し使用して回転出力を増大する各種業務用の熱と電気と冷熱の供給設備とした各種エネルギ保存サイクル合体機関。
【請求項２２７６】
前記排気熱量を繰返し使用して回転出力を増大する各種農業機械とした各種エネルギ保存サイクル合体機関。
【請求項２２７７】
前記排気熱量を繰返し使用して回転出力を増大する各種プロペラ飛行機とした各種エネルギ保存サイクル合体機関。
【請求項２２７８】
前記排気熱量を繰返し使用して回転出力を増大する各種戦闘プロペラ飛行機とした各種エネルギ保存サイクル合体機関。
【請求項２２７９】
前記排気熱量を繰返し使用して回転出力を増大する各種ヘリコプターとした各種エネルギ保存サイクル合体機関。
【請求項２２８０】
前記排気熱量を繰返し使用して回転出力を増大する各種戦闘ヘリコプターとした各種エネルギ保存サイクル合体機関。
【請求項２２８１】
前記排気熱量を繰返し使用して噴射推進出力を増大する各種水噴射船舶とした各種エネルギ保存サイクル合体機関。
【請求項２２８２】
前記排気熱量を繰返し使用して噴射推進出力を増大する各種水噴射戦闘船舶とした各種エネルギ保存サイクル合体機関。
【請求項２２８３】
前記排気熱量を繰返し使用して噴射推進出力を増大する各種水噴射高速戦闘船舶とした各種エネルギ保存サイクル合体機関。
【請求項２２８４】
前記排気熱量を繰返し使用して噴射推進出力を増大する各種水噴射超高速戦闘船舶とした各種エネルギ保存サイクル合体機関。
【請求項２２８５】
前記排気熱量を繰返し使用して噴射推進出力を増大する各種水噴射航空母艦とした各種エネルギ保存サイクル合体機関。
【請求項２２８６】
前記排気熱量を繰返し使用して噴射推進出力を増大する各種水噴射高速船舶とした各種エネルギ保存サイクル合体機関。
【請求項２２８７】
前記排気熱量を繰返し使用して噴射推進出力を増大する各種水噴射超高速船舶とした各種エネルギ保存サイクル合体機関。
【請求項２２８８】
前記排気熱量を繰返し使用して噴射推進出力を増大する各種空気噴射船舶とした各種エネルギ保存サイクル合体機関。
【請求項２２８９】
前記排気熱量を繰返し使用して噴射推進出力を増大する各種空気噴射戦闘船舶とした各種エネルギ保存サイクル合体機関。
【請求項２２９０】
前記排気熱量を繰返し使用して噴射推進出力を増大する各種空気噴射高速戦闘船舶とした各種エネルギ保存サイクル合体機関。
【請求項２２９１】
前記排気熱量を繰返し使用して噴射推進出力を増大する各種空気噴射超高速戦闘船舶とした各種エネルギ保存サイクル合体機関。
【請求項２２９２】
前記排気熱量を繰返し使用して噴射推進出力を増大する各種空気噴射航空母艦とした各種エネルギ保存サイクル合体機関。
【請求項２２９３】
前記排気熱量を繰返し使用して噴射推進出力を増大する各種空気噴射高速船舶とした各種エネルギ保存サイクル合体機関。
【請求項２２９４】
前記排気熱量を繰返し使用して噴射推進出力を増大する各種空気噴射超高速船舶とした各種エネルギ保存サイクル合体機関。
【請求項２２９５】
前記排気熱量を繰返し使用して噴射推進出力を増大する各種超音速飛行機とした各種エネルギ保存サイクル合体機関。
【請求項２２９６】
前記排気熱量を繰返し使用して噴射推進出力を増大する各種超音速戦闘飛行機とした各種エネルギ保存サイクル合体機関。
【請求項２２９７】
前記排気熱量を繰返し使用して噴射推進出力を増大する各種空中輸送移動機器とした各種エネルギ保存サイクル合体機関。
【請求項２２９８】
前記排気熱量を繰返し使用して噴射推進出力を増大する各種戦闘飛行機とした各種エネルギ保存サイクル合体機関。
【請求項２２９９】
前記排気熱量を繰返し使用して噴射推進出力を増大する各種宇宙往還機とした各種エネルギ保存サイクル合体機関。
【請求項２３００】
前記排気熱量を繰返し使用して噴射推進出力を増大する各種宇宙往還旅客機とした各種エネルギ保存サイクル合体機関。
【請求項２３０１】
前記排気熱量を繰返し使用して噴射推進出力を増大する各種宇宙往還親飛行機とした各種エネルギ保存サイクル合体機関。
【請求項２３０２】
前記排気熱量を繰返し使用して噴射推進出力を増大する各種宇宙往還旅客親飛行機とした各種エネルギ保存サイクル合体機関。
【請求項２３０３】
前記排気熱量を繰返し使用して噴射推進出力を増大する各種飛行船舶とした各種エネルギ保存サイクル合体機関。
【請求項２３０４】
前記排気熱量を繰返し使用して噴射推進出力を増大する各種空気噴射飛行船舶とした各種エネルギ保存サイクル合体機関。
【請求項２３０５】
前記排気熱量を繰返し使用して噴射推進出力を増大する各種空気噴射高速飛行船舶とした各種エネルギ保存サイクル合体機関。
【請求項２３０６】
前記排気熱量を繰返し使用して噴射推進出力を増大する各種空気噴射超高速飛行船舶とした各種エネルギ保存サイクル合体機関。
【請求項２３０７】
前記排気熱量を繰返し使用して噴射推進出力を増大する各種飛行自動車とした各種エネルギ保存サイクル合体機関。
【請求項２３０８】
前記排気熱量を繰返し使用して噴射推進出力を増大する各種空気噴射飛行自動車とした各種エネルギ保存サイクル合体機関。
【請求項２３０９】
前記排気熱量を繰返し使用して噴射推進出力を増大する各種垂直上昇垂直降下飛行機とした各種エネルギ保存サイクル合体機関。
【請求項２３１０】
前記排気熱量を繰返し使用して噴射推進出力を増大する各種垂直上昇垂直降下超音速飛行機とした各種エネルギ保存サイクル合体機関。
【請求項２３１１】
前記過熱蒸気燃焼ガス噴射ノズル（６Ｈ）は摩擦損失低減手段として加熱高温手段（１０１）を使用する各種エネルギ保存サイクル合体機関。
【請求項２３１２】
前記過熱蒸気燃焼ガス噴射ノズル（６Ｘ）は摩擦損失低減手段として加熱高温手段（１０１）を選択使用する各種エネルギ保存サイクル合体機関。
【請求項２３１３】
前記過熱蒸気燃焼ガス噴射ノズル（６Ｈ）は摩擦損失低減手段として撥水鍍金（３ａ）を使用する各種エネルギ保存サイクル合体機関。
【請求項２３１４】
前記過熱蒸気燃焼ガス噴射ノズル（６Ｘ）は摩擦損失低減手段として撥水鍍金（３ａ）を選択使用する各種エネルギ保存サイクル合体機関。
【請求項２３１５】
前記過熱蒸気燃焼ガス噴射ノズル（６Ｈ）は摩擦損失低減手段として過熱蒸気噴射ノズル（６Ａ）を使用する各種エネルギ保存サイクル合体機関。
【請求項２３１６】
前記過熱蒸気燃焼ガス噴射ノズル（６Ｘ）は摩擦損失低減手段として過熱蒸気噴射ノズル（６Ａ）を選択使用する各種エネルギ保存サイクル合体機関。
【請求項２３１７】
前記過熱蒸気燃焼ガス噴射ノズル（６Ｈ）は摩擦損失低減手段として過熱蒸気噴射ノズル（６Ｂ）を使用する各種エネルギ保存サイクル合体機関。
【請求項２３１８】
前記過熱蒸気燃焼ガス噴射ノズル（６Ｘ）は摩擦損失低減手段として過熱蒸気噴射ノズル（６Ｂ）を選択使用する各種エネルギ保存サイクル合体機関。
【請求項２３１９】
前記過熱蒸気燃焼ガス噴射ノズル（６Ｈ）は摩擦損失低減手段として燃焼ガス噴射ノズル（６Ｃ）を使用する各種エネルギ保存サイクル合体機関。
【請求項２３２０】
前記過熱蒸気燃焼ガス噴射ノズル（６Ｘ）は摩擦損失低減手段として燃焼ガス噴射ノズル（６Ｃ）を選択使用する各種エネルギ保存サイクル合体機関。
【請求項２３２１】
前記過熱蒸気燃焼ガス噴射ノズル（６Ｈ）は摩擦損失低減手段として燃焼ガス噴射ノズル（６Ｄ）を使用する各種エネルギ保存サイクル合体機関。
【請求項２３２２】
前記過熱蒸気燃焼ガス噴射ノズル（６Ｘ）は摩擦損失低減手段として燃焼ガス噴射ノズル（６Ｄ）を選択使用する各種エネルギ保存サイクル合体機関。
【請求項２３２３】
前記過熱蒸気燃焼ガス噴射ノズル（６Ｈ）は各種過熱蒸気（５０）及び各種燃焼ガス（４９）及び各種水を噴射する各種エネルギ保存サイクル合体機関。
【請求項２３２４】
前記過熱蒸気燃焼ガス噴射ノズル（６Ｘ）は各種過熱蒸気（５０）及び各種燃焼ガス（４９）及び各種水を噴射する各種エネルギ保存サイクル合体機関。
【請求項２３２５】
前記合体機関燃焼部（２９Ａ）はガソリン機関やディーゼル機関を圧縮専用で使用する各種エネルギ保存サイクル合体機関。
【請求項２３２６】
前記合体機関燃焼部（２９Ｂ）はＢ型エネルギ保存サイクル機関を圧縮専用で使用する各種エネルギ保存サイクル合体機関。
【請求項２３２７】
前記合体機関燃焼部（２９Ｃ）はＣ型エネルギ保存サイクル機関を圧縮専用で使用する各種エネルギ保存サイクル合体機関。
【請求項２３２８】
前記合体機関燃焼部（２９Ｄ）はＤ型エネルギ保存サイクル機関を圧縮専用で使用する各種エネルギ保存サイクル合体機関。
【請求項２３２９】
前記合体機関燃焼部（２９Ｅ）はＥ型エネルギ保存サイクル機関を圧縮専用で使用する各種エネルギ保存サイクル合体機関。
【請求項２３３０】
前記合体機関燃焼部（２９Ｆ）はＦ型エネルギ保存サイクル機関を圧縮専用で使用する各種エネルギ保存サイクル合体機関。
【請求項２３３１】
前記合体機関燃焼部（２９Ｇ）はＧ型エネルギ保存サイクル機関を圧縮専用で使用する各種エネルギ保存サイクル合体機関。
【請求項２３３２】
前記合体機関燃焼部（２９Ｈ）はＨ型エネルギ保存サイクル機関を圧縮専用で使用する各種エネルギ保存サイクル合体機関。
【請求項２３３３】
前記合体機関燃焼部（２９Ａ）はガソリン機関やディーゼル機関対向ピストンを本圧圧縮機で使用する各種エネルギ保存サイクル合体機関。
【請求項２３３４】
前記合体機関燃焼部（２９Ｂ）はＢ型エネルギ保存サイクル機関対向ピストンを本圧圧縮機で使用する各種エネルギ保存サイクル合体機関。
【請求項２３３５】
前記合体機関燃焼部（２９Ｃ）はＣ型エネルギ保存サイクル機関対向ピストンを本圧圧縮機で使用する各種エネルギ保存サイクル合体機関。
【請求項２３３６】
前記合体機関燃焼部（２９Ｄ）はＤ型エネルギ保存サイクル機関対向ピストンを本圧圧縮機で使用する各種エネルギ保存サイクル合体機関。
【請求項２３３７】
前記合体機関燃焼部（２９Ｅ）はＥ型エネルギ保存サイクル機関対向ピストンを本圧圧縮機で使用する各種エネルギ保存サイクル合体機関。
【請求項２３３８】
前記合体機関燃焼部（２９Ｆ）はＦ型エネルギ保存サイクル機関対向ピストンを本圧圧縮機で使用する各種エネルギ保存サイクル合体機関。
【請求項２３３９】
前記合体機関燃焼部（２９Ｇ）はＧ型エネルギ保存サイクル機関対向ピストンを本圧圧縮機で使用する各種エネルギ保存サイクル合体機関。
【請求項２３４０】
前記合体機関燃焼部（２９Ｈ）はＨ型エネルギ保存サイクル機関対向ピストンを本圧圧縮機で使用する各種エネルギ保存サイクル合体機関。
【請求項２３４１】
前記合体機関燃焼部（２９Ａ）はガソリン機関やディーゼル機関を圧縮専用で予圧圧縮機として使用する各種エネルギ保存サイクル合体機関。
【請求項２３４２】
前記合体機関燃焼部（２９Ｂ）はＢ型エネルギ保存サイクル機関を圧縮専用で予圧圧縮機として使用する各種エネルギ保存サイクル合体機関。
【請求項２３４３】
前記合体機関燃焼部（２９Ｃ）はＣ型エネルギ保存サイクル機関を圧縮専用で予圧圧縮機として使用する各種エネルギ保存サイクル合体機関。
【請求項２３４４】
前記合体機関燃焼部（２９Ｄ）はＤ型エネルギ保存サイクル機関を圧縮専用で予圧圧縮機として使用する各種エネルギ保存サイクル合体機関。
【請求項２３４５】
前記合体機関燃焼部（２９Ｅ）はＥ型エネルギ保存サイクル機関を圧縮専用で予圧圧縮機として使用する各種エネルギ保存サイクル合体機関。
【請求項２３４６】
前記合体機関燃焼部（２９Ｆ）はＦ型エネルギ保存サイクル機関を圧縮専用で予圧圧縮機として使用する各種エネルギ保存サイクル合体機関。
【請求項２３４７】
前記合体機関燃焼部（２９Ｇ）はＧ型エネルギ保存サイクル機関を圧縮専用で予圧圧縮機として使用する各種エネルギ保存サイクル合体機関。
【請求項２３４８】
前記合体機関燃焼部（２９Ｈ）はＨ型エネルギ保存サイクル機関を圧縮専用で予圧圧縮機として使用する各種エネルギ保存サイクル合体機関。
【請求項２３４９】
前記合体機関燃焼部（２９Ａ）はガソリン機関やディーゼル機関を圧縮専用で多気筒予圧圧縮機として使用する各種エネルギ保存サイクル合体機関。
【請求項２３５０】
前記合体機関燃焼部（２９Ｂ）はＢ型エネルギ保存サイクル機関を圧縮専用で多気筒予圧圧縮機として使用する各種エネルギ保存サイクル合体機関。
【請求項２３５１】
前記合体機関燃焼部（２９Ｃ）はＣ型エネルギ保存サイクル機関を圧縮専用で多気筒予圧圧縮機として使用する各種エネルギ保存サイクル合体機関。
【請求項２３５２】
前記合体機関燃焼部（２９Ｄ）はＤ型エネルギ保存サイクル機関を圧縮専用で多気筒予圧圧縮機として使用する各種エネルギ保存サイクル合体機関。
【請求項２３５３】
前記合体機関燃焼部（２９Ｅ）はＥ型エネルギ保存サイクル機関を圧縮専用で多気筒予圧圧縮機として使用する各種エネルギ保存サイクル合体機関。
【請求項２３５４】
前記合体機関燃焼部（２９Ｆ）はＦ型エネルギ保存サイクル機関を圧縮専用で多気筒予圧圧縮機として使用する各種エネルギ保存サイクル合体機関。
【請求項２３５５】
前記合体機関燃焼部（２９Ｇ）はＧ型エネルギ保存サイクル機関を圧縮専用で多気筒予圧圧縮機として使用する各種エネルギ保存サイクル合体機関。
【請求項２３５６】
前記合体機関燃焼部（２９Ｈ）はＨ型エネルギ保存サイクル機関を圧縮専用で多気筒予圧圧縮機として使用する各種エネルギ保存サイクル合体機関。
【請求項２３５７】
前記合体機関燃焼部（２９Ａ）はガソリン機関やディーゼル機関を圧縮専用で予圧圧縮機としても使用して限り無く高圧圧縮する各種エネルギ保存サイクル合体機関。
【請求項２３５８】
前記合体機関燃焼部（２９Ｂ）はＢ型エネルギ保存サイクル機関を圧縮専用で予圧圧縮機としても使用して限り無く高圧圧縮する各種エネルギ保存サイクル合体機関。
【請求項２３５９】
前記合体機関燃焼部（２９Ｃ）はＣ型エネルギ保存サイクル機関を圧縮専用で予圧圧縮機としても使用して限り無く高圧圧縮する各種エネルギ保存サイクル合体機関。
【請求項２３６０】
前記合体機関燃焼部（２９Ｄ）はＤ型エネルギ保存サイクル機関を圧縮専用で予圧圧縮機としても使用して限り無く高圧圧縮する各種エネルギ保存サイクル合体機関。
【請求項２３６１】
前記合体機関燃焼部（２９Ｅ）はＥ型エネルギ保存サイクル機関を圧縮専用で予圧圧縮機としても使用して限り無く高圧圧縮する各種エネルギ保存サイクル合体機関。
【請求項２３６２】
前記合体機関燃焼部（２９Ｆ）はＦ型エネルギ保存サイクル機関を圧縮専用で予圧圧縮機としても使用して限り無く高圧圧縮する各種エネルギ保存サイクル合体機関。
【請求項２３６３】
前記合体機関燃焼部（２９Ｇ）はＧ型エネルギ保存サイクル機関を圧縮専用で予圧圧縮機としても使用して限り無く高圧圧縮する各種エネルギ保存サイクル合体機関。
【請求項２３６４】
前記合体機関燃焼部（２９Ｈ）はＨ型エネルギ保存サイクル機関を圧縮専用で予圧圧縮機としても使用して限り無く高圧圧縮する各種エネルギ保存サイクル合体機関。
【請求項２３６５】
前記合体機関燃焼部（２９Ａ）はガソリン機関やディーゼル機関を圧縮専用で多気筒予圧圧縮機としても使用して限り無く高圧圧縮する各種エネルギ保存サイクル合体機関。
【請求項２３６６】
前記合体機関燃焼部（２９Ｂ）はＢ型エネルギ保存サイクル機関を圧縮専用で多気筒予圧圧縮機としても使用して限り無く高圧圧縮する各種エネルギ保存サイクル合体機関。
【請求項２３６７】
前記合体機関燃焼部（２９Ｃ）はＣ型エネルギ保存サイクル機関を圧縮専用で多気筒予圧圧縮機としても使用して限り無く高圧圧縮する各種エネルギ保存サイクル合体機関。
【請求項２３６８】
前記合体機関燃焼部（２９Ｄ）はＤ型エネルギ保存サイクル機関を圧縮専用で多気筒予圧圧縮機としても使用して限り無く高圧圧縮する各種エネルギ保存サイクル合体機関。
【請求項２３６９】
前記合体機関燃焼部（２９Ｅ）はＥ型エネルギ保存サイクル機関を圧縮専用で多気筒予圧圧縮機としても使用して限り無く高圧圧縮する各種エネルギ保存サイクル合体機関。
【請求項２３７０】
前記合体機関燃焼部（２９Ｆ）はＦ型エネルギ保存サイクル機関を圧縮専用で多気筒予圧圧縮機としても使用して限り無く高圧圧縮する各種エネルギ保存サイクル合体機関。
【請求項２３７１】
前記合体機関燃焼部（２９Ｇ）はＧ型エネルギ保存サイクル機関を圧縮専用で多気筒予圧圧縮機としても使用して限り無く高圧圧縮する各種エネルギ保存サイクル合体機関。
【請求項２３７２】
前記合体機関燃焼部（２９Ｈ）はＨ型エネルギ保存サイクル機関を圧縮専用で多気筒予圧圧縮機としても使用して限り無く高圧圧縮する各種エネルギ保存サイクル合体機関。
【請求項２３７３】
前記合体機関燃焼部（２９Ａ）はガソリン機関やディーゼル機関を圧縮専用で予圧圧縮機としても使用して限り無く高圧燃焼熱交換冷却燃焼する各種エネルギ保存サイクル合体機関。
【請求項２３７４】
前記合体機関燃焼部（２９Ｂ）はＢ型エネルギ保存サイクル機関を圧縮専用で予圧圧縮機としても使用して限り無く高圧燃焼熱交換冷却燃焼する各種エネルギ保存サイクル合体機関。
【請求項２３７５】
前記合体機関燃焼部（２９Ｃ）はＣ型エネルギ保存サイクル機関を圧縮専用で予圧圧縮機としても使用して限り無く高圧燃焼熱交換冷却燃焼する各種エネルギ保存サイクル合体機関。
【請求項２３７６】
前記合体機関燃焼部（２９Ｄ）はＤ型エネルギ保存サイクル機関を圧縮専用で予圧圧縮機としても使用して限り無く高圧燃焼熱交換冷却燃焼する各種エネルギ保存サイクル合体機関。
【請求項２３７７】
前記合体機関燃焼部（２９Ｅ）はＥ型エネルギ保存サイクル機関を圧縮専用で予圧圧縮機としても使用して限り無く高圧燃焼熱交換冷却燃焼する各種エネルギ保存サイクル合体機関。
【請求項２３７８】
前記合体機関燃焼部（２９Ｆ）はＦ型エネルギ保存サイクル機関を圧縮専用で予圧圧縮機としても使用して限り無く高圧燃焼熱交換冷却燃焼する各種エネルギ保存サイクル合体機関。
【請求項２３７９】
前記合体機関燃焼部（２９Ｇ）はＧ型エネルギ保存サイクル機関を圧縮専用で予圧圧縮機としても使用して限り無く高圧燃焼熱交換冷却燃焼する各種エネルギ保存サイクル合体機関。
【請求項２３８０】
前記合体機関燃焼部（２９Ｈ）はＨ型エネルギ保存サイクル機関を圧縮専用で予圧圧縮機としても使用して限り無く高圧燃焼熱交換冷却燃焼する各種エネルギ保存サイクル合体機関。
【請求項２３８１】
前記合体機関燃焼部（２９Ａ）はガソリン機関やディーゼル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８２】
前記合体機関燃焼部（２９Ｂ）はＢ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８３】
前記合体機関燃焼部（２９Ｃ）はＣ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８４】
前記合体機関燃焼部（２９Ｄ）はＤ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８５】
前記合体機関燃焼部（２９Ｅ）はＥ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８６】
前記合体機関燃焼部（２９Ｆ）はＦ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８７】
前記合体機関燃焼部（２９Ｇ）はＧ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８８】
前記合体機関燃焼部（２９Ｈ）はＨ型エネルギ保存サイクル機関を圧縮専用で予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３８９】
前記合体機関燃焼部（２９Ａ）はガソリン機関やディーゼル機関を圧縮専用で多気筒予圧圧縮機としても使用して限り無く高圧燃焼熱交換冷却燃焼する各種エネルギ保存サイクル合体機関。
【請求項２３９０】
前記合体機関燃焼部（２９Ｂ）はＢ型エネルギ保存サイクル機関を圧縮専用で多気筒予圧圧縮機としても使用して限り無く高圧燃焼熱交換冷却燃焼する各種エネルギ保存サイクル合体機関。
【請求項２３９１】
前記合体機関燃焼部（２９Ｃ）はＣ型エネルギ保存サイクル機関を圧縮専用で多気筒予圧圧縮機としても使用して限り無く高圧燃焼熱交換冷却燃焼する各種エネルギ保存サイクル合体機関。
【請求項２３９２】
前記合体機関燃焼部（２９Ｄ）はＤ型エネルギ保存サイクル機関を圧縮専用で多気筒予圧圧縮機としても使用して限り無く高圧燃焼熱交換冷却燃焼する各種エネルギ保存サイクル合体機関。
【請求項２３９３】
前記合体機関燃焼部（２９Ｅ）はＥ型エネルギ保存サイクル機関を圧縮専用で多気筒予圧圧縮機としても使用して限り無く高圧燃焼熱交換冷却燃焼する各種エネルギ保存サイクル合体機関。
【請求項２３９４】
前記合体機関燃焼部（２９Ｆ）はＦ型エネルギ保存サイクル機関を圧縮専用で多気筒予圧圧縮機としても使用して限り無く高圧燃焼熱交換冷却燃焼する各種エネルギ保存サイクル合体機関。
【請求項２３９５】
前記合体機関燃焼部（２９Ｇ）はＧ型エネルギ保存サイクル機関を圧縮専用で多気筒予圧圧縮機としても使用して限り無く高圧燃焼熱交換冷却燃焼する各種エネルギ保存サイクル合体機関。
【請求項２３９６】
前記合体機関燃焼部（２９Ｈ）はＨ型エネルギ保存サイクル機関を圧縮専用で多気筒予圧圧縮機としても使用して限り無く高圧燃焼熱交換冷却燃焼する各種エネルギ保存サイクル合体機関。
【請求項２３９７】
前記合体機関燃焼部（２９Ａ）はガソリン機関やディーゼル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３９８】
前記合体機関燃焼部（２９Ｂ）はＢ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２３９９】
前記合体機関燃焼部（２９Ｃ）はＣ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２４００】
前記合体機関燃焼部（２９Ｄ）はＤ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２４０１】
前記合体機関燃焼部（２９Ｅ）はＥ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２４０２】
前記合体機関燃焼部（２９Ｆ）はＦ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２４０３】
前記合体機関燃焼部（２９Ｇ）はＧ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２４０４】
前記合体機関燃焼部（２９Ｈ）はＨ型エネルギ保存サイクル機関を圧縮専用で多気筒予圧圧縮機としても使用して限り無く高圧燃焼熱交換冷却燃焼して、過熱蒸気爆発力＋燃焼ガス爆発力に分割する各種エネルギ保存サイクル合体機関。
【請求項２４０５】
前記合体機関飛行機（３８Ａ）に合体機関燃焼部（２９Ａ）を搭載した各種エネルギ保存サイクル合体機関。
【請求項２４０６】
前記合体機関飛行機（３８Ａ）に合体機関燃焼部（２９Ｂ）を搭載した各種エネルギ保存サイクル合体機関。
【請求項２４０７】
前記合体機関飛行機（３８Ａ）に合体機関燃焼部（２９Ｃ）を搭載した各種エネルギ保存サイクル合体機関。
【請求項２４０８】
前記合体機関飛行機（３８Ａ）に合体機関燃焼部（２９Ｄ）を搭載した各種エネルギ保存サイクル合体機関。
【請求項２４０９】
前記合体機関飛行機（３８Ａ）に合体機関燃焼部（２９Ｅ）を搭載した各種エネルギ保存サイクル合体機関。
【請求項２４１０】
前記合体機関飛行機（３８Ａ）に合体機関燃焼部（２９Ｆ）を搭載した各種エネルギ保存サイクル合体機関。
【請求項２４１１】
前記合体機関飛行機（３８Ａ）に合体機関燃焼部（２９Ｇ）を搭載した各種エネルギ保存サイクル合体機関。
【請求項２４１２】
前記合体機関飛行機（３８Ａ）に合体機関燃焼部（２９Ｈ）を搭載した各種エネルギ保存サイクル合体機関。
【請求項２４１３】
前記空気噴射船舶（３８Ｂ）に合体機関燃焼部（２９Ａ）を搭載した各種エネルギ保存サイクル合体機関。
【請求項２４１４】
前記空気噴射船舶（３８Ｂ）に合体機関燃焼部（２９Ｂ）を搭載した各種エネルギ保存サイクル合体機関。
【請求項２４１５】
前記空気噴射船舶（３８Ｂ）に合体機関燃焼部（２９Ｃ）を搭載した各種エネルギ保存サイクル合体機関。
【請求項２４１６】
前記空気噴射船舶（３８Ｂ）に合体機関燃焼部（２９Ｄ）を搭載した各種エネルギ保存サイクル合体機関。
【請求項２４１７】
前記空気噴射船舶（３８Ｂ）に合体機関燃焼部（２９Ｅ）を搭載した各種エネルギ保存サイクル合体機関。
【請求項２４１８】
前記空気噴射船舶（３８Ｂ）に合体機関燃焼部（２９Ｆ）を搭載した各種エネルギ保存サイクル合体機関。
【請求項２４１９】
前記空気噴射船舶（３８Ｂ）に合体機関燃焼部（２９Ｇ）を搭載した各種エネルギ保存サイクル合体機関。
【請求項２４２０】
前記空気噴射船舶（３８Ｂ）に合体機関燃焼部（２９Ｈ）を搭載した各種エネルギ保存サイクル合体機関。
【請求項２４２１】
前記水噴射船舶（３８Ｃ）に合体機関燃焼部（２９Ａ）を搭載した各種エネルギ保存サイクル合体機関。
【請求項２４２２】
前記水噴射船舶（３８Ｃ）に合体機関燃焼部（２９Ｂ）を搭載した各種エネルギ保存サイクル合体機関。
【請求項２４２３】
前記水噴射船舶（３８Ｃ）に合体機関燃焼部（２９Ｃ）を搭載した各種エネルギ保存サイクル合体機関。
【請求項２４２４】
前記水噴射船舶（３８Ｃ）に合体機関燃焼部（２９Ｄ）を搭載した各種エネルギ保存サイクル合体機関。
【請求項２４２５】
前記水噴射船舶（３８Ｃ）に合体機関燃焼部（２９Ｅ）を搭載した各種エネルギ保存サイクル合体機関。
【請求項２４２６】
前記水噴射船舶（３８Ｃ）に合体機関燃焼部（２９Ｆ）を搭載した各種エネルギ保存サイクル合体機関。
【請求項２４２７】
前記水噴射船舶（３８Ｃ）に合体機関燃焼部（２９Ｇ）を搭載した各種エネルギ保存サイクル合体機関。
【請求項２４２８】
前記水噴射船舶（３８Ｃ）に合体機関燃焼部（２９Ｈ）を搭載した各種エネルギ保存サイクル合体機関。
【請求項２４２９】
前記合体機関飛行機（３８Ａ）に合体機関燃焼部（２９Ａ）を搭載して限り無く高圧燃焼熱交換冷却燃焼する各種エネルギ保存サイクル合体機関。
【請求項２４３０】
前記合体機関飛行機（３８Ａ）に合体機関燃焼部（２９Ｂ）を搭載して限り無く高圧燃焼熱交換冷却燃焼する各種エネルギ保存サイクル合体機関。
【請求項２４３１】
前記合体機関飛行機（３８Ａ）に合体機関燃焼部（２９Ｃ）を搭載して限り無く高圧燃焼熱交換冷却燃焼する各種エネルギ保存サイクル合体機関。
【請求項２４３２】
前記合体機関飛行機（３８Ａ）に合体機関燃焼部（２９Ｄ）を搭載して限り無く高圧燃焼熱交換冷却燃焼する各種エネルギ保存サイクル合体機関。
【請求項２４３３】
前記合体機関飛行機（３８Ａ）に合体機関燃焼部（２９Ｅ）を搭載して限り無く高圧燃焼熱交換冷却燃焼する各種エネルギ保存サイクル合体機関。
【請求項２４３４】
前記合体機関飛行機（３８Ａ）に合体機関燃焼部（２９Ｆ）を搭載して限り無く高圧燃焼熱交換冷却燃焼する各種エネルギ保存サイクル合体機関。
【請求項２４３５】
前記合体機関飛行機（３８Ａ）に合体機関燃焼部（２９Ｇ）を搭載して限り無く高圧燃焼熱交換冷却燃焼する各種エネルギ保存サイクル合体機関。
【請求項２４３６】
前記合体機関飛行機（３８Ａ）に合体機関燃焼部（２９Ｈ）を搭載して限り無く高圧燃焼熱交換冷却燃焼する各種エネルギ保存サイクル合体機関。
【請求項２４３７】
前記空気噴射船舶（３８Ｂ）に合体機関燃焼部（２９Ａ）を搭載して限り無く高圧燃焼熱交換冷却燃焼する各種エネルギ保存サイクル合体機関。
【請求項２４３８】
前記空気噴射船舶（３８Ｂ）に合体機関燃焼部（２９Ｂ）を搭載して限り無く高圧燃焼熱交換冷却燃焼する各種エネルギ保存サイクル合体機関。
【請求項２４３９】
前記空気噴射船舶（３８Ｂ）に合体機関燃焼部（２９Ｃ）を搭載して限り無く高圧燃焼熱交換冷却燃焼する各種エネルギ保存サイクル合体機関。
【請求項２４４０】
前記空気噴射船舶（３８Ｂ）に合体機関燃焼部（２９Ｄ）を搭載して限り無く高圧燃焼熱交換冷却燃焼する各種エネルギ保存サイクル合体機関。
【請求項２４４１】
前記空気噴射船舶（３８Ｂ）に合体機関燃焼部（２９Ｅ）を搭載して限り無く高圧燃焼熱交換冷却燃焼する各種エネルギ保存サイクル合体機関。
【請求項２４４２】
前記空気噴射船舶（３８Ｂ）に合体機関燃焼部（２９Ｆ）を搭載して限り無く高圧燃焼熱交換冷却燃焼する各種エネルギ保存サイクル合体機関。
【請求項２４４３】
前記空気噴射船舶（３８Ｂ）に合体機関燃焼部（２９Ｇ）を搭載して限り無く高圧燃焼熱交換冷却燃焼する各種エネルギ保存サイクル合体機関。
【請求項２４４４】
前記空気噴射船舶（３８Ｂ）に合体機関燃焼部（２９Ｈ）を搭載して限り無く高圧燃焼熱交換冷却燃焼する各種エネルギ保存サイクル合体機関。
【請求項２４４５】
前記水噴射船舶（３８Ｃ）に合体機関燃焼部（２９Ａ）を搭載して限り無く高圧燃焼熱交換冷却燃焼する各種エネルギ保存サイクル合体機関。
【請求項２４４６】
前記水噴射船舶（３８Ｃ）に合体機関燃焼部（２９Ｂ）を搭載して限り無く高圧燃焼熱交換冷却燃焼する各種エネルギ保存サイクル合体機関。
【請求項２４４７】
前記水噴射船舶（３８Ｃ）に合体機関燃焼部（２９Ｃ）を搭載して限り無く高圧燃焼熱交換冷却燃焼する各種エネルギ保存サイクル合体機関。
【請求項２４４８】
前記水噴射船舶（３８Ｃ）に合体機関燃焼部（２９Ｄ）を搭載して限り無く高圧燃焼熱交換冷却燃焼する各種エネルギ保存サイクル合体機関。
【請求項２４４９】
前記水噴射船舶（３８Ｃ）に合体機関燃焼部（２９Ｅ）を搭載して限り無く高圧燃焼熱交換冷却燃焼する各種エネルギ保存サイクル合体機関。
【請求項２４５０】
前記水噴射船舶（３８Ｃ）に合体機関燃焼部（２９Ｆ）を搭載して限り無く高圧燃焼熱交換冷却燃焼する各種エネルギ保存サイクル合体機関。
【請求項２４５１】
前記水噴射船舶（３８Ｃ）に合体機関燃焼部（２９Ｇ）を搭載して限り無く高圧燃焼熱交換冷却燃焼する各種エネルギ保存サイクル合体機関。
【請求項２４５２】
前記水噴射船舶（３８Ｃ）に合体機関燃焼部（２９Ｈ）を搭載して限り無く高圧燃焼熱交換冷却燃焼する各種エネルギ保存サイクル合体機関。
【請求項２４５３】
前記合体機関飛行機（３８Ａ）に合体機関燃焼部（２９Ａ）を搭載して限り無く高圧燃焼熱交換冷却燃焼して過熱蒸気爆発力＋燃焼ガス爆発力に分割する各種エネルギ保存サイクル合体機関。
【請求項２４５４】
前記合体機関飛行機（３８Ａ）に合体機関燃焼部（２９Ｂ）を搭載して限り無く高圧燃焼熱交換冷却燃焼して過熱蒸気爆発力＋燃焼ガス爆発力に分割する各種エネルギ保存サイクル合体機関。
【請求項２４５５】
前記合体機関飛行機（３８Ａ）に合体機関燃焼部（２９Ｃ）を搭載して限り無く高圧燃焼熱交換冷却燃焼して過熱蒸気爆発力＋燃焼ガス爆発力に分割する各種エネルギ保存サイクル合体機関。
【請求項２４５６】
前記合体機関飛行機（３８Ａ）に合体機関燃焼部（２９Ｄ）を搭載して限り無く高圧燃焼熱交換冷却燃焼して過熱蒸気爆発力＋燃焼ガス爆発力に分割する各種エネルギ保存サイクル合体機関。
【請求項２４５７】
前記合体機関飛行機（３８Ａ）に合体機関燃焼部（２９Ｅ）を搭載して限り無く高圧燃焼熱交換冷却燃焼して過熱蒸気爆発力＋燃焼ガス爆発力に分割する各種エネルギ保存サイクル合体機関。
【請求項２４５８】
前記合体機関飛行機（３８Ａ）に合体機関燃焼部（２９Ｆ）を搭載して限り無く高圧燃焼熱交換冷却燃焼して過熱蒸気爆発力＋燃焼ガス爆発力に分割する各種エネルギ保存サイクル合体機関。
【請求項２４５９】
前記合体機関飛行機（３８Ａ）に合体機関燃焼部（２９Ｇ）を搭載して限り無く高圧燃焼熱交換冷却燃焼して過熱蒸気爆発力＋燃焼ガス爆発力に分割する各種エネルギ保存サイクル合体機関。
【請求項２４６０】
前記合体機関飛行機（３８Ａ）に合体機関燃焼部（２９Ｈ）を搭載して限り無く高圧燃焼熱交換冷却燃焼して過熱蒸気爆発力＋燃焼ガス爆発力に分割する各種エネルギ保存サイクル合体機関。
【請求項２４６１】
前記空気噴射船舶（３８Ｂ）に合体機関燃焼部（２９Ａ）を搭載して限り無く高圧燃焼熱交換冷却燃焼して過熱蒸気爆発力＋燃焼ガス爆発力に分割する各種エネルギ保存サイクル合体機関。
【請求項２４６２】
前記空気噴射船舶（３８Ｂ）に合体機関燃焼部（２９Ｂ）を搭載して限り無く高圧燃焼熱交換冷却燃焼して過熱蒸気爆発力＋燃焼ガス爆発力に分割する各種エネルギ保存サイクル合体機関。
【請求項２４６３】
前記空気噴射船舶（３８Ｂ）に合体機関燃焼部（２９Ｃ）を搭載して限り無く高圧燃焼熱交換冷却燃焼して過熱蒸気爆発力＋燃焼ガス爆発力に分割する各種エネルギ保存サイクル合体機関。
【請求項２４６４】
前記空気噴射船舶（３８Ｂ）に合体機関燃焼部（２９Ｄ）を搭載して限り無く高圧燃焼熱交換冷却燃焼して過熱蒸気爆発力＋燃焼ガス爆発力に分割する各種エネルギ保存サイクル合体機関。
【請求項２４６５】
前記空気噴射船舶（３８Ｂ）に合体機関燃焼部（２９Ｅ）を搭載して限り無く高圧燃焼熱交換冷却燃焼して過熱蒸気爆発力＋燃焼ガス爆発力に分割する各種エネルギ保存サイクル合体機関。
【請求項２４６６】
前記空気噴射船舶（３８Ｂ）に合体機関燃焼部（２９Ｆ）を搭載して限り無く高圧燃焼熱交換冷却燃焼して過熱蒸気爆発力＋燃焼ガス爆発力に分割する各種エネルギ保存サイクル合体機関。
【請求項２４６７】
前記空気噴射船舶（３８Ｂ）に合体機関燃焼部（２９Ｇ）を搭載して限り無く高圧燃焼熱交換冷却燃焼して過熱蒸気爆発力＋燃焼ガス爆発力に分割する各種エネルギ保存サイクル合体機関。
【請求項２４６８】
前記空気噴射船舶（３８Ｂ）に合体機関燃焼部（２９Ｈ）を搭載して限り無く高圧燃焼熱交換冷却燃焼して過熱蒸気爆発力＋燃焼ガス爆発力に分割する各種エネルギ保存サイクル合体機関。
【請求項２４６９】
前記水噴射船舶（３８Ｃ）に合体機関燃焼部（２９Ａ）を搭載して限り無く高圧燃焼熱交換冷却燃焼して過熱蒸気爆発力＋燃焼ガス爆発力に分割する各種エネルギ保存サイクル合体機関。
【請求項２４７０】
前記水噴射船舶（３８Ｃ）に合体機関燃焼部（２９Ｂ）を搭載して限り無く高圧燃焼熱交換冷却燃焼して過熱蒸気爆発力＋燃焼ガス爆発力に分割する各種エネルギ保存サイクル合体機関。
【請求項２４７１】
前記水噴射船舶（３８Ｃ）に合体機関燃焼部（２９Ｃ）を搭載して限り無く高圧燃焼熱交換冷却燃焼して過熱蒸気爆発力＋燃焼ガス爆発力に分割する各種エネルギ保存サイクル合体機関。
【請求項２４７２】
前記水噴射船舶（３８Ｃ）に合体機関燃焼部（２９Ｄ）を搭載して限り無く高圧燃焼熱交換冷却燃焼して過熱蒸気爆発力＋燃焼ガス爆発力に分割する各種エネルギ保存サイクル合体機関。
【請求項２４７３】
前記水噴射船舶（３８Ｃ）に合体機関燃焼部（２９Ｅ）を搭載して限り無く高圧燃焼熱交換冷却燃焼して過熱蒸気爆発力＋燃焼ガス爆発力に分割する各種エネルギ保存サイクル合体機関。
【請求項２４７４】
前記水噴射船舶（３８Ｃ）に合体機関燃焼部（２９Ｆ）を搭載して限り無く高圧燃焼熱交換冷却燃焼して過熱蒸気爆発力＋燃焼ガス爆発力に分割する各種エネルギ保存サイクル合体機関。
【請求項２４７５】
前記水噴射船舶（３８Ｃ）に合体機関燃焼部（２９Ｇ）を搭載して限り無く高圧燃焼熱交換冷却燃焼して過熱蒸気爆発力＋燃焼ガス爆発力に分割する各種エネルギ保存サイクル合体機関。
【請求項２４７６】
前記水噴射船舶（３８Ｃ）に合体機関燃焼部（２９Ｈ）を搭載して限り無く高圧燃焼熱交換冷却燃焼して過熱蒸気爆発力＋燃焼ガス爆発力に分割する各種エネルギ保存サイクル合体機関。
【請求項２４７７】
前記撥水鍍金（３ａ）は公知技術により撥水作用を設ける各種エネルギ保存サイクル合体機関。
【請求項２４７８】
前記撥水鍍金（３ａ）は撥水性光沢鍍金により撥水作用を設ける各種エネルギ保存サイクル合体機関。
【請求項２４７９】
前記撥水鍍金（３ａ）は撥水性サテン鍍金により撥水作用を設ける各種エネルギ保存サイクル合体機関。
【請求項２４８０】
前記撥水鍍金（３ａ）は複合金鍍金皮膜により撥水作用を設ける各種エネルギ保存サイクル合体機関。
【請求項２４８１】
前記撥水鍍金（３ａ）は超撥水性複合鍍金皮膜により撥水作用を設ける各種エネルギ保存サイクル合体機関。
【請求項２４８２】
前記撥水鍍金（３ａ）は超撥水性皮膜により撥水作用を設ける各種エネルギ保存サイクル合体機関。
【請求項２４８３】
前記撥水鍍金（３ａ）は高耐久性高撥水性複合鍍金皮膜により撥水作用を設ける各種エネルギ保存サイクル合体機関。
【請求項２４８４】
前記撥水鍍金（３ａ）は公知技術により撥水作用を設けて摩擦損失を低減した水の混合噴射加速にする各種エネルギ保存サイクル合体機関。
【請求項２４８５】
前記撥水鍍金（３ａ）は撥水性光沢鍍金により撥水作用を設けて摩擦損失を低減した水の混合噴射加速にする各種エネルギ保存サイクル合体機関。
【請求項２４８６】
前記撥水鍍金（３ａ）は撥水性サテン鍍金により撥水作用を設けて摩擦損失を低減した水の混合噴射加速にする各種エネルギ保存サイクル合体機関。
【請求項２４８７】
前記撥水鍍金（３ａ）は複合金鍍金皮膜により撥水作用を設けて摩擦損失を低減した水の混合噴射加速にする各種エネルギ保存サイクル合体機関。
【請求項２４８８】
前記撥水鍍金（３ａ）は超撥水性複合鍍金皮膜により撥水作用を設けて摩擦損失を低減した水の混合噴射加速にする各種エネルギ保存サイクル合体機関。
【請求項２４８９】
前記撥水鍍金（３ａ）は超撥水性皮膜により撥水作用を設けて摩擦損失を低減した水の混合噴射加速にする各種エネルギ保存サイクル合体機関。
【請求項２４９０】
前記撥水鍍金（３ａ）は高耐久性高撥水性複合鍍金皮膜により撥水作用を設けて摩擦損失を低減した水の混合噴射加速にする各種エネルギ保存サイクル合体機関。
【請求項２４９１】
前記撥水鍍金（３ａ）は公知技術により撥水作用を設けて摩擦損失を低減した水の混合噴射加速にした弾み車タービン（８）の回転出力にする各種エネルギ保存サイクル合体機関。
【請求項２４９２】
前記撥水鍍金（３ａ）は撥水性光沢鍍金により撥水作用を設けて摩擦損失を低減した水の混合噴射加速にした弾み車タービン（８）の回転出力にする各種エネルギ保存サイクル合体機関。
【請求項２４９３】
前記撥水鍍金（３ａ）は撥水性サテン鍍金により撥水作用を設けて摩擦損失を低減した水の混合噴射加速にした弾み車タービン（８）の回転出力にする各種エネルギ保存サイクル合体機関。
【請求項２４９４】
前記撥水鍍金（３ａ）は複合金鍍金皮膜により撥水作用を設けて摩擦損失を低減した水の混合噴射加速にした弾み車タービン（８）の回転出力にする各種エネルギ保存サイクル合体機関。
【請求項２４９５】
前記撥水鍍金（３ａ）は超撥水性複合鍍金皮膜により撥水作用を設けて摩擦損失を低減した水の混合噴射加速にした弾み車タービン（８）の回転出力にする各種エネルギ保存サイクル合体機関。
【請求項２４９６】
前記撥水鍍金（３ａ）は超撥水性皮膜により撥水作用を設けて摩擦損失を低減した水の混合噴射加速にした弾み車タービン（８）の回転出力にする各種エネルギ保存サイクル合体機関。
【請求項２４９７】
前記撥水鍍金（３ａ）は高耐久性高撥水性複合鍍金皮膜により撥水作用を設けて摩擦損失を低減した水の混合噴射加速にした弾み車タービン（８）の回転出力にする各種エネルギ保存サイクル合体機関。
【請求項２４９８】
前記撥水鍍金（３ａ）は公知技術により撥水作用を設けて摩擦損失を低減した水の混合噴射加速にし、撥水作用により摩擦損失を低減した弾み車タービン（８）の回転出力にする各種エネルギ保存サイクル合体機関。
【請求項２４９９】
前記撥水鍍金（３ａ）は撥水性光沢鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５００】
前記撥水鍍金（３ａ）は撥水性サテン鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５０１】
前記撥水鍍金（３ａ）は複合金鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５０２】
前記撥水鍍金（３ａ）は超撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５０３】
前記撥水鍍金（３ａ）は超撥水性皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５０４】
前記撥水鍍金（３ａ）は高耐久性高撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関
【請求項２５０５】
前記撥水鍍金（３ａ）は公知技術により撥水作用を設けて摩擦損失を低減した噴射推進出力にする各種エネルギ保存サイクル合体機関。
【請求項２５０６】
前記撥水鍍金（３ａ）は撥水性光沢鍍金により撥水作用を設けて摩擦損失を低減した噴射推進出力にする各種エネルギ保存サイクル合体機関。
【請求項２５０７】
前記撥水鍍金（３ａ）は撥水性サテン鍍金により撥水作用を設けて摩擦損失を低減した噴射推進出力にする各種エネルギ保存サイクル合体機関。
【請求項２５０８】
前記撥水鍍金（３ａ）は複合金鍍金皮膜により撥水作用を設けて摩擦損失を低減した噴射推進出力にする各種エネルギ保存サイクル合体機関。
【請求項２５０９】
前記撥水鍍金（３ａ）は超撥水性複合鍍金皮膜により撥水作用を設けて摩擦損失を低減した噴射推進出力にする各種エネルギ保存サイクル合体機関。
【請求項２５１０】
前記撥水鍍金（３ａ）は超撥水性皮膜により撥水作用を設けて摩擦損失を低減した噴射推進出力にする各種エネルギ保存サイクル合体機関。
【請求項２５１１】
前記撥水鍍金（３ａ）は高耐久性高撥水性複合鍍金皮膜により撥水作用を設けて摩擦損失を低減した噴射推進出力にする各種エネルギ保存サイクル合体機関。
【請求項２５１２】
前記撥水鍍金（３ａ）は凹凸面と公知技術により撥水作用を設ける各種エネルギ保存サイクル合体機関。
【請求項２５１３】
前記撥水鍍金（３ａ）は凹凸面と撥水性光沢鍍金により撥水作用を設ける各種エネルギ保存サイクル合体機関。
【請求項２５１４】
前記撥水鍍金（３ａ）は凹凸面と撥水性サテン鍍金により撥水作用を設ける各種エネルギ保存サイクル合体機関。
【請求項２５１５】
前記撥水鍍金（３ａ）は凹凸面と複合金鍍金皮膜により撥水作用を設ける各種エネルギ保存サイクル合体機関。
【請求項２５１６】
前記撥水鍍金（３ａ）は凹凸面と超撥水性複合鍍金皮膜により撥水作用を設ける各種エネルギ保存サイクル合体機関。
【請求項２５１７】
前記撥水鍍金（３ａ）は凹凸面と超撥水性皮膜により撥水作用を設ける各種エネルギ保存サイクル合体機関。
【請求項２５１８】
前記撥水鍍金（３ａ）は凹凸面と高耐久性高撥水性複合鍍金皮膜により撥水作用を設ける各種エネルギ保存サイクル合体機関。
【請求項２５１９】
前記撥水鍍金（３ａ）は凹凸面と公知技術により撥水作用を設けて摩擦損失を低減した水の混合噴射加速にする各種エネルギ保存サイクル合体機関。
【請求項２５２０】
前記撥水鍍金（３ａ）は凹凸面と撥水性光沢鍍金により撥水作用を設けて摩擦損失を低減した水の混合噴射加速にする各種エネルギ保存サイクル合体機関。
【請求項２５２１】
前記撥水鍍金（３ａ）は凹凸面と撥水性サテン鍍金により撥水作用を設けて摩擦損失を低減した水の混合噴射加速にする各種エネルギ保存サイクル合体機関。
【請求項２５２２】
前記撥水鍍金（３ａ）は凹凸面と複合金鍍金皮膜により撥水作用を設けて摩擦損失を低減した水の混合噴射加速にする各種エネルギ保存サイクル合体機関。
【請求項２５２３】
前記撥水鍍金（３ａ）は凹凸面と超撥水性複合鍍金皮膜により撥水作用を設けて摩擦損失を低減した水の混合噴射加速にする各種エネルギ保存サイクル合体機関。
【請求項２５２４】
前記撥水鍍金（３ａ）は凹凸面と超撥水性皮膜により撥水作用を設けて摩擦損失を低減した水の混合噴射加速にする各種エネルギ保存サイクル合体機関。
【請求項２５２５】
前記撥水鍍金（３ａ）は凹凸面と高耐久性高撥水性複合鍍金皮膜により撥水作用を設けて摩擦損失を低減した水の混合噴射加速にする各種エネルギ保存サイクル合体機関。
【請求項２５２６】
前記撥水鍍金（３ａ）は凹凸面と公知技術により撥水作用を設けて摩擦損失を低減した水の混合噴射加速にした弾み車タービン（８）の回転出力にする各種エネルギ保存サイクル合体機関。
【請求項２５２７】
前記撥水鍍金（３ａ）は凹凸面と撥水性光沢鍍金により撥水作用を設けて摩擦損失を低減した水の混合噴射加速にした弾み車タービン（８）の回転出力にする各種エネルギ保存サイクル合体機関。
【請求項２５２８】
前記撥水鍍金（３ａ）は凹凸面と撥水性サテン鍍金により撥水作用を設けて摩擦損失を低減した水の混合噴射加速にした弾み車タービン（８）の回転出力にする各種エネルギ保存サイクル合体機関。
【請求項２５２９】
前記撥水鍍金（３ａ）は凹凸面と複合金鍍金皮膜により撥水作用を設けて摩擦損失を低減した水の混合噴射加速にした弾み車タービン（８）の回転出力にする各種エネルギ保存サイクル合体機関。
【請求項２５３０】
前記撥水鍍金（３ａ）は凹凸面と超撥水性複合鍍金皮膜により撥水作用を設けて摩擦損失を低減した水の混合噴射加速にした弾み車タービン（８）の回転出力にする各種エネルギ保存サイクル合体機関。
【請求項２５３１】
前記撥水鍍金（３ａ）は凹凸面と超撥水性皮膜により撥水作用を設けて摩擦損失を低減した水の混合噴射加速にした弾み車タービン（８）の回転出力にする各種エネルギ保存サイクル合体機関。
【請求項２５３２】
前記撥水鍍金（３ａ）は凹凸面と高耐久性高撥水性複合鍍金皮膜により撥水作用を設けて摩擦損失を低減した水の混合噴射加速にした弾み車タービン（８）の回転出力にする各種エネルギ保存サイクル合体機関。
【請求項２５３３】
前記撥水鍍金（３ａ）は凹凸面と公知技術により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５３４】
前記撥水鍍金（３ａ）は凹凸面と撥水性光沢鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５３５】
前記撥水鍍金（３ａ）は凹凸面と撥水性サテン鍍金により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５３６】
前記撥水鍍金（３ａ）は凹凸面と複合金鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５３７】
前記撥水鍍金（３ａ）は凹凸面と超撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５３８】
前記撥水鍍金（３ａ）は凹凸面と超撥水性皮膜により撥水作用を設けて摩擦損失を低減した水の混合噴射加速にし、撥水作用により摩擦損失を低減した弾み車タービン（８）の回転出力にする各種エネルギ保存サイクル合体機関。
【請求項２５３９】
前記撥水鍍金（３ａ）は凹凸面と高耐久性高撥水性複合鍍金皮膜により撥水作用を設けて摩擦損失を低減した水の混合噴射加速にし、撥水作用により摩擦損失を低減した弾み車タービン（８）の回転出力にする各種エネルギ保存サイクル合体機関
【請求項２５４０】
前記撥水鍍金（３ａ）は凹凸面と公知技術により撥水作用を設けて摩擦損失を低減した噴射推進出力にする各種エネルギ保存サイクル合体機関。
【請求項２５４１】
前記撥水鍍金（３ａ）は凹凸面と撥水性光沢鍍金により撥水作用を設けて摩擦損失を低減した噴射推進出力にする各種エネルギ保存サイクル合体機関。
【請求項２５４２】
前記撥水鍍金（３ａ）は凹凸面と撥水性サテン鍍金により撥水作用を設けて摩擦損失を低減した噴射推進出力にする各種エネルギ保存サイクル合体機関。
【請求項２５４３】
前記撥水鍍金（３ａ）は凹凸面と複合金鍍金皮膜により撥水作用を設けて摩擦損失を低減した噴射推進出力にする各種エネルギ保存サイクル合体機関。
【請求項２５４４】
前記撥水鍍金（３ａ）は凹凸面と超撥水性複合鍍金皮膜により撥水作用を設けて摩擦損失を低減した噴射推進出力にする各種エネルギ保存サイクル合体機関。
【請求項２５４５】
前記撥水鍍金（３ａ）は凹凸面と超撥水性皮膜により撥水作用を設けて摩擦損失を低減した噴射推進出力にする各種エネルギ保存サイクル合体機関。
【請求項２５４６】
前記撥水鍍金（３ａ）は凹凸面と高耐久性高撥水性複合鍍金皮膜により撥水作用を設けて摩擦損失を低減した噴射推進出力にする各種エネルギ保存サイクル合体機関。
【請求項２５４７】
前記加熱高温手段（１０１）は公知技術により加熱高温にする各種エネルギ保存サイクル合体機関。
【請求項２５４８】
前記加熱高温手段（１０１）は電気抵抗により加熱高温にする各種エネルギ保存サイクル合体機関。
【請求項２５４９】
前記加熱高温手段（１０１）は電磁加熱により加熱高温にする各種エネルギ保存サイクル合体機関。
【請求項２５５０】
前記加熱高温手段（１０１）は公知技術による加熱高温気化膜により摩擦損失を低減する各種エネルギ保存サイクル合体機関。
【請求項２５５１】
前記加熱高温手段（１０１）は電気抵抗による加熱高温気化膜により摩擦損失を低減する各種エネルギ保存サイクル合体機関。
【請求項２５５２】
前記加熱高温手段（１０１）は電磁加熱による加熱高温気化膜により摩擦損失を低減する各種エネルギ保存サイクル合体機関。
【請求項２５５３】
前記加熱高温手段（１０１）は公知技術による加熱高温気化膜により摩擦損失を低減した水の混合噴射加速にする各種エネルギ保存サイクル合体機関。
【請求項２５５４】
前記加熱高温手段（１０１）は電気抵抗による加熱高温気化膜により摩擦損失を低減した水の混合噴射加速にする各種エネルギ保存サイクル合体機関。
【請求項２５５５】
前記加熱高温手段（１０１）は電磁加熱による加熱高温気化膜により摩擦損失を低減した水の混合噴射加速にする各種エネルギ保存サイクル合体機関。
【請求項２５５６】
前記加熱高温手段（１０１）は公知技術による加熱高温気化膜により摩擦損失を低減した水の混合噴射加速にして回転出力を発生する各種エネルギ保存サイクル合体機関。
【請求項２５５７】
前記加熱高温手段（１０１）は電気抵抗による加熱高温気化膜により摩擦損失を低減した水の混合噴射加速にして回転出力を発生する各種エネルギ保存サイクル合体機関。
【請求項２５５８】
前記加熱高温手段（１０１）は電磁加熱による加熱高温気化膜により摩擦損失を低減した水の混合噴射加速にして回転出力を発生する各種エネルギ保存サイクル合体機関。
【請求項２５５９】
前記加熱高温手段（１０１）は公知技術による加熱高温気化膜により摩擦損失を低減した水の混合噴射加速にして弾み車タービン（８）の回転出力を発生する各種エネルギ保存サイクル合体機関。
【請求項２５６０】
前記加熱高温手段（１０１）は電気抵抗による加熱高温気化膜により摩擦損失を低減した水の混合噴射加速にして弾み車タービン（８）の回転出力を発生する各種エネルギ保存サイクル合体機関。
【請求項２５６１】
前記加熱高温手段（１０１）は電磁加熱による加熱高温気化膜により摩擦損失を低減した水の混合噴射加速にして弾み車タービン（８）の回転出力を発生する各種エネルギ保存サイクル合体機関。
【請求項２５６２】
前記加熱高温手段（１０１）は公知技術による加熱高温気化膜により摩擦損失を低減した水の混合噴射加速にし、加熱高温気化膜により摩擦損失を低減した弾み車タービン（８）の回転出力を発生する各種エネルギ保存サイクル合体機関。
【請求項２５６３】
前記加熱高温手段（１０１）は電気抵抗による加熱高温気化膜により摩擦損失を低減した水の混合噴射加速にし、加熱高温気化膜により摩擦損失を低減した弾み車タービン（８）の回転出力を発生する各種エネルギ保存サイクル合体機関。
【請求項２５６４】
前記加熱高温手段（１０１）は電磁加熱による加熱高温気化膜により摩擦損失を低減した水の混合噴射加速にし、加熱高温気化膜により摩擦損失を低減した弾み車タービン（８）の回転出力を発生する各種エネルギ保存サイクル合体機関。
【請求項２５６５】
前記加熱高温手段（１０１）は公知技術による加熱高温気化膜により摩擦損失を低減した水の混合噴射加速にした噴射推進出力にする各種エネルギ保存サイクル合体機関。
【請求項２５６６】
前記加熱高温手段（１０１）は電気抵抗による加熱高温気化膜により摩擦損失を低減した水の混合噴射加速にした噴射推進出力にする各種エネルギ保存サイクル合体機関。
【請求項２５６７】
前記加熱高温手段（１０１）は電磁加熱による加熱高温気化膜により摩擦損失を低減した水の混合噴射加速にした噴射推進出力にする各種エネルギ保存サイクル合体機関。
【請求項２５６８】
前記各種エネルギ保存サイクル合体機関は、該発電した電気の蓄電池で駆動する装置の種類を問わないことを特徴とする各種エネルギ保存サイクル合体機関。
【請求項２５６９】
前記各種エネルギ保存サイクル合体機関は、該回転力で駆動する装置の種類を問わないことを特徴とする各種エネルギ保存サイクル合体機関。
【請求項２５７０】
前記各種エネルギ保存サイクル合体機関は、該回転力や噴射推進力で駆動する装置の種類を問わないことを特徴とする各種エネルギ保存サイクル合体機関。
【請求項２５７１】
前記弾み車タービン（８）（８）を弾み車タービン（８）として使用する各種エネルギ保存サイクル合体機関。
【請求項２５７２】
前記弾み車タービン（８）を弾み車蒸気タービン（８ｂ）＋弾み車ガスタービン（８ａ）として使用する各種エネルギ保存サイクル合体機関。
【請求項２５７３】
前記各種エネルギ保存サイクル合体機関で燃焼させる燃料は、重油・軽油・水素・メタノール・メタン・ガソリン・天然ガス・プロパンガス・アルコールの何れかにしたことを特徴とする各種エネルギ保存サイクル合体機関。
【請求項２５７４】
前記各種エネルギ保存サイクル合体機関で燃焼させる燃料は、重油・軽油・水素・メタノール・メタン・ガソリン・天然ガス・プロパンガス・アルコールの何れか１以上にしたことを特徴とする各種エネルギ保存サイクル合体機関。
【請求項２５７５】
前記各種エネルギ保存サイクル合体機関で燃焼させる燃料は種類を問わないことを特徴とする各種エネルギ保存サイクル合体機関。
【発明の詳細な説明】
【技術分野】
【０００１】
本発明は既存往復機関技術が、回転出力を発生で充分な頃の時代遅れの発明の改良で、熱変換も重力も重力加速度も利用しない容積利用で、大気圧質量が水の１／１０００の燃焼ガスを静圧作用させて回転出力を発生させる無茶苦茶をして、回転出力を発生しない死点や死点近傍で最大の熱エネルギを放出し、死点後９０度の回転出力発生の絶好機には放出熱エネルギを１／６等に低減する無茶苦茶をして、仮説発電量や出力を１／１０００等に近付けて、燃料電池や風力発電と競合する理由を明快に説明するため、アイディアを仮説数字で説明するが正解は実験数値として仮説数字に限定しない技術に関する。
【０００２】
図１図２図３図４図５の各種合体機関燃焼部２９Ｘ等を使用し、例えば既存の往復機関を圧縮専用のエネルギ保存圧縮機２０Ａとしてピストン頂部隙間を０に近付け、１／５０Ｘ１／５０Ｘ１／５０＝１／１２５０００容積圧縮空気を可能とし、熱回収量を用途に合せて最適にして使用する各種エネルギ保存サイクル合体機関として、縮径主燃焼室兼熱交換器１を一方向流路とし、例えばその内径を拡径圧縮室の１／７等に縮径して、拡径ピストン２１の行程容積の１／４９行程容積等限り無く高圧燃焼が可能な、小径長大の縮径主燃焼室兼熱交換器１内長時間熱交換冷却燃焼とし、熱回収量を最大の燃焼温度の障害を最低にして、最高燃焼圧力や空気圧縮圧力を限り無く上昇可能にし、送水ポンプ兼磁気摩擦動力伝達装置５５や既存技術等により限り無く高圧の圧縮水として、用途に合せた熱回収量や温度の超高圧過熱蒸気爆発力（燃焼ガス熱量出力）＋用途に合せた温度の超高圧燃焼ガス爆発力（燃焼ガス質量出力）に分割する技術に関する。
【０００３】
図１図２図３図４図５の発電用や自動車等の回転出力で、水道水温熱５２ｄや水道水冷熱５２ｅの需要量が変化する用途では、例えば過熱蒸気噴射ノズル６Ｉ＋燃焼ガス噴射ノズル６Ｊの、最適温度過熱蒸気５０爆発力＋最適温度燃焼ガス４９爆発力と、夫々の霧吹きの原理により用途に合せた水を混合噴射加速して、微細凹凸面と撥水鍍金３ａや加熱高温手段１０１で撥水作用や気化膜を設けると共に、蒸気マイクロバブルや燃焼ガスマイクロバブルで用途に合せて摩擦損失を低減し、夫々の水速度を例えば４００ＭＰａ爆発速度に近付けて最適減速して、超高圧水噴射により大気圧重力仕事能力を燃焼ガスの１０００倍に近付けて、対向無接触接近乃至噛合わせて同期させて具備した弾み車タービン８・８乃至、弾み車タービン８の死点後９０度に連続噴射して、既存往復機関死点後９０度１ＭＰａＸ燃焼ガス質量断続静圧駆動を、死点後９０度４００ＭＰａＸ１０００倍水質量連続動圧駆動＝既存往復機関の４０００００倍以下大気圧重力仕事能力で死点後９０度連続動圧駆動し、同一燃料消費量既存往復機関の１０００倍回転出力に近付ける技術に関する。
【０００４】
既存の自動車等は使用熱量略全部をＣＯ２等として高温排気して、地球温暖化を加速しており、中国等の参入により地球温暖化速度は１０倍に近付き、異常気象の２倍を越える集中豪雨や風速災害により、農作食物全滅や災難による人類絶滅の危険が増大します。そこで図１図２図３図４図５の内自動車等では、水道水温熱５２ｄや水道水冷熱５２ｅの回収を用途に合せて僅少等にする、燃焼ガス噴射ノズル６ｊ等の最適温度燃焼ガス４９爆発力と霧吹きの原理により、高温水溜９５や水溜９５ｂの用途に合わせた水温度の、水道水や水道水温熱５２ｄを混合噴射加速して、凹凸面と撥水鍍金３ａや加熱高温手段１０１により撥水作用や気化膜で摩擦損失を低減し、同様にして摩擦損失を低減した弾み車ガスタービン８ａ・８ａ乃至、弾み車タービン８ａを駆動して回転出力を発生し、排気の過程で燃焼ガス排気全部を水道水等に溶解して、燃焼ガス溶解水５２ｇとして貯蔵利用乃至排水し、ＣＯ２等燃焼ガス排気０を狙う技術に関する。
【０００５】
既存の原子力発電所や火力発電所は使用熱量全部で海水温度を上昇しており、中国等の参入により海水温度上昇速度は１０倍に近付き、海水温度は限り無く上昇してメタンハイドレートの大分解が始まると制御不可能なため、異常気象により人類絶滅の危険が増大します。そこで過熱蒸気噴射ノズル６Ｉの過熱蒸気５０爆発力と霧吹きの原理により、高温水５２ｂを混合噴射加速して、超臨界圧力過熱蒸気爆発速度をタービン周速度近傍の高温水５２ｂ速度に減速し、大気圧重力仕事能力が燃焼ガスの１０００倍の高温水５２ｂ質量を燃焼ガスの１０００倍に近付けて、重力仕事能力を既存往復機関の４０００００倍に近付け、弾み車蒸気タービン８ｂ・８ｂ乃至弾み車タービン８ｂを駆動して、既存往復機関の１０００倍仮説発電出力に近付けて排気の過程で、使用熱量全部を気化熱空気回収器２Ｂ・気化熱水回収器２ｂにより熱交換回収し、熱回収した１００度Ｃ以上の吸入空気を予圧圧縮機に供給して、熱回収した１００度Ｃ以上の水道水温熱５２ｄを燃焼ガス噴射ノズル６Ｊ又は６Ｄの高温水溜９５に供給する等とし、用途に合せた水道水冷熱５２ｅ回収量にする技術に関する。
【０００６】
始動時には図にない既存技術始動電動機兼発電機等により、図１図５のクランク軸１６・１６・１６等を回転して、空気圧縮専用の予圧圧縮機を含む拡径ビストン２１・２１・２１等を往復させて、吸入過程で気化熱空気回収器２Ｂで熱回収した１００度Ｃ以上等の空気を図１と同様に予圧圧縮し、縮径主燃焼室熱交換器２を予圧圧縮室熱交換器２Ａとして熱交換熱回収して、廃熱を過熱蒸気５０として極限まで有効利用することで水道水温熱５２ｄの増大を最少とし、その最低温度高圧予圧空気を吸気弁２８より吸入圧縮して、例えば１／５０Ｘ１／５０Ｘ１／５０＝１／１２５０００容積圧縮空気等とし、一方向流れの縮径主燃焼室兼熱交換器１で、用途に合せて限り無く高圧燃焼熱交換冷却燃焼して、最適温度燃焼ガス４９の爆発圧力の限りない上昇により、例えば５００度Ｃ４００ＭＰａ過熱蒸気爆発力＋８００度Ｃ前後２００ＭＰａ燃焼ガス爆発力に分割し、同一燃料消費量既存技術の１０００倍回転出力や噴射推進出力に近付ける技術に関する。
【０００７】
図１図２圧縮行程では大幅に高圧圧縮熱回収冷却した低温空気を、逆止弁９７を含む一方向空気流路９より、一方向流路の縮径主燃焼室兼熱交換器１に空気噴射して、燃料噴射電磁弁７ｃや既存技術により燃料噴射して空気と攪拌混合し、既存技術着火装置１０２により着火燃焼して、縮径主燃焼室兼熱交換器１の燃焼圧力を用途に合せて限り無く上昇し、用途に合せて熱交換冷却燃焼して、用途により気化熱水回収器２ｂ＋気化熱空気回収器２Ｂ及び、例えば８００度Ｃ燃焼ガスや水道水温熱５２ｄによる吸気の加熱等で増量した、４００ＭＰａ過熱蒸気爆発力＋２００ＭＰａ燃焼ガス爆発力に分割し、過熱蒸気噴射ノズル６Ｉ等＋燃焼ガス噴射ノズル６Ｄ等により、高温水５２ｂ＋水道水温熱５２ｄを、過熱蒸気５０爆発力＋燃焼ガス４９爆発力と夫々の霧吹きの原理により夫々混合噴射加速して、夫々の爆発力質量の増大により大気圧重力仕事能力を燃焼ガスの１０００倍に近付け、真空中では落差や出力を大幅に増大した回転出力や噴射推進出力にする技術に関する。
【０００８】
図１の縮径主燃焼室兼熱交換器１内の燃焼ガス４９の圧力上昇時に、燃焼ガス制御弁２４を開放制御して、用途により図４の円筒状燃焼ガス溜９５ａに供給し、燃焼ガス噴射ノズル６Ｄの低温２００ＭＰａ等の燃焼ガス４９爆発力と霧吹きの原理により、１以上の複雑帯状の水溜９５ｂの、１以上の冷水噴射ノズル６Ｇの水５２ａ乃至冷水５２ｈを混合噴射加速し、燃焼ガス爆発力により水を溝状又は円形状又は楕円状に吸引膨張させる過程でノズル噴射部６ａを、弾み車ガスタービン８ａ・８ａの中間に最適噴射するノズル噴射部６ａ形状に移行して、燃焼ガスマイクロバブルを発生させて摩擦損失を低減し、凹凸面や撥水鍍金３ａにより反発力や撥水作用を増大して、用途に合わせて燃焼ガス噴射ノズルと水との間の摩擦損失を低減し、同様に弾み車ガスタービン８ａ・８ａと水との間の摩擦損失を低減して、回転出力を発生させる技術に関する。
【０００９】
図４燃焼ガス噴射ノズル内では火薬爆発機関銃の弾丸や吹雪のように水を加速して、垂直噴射等により重力慣性力や重力加速度の利用を用途に合せて最大にすると共に、大気圧重力仕事能力が燃焼ガスの１０００倍の水質量を、１以上の長大等の複雑帯状の水溜９５ｂの１以上多数の冷水噴射ノズル６Ｇにより混合噴射加速して、燃焼ガスの１０００倍水質量に近付けて、タービン周速度近傍に減速し、燃焼ガス噴射ノズル６Ｄのノズル噴射部６ａを、弾み車ガスタービン８ａ・８ａの長さやタービン翼８ｃの長さに合せて長大小幅に形成して、弾み車ガスタービン８ａ・８ａに噴射して回転出力を発生し、燃焼ガス排気温度を−２７３度Ｃに近付け、燃焼ガス排気温度全部を０度Ｃ近傍の水道水冷熱５２ｅとして回収貯蔵して、発電の副産物の水道水冷熱を需要家に供給販売すると共に、水道水冷熱５２ｅを利用して電力消費１／１０等を狙う業務用や家庭用の、冷房設備機器や冷凍設備機器や冷蔵設備機器や製氷設備機器等を製造販売する技術に関する。
【００１０】
図４燃焼ガス質量回転出力発生の過程や水道水冷熱５２ｅ回収の過程で、燃焼ガスを３０〜３００倍質量等の燃焼ガス質量出力発生水に、窒素やＣＯ２等も溶解する物質を混入し、水５２ａに窒素やＣＯ２等も溶解して燃焼ガス溶解水５２ｇにして、溶解容易なＣＯ２を含めて燃焼ガス排気を０に近付け、水道水冷熱５２ｅ回収後は、燃焼ガス溶解水５２ｇを増大して燃焼ガス排気０を狙います。そして燃焼ガス溶解水５２ｇを泥土や植物片や残飯等に固定して肥料にする過程で、バイオガスを発生させて発電燃料とし、バイオ肥料を増産して農作物の増産を図ると共に、膨大過ぎる燃焼ガス溶解水５２ｇは海水に供給して、海水を冷却する過程で、酸素等の空気も吸引して海水を冷却し、ＣＯ２や酸素や窒素等を必要として分解合成吸収等する、植物プランクトンの珪藻等の微生物や海藻類をあらゆる手段を駆使して増殖して、魚介類や海草類等の食料増産等を図る技術に関する。
【００１１】
図１給水管３の燃焼ガス熱量出力の過熱蒸気５０の圧力温度増大上昇時に、過熱蒸気制御弁２５を開放制御して、図４の１以上の筒状過熱蒸気溜９５ｃに過熱蒸気５０を供給し、過熱蒸気噴射ノズル６Ａ６Ｂ６Ｉ等の過熱蒸気５０爆発力と霧吹きの原理により、１以上の複雑帯状の高温水溜９５の、１以上の水噴射ノズル６Ｅの１００度Ｃ近傍の高温水５２ｂを混合噴射加速し、過熱蒸気により高温水を溝状又は円形状又は楕円状に吸引膨張させる過程で、弾み車蒸気タービン８ｂ・８ｂの中間叉は弾み車タービン８ｂの垂直接線方向等に最適噴射する、長方形のノズル噴射部６ａ形状に移行して、過熱蒸気マイクロバブルを発生させて摩擦損失を低減し、加熱高温手段１０１や凹凸面と撥水鍍金３ａ等により、加熱高温気化膜や撥水作用として、用途に合せて過熱蒸気噴射ノズルと水との間の摩擦損失を低減し、同様に弾み車蒸気タービン８ｂ・８ｂと水との間の摩擦損失を低減して、回転出力や噴射推進出力を発生する技術に関する。
【００１２】
大気圧重力仕事能力が燃焼ガスの１０００倍の水噴射質量を、１以上の長大複雑帯状等の高温水溜９５の１以上の水噴射ノズル６Ｅより混合噴射加速して、限りない高圧噴射により燃焼ガスの１０００倍噴射質量に近付けて、過熱蒸気噴射ノズル内では火薬爆発機関銃の弾丸や吹雪のように高温水５２ｂを混合噴射加速し、垂直噴射等により重力加速度の利用を最大に近付けると共に、水噴射速度をタービン周速度近傍に減速し、過熱蒸気噴射ノズル６Ｉ等のノズル噴射部６ａを、弾み車蒸気タービン８ｂ・８ｂの長さや、タービン翼８ｃ・８ｃの噛み合い長さに合せて長大小幅に形成して、弾み車蒸気タービン８ｂ・８ｂの中間タービン翼８ｃ・８ｃに噴射し、既存往復機関最大の欠点の死点を皆無にして、既存往復機関死点後９０度１ＭＰａＸ燃焼ガス質量断続静圧駆動を（死点後９０度４００ＭＰａＸ１０００倍水質量連続動圧駆動＝既存往復機関の４０００００倍大気圧重力仕事能力で死点後９０度連続動圧駆動）とし、同一燃料消費量既存往復機関の１０００倍発電量乃至回転出力乃至噴射推進出力を狙う技術に関する。
【００１３】
回転出力発生全出力の排気の過程では大気圧近傍まで使用とし、燃焼ガス熱量出力の排気と燃焼ガス質量出力の排気を分離して、燃焼ガス熱量出力の過熱蒸気５０排気は、図１の空気抽出器５１により用途に合せた排気圧力や真空度を調整して、気化熱水回収器２ｂの水道水等で熱回収して凝縮水温度を増減し、１００度Ｃ前後の高温水５２ｂと凝縮水５２ｆを隔壁９０ａにより分離回収して、高温水５２ｂを高温水溜９５に循環供給し、凝縮水５２ｆを縮径主燃焼室熱交換器２に循環供給して、超臨界圧力等の過熱蒸気５０爆発力に変換し、気化熱水回収器２ｂの冷却水に水道水５２ｃを使用して、圧縮空気保有熱量を含む使用熱量全部の凝縮熱から、１００度Ｃ前後の水道水温熱５２ｄを回収貯蔵し、発電の副産物の水道水温熱５２ｄを需要家に供給販売すると共に、水道水温熱を利用して電力消費１／１０等を狙う業務用や家庭用の、暖房設備機器や調理設備機器や洗濯乾燥機等の製造供給や、浴場や温水プール等に供給販売すると共に、水不足地帯では海水を蒸留して供給販売する等、発電の副産物を海水淡水化事業等各種用途に使用する技術に関する。
【００１４】
図６図７の空気吸引噴射推進合体機関飛行機３８Ａの場合は、選択した合体機関燃焼部２９Ｘと合体機関噴射部７７Ｋを分離して、合体機関噴射部７７Ｋを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分により合体機関噴射部７７Ｋを駆動する過程では、夫々流線型過熱蒸気噴射ノズル６Ｉ等及び流線型燃焼ガス噴射ノズル６Ｊ等に供給した、過熱蒸気爆発力及び燃焼ガス爆発力と夫々の霧吹きの原理により、夫々の水噴射ノズル６Ｅに供給した水５２ａを混合噴射加速し、夫々のノズルと水の摩擦損失を用途に合せて低減して混合噴射加速して、夫々重力仕事能力を最適に増大して前方の空気を吸引噴射し、既存ジェット機の１０００倍噴射推進出力に近付けることで、垂直上昇垂直降下飛行全盛として、ビルの屋上等何処でも飛行場を狙う技術に関する。
【００１５】
図６図８の空気吸引噴射推進合体機関飛行機３８Ａの場合は、選択した合体機関燃焼部２９Ｘと合体機関噴射部７７Ｌを分離して、合体機関噴射部７７Ｌを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分により合体機関噴射部７７Ｌを駆動する過程では、流線型過熱蒸気燃焼ガス噴射ノズル６Ｘの過熱蒸気溜９５Ｃ及び燃焼ガス溜９５ａに供給した、過熱蒸気爆発力＋燃焼ガス爆発力と霧吹きの原理により、過熱蒸気温度を加減調整して含有させた高温水を混合噴射加速して、重力仕事能力を大気中や真空中では燃焼ガスの１０００倍や１００００倍に近付け、前方の空気や真空を吸引して空気中や真空中に噴射して、超音速マッハ３２の地球脱出速度以上等の噴射推進速度を可能にし、宇宙往還機や超音速飛行全盛を狙う技術に関する。
【００１６】
図７図９の空気噴射船舶３８Ｂの場合は、選択した合体機関燃焼部２９Ｘと合体機関噴射部７７Ｋを分離して、合体機関噴射部７７Ｋを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分により合体機関噴射部７７Ｋを駆動する過程では、流線型燃焼ガス噴射ノズル６Ｊ等に供給した燃焼ガス爆発力と霧吹きの原理により、水噴射ノズル６Ｅに供給した水５２ａを混合噴射加速し、流線型過熱蒸気噴射ノズル６Ｉに供給した過熱蒸気爆発力と霧吹きの原理により、水噴射ノズル６Ｅに供給した水５２ａを混合噴射加速して、夫々重力仕事能力を最適に増大して斜め上前方の空気を吸引して船底斜め下に噴射し、既存ジェット機の１０００倍噴射推進出力に近付けることで、乗客等の大重量を音速に近付けて海上輸送海上移動全盛を狙う技術に関する。
【００１７】
図１０図１１の水噴射船舶３８Ｃの場合は、選択した合体機関燃焼部２９Ｘとウォータージェット７７Ｍを分離して、ウォータージェット７７Ｍを極限まで簡単とし、合体機関燃焼部２９Ｘで例えば４００ＭＰａ過熱蒸気爆発力＋２００ＭＰａ燃焼ガス爆発力に分割して、その一部により合体機関燃焼部２９Ｘを駆動し、大部分によりウォータージェット７７Ｍを駆動する過程で、夫々ウォータージェット外箱７７Ｄ内に具備して、流線型燃焼ガス噴射ノズル６Ｊに供給した燃焼ガス４９爆発力と霧吹きの原理により、水噴射ノズル６Ｅに供給した水５２ａを混合噴射加速し、流線型過熱蒸気噴射ノズル６Ｉに供給した過熱蒸気５０爆発力と霧吹きの原理により、水噴射ノズル６Ｅに供給した水５２ａを混合噴射加速して、夫々重力仕事能力を最大に増大して噴射し、夫々船底前方の水を吸引して船底後方に噴射して、同一燃料量既存ウォータージェットの１０００倍噴射推進出力に近付けることで、水上翼３８ｇを複数の油圧シリンダー４８ａにより最適位置や形状に移動変形し、貨物船等大重量の超高速海上浮上輸送海上浮上移動全盛を狙う技術に関する。
【００１８】
図１０図１２の水噴射船舶３８Ｃの場合は、選択した合体機関燃焼部２９Ｘとウォータージェット７７Ｎを分離して、ウォータージェット７７Ｎを極限まで簡単とし、合体機関燃焼部２９Ｘで例えば４００ＭＰａ過熱蒸気爆発力＋２００ＭＰａ燃焼ガス爆発力に分割し、その一部により合体機関燃焼部２９Ｘを駆動して、大部分によりウォータージェット７７Ｎを駆動する過程で、流線型燃焼ガス噴射ノズル６Ｊに供給した燃焼ガス４９爆発力と霧吹きの原理により、水噴射ノズル６Ｅに供給した水５２ａを混合噴射加速し、流線型過熱蒸気噴射ノズル６Ｉに供給した過熱蒸気５０爆発力と霧吹きの原理により、水噴射ノズル６Ｅに供給した水５２ａを混合噴射加速して、夫々重力仕事能力を最大に増大して噴射し、夫々１以上の筒形外箱７７ｂと共に、夫々１以上のウォータージェット外箱７７Ｄ内に具備して、船底前方の水を吸引して船底後方に噴射し、同一燃料量既存ウォータージェットの１０００倍噴射推進出力に近付けることで、水上翼３８ｇを複数の油圧シリンダー４８ａにより最適位置や最適形状に移動変形し、貨物船等大重量の超高速海上浮上輸送海上浮上移動全盛を狙う技術に関する。
【背景技術】
【００１９】
既存ガソリン機関やディーゼル機関の技術は金儲けのため、回転出力を発生で充分な頃の時代遅れの発明を改良で、合理的な構成を全く考えない容積利用のため、排気温度も非常に高く、燃焼ガスの単位容積大気圧重力仕事能力が水の１／１０００前後と非常に僅少で、回転出力を発生しない死点や死点近傍で最大のエネルギを放出し、死点後９０度の回転力発生絶好機には１／６以下の圧力等に低下して、仮説回転出力を１／１０００に近付けておるのです。そこで限り無く高圧燃焼長時間熱交換冷却燃焼して、限り無く高圧の用途に合せた温度の過熱蒸気爆発力＋用途に合せた温度の燃焼ガス爆発力に分割し、夫々の爆発力と霧吹きの原理により夫々水を混合噴射加速して、弾み車タービン８・８叉は弾み車タービン８に噴射し、摩擦損失を低減した混合噴射加速や回転出力の発生として、既存往復機関最大の欠点の死点を皆無にし、例えば既存往復機関死点後９０度１ＭＰａＸ燃焼ガス質量断続静圧駆動を、死点後９０度４００ＭＰａＸ１０００倍水質量連続動圧駆動＝既存往復機関死点後９０度の４０００００倍大気圧重力仕事能力で駆動し、死点後９０度の絶好機に弾み車タービン８・８に連続噴射する技術完成が最大の急務です。
【００２０】
既存往復機関やガスタービンや蒸気タービン駆動の、各種自動車や各種船舶や各種飛行機や各種機械類や各種発電機や各種小型機械等から、京都議定書とは逆に膨大なＣＯ２等の排出増大が、中国等地球人口の大部分を占める途上国で急加速しており、特に火力発電所や原子力発電所では、使用した熱全部で海水温度を上昇して植物プランクトンを死滅させて、食料の動物プランクトンを死滅させ、例えば日本近海のマイワシ生息数を１／２００に激減し、海水温度の上昇速度を限り無く増大しており、地球温暖化の力がＣＯ２の２０倍の、メタンハイドレートの大分解が始まると制御不可能となり、ＣＯ２濃度の急上昇等予想を遥かに超える異常気象により、灼熱地球・人類滅亡を招きます。人類は集団自殺の末路に向かって急加速しており、仮説出力を１／１０００等に近付けた無茶苦茶過ぎる既存往復機関やガスタービンを全廃し、最大の緊急課題は、火力発電所や原子力発電所の海水温度上昇を０にするための、一刻も早い地球温暖化防止の行動開始が急がれます。
【００２１】
先行発明が皆無で先の出願として、往復機関の燃焼室を例えば１／７等に縮径した一方向流れの、縮径主燃焼室兼熱交換器を設けたエネルギ保存サイクル合体機関があります。
【特許文献１】米国特許第６１１９６５０号、中国特許第８８１８号、ＥＵ特許９０２１７５号、米国特許第６２６３６６４号、特願２０００−３３８７２５号、特願２０００−３４７６６３号、特願２００１−１０２９６４号、特願２００１−３３６１３９号、特願２００２−１９６０７号、特願２００２−１１８８７３号、特願２００２−２１６２２９号、特願２００２−２５７４３５号、特願２００２−３０２６５１号、特願２００２−３２６２４５号、特願２００３−１０６０９２号、特願２００３−３５０１９８号、特願２００３−３７５２７１号、特願２００４−０５０６３４号、特願２００４−０８２１５４号、特願２００４−２０４２９２号、特願２００４−２５１７４１号、特願２００４−２８１２２７号、特願２００４−２９３８１０号があります。
【発明の開示】
【発明が解決しようとする課題】
【００２２】
小学校理科の作用と反作用でも明白なように（同じ容積の燃焼ガスと水を噴射して同じ大きさの反動力を得るためには、水速度の１０００倍の燃焼ガス速度が必要です）即ち既存技術は１００余年発明皆無で、出力を発生で充分な頃発明した時代遅れの往復機関やタービンの改良では、余にも愚か過ぎます。既存ディーゼル機関やガソリン機関は、熱変換も重力慣性力も重力加速度も全く利用しない容積利用のため、「速度（落差）Ｘ質量（重力仕事率）＝仕事能力（出力源）」の、最も基本的な思考が完璧に阻止されており、思考を復活することで、大気圧重力仕事能力を燃焼ガスの１０００倍の水出力に近付け、ＣＯ２等の燃焼ガス排気も、水出力とすることで燃焼ガス溶解水の排水とし、仮説出力や仮説発電量を既存往復機関の１０００倍に近付けるのが急務となっております。
【００２３】
そこで全動翼圧縮機２０ｊや選択したエネルギ保存圧縮機２０Ｘや、既存技術で用途に合せて予圧した空気を、選択した合体機関燃焼部２９Ｘで圧縮し、図１一方向流路の縮径主燃焼室兼熱交換器１により、限り無く高圧燃焼長時間熱交換冷却燃焼して、限り無く高圧の燃焼ガス熱量出力＋燃焼ガス質量出力に分割します。そして燃焼ガス熱量出力を限り無く高圧の過熱蒸気５０爆発力にし、過熱蒸気噴射ノズル６Ａ６Ｂ６Ｉ等の、過熱蒸気爆発速度と霧吹きの原理により、１以上の水噴射ノズル６Ｅの水を摩擦損失最少で混合噴射加速して、限り無い高圧噴射により、大気圧重力仕事能力を燃焼ガスの１０００倍の水質量Ｘ速度に変換し、用途に合せて水質量を燃焼ガスの１０〜１０００倍質量等に増大することで、各種温度の水速度を最適速度に減速して、同一燃料消費量の大気圧重力仕事能力を燃焼ガスの１０００倍に近付け、燃焼ガス熱量出力＋燃焼ガス質量出力の仮説出力や仮説発電量を、既存往復機関の１０００倍に近付けることを目的とします。
【００２４】
そして燃焼ガス質量出力を、図２図３燃焼ガス噴射ノズル６Ｄ６Ｊ等の、燃焼ガス４９爆発力と霧吹きの原理により、１以上の水噴射ノズル６Ｅの水を摩擦損失最少で混合噴射加速し、大気圧重力仕事能力を燃焼ガスの１０００倍に近付け、用途に合せて水質量を増大して減速することで、燃焼ガス爆発速度を最適速度に減速して大質量水出力を発生して、水に燃焼ガスを溶解混合して燃焼ガス溶解水５２ｇを大量生産し、ＣＯ２や窒素等を大量に含有する燃焼ガス溶解水５２ｇを回収して、泥土や植物片や残飯等にバクテリアで分解固定して肥料にする過程で、メタンガス等を発生させて発電燃料にすると共に肥料を増産し、ＣＯ２等燃焼ガス排気を０に近付けて農産物の増産を図る等、各種新規産業を創出して、図３用途により排気温度を−２７３度Ｃに近付けて燃焼ガス排気全部を０度Ｃに近い水道水冷熱５２ｅとして回収し、燃焼ガス質量全部を０度Ｃ近傍の水道水冷熱５２ｅとして回収販売すると共に、水道水冷熱利用の各種機器を製造販売することを目的とします。
【００２５】
既存の火力発電所や原子力発電所では、蒸気タービンで発電した熱量全部で海水温度を上昇し、海水温度の上昇速度を中国等と共に限り無く増大して、メタンハイドレート大分解の危険を増大しております。そこで燃焼ガス熱量出力を発生して排気の過程では、図１気化熱水回収器２ｂにより排気水蒸気を冷却して１００度Ｃに近い凝縮水５２ｆ全部を、限り無く縮径主燃焼室熱交換器２に供給し、超臨界圧力等の過熱蒸気５０爆発力に変換して、弾み車蒸気タービン８ｂ又は８ｂ・８ｂを駆動して排気の過程で、圧縮空気保有熱量を含む使用熱量全部を、気化熱水回収器２ｂにより１００度Ｃ近傍の水道水温熱５２ｄとして熱交換回収し、発電の副産物として需要家に販売すると共に、電力消費１／１０を狙う水道水温熱５２ｄ利用の、各種暖房設備機器や各種調理設備機器や各種温水設備機器や各種洗濯乾燥機を製造販売して、海水淡水化設備により海水を淡水化して蒸留水や結晶塩として製造販売し、既存発電所の海水温度上昇を皆無にすることを目的にします。
【００２６】
図３燃焼ガス４９爆発力で弾み車ガスタービン８ａを駆動して、排気の過程では用途に合せて燃焼ガス排気温度を−２７３度Ｃに近付け、発電用等では冷熱回収器１０３・１０３を設けて回転出力発生・冷熱回収排気の過程では、不凍液を含む水５２ａ又は冷水５２ｈで回転出力を発生する過程で燃焼ガスを溶解し、燃焼ガス溶解水５２ｇ等として外部の冷熱回収器１０３に排気排水して、冷熱回収後も燃焼ガスを水に混合溶解し、ＣＯ２等燃焼ガス排気を０に近付けます。そして−２７３度Ｃに近付けた燃焼ガス排気全部を、０度Ｃに近い冷水５２ｈや水道水冷熱５２ｅに変換して、冷水５２ｈを燃焼ガス噴射ノズルの水溜９５ｂに供給して噴射し、水道水冷熱５２ｅを回収貯蔵して、発電の副産物として需要家に販売すると共に、電力消費１／１０を狙う水道水冷熱５２ｅ利用の家庭用や業務用の、各種冷凍設備機器や各種冷蔵設備機器や各種冷房設備機器や各種製氷設備機器等を製造販売し、水道水冷熱で都市部を丸ごと冷却する等、ヒート・アイランドに換えて水道水冷熱冷却として、脱フロン等により公害低減・地球温暖化防止することを目的とします。
【００２７】
自動車や船舶等の各種回転出力発生は、全動翼圧縮機２０ｊや選択したエネルギ保存圧縮機２０Ｘや、既存技術で用途に合せて予圧した空気を圧縮する、選択した合体機関燃焼部２９Ｘの縮径主燃焼室兼熱交換器１で、用途に合せて限り無く高圧燃焼長時間熱交換冷却燃焼し、燃焼ガス熱量出力＋燃焼ガス質量出力に分割します。そして用途に合せた温度の４００ＭＰａ過熱蒸気爆発力＋２００ＭＰａ燃焼ガス爆発力狙い等で使用して、過熱蒸気噴射ノズルと霧吹きの原理及び燃焼ガス噴射ノズルと霧吹きの原理により、夫々タービン周速度を越える用途に合せた水の速度に変換し、夫々弾み車蒸気タービン８ｂ・８ｂ乃至８ｂ及び弾み車ガスタービン８ａ・８ａ乃至８ａを、燃焼ガスの１０００倍大気圧重力仕事能力に近付けた水質量速度で駆動して、各種自動車や各種ヘリコプターや各種プロペラ飛行機や各種プロペラ船舶や、各種機械類等を回転駆動することを目的とします。
【００２８】
図６図７の各種合体機関飛行機３８Ａの各種空気吸引噴射推進出力の発生は、前記同様に選択した合体機関燃焼部２９Ｘで限り無く高圧燃焼長時間熱交換冷却燃焼して、例えば４００ＭＰａ過熱蒸気５０爆発力＋最低温度２００ＭＰａ燃焼ガス４９爆発力に分割し、その一部により弾み車タービン８を含む合体機関燃焼部２９Ｘを駆動して、大部分の過熱蒸気爆発速度及び燃焼ガス爆発速度を、合体機関噴射部外箱７７Ｆ内夫々１以上の筒形外箱７７ｂ内の、過熱蒸気噴射ノズル６Ｂ乃至６Ｉの過熱蒸気爆発力及び燃焼ガス噴射ノズル６Ｄ乃至６Ｊの燃焼ガス爆発力と、夫々の霧吹きの原理により、夫々１以上の水５２ａを混合噴射加速して、大気圧重力仕事能力を燃焼ガスの１０００倍に近付けて増大し、夫々の用途に合せた霧吹きの原理１１１Ｉ・１１１Ｊ等により、前方の空気や真空を吸引噴射して、既存ガスタービンの１０００倍仮説空気吸引噴射推進出力や、１０００倍仮説真空吸引噴射推進出力を狙うことを目的にします。
【００２９】
図６図８の各種合体機関飛行機３８Ａの各種空気吸引噴射推進出力の発生は、前記同様に例えば４００ＭＰａ過熱蒸気５０爆発力＋最適温度２００ＭＰａ燃焼ガス４９爆発力に分割し、その一部により弾み車タービン８を含む合体機関燃焼部２９Ｘを駆動して、大部分の過熱蒸気爆発速度及び燃焼ガス爆発速度を、合体機関噴射部外箱７７Ｆ内１以上の筒形外箱７７ｂ内の、過熱蒸気燃焼ガス噴射ノズル６Ｈ乃至６Ｘの、過熱蒸気５０爆発力及び燃焼ガス４９爆発力と霧吹きの原理により、過熱蒸気５０に用途に合せて含有させた高温水を摩擦損失最少で混合噴射加速して、大気圧重力仕事能力を燃焼ガスの１０００倍に近付けて増大し、用途に合せた霧吹きの原理１１１乃至１１１Ｘにより、前方の空気や真空を吸引して空気中や真空中に噴射して、既存ガスタービンの１０００倍仮説空気吸引噴射推進出力や、１０００倍仮説真空吸引噴射推進出力を狙い、既存技術の１０倍速度を狙う各種超音速ジェット機や各種超高速船舶や、各種宇宙往還旅客機や各種宇宙往還旅客親飛行機を狙うことを目的にします。
【００３０】
図７図９の各種空気噴射船舶３８Ｂの各種空気吸引噴射推進出力の発生は、前記同様に例えば４００ＭＰａ過熱蒸気５０爆発力＋最適温度２００ＭＰａ燃焼ガス４９爆発力に分割し、その一部により弾み車タービン８を含む合体機関燃焼部２９Ｘを駆動して、大部分の過熱蒸気爆発速度及び燃焼ガス爆発速度を、合体機関噴射部外箱７７Ｆ内夫々１以上の筒形外箱７７ｂ内の、過熱蒸気噴射ノズル６Ｂ乃至６Ｉの過熱蒸気爆発力及び燃焼ガス噴射ノズル６Ｄ乃至６Ｊの燃焼ガス爆発力と、夫々の霧吹きの原理により、夫々１以上の水５２ａを摩擦損失最少として混合噴射加速して、大気圧重力仕事能力を燃焼ガスの１０００倍に近付けて増大し、夫々の用途に合せた１以上の霧吹きの原理１１１Ｉ・１１１Ｊ等により、斜め上前方の空気を吸引して船底斜め下の囲い内に噴射して、空圧浮上及び飛行翼３８ｂ飛行尾翼３８ｃで安定飛行さし、既存ガスタービンの１０００倍仮説空気吸引噴射推進出力に近付けて、フェリーボート級の重量を水上一定距離飛行する、各種空気噴射船舶を狙うことを目的にします。
【００３１】
図１０図１１の各種水噴射船舶３８Ｃの各種水吸引噴射推進出力の発生は、前記同様に４００ＭＰａ過熱蒸気５０爆発力＋最適温度２００ＭＰａ燃焼ガス４９爆発力に分割し、その一部により弾み車タービン８を含む合体機関燃焼部２９Ｘを駆動して、大部分の過熱蒸気爆発速度及び燃焼ガス爆発速度を、ウォータージェット外箱７７Ｄ内夫々１以上の筒形外箱７７ｂ内の、過熱蒸気噴射ノズル６Ｂ乃至６Ｉの過熱蒸気爆発力及び、燃焼ガス噴射ノズル６Ｄ乃至６Ｊの燃焼ガス爆発力と夫々の霧吹きの原理により、夫々１以上の水５２ａを摩擦損失を最低にして混合噴射加速して、大気圧重力仕事能力を燃焼ガスの１０００倍に近付けて増大し、夫々の用途に合せた１以上の霧吹きの原理１１１ｇ・１１１ｈ等により、船底前方の水を吸引して船底後方に噴射して、既存ウォータージェットの１０００倍仮説水吸引噴射推進出力に近付けることで、水上翼３８ｇを複数の油圧シリンダ４８ａにより最適位置形状に移動変形し、水上翼により船体を浮上させて、大重量を水上輸送する各種船舶を狙うことを目的にします。
【００３２】
図１０図１２の各種水噴射船舶３８Ｃの各種水吸引噴射推進出力の発生は、前記同様に４００ＭＰａ過熱蒸気５０爆発力＋最適温度２００ＭＰａ燃焼ガス４９爆発力に分割し、その一部により弾み車タービン８を含む合体機関燃焼部２９Ｘを駆動して、大部分の過熱蒸気爆発速度及び燃焼ガス爆発速度を、夫々のウォータージェット外箱７７Ｄ内の、夫々１以上の筒形外箱７７ｂ内の、過熱蒸気噴射ノズル６Ｂ乃至６Ｉの過熱蒸気爆発力及び、燃焼ガス噴射ノズル６Ｄ乃至６Ｊの燃焼ガス爆発力と夫々の霧吹きの原理により、夫々１以上の水５２ａを摩擦損失を最低にして混合噴射加速して、大気圧重力仕事能力を燃焼ガスの１０００倍に近付けて増大し、夫々の用途に合せた１以上の霧吹きの原理１１１ｇ・１１１ｈにより、ウォータージェット７７Ｎを構成して、船底前方の水を吸引して船底後方に噴射し、既存ウォータージェットの１０００倍仮説水吸引噴射推進出力に近付けることで、水上翼３８ｇを複数の油圧シリンダ４８ａにより最適位置形状に移動変形して、水上翼３８ｇにより船体を浮上させて、貨物船級の大重量を水上輸送する各種船舶を狙うことを目的にします。
【課題を解決するための手段】
【００３３】
既存のガソリン機関やディーゼル機関は、回転出力を発生で充分な頃の時代遅れの発明を改良で、熱変換も重力も重力加速度も利用しない容積利用で、回転出力を発生しない死点や死点近傍で最大のエネルギを放出し、死点後９０度の回転出力発生絶好機には放出エネルギを１／６以下に低減する等、既存往復機関は愚かで無茶苦茶過ぎるのです。そこで図１既存ガソリン機関やディーゼル機関を空気圧縮専用機として使用し、Ａ型エネルギ保存圧縮機２０Ａとして予圧圧縮室兼熱交換器１Ａとしても使用して、例えばピストン頂部隙間を０に近付け、１圧縮で１／５０〜１／１００容積高温空気からの熱回収を可能にし、１／５０Ｘ１／５０Ｘ１／５０＝１／１２５０００容積圧縮空気など、限り無い高圧圧縮と圧縮毎の熱回収を可能にします。そして構造を簡単としたＢ型エネルギ保存圧縮機２０Ｂ・Ｃ型エネルギ保存圧縮機２０Ｃ・Ｄ型エネルギ保存圧縮機２０Ｄ・Ｅ型エネルギ保存圧縮機２０Ｅ・Ｆ型エネルギ保存圧縮機２０Ｆ・Ｇ型エネルギ保存圧縮機２０Ｇ・Ｈ型エネルギ保存圧縮機２０Ｈから、用途に合せて選択使用した限り無い高圧圧縮と、予圧圧縮毎の熱回収を含む、限り無い高圧燃焼長時間熱交換冷却燃焼にします。
【００３４】
図１のＡ型エネルキ保存圧縮機２０Ａを使用した多気筒の、Ａ型合体機関燃焼部２９Ａを通常の始動装置により始動して、例えば１気筒を縮径主燃焼室兼熱交換器１用として使用し、多気筒を予圧圧縮室兼熱交換器１Ａ用として、吸気弁２８より気化熱空気回収器２Ｂで排気熱量を回収した空気を吸入し、用途に合せて予圧昇圧した空気を縮径主燃焼室兼熱交換器１用吸気弁２８より吸入して、拡径圧縮室１０ａで限り無く高圧の圧縮空気を一方向空気流路９より、一方向流れの縮径主燃焼室兼熱交換器１に供給し、燃料噴射弁より燃料噴射して、空気と攪拌混合して着火装置１０２により着火燃焼し、限り無く高圧燃焼長時間熱交換冷却燃焼して燃焼温度と容積の障害を最低として、例えば燃焼ガス熱量出力（４００ＭＰａ過熱蒸気爆発力）＋燃焼ガス質量出力（最適温度２００ＭＰａ燃焼ガス爆発力）等に分割し、夫々の爆発力と霧吹きの原理により水を混合噴射加速して、夫々の爆発速度を用途に合せた最適水速度に減速して水噴射質量を増大し、排気熱量の繰返し使用を含めて大気圧重力仕事能力を燃焼ガスの１０００倍に近付けて、同一燃料量回転出力の発生増大や噴射推進出力の発生増大に使用します。
【００３５】
送水ポンプ兼磁気摩擦動力伝達装置５５により水を圧縮して、４００ＭＰａ等に水圧を上昇して過熱蒸気にし、過熱蒸気温度上昇時に過熱蒸気制御弁２５を開放制御して、図１図２全部回転出力発生の場合は過熱蒸気５０全部を過熱蒸気溜９５ｃに供給し、過熱蒸気噴射ノズル６Ｉ乃至６Ｂの過熱蒸気爆発力と霧吹きの原理により、１以上の水噴射ノズル６Ｅの１００度Ｃに近い高温水５２ｂを摩擦損失最少にして混合噴射加速して、過熱蒸気噴射ノズル内では高温水５２ｂを火薬爆発機関銃の弾丸や吹雪のように加速し、大気圧重力仕事能力を燃焼ガスの１０００倍に近付け、摩擦損失を最少とした弾み車蒸気タービン８ｂ・８ｂの中間に垂直噴射して、重力加速度を最大限活用して摩擦損失を最少とした回転出力とし、図２自動車等水道水温熱５２ｄ需要が僅少な用途では、排気の過程で気化熱空気回収器２Ｂにより排気熱量を繰返し回収利用して回転出力を増大して、気化熱水回収器２ｂの回収熱量を用途に合せて僅少とし、図３発電等の排気の過程では気化熱水回収器２ｂのみにより排気熱量を回収して、１００度Ｃ近傍の水道水温熱５２ｄとして供給熱量全部を熱交換回収し、発電の副産物として需要家に販売して海水温度上昇を全廃します。
【００３６】
既存の火力発電所や原子力発電所が使用熱量全部で海水温度を限り無く上昇して、植物プランクトンを死滅させて食物連鎖により日本近海のマイワシ生息数を１／２００に激減し、メタンハイドレート大分解の危険を増大しております。そこで水道水温熱や冷熱の需要僅少では、図２気化熱空気回収器２Ｂ＋気化熱水回収器２ｂを駆動して、吸入空気や水で熱交換排気熱量を回収し、１００度Ｃに近い空気を用途に合せて多段等に具備した予圧圧縮室兼熱交換器１Ａに夫々供給して、同一燃料量の回転出力を増大します。図３では気化熱水回収器２ｂのみ駆動し、１００度Ｃに近い凝縮水５２ｆを縮径主燃焼室熱交換器２に循環供給して、１００度Ｃに近い高温水５２ｂを過熱蒸気噴射ノズル６Ｉの水溜９５ｂに循環供給し、回転出力を発生して供給熱量を気化熱以下の最低に近付け、供給熱量全部を１００度Ｃに近い水道水温熱５２ｄとして需要家に販売すると共に、水道水温熱５２ｄを利用して電力消費１／１０等を狙う、業務用や家庭用の各種暖房設備機器や各種調理設備機器や各種厨房設備機器や各種洗濯乾燥機等を製造販売し、地域により海水を淡水化して水道水や結晶塩として販売して、既存発電技術海水温度の上昇を皆無にします。
【００３７】
自動車やプロペラ飛行機やプロペラ船舶等の各種回転出力発生は、選択した合体機関燃焼部２９Ｘを駆動して温熱や冷熱の需要が僅少な用途では、図１図２の排気熱量の繰返し使用による回転出力の増大と略同様にして、過熱蒸気燃焼ガス噴射ノズル６Ｈ・６Ｘにより、弾み車タービン８・８を高速駆動し、各種自動車や各種プロペラ飛行機や各種プロペラ船舶や各種回転力駆動の機械機器類等を回転駆動します。そして長時間停止時には発電用等として図３図４と同様に使用可能制御可能に具備して、電気や水道水温熱５２ｄや水道水冷熱５２ｅの製造貯蔵供給を可能にし、各種用途に合せて選択とた構成を可能にします。そして同一燃料量既存往復機関の１０００倍仮説回転出力に近付け、既存往復機関を圧縮専用説明用のエネルギ保存圧縮機２０Ａとして、簡単小型軽量とした各種エネルギ保存圧縮機を、エネルギ保存圧縮機２０Ｂ・２０Ｃ・２０Ｄ・２０Ｅ・２０Ｆ・２０Ｇ・２０Ｈとし、選択したエネルギ保存圧縮機２０Ｘを空気圧縮機として使用して、小型軽量大出力簡単多段余圧圧縮室兼熱交換器１Ａ用等の各種用途に対応します。
【００３８】
縮径主燃焼室兼熱交換器１の内径を、例えば拡径圧縮室１０ａの１／７に縮径して、行程容積が１／４９の縮径主燃焼室兼熱交換器１を限りなく長大とし、圧縮行程では逆止弁９７を具備した一方向空気流路９の空気を着火温度まで圧縮して、燃料噴射弁の噴射燃料と攪拌混合して着火燃焼し、燃焼ガス攪拌板４９ａで攪拌燃焼して、限り無く高圧燃焼長時間熱交換冷却燃焼して燃焼温度と容積の障害を最低にし、例えば用途に合せた温度の４００ＭＰａ過熱蒸気爆発力＋２００ＭＰａ燃焼ガス爆発力に分割して、夫々の圧力上昇時に過熱蒸気制御弁２５や燃焼ガス制御弁２４を開放制御流量制御圧力制御し、例えば弾み車ガスタービン８ａ・８ａ及び弾み車蒸気タービン８ｂ・８ｂを駆動して、（既存往復機関の死点後９０度１ＭＰａＸ燃焼ガス質量断続静圧駆動）を（死点後９０度４００ＭＰａＸ燃焼ガスの１０００倍水質量連続動圧駆動）＝（既存往復機関死点後９０度の４０００００倍大気圧重力仕事能力で死点後９０度連続動圧駆動とし）＝仮説回転出力や仮説発電量を余裕最大で既存往復機関の１０００倍に近付けます。
【００３９】
最適温度燃焼ガス質量出力の圧力増大時に燃焼ガス制御弁２４を開放制御して、燃焼ガス４９を、図３図４高温気化膜や撥水作用により摩擦損失を最少とした、燃焼ガス噴射ノズル６Ｄ又は６ｊ等の筒形燃焼ガス溜９５ａに供給し、燃焼ガス爆発力と霧吹きの原理により、１以上の冷水噴射ノズル６Ｇの水溜９５ｂの水５２ａ又は冷水５２ｈを混合噴射加速して、燃焼ガス爆発力を最適水速度に変換して大気圧重力仕事能力を燃焼ガスの１０００倍に近付け、撥水鍍金３ａ等により摩擦損失を最少とした、弾み車ガスタービン８ａ・８ａの中間接線垂直方向に噴射し、重力加速度を最大限活用した回転出力発生として、排気の過程では−２７３度Ｃに近付く燃焼ガス排気全部を冷熱回収器１０３・１０３により、０度Ｃに近い水道水冷熱５２ｅとして回収して需要家に販売し、０度Ｃに近いＣＯ２や窒素を大量に含有する燃焼ガス溶解水５２ｇを熱交換回収して、泥土や植物片や残飯等に微生物で分解固定して肥料にする過程で、メタンガス等を発生させて燃料や肥料にする新規産業を創出する等、水出力にして燃焼ガス溶解水で利用し、ＣＯ２等の燃焼ガス排気を０や０に近付けます。
【００４０】
図３図４燃焼ガス噴射ノズル６Ｄ又は６Ｊの燃焼ガス溜９５ａの、燃焼ガス４９質量出力の弾み車ガスタービン８ａ・８ａ燃焼ガス排気は、ガス抽出器５１ａによる真空の上昇や大気圧まで使用を含め、用途に合せて−２７３度Ｃに近付け、水道水や水で冷熱回収する冷熱回収器１０３・１０３を具備して、冷熱回収後の過程でも燃焼ガスを水に溶解して燃焼ガス溶解水５２ｇを増大し、燃焼ガス質量全部から０度Ｃに近い水道水冷熱５２ｅを回収の過程で、その一部に不凍液を混入して冷水５２ｈとし、燃焼ガス噴射ノズル６Ｄの水溜９５ｂに供給して、０度Ｃに近い水道水冷熱５２ｅを発電の副産物として需要家に貯蔵販売すると共に、水道水冷熱５２ｅにより冷却して電力消費１／１０等を狙う業務用や家庭用の、各種冷凍設備機器や各種冷蔵設備機器や各種冷房設備機器や各種製氷設備機器や各種冷却設備機器等を製造販売し、例えは水道水冷熱配管に通水排水して冷却する、電力消費０等の冷却設備機器等により都市部を丸ごと冷却して、ヒート・アイランドを逆転した都市部等にし、圧縮空気保有熱量を回転出力等に極限まで有効利用します。
【００４１】
燃焼ガス４９質量出力発生排気の過程で、燃焼ガス４９を３０〜３００倍質量等の水に溶解して、燃焼ガス溶解水５２ｇとしてＣＯ２等の燃焼ガス排気を０や０に近付け、冷熱回収器１０３・１０３により水道水冷熱５２ｅを回収して、冷熱回収後は燃焼ガス溶解水５２ｇを増大して燃焼ガス排気０を狙い、燃焼ガス溶解水５２ｇを泥土や植物片や残飯等に固定して肥料にし、農作物の増産を図ると共に、膨大過ぎる燃焼ガス溶解水５２ｇ冷熱は海水を冷却する過程で、霧吹きの原理により酸素等の空気も吸引して海水等に供給して、ＣＯ２等を必要として分解合成吸収等する、植物プランクトン等の微生物や海藻類を先ず増殖し、食物連鎖による動物プランクトンや魚介類や海草類の食料増産を図り、既存発電所が使用熱量全部で海水温度を上昇して、植物プランクトンを死滅させて動物プランクトンを死滅させ、例えば食物連鎖により、日本近海のマイワシ生息数を１／２００等に大激減の現状を逆転します。
【００４２】
図６図７の合体機関噴射部７７Ｋを使用した合体機関飛行機３８Ａの、各種超音速ジェット機の各種空気吸引噴射出力発生は、気化熱空気回収器２Ｂにより排気熱量を回収した空気を用途に合せて予圧圧縮し、予圧毎に予圧圧縮室兼熱交換器１Ａにより熱交換熱回収した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、その一部により前記同様に弾み車タービン８・８を駆動し、合体機関燃焼部２９Ｘを駆動して、大部分を図７の合体機関噴射部外箱７７Ｆ内の、夫々１以上の筒形外箱７７ｂ内の、過熱蒸気噴射ノズル６Ｂ乃至６Ｉの過熱蒸気溜９５ｃ及び、燃焼ガス噴射ノズル６Ｄ乃至６Ｊの燃焼ガス溜９５ａに供給し、過熱蒸気爆発力及び燃焼ガス爆発力と夫々の霧吹きの原理により、夫々１以上の水５２ａを摩擦損失最少で混合噴射加速して、大気圧重力仕事能力を夫々燃焼ガスの１０００倍に近付け、夫々の霧吹きの原理１１１Ｉ・１１１Ｊにより、前方の空気や真空を吸引噴射して既存ジェット機の１０倍速度を狙います。
【００４３】
図６図８の合体機関噴射部７７Ｌを使用した合体機関飛行機３８Ａの、各種超音速ジェット機や各種宇宙往還機等各種空気吸引噴射出力発生は、気化熱空気回収器２Ｂにより排気熱量を回収した空気を用途に合せて予圧圧縮し、予圧毎に予圧圧縮室兼熱交換器１Ａにより熱交換熱回収した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、その一部により前記同様に弾み車タービン８・８を駆動し、合体機関燃焼部２９Ｘを駆動して、大部分を図７の合体機関噴射部外箱７７Ｆ内の、１以上の筒形外箱７７ｂ内の、過熱蒸気燃焼ガス噴射ノズル６Ｈ乃至６Ｘの過熱蒸気溜９５ｃ及び燃焼ガス溜９５ａに供給し、過熱蒸気爆発力及び燃焼ガス爆発力と霧吹きの原理により、過熱蒸気含有水を摩擦損失を最少として混合噴射加速して、大気圧重力仕事能力を燃焼ガスの１０００倍に近付け、霧吹きの原理１１１Ｘにより、前方の空気や真空を吸引噴射し、超音速マッハ３２の地球脱出速度以上の最大速度を狙い、貯蔵増大した過熱蒸気爆発力及び燃焼ガス爆発力により、液体酸素を搭載しない各種宇宙往還旅客機や各種宇宙往還旅客親飛行機にします。
【００４４】
図７図９の合体機関噴射部７７Ｋを使用した空気噴射船舶３８Ｂの、各種超高速船舶等各種空気吸引噴射出力発生は、気化熱空気回収器２Ｂにより排気熱量を回収した空気を用途に合せて予圧圧縮し、予圧毎に予圧圧縮室兼熱交換器１Ａにより熱交換熱回収した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、その一部により前記同様に弾み車タービン８・８を駆動し、合体機関燃焼部２９Ｘを駆動して、大部分を図７の合体機関噴射部外箱７７Ｆ内の、夫々１以上の筒形外箱７７ｂ内の、過熱蒸気噴射ノズル６Ｂ乃至６Ｉの過熱蒸気溜９５ｃ及び、燃焼ガス噴射ノズル６Ｄ乃至６Ｊの燃焼ガス溜９５ａに供給し、過熱蒸気爆発力及び燃焼ガス爆発力と夫々の霧吹きの原理により、夫々１以上の水５２ａを摩擦損失最少にして混合噴射加速して、大気圧重力仕事能力を夫々燃焼ガスの１０００倍に近付け、夫々の霧吹きの原理１１１Ｉ・１１１Ｊにより、夫々斜め上前方の空気を吸引して船底斜め下の囲い内に噴射して船体を空圧浮上さし、飛行翼８ｂ＋飛行尾翼３８ｃで浮上安定飛行させて、既存ジェット機の１０００倍仮説空気吸引噴射推進出力に近付け、フェリーボート級の大重量を音速以下で水上一定間隔輸送します。
【００４５】
図１０図１１のウォータージェット７７Ｍを使用した水噴射船舶３８Ｃの、水を吸引噴射して噴射推進出力の発生は、前記同様に最適温度の過熱蒸気爆発力＋燃焼ガス爆発力に分割して、その一部により前記同様に合体機関燃焼部２９Ｘを駆動し、大部分を図１１のウォータージェット外箱７７Ｄ内の、夫々１以上の筒形外箱７７ｂ内の、過熱蒸気噴射ノズル６Ｂ又は６Ｉの過熱蒸気溜９５ｃ及び、燃焼ガス噴射ノズル６Ｄ又は６Ｊの燃焼ガス溜９５ａに供給し、過熱蒸気爆発力及び燃焼ガス爆発力と夫々の霧吹きの原理により、夫々１以上の水５２ａを摩擦損失最少として混合噴射加速して、大気圧重力仕事能力を夫々燃焼ガスの１０００倍に近付け、夫々の霧吹きの原理１１１ｇ・１１１ｈ等により、船底前方の水を吸引して船底後方に噴射して、既存ウォータージェットの１０００倍仮説水吸引噴射推進出力に近付け、水上翼３８ｇを複数の油圧シリンダ４８ａにより最適位置形状に移動変形し、水上翼３８ａの水圧により船体を浮上させて、貨物船級の大重量を水上輸送する各種高速船舶とします。
【００４６】
図１０図１２のウォータージェット７７Ｎを使用した水噴射船舶３８Ｃの、水を吸引噴射して噴射推進出力の発生は、前記同様に最適温度の過熱蒸気爆発力＋燃焼ガス爆発力に分割して、その一部により前記同様に合体機関燃焼部２９Ｘを駆動し、大部分を図１２の夫々のウォータージェット外箱７７Ｄ内の、夫々１以上の筒形外箱７７ｂ内の、過熱蒸気噴射ノズル６Ｂ又は６Ｉの過熱蒸気溜９５ｃ及び、燃焼ガス噴射ノズル６Ｄ又は６Ｊの燃焼ガス溜９５ａに供給し、過熱蒸気爆発力及び燃焼ガス爆発力と夫々の霧吹きの原理により、夫々１以上の水５２ａを摩擦損失最少として混合噴射加速して、大気圧重力仕事能力を夫々燃焼ガスの１０００倍に近付け、夫々の霧吹きの原理１１１ｇ・１１１ｈ等により、船底前方の水を吸引して船底後方に噴射して、既存ウォータージェットの１０００倍仮説水吸引噴射推進出力に近付け、水上翼３８ｇを複数の油圧シリンダ４８ａにより最適位置形状に移動変形し、水上翼３８ａの水圧により船体を浮上させて、貨物船級の大重量を水上移動水上輸送する各種高速船舶とします。
【発明の効果】
【００４７】
全動翼圧縮機２０ｊや選択したエネルギ保存圧縮機２０Ｘや既存技術で、用途に合せて空気を吸入圧縮の過程で、気化熱空気回収器２Ｂにより排気熱量を熱交換回収した空気を吸入して、予圧圧縮室兼熱交換器１Ａで圧縮熱交換熱回収冷却した空気を本圧縮し、縮径主燃焼室兼熱交換器１により限り無く高圧燃焼長時間熱交換冷却燃焼して、最適温度の過熱蒸気爆発力＋燃焼ガス爆発力に分割し、夫々の爆発速度を水速度に変換して、過熱蒸気噴射ノズルや燃焼ガス噴射ノズルにより摩擦損失最少で混合噴射加速し、排気熱量を繰返し回収利用するため、同一消費熱量の噴射水質量を大幅に増大して、既存往復機関の１０００倍仮説発電量乃至回転出力に近付ける効果があります。
【００４８】
最適速度Ｘ大質量＝仕事能力が大のうち、排気熱量を繰り返し回収して使用熱量を増大する程、同一燃料消費量で大量の最適速度水質量に変換可能なため、過熱蒸気噴射ノズルより大量の水を混合噴射し、大気圧燃焼ガスの１０００倍重力仕事能力の水質量に近付け、既存往復機関の１０００倍仮説発電量乃至回転出力に近付ける大きな効果があります。
【００４９】
気化熱空気回収器２Ｂにより排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、弾み車タービン８・８の中間垂直接線方向に噴射して回転出力を発生させるため、大気中の燃焼ガスでは殆ど利用不可能な重力加速度を利用して回転出力を増大し、回転出力を最大に増大する効果があります。
【００５０】
弾み車タービン８・８の出力と気化熱空気回収器２Ｂにより、排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、摩擦損失最少で空気吸引噴射出力を発生させるため、空気吸引噴射出力の増大が最高に良くなる効果があります。
【００５１】
弾み車タービン８・８の出力と気化熱空気回収器２Ｂにより、排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、摩擦損失最少で水吸引噴射出力を発生させるため、水吸引噴射出力の増大が最高に良くなる効果があります。
【００５２】
８種類のエネルギ保存圧縮機２０Ｘや全動翼圧縮機２０Ｊから、用途に合せて選択した空気圧縮機を使用し、気化熱空気回収器２Ｂにより排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、弾み車タービン８・８を無接触対向に噛合せて水の噴射速度で駆動するため、重力加速度を利用した回転出力として小型簡単軽量大出力に出来る効果がある。
【００５３】
燃料の１００倍等の高圧水蒸気や水を常時積載して、何時でも噴射して火災消火が可能に加えて、燃料切れ時にも大量の過熱蒸気爆発力＋燃焼ガス爆発力が貯蔵存在し、短時間ロケット飛行機として使用可能なため、非常に安全な飛行機に出来る効果がある。
【００５４】
弾み車タービン８・８を駆動して回転出力を発生させ、気化熱空気回収器２Ｂにより排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、各種エネルギ保存サイクル合体機関の出力を大幅に上昇する効果があります。
【００５５】
弾み車タービン８・８を駆動して回転出力を発生させ、気化熱空気回収器２Ｂにより排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、各種大中小型船舶・各種大中小型プロペラ飛行機・各種大中小型車両・各種大中小型機械・各種大中小型自動車・各種大中小型汎用機関・大中小型温熱と電気と冷熱の併給用機関を駆動する、大中小型の各種エネルギ保存サイクル合体機関の性能を向上する効果があります。
【００５６】
弾み車タービン８・８を駆動して回転出力を発生させ、気化熱空気回収器２Ｂにより排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、噴射推進出力を発生させるため、各種大中小型高速船舶・各種大中小型ジェット機・各種宇宙往還機・各種大中小型超音速ジェット機・各種大中小型超高速船舶・各種大中小型空中輸送移動機器を駆動する、大中小型の各種エネルギ保存サイクル合体機関の性能を向上する効果があります。
【００５７】
弾み車タービン８・８を駆動して回転出力を発生させ、気化熱空気回収器２Ｂにより排気熱量を熱交換回収した空気を吸入し、予圧圧縮室兼熱交換器１Ａで圧縮熱交換熱回収冷却した空気を本圧縮して、縮径主燃焼室兼熱交換器１により限り無く高圧燃焼長時間熱交換冷却燃焼し、最適温度の過熱蒸気爆発力＋燃焼ガス爆発力に分割して、大気圧燃焼ガスの１０００倍重力仕事能力の水質量に近づけて、回転出力や噴射推進出力を発生させるため、重油や軽油やガソリンや天然ガスやメタノールや水素やプロパンやアルコール等各種燃料の、燃焼制御や保守が安全容易になる効果がある。
【発明を実施するための最良の形態】
【００５８】
発明の実施の形態や実施例を、図面を参照して説明するが、実施形態や実施例と既説明とその構成が略同じ部分には、同一の名称又は符号を付して、重複説明はできるだけ省略し、特徴的な部分や説明不足部分は、順次追加重複説明する。又発明の意図する所及び予想を具体的に明快に説明するため、アイディアを仮説数字で説明するが、正解は実験数字として仮説数字に限定しません。最良と思われる実施例で説明しますが、用途により千変万化するので、請求項では多用途を考えて変化します。弾み車タービン８・８の回転力により、全動翼圧縮機２０ｊや各種エネルギ保存圧縮機２０Ｘや、既存圧縮機で予圧等の用途に合せて気化熱空気回収器２Ｂにより、排気熱量を熱交換回収した空気を吸入して、予圧圧縮室兼熱交換器１Ａで予圧毎に圧縮熱交換熱回収冷却した空気を本圧縮し、縮径主燃焼室兼熱交換器１により限り無く高圧燃焼長時間熱交換冷却燃焼して、例えば最適温度の４００ＭＰａ過熱蒸気爆発力＋２００ＭＰａ燃焼ガス爆発力に分割して使用し、燃焼ガス圧力や過熱蒸気圧力の限り無い上昇と、噴射水質量とマイクロバブルの増大と摩擦損失最少を可能にする、各種エネルギ保存サイクル合体機関とします。
【実施例１】
【００５９】
図１のＡ型合体機関燃焼部２９Ａは、多気筒の既存ガソリン機関やディーゼル機関を、圧縮専用のエネルギ保存圧縮機２０Ａとしてヒストン頂部隙間を０に近付け、多気筒を予圧圧縮機として使用して、気化熱空気回収器２Ｂにより排気熱量を熱交換回収した空気を吸入し、予圧圧縮室兼熱交換器１Ａで圧縮毎に熱交換熱回収冷却した空気を吸入して本圧縮して、例えば１／５０Ｘ１／５０Ｘ１／５０＝１／１２５０００容積圧縮空気を可能にして、縮径主燃焼室兼熱交換器１で限り無く高圧燃焼熱交換冷却燃焼します。回転出力の発生は通常の始動装置により始動して、用途に合せて全動翼圧縮機２０Ｊ又は各種エネルギ保存圧縮機２０Ｘ又は公知の圧縮機で予圧した空気を、適宜に吸気弁２８より吸入圧縮しますが、燃焼室として使用すると燃焼時間が限定短縮されるため、拡径圧縮室１０ａとして使用することで燃焼空間を不用とし、予圧圧縮機として排気熱量を多段に回収利用して多段に圧縮して、限り無く高圧の圧縮空気による燃焼を可能にします。
【００６０】
例えば内径を拡径圧縮室１０ａの１／７に縮径した一方向流路の縮径主燃焼室兼熱交換器１として、行程容積が１／４９の限りなく長大な燃焼室で限り無く高圧燃焼熱交換冷却燃焼とし、例えば最適温度の４００ＭＰａ過熱蒸気爆発力＋２００ＭＰａ燃焼ガス爆発力に分割して、回転出力や噴射推進出力を発生します。本圧縮行程では１以上の逆止弁９７を具備した一方向空気流路９の圧縮空気と、燃料噴射電磁弁７ｃ又は公知の燃料噴射弁の噴射燃料と攪拌混合して、着火装置１０２により着火燃焼し、燃焼ガス撹拌板４９ａで一方向燃焼流を撹拌燃焼して、限り無い高圧燃焼熱交換冷却燃焼にし、圧縮空気保有熱量−２７３度Ｃ以上略全部や排気熱量の回収を含めて、熱回収量を既存ボイラの２倍前後に増大して、用途に合せた燃焼ガスの保有熱量にし、燃焼ガス排気温度も用途に合せて大気圧や−２７３度Ｃに近付けます。
【００６１】
送水ポンプ兼磁気摩擦動力伝達装置５５等により昇圧し、予圧圧縮室兼熱交換器１Ａや縮径主燃焼室熱交換器２により熱回収し、縮径主燃焼室兼熱交換器１により限り無く高圧燃焼熱交換冷却燃焼して、最適温度の４００ＭＰａ過熱蒸気爆発力＋２００ＭＰａ燃焼ガス爆発力に分割し、給水管３の過熱蒸気５０の温度上昇時に過熱蒸気制御弁２５を開放制御して、用途に合せて加熱高温手段１０１や撥水鍍金３ａにより、加熱高温気化膜や撥水作用を設けて摩擦損失を低減した、１以上の過熱蒸気噴射ノズル６Ｂ又は６Ｉの過熱蒸気溜９５ｃに供給し、過熱蒸気５０爆発力と霧吹きの原理により、１以上の水溜９５ｂの高温水５２ｂを、水噴射ノズル６Ｅより摩擦損失最少として混合噴射加速して、過熱蒸気マイクロバブルを含めて摩擦損失を低減した過熱蒸気噴射ノズル内では、高温水５２ｂを火薬爆発機関銃の弾丸や吹雪のように混合噴射加速します。
【００６２】
過熱蒸気爆発速度をタービン周速度近傍に減速して高温水５２ｂ噴射質量を増大し、大気圧重力仕事能力を燃焼ガスの１０００倍に近付け、タービン翼８ｃ・８ｃを夫々の円筒胴８ｅ・８ｅの外周に突設して先端を流線型として、対向無接触に適宜に接近又は噛合せて設け、送水ポンプ兼磁気摩擦動力伝達装置５５等により同期させて、用途に合せて最適形状や長さや最適数設け、用途に合せて加熱高温手段１０１や撥水鍍金３ａにより、高温気化膜や撥水作用を設けて摩擦損失を低減した、弾み車蒸気タービン８ｂ・８ｂの接線方向＋垂直方向に高温水５２ｂを噴射し、大気圧重力仕事能力が燃焼ガスの１０００倍の水速度に変換することで、大気圧中で重力加速度を活用した回転出力発生にして、（既存往復機関死点後９０度１ＭＰａＸ燃焼ガス質量静圧断続駆動）を（死点後９０度４００ＭＰａＸ１０００倍水質量動圧連続駆動とし）＝（既存往復機関死点後９０度の４０００００倍大気圧重力仕事能力で動圧連続駆動）にします。
【００６３】
大気圧中で重力加速度を活用した、弾み車蒸気タービン８ｂ・８ｂの回転出力にし、対向に接近又は噛合せて無接触同期させて設け、発電用や自動車用等の回転出力を発生して、排気の過程では蒸気排気室５ａや排気庇５ｂや、気化熱空気回収器２Ｂや気化熱水回収器２ｂを具備し、排気熱量を空気や水により用途や状況変化に合わせて回収して、隔壁９０ａで高温水５２ｂ側と凝縮水５２ｆ側に分割し、凝縮水側に気化熱空気回収器２Ｂや気化熱水回収器２ｂと空気抽出器５１を設けて駆動して、大気圧まで使用の場合１００度Ｃに近い排気高温水５２ｂを、水噴射ノズル６Ｅの高温水溜９５に限り無く循環供給し、１００度Ｃに近い凝縮水５２ｆを昇圧して予圧圧縮室兼熱交換器１Ａにより、気化熱空気回収器２Ｂにより排気熱量を回収した空気を熱交換冷却温度上昇して、同一燃料消費量の回転出力発生熱量を増大し、縮径主燃焼室熱交換器２の給水管３に限り無く循環供給して、気化熱水回収器２ｂより残り全部の排気熱量を水道水温熱５２ｄとして熱交換回収貯蔵し、真空断熱材等で断熱した温熱タンクや温熱配管を製造し、水道水温熱５２ｄと共に需要家に販売します。
【００６４】
既存火力発電や原子力発電が使用熱量全部で海水温度を上昇して、日本近海では植物プランクトンの珪藻の死滅による、食物連鎖によりマイワシ生息数を１／２００に激減や、地球温暖化の力がＣＯ２の２０倍の、メタンハイドレート大分解の危険を増大しております。そこで発電用では使用後の熱量全部を１００度Ｃに近い水道水温熱５２ｄとして、発電の副産物で需要家に販売し、１００度Ｃに近い水道水温熱５２ｄを利用して電力消費１／１０等を狙う、業務用や家庭用の各種暖房設備機器や各種調理設備機器や各種温水設備機器や、各種食器洗い機や各種洗濯乾燥機や各種水道水温熱配管ビル等を製造販売し、地域により海水を淡水化して水道水として販売して、深刻な水不足地域を解消します。自動車や船舶等の回転出力発生でも同様に走行中や停止中に、発電貯蔵して複合走行すると共に、停止中は発電所として使用し、蓄電や１００度Ｃに近い温熱水や０度Ｃに近い冷熱水を製造貯蔵販売して、温熱水の需要に応じて気化熱空気回収器２Ｂの排気熱量回収繰返し使用量を調整し、空気抽出器５１の真空度を調整して排気温度を調整して、各種エネルギ保存サイクル合体機関の稼働率を１００％に近付けます。
【実施例２】
【００６５】
図２の図１をタービン側から見た燃焼ガス４９質量出力は、寒冷地や冬場等の発電や自動車等水道水冷熱５２ｅの需要が僅少の場合、回転出力増大用の燃焼ガス噴射ノズル６Ｊとします。図１の合体機関燃焼部２９Ａの縮径主燃焼室兼熱交換器１により、前記同様に限り無く高圧燃焼熱交換冷却燃焼して、最適温度の４００ＭＰａ過熱蒸気爆発力＋８００度Ｃ２００ＭＰａ燃焼ガス爆発力に分割し、縮径主燃焼室兼熱交換器１の燃焼ガス４９の圧力上昇時に、燃焼ガス制御弁２４を開放制御流量制御して、図２の１以上の燃焼ガス噴射ノズル６Ｄ又は６Ｊの燃焼ガス溜９５ａに供給し、燃焼ガス噴射ノズル６Ｄ（撥水鍍金で摩擦低減）又は６Ｊ（気化膜＋撥水作用で摩擦低減）の燃焼ガス爆発力と霧吹きの原理により、夫々１以上の水噴射ノズル６Ｅの水道水温熱５２ｄを混合噴射加速して、気化膜や撥水作用により摩擦損失を用途に合せて低減し、燃焼ガス噴射ノズル内では水を火薬爆発機関銃の弾丸や吹雪のように加速して、その過程で燃焼ガスマイクロバブルを発生させて摩擦損失を低減し、タービン周速度近傍の水速度に減速して、大気圧重力仕事能力を燃焼ガスの１０００倍に近付けます。
【００６６】
用途に合せて燃焼ガス噴射ノズルやタービンとの摩擦損失を低減する過程を、撥水鍍金や加熱高温手段１０１により、水道水温熱５２ｄとの間に撥水作用や気化膜を用途に合せて設けて、水道水温熱５２ｄを摩擦損失最少で混合噴射加速して、その速度をタービン周速度近傍に減速することで最大水噴射量とし、大気圧燃焼ガスの１０００倍重力仕事能力に近付けて、タービン翼８ｃ・８ｃを夫々の円筒胴８ｅ・８ｅの外周に突設して、用途に合せて最適形状や長さや最適数設けて先端を流線型とし、随意に側板８ｄ・８ｄを設けて、対向無接触に適宜に接近又は噛合せて設け、送水ポンプ兼磁気摩擦動力伝達装置５５により同期させて水を圧縮して、高温気化膜や撥水作用により用途に合わせて摩擦損失を低減し、弾み車ガスタービン８ａ・８ａの接線方向＋垂直方向等に噴射して、燃焼ガスや水蒸気では大気圧中で重力加速度等が利用不可のため、水出力として重力加速度を可能な限り活用した回転出力や発電量にします。
【００６７】
弾み車ガスタービン８ａ・８ａを対向に接近又は噛合せて無接触同期させて設け、大気中で重力加速度を活用した大回転出力にし、発電用や船舶用や自動車用等の回転出力を発生して排気の過程では、弾み車蒸気タービン８ｂ・８ｂの排気と弾み車ガスタービン８ａ・８ａの排気を分離して、弾み車ガスタービン８ａの８００度Ｃ２００ＭＰａ燃焼ガス排気温度は、廃熱回収熱交換器２ａによる廃熱回収やガス抽出器５１ａによる真空の上昇を含めて、出来るだけ低温としてガス排気室５ｃに排気し、出力発生排気の過程で水道水温熱５２ｄを燃焼ガス溶解水５２ｇに移行して、抽出燃焼ガスも水に溶解して燃焼ガス溶解水５２ｇにし、ＣＯ２等の燃焼ガス排気を０に近付け、燃焼ガス溶解水５２ｇを泥土や植物片や残飯等に、バクテリア等の微生物により公知技術などで分解固定して肥料にして、メタンガス等発電燃料の回収や農作物の増産を図ります。
【実施例３】
【００６８】
図３の図１をタービン側から見た燃焼ガス４９質量出力は、図１の合体機関燃焼部２９Ａの縮径主燃焼室兼熱交換器１により、前記同様に限り無く高圧燃焼長時間熱交換冷却燃焼して、例えば４００ＭＰａ過熱蒸気爆発力＋最低温度２００ＭＰａ燃焼ガス爆発力に分割し、縮径主燃焼室兼熱交換器１の燃焼ガス４９の圧力上昇時に、燃焼ガス制御弁２４を開放制御流量制御して、図３の１以上の燃焼ガス噴射ノズル６Ｄの燃焼ガス溜９５ａに供給し、燃焼ガス噴射ノズル６Ｄ（撥水鍍金で摩擦低減）の燃焼ガス爆発力と霧吹きの原理により、夫々１以上の冷水噴射ノズル６Ｇの冷水５２ｈを混合噴射加速して、撥水作用により摩擦損失を低減し、燃焼ガス噴射ノズル内では冷水を火薬爆発機関銃の弾丸や吹雪のように加速して、燃焼ガスマイクロバブルを発生させて摩擦損失を低減し、タービン周速度近傍の水速度に減速して、大気圧重力仕事能力を燃焼ガスの１０００倍に近付けます。
【００６９】
用途に合せて燃焼ガス噴射ノズルやタービンとの摩擦損失を低減する過程を、撥水鍍金により冷水５２ｈとの間に撥水作用を設けて、冷水５２ｈを摩擦損失最少で混合噴射加速して、その速度をタービン周速度近傍に減速することで最大水噴射量とし、大気圧燃焼ガスの１０００倍重力仕事能力に近付けて、タービン翼８ｃ・８ｃを夫々の円筒胴８ｅ・８ｅの外周に突設して、用途に合せて最適形状や長さや最適数設けて先端を流線型とし、随意に側板８ｄ・８ｄを設けて、対向無接触に適宜に接近又は噛合せて設け、送水ポンプ兼磁気摩擦動力伝達装置５５により同期させて水を圧縮して、高温気化膜や撥水作用により用途に合わせて摩擦損失を低減した、弾み車ガスタービン８ａ・８ａの接線方向＋垂直方向等に噴射して、燃焼ガスや水蒸気では大気圧中で重力加速度等が利用不可のため、水出力として重力加速度を可能な限り活用した回転出力や発電量にします。
【００７０】
弾み車ガスタービン８ａ・８ａを対向に接近又は噛合せて無接触同期させて設け、大気中で重力加速度を活用した大回転出力にし、発電用や船舶用や自動車用等の回転出力を発生して排気の過程では、弾み車蒸気タービン８ｂ・８ｂの排気と弾み車ガスタービン８ａ・８ａの排気を分離して、弾み車ガスタービン８ａの排気温度はガス抽出器５１ａによる真空の上昇を含めて、用途に合せて−２７３度Ｃに近付けてガス排気室５ｃに排気し、水道水等で冷熱回収する冷熱回収器１０３・１０３をガス排気室５ｃや外部に具備して、−２７３度Ｃに近付く燃焼ガス４９排気により排気部の冷熱回収器１０３を駆動し、燃焼ガス４９排気略全部から用途に合せて、０度Ｃ以上の水道水冷熱５２ｅや冷水５２ｈを回収して、水道水冷熱５２ｅを発電の副産物として需要家に販売すると共に、真空断熱材等で断熱した冷熱タンクや冷熱配管を製造販売し、例えば０度Ｃに近い水道水冷熱５２ｅ配管に通水して電力消費０で冷房する等、電力消費既存技術の０〜１／１０を狙う業務用や家庭用の、各種冷凍設備機器や各種冷蔵設備機器や各種冷房設備機器や、各種冷却設備機器や各種製氷設備機器や各種水道水冷熱配管ビル等を製造販売稼動します。
【００７１】
冷水噴射ノズル６Ｇの水溜９５ｂに供給する冷水５２ｈには不凍液を混入します。外部の冷熱回収器１０３の水道水を、ガス抽出器５１ａの排気燃焼ガス４９と燃焼ガス溶解水５２ｇで冷却し、熱交換して得た水道水冷熱５２ｅの温度を、水道水流量制御して０度Ｃ以上の水道水冷熱５２ｅとして、内部の冷熱回収器１０３も水道水冷熱５２ｅを凍結前の０度Ｃ近くで流量制御温度制御し、その一部の水道水冷熱５２ｅの需要が少ない地域では氷塊として断熱容器に保存して、需要の多い地域に輸送して冷房用等として販売します。冷水５２ｈとして燃焼ガス噴射ノズル６Ｄの水溜９５ｂに供給して、弾み車ガスタービン８ａ・８ａを摩擦損失最少で駆動します。従って自動車や船舶等の回転出力発生でも冷熱や前記温熱を発生するため、用途により水溜９５ｂに水５２ａを供給して、冷水噴射ノズル６Ｇより噴射し、燃焼ガス４９爆発力を増大して回転出力を増大します。そして走行中や停止中に発電貯蔵して複合走行等すると共に、停止中は前記温熱水製造所＋冷熱水製造所＋発電所として使用し、各種エネルギ保存サイクル合体機関の稼働率を１００％に近付けます。
【００７２】
寒冷地や冬場等の発電の場合、水道水冷熱５２ｅ需要が僅少の場合があり、供給熱量略全部が１００度Ｃに近い水道水温熱５２ｄになるため、用途により燃焼ガス噴射ノズル６Ｊの水溜９５ｂに水５２ａを供給して、燃焼ガス噴射ノズル６Ｊの最適温度２００ＭＰａ燃焼ガス４９爆発力と霧吹きの原理により、１以上の水溜９５ｂの水５２ａを摩擦損失最少にして混合噴射加速し、重力仕事能力を燃焼ガスの１０００倍に近付け、弾み車ガスタービン８ａ・８ａを駆動して、回転出力発生の過程で用途に合せて回転出力を上昇して水道水冷熱５２ｅの回収量を僅少とし、燃焼ガス爆発力を増大する回転出力の増大とします。
【００７３】
燃焼ガス質量出力発生排気の過程で冷熱回収器１０３による冷熱回収後は、残留する燃焼ガス４９を水に溶解して燃焼ガス溶解水５２ｇを増大し、ＣＯ２等の燃焼ガス排気を０に近付け、燃焼ガス溶解水５２ｇを泥土や植物片や残飯等に、バクテリア等の微生物により公知技術などで分解固定して肥料にして、メタンガス等発電燃料の回収や農作物の増産を図ると共に、膨大過ぎる燃焼ガス溶解水５２ｇ冷熱は海水を冷却する過程で、霧吹きの原理により酸素や窒素等の空気も吸引して海水等に供給し、海水を冷却してＣＯ２等を必要として分解合成吸収等する、植物プランクトンの珪藻等の微生物や海藻類を先ず増殖し、魚介類や海草類等の食料増産を図り、既存火力発電所や原子力発電所が使用熱量全部で海水温度を上昇して、海水温度の上昇速度を限り無く増大し、メタンハイドレート大分解・人類絶滅の危険を増大しており、海水を冷却して人類絶滅の危険を緩和します。
【００７４】
自動車やプロペラ飛行機やプロペラ船舶等の各種回転出力発生や停止時には、図１図２図３の発電用や回転出力発生と同様に用途に合せて選択使用して、同一燃料量既存往復機関の１０００倍仮説回転出力に近付け、既存往復機関を含む各種エネルギ保存サイクル機関を、各種エネルギ保存圧縮機２０Ｘとして選択使用し、弾み車タービン８・８を燃焼ガスの１０００倍大気圧重力仕事能力に近付けて駆動して、極限まで小型簡単軽量大出力とします。そして排気の過程では副産物の温熱や冷熱が膨大で冷暖房容易に加えて、燃焼ガス４９質量の３０〜３００倍水質量等にＣＯ２等を溶解する、燃焼ガス溶解水５２ｇとして排水し、ＣＯ２等燃焼ガス排気を０や０に近付けて、公害低減・地球温暖化防止する、各種自動車や各種プロペラ飛行機や各種プロペラ船舶や、各種回転力駆動の機械機器類等を回転駆動する、各種エネルギ保存サイクル合体機関とします。
【実施例４】
【００７５】
図４の過熱蒸気燃焼ガス噴射ノズル６Ｈは摩擦損失低減手段として、加熱高温手段１０１及び撥水鍍金３ａを設け、高温気化膜や撥水作用で摩擦損失を低減し、過熱蒸気燃焼ガス噴射ノズル６Ｘは摩擦損失低減手段として、加熱高温手段１０１及び撥水鍍金３ａを用途に合わせて適宜に設けて摩擦損失を低減し、過熱蒸気爆発力及び燃焼ガス爆発力で水を摩擦損失最少にして混合噴射加速して、燃焼ガスマイクロバブルや過熱蒸気マイクロバブルで摩擦損失を低減し、回転出力や噴射推進出力の発生に使用します。従って過熱蒸気燃焼ガス噴射ノズル６Ｈは、過熱蒸気噴射ノズル６Ａ６Ｂ６Ｉ及び燃焼ガス噴射ノズル６Ｃ６Ｄ６Ｊを使用し、過熱蒸気燃焼ガス噴射ノズル６Ｘは、過熱蒸気噴射ノズル６Ａ６Ｂ６Ｉ及び燃焼ガス噴射ノズル６Ｃ６Ｄ６Ｊを用途に合せて選択使用して、例えば図８の合体機関噴射部７７Ｌの過熱蒸気燃焼ガス噴射ノズル６Ｈ６Ｘのように適宜に簡単とします。
【００７６】
過熱蒸気噴射ノズル６Ａは、加熱高温気化膜で摩擦損失を低減し、過熱蒸気爆発力と霧吹きの原理で水を摩擦損失最少にして混合噴射加速して、過熱蒸気マイクロバブルで摩擦損失を低減します。過熱蒸気噴射ノズル６Ｂは、撥水作用により摩擦損失を低減し、過熱蒸気爆発力と霧吹きの原理で水を摩擦損失最少にして混合噴射加速して、過熱蒸気マイクロバブルで摩擦損失を低減します。燃焼ガス噴射ノズル６Ｃは、加熱高温気化膜で摩擦損失を低減し、燃焼ガス爆発力と霧吹きの原理で水を摩擦損失最少として混合噴射加速して、燃焼ガスマイクロバブルで摩擦損失を低減します。
【００７７】
燃焼ガス噴射ノズル６Ｄは、撥水作用により摩擦損失を低減し、燃焼ガス爆発力と霧吹きの原理で水を摩擦損失最少にして混合噴射加速して、燃焼ガスマイクロバブルで摩擦損失を低減します。過熱蒸気噴射ノズル６Ｉは、過熱蒸気噴射ノズル６Ａ＋６Ｂとします。燃焼ガス噴射ノズル６Ｊは、燃焼ガス噴射ノズル６Ｃ＋６Ｄとします。水噴射ノズル６Ｅは、過熱蒸気爆発力又は燃焼ガス爆発力と霧吹きの原理で高温水５２ｂ又は水５２ａを摩擦損失最少にして混合噴射加速します。冷水噴射ノズル６Ｇは、燃焼ガス爆発力と霧吹きの原理で冷水５２ｈを摩擦損失最少にして混合噴射加速します。
【００７８】
図４の過熱蒸気燃焼ガス噴射ノズル６Ｈ乃至６Ｘの、過熱蒸気噴射ノズル６Ｉ又は６Ａ又は６Ｂは、筒型の過熱蒸気溜９５ｃを具備して過熱蒸気５０を供給して、複雑帯状に１以上具備した高温水溜９５に高温水５２ｂを供給し、高温水５２ｂを吸引噴射容易に設けた１以上の水噴射ノズル６Ｅを具備して、過熱蒸気５０爆発力と霧吹きの原理により、１以上の水噴射ノズル６Ｅの高温水５２ｂを摩擦損失最少にして混合噴射加速します。
【００７９】
高温気化膜や撥水作用により用途に合わせて摩擦損失を低減し、高温水５２ｂを吸引混合毎に過熱蒸気マイクロバブルでも摩擦損失を低減して、円形状から楕円形状に公知ノズル９４ｂを含めて順次断熱膨張加速し、ノズル噴射部６ａではタービン翼８ｃ・８ｃ長さに合せた細長い噴口部として、高温水５２ｂを火薬爆発機関銃の弾丸や吹雪のように加速し、弾み車蒸気タービン８ｂ・８ｂの接線方向＋垂直方向に噴射して、大気圧重力仕事能力を燃焼ガスの１０００倍に近付けて、重力加速度を増大した回転出力とし、往復機関の死点後９０度の絶好機連続動圧駆動とします。
【００８０】
図４の過熱蒸気燃焼ガス噴射ノズル６Ｈ乃至６Ｘの、水道水冷熱５２ｅ回収用は燃焼ガス噴射ノズル６Ｄを使用し、筒型の燃焼ガス溜９５ａを具備して燃焼ガス４９を供給して、複雑帯状に１以上具備した水溜９５ｂに、不凍液を混入した水５２ａ又は冷水５２ｈを用途に合せて供給し、水５２ａ又は冷水５２ｈを吸引噴射容易に設けた１以上の冷水噴射ノズル６Ｇを具備して、燃焼ガス４９爆発力と霧吹きの原理により、１以上の冷水噴射ノズル６Ｇの水５２ａ又は冷水５２ｈを摩擦損失最少にして混合噴射加速します。
【００８１】
高温気化膜や撥水作用により用途に合わせて摩擦損失を低減し、水５２ａ又は冷水５２ｈを吸引混合時にも、燃焼ガスマイクロバブルを発生させて摩擦損失を低減して、円形状から楕円形状に公知ノズル９４ｂを含めて順次断熱膨張加速し、ノズル噴射部６ａではタービン翼８ｃ・８ｃ長さに合せた細長い噴口部として、水５２ａ又は冷水５２ｈを火薬爆発機関銃の弾丸や吹雪のように加速し、弾み車ガスタービン８ａ・８ａの接線方向＋垂直方向に噴射して、大気圧重力仕事能力を燃焼ガスの１０００倍に近付けて、重力加速度を増大した回転出力とし、往復機関の死点後９０度の絶好機連続動圧駆動とします。
【実施例５】
【００８２】
図５の選択した合体機関燃焼部２９Ｘは、対向に接近又は噛合せてタービン翼８ｃ・８ｃを具備して、送水ポンプ兼磁気摩擦動力伝達装置５５・５５等により、対向無接触同期させた弾み車タービン８・８を水噴射駆動し、弾み車の接線方向駆動にすることで既存往復機関最大の欠点の死点を皆無として、（既存往復機関死点後９０度１ＭＰａＸ燃焼ガス質量静圧断続駆動）を（死点後９０度４００ＭＰａＸ１０００倍水質量動圧連続駆動を狙い）＝（往復圧縮機死点後９０度の４０００００倍重力仕事能力で動圧連続駆動を狙い）拡径圧縮室１０ａ内に見えるクランク軸１６・１６・１６・１６等を回転して、シリンダ１５ａ内を往復する図１の拡径ピストン２１等を駆動し、多気筒を予圧圧縮機として夫々気化熱空気回収２Ｂにより排気熱量を回収した高温空気を圧縮超高温として、予圧圧縮室兼熱交換器１Ａで熱交換して最適温度の空気とし、本圧圧縮機を含む圧縮専用の選択したエネルギ保存圧縮機２０Ｘとすることで、例えば１／５０Ｘ１／５０Ｘ１／５０＝１／１２５０００容積圧縮空気等として、縮径主燃焼室兼熱交換器１により限り無く高圧燃焼長時間熱交換冷却燃焼し、４００ＭＰａ過熱蒸気爆発力＋最低温度２００ＭＰａ燃焼ガス爆発力等に分割を可能にします。
【実施例６】
【００８３】
図６の合体機関飛行機３８Ａの各種ジェット機の空気吸引噴射出力の発生は、図１から図５や図１５から図２１のＡ型等各種合体機関燃焼部から、用途に合せて選択した合体機関燃焼部２９Ｘを使用して、合体機関噴射部７７Ｋや７７Ｌを飛行翼３８ｂや飛行尾翼３８ｃの左右に分割し、合体機関燃焼部２９Ｘを垂直翼３８ｄ・３８ｄに分割することで、合体機関噴射部７７Ｋや７７Ｌを用途に合せて極限まで簡単として、前方の空気や真空を限り無く高速で吸引して噴射を可能にし、合体機関燃焼部２９Ｘも限り無く高速高圧の空気を、飛行翼３８ｂや飛行尾翼３８ｃの翼前縁心３８ｅより吸入して予圧圧縮し、吸気弁２８より吸入して予圧圧縮や本圧圧縮して、縮径主燃焼室兼熱交換器１により限り無く高圧燃焼熱交換冷却燃焼し、例えば最適温度４００ＭＰａ過熱蒸気爆発力＋５００〜８００度Ｃ２００ＭＰａ燃焼ガス爆発力に分割して、大量貯蔵を可能にして燃料切れ時や宇宙往還機に使用し、燃料搭載量を１／１０００に近付け、大部分を水搭載量として非常に安全便利な乗り物にします。
【００８４】
超音速マッハ２３等の第一宇宙速度で摩擦熱が高温となる、飛行翼３８ｂや飛行尾翼３８ｃ等高温となる部分全部に、カーボンナノチューブ等で構成した給水管３を配管して高圧軽量容器を構成して、飛行速度による火の玉温度を回収して例えば４００ＭＰａ過熱蒸気爆発力にし、宇宙飛行時や地球帰還時に主エネルーや補助エネルギーとして使用して、飛行胴３８ａや飛行翼３８ｂには操縦室１０ｂや制御室１０ｃや客室１０ｄを設け、制御室１０ｃには総括制御装置２０を具備して既存技術で全体を制御します。全体を制御の過程で、飛行翼３８ｂや飛行尾翼３８ｃの左右に設けた合体機関噴射部７７Ｋ又は７７Ｌを、夫々の円筒回転部７７Ｇにより９０〜１８０度以上回転制御して、垂直上昇や垂直降下や逆噴射を可能にし、既存技術の１０倍速度を狙う各種超音速ジェット機や各種超音速ジェット戦闘機や、各種ジェット機や各種ジェット戦闘機や各種宇宙往還旅客機や、各種宇宙往還旅客親飛行機等の空気や真空を吸引噴射する出力発生として、ビルの屋上等何処でも飛行場や月等に垂直降下垂直上昇を可能にします。
【実施例７】
【００８５】
図７の合体機関噴射部７７Ｋは、各種ジェット機や各種超高速船舶等の空気吸引噴射出力発生に使用するもので、図１図２のＡ型等用途に合せて選択した合体機関燃焼部２９Ｘの、弾み車タービン８・８を回転してクランク軸１６を直接又は減速して駆動し、１以上の余圧圧縮機や予圧圧縮室兼熱交換器１Ａを含めて排気熱量を回収冷却した空気を圧縮して、縮径主燃焼室兼熱交換器１で限り無く高圧燃焼熱交換冷却燃焼し、最適温度４００ＭＰａ過熱蒸気爆発力＋５００〜８００度Ｃ２００ＭＰａ燃焼ガス爆発力に分割して、その一部により選択した合体機関燃焼部２９Ｘを駆動し、大部分を合体機関噴射部外箱７７Ｆ内の、夫々１以上の筒形外箱７７ｂ内の、過熱蒸気噴射ノズル及び燃焼ガス噴射ノズルに供給します。
【００８６】
撥水鍍金３ａして撥水作用により摩擦損失を低減した過熱蒸気噴射ノズル６Ｂ又は、加熱高温手段１０１を追加して電磁加熱や電気抵抗等の既存技術で、加熱高温気化膜や撥水作用を設けて摩擦損失を低減した過熱蒸気噴射ノズル６Ｉの過熱蒸気溜９５ｃ及び、同様に撥水作用で摩擦損失を低減した燃焼ガス噴射ノズル６Ｄ又は、同様に気化膜と撥水作用により摩擦損失を低減した燃焼ガス噴射ノズル６Ｊの燃焼ガス溜９５ａに、夫々過熱蒸気爆発力及び燃焼ガス爆発力を供給します。
【００８７】
そして１以上の流線型過熱蒸気噴射ノズルの過熱蒸気溜９５ｃの過熱蒸気爆発力及び、１以上の流線型燃焼ガス噴射ノズルの燃焼ガス溜９５ａの燃焼ガス爆発力と夫々の霧吹きの原理により、用途に合せて摩擦損失を低減した、夫々１以上の流線型過熱蒸気噴射ノズル６及び流線型燃焼ガス噴射ノズル６内では、夫々１以上の帯状水溜９５ｂの１以上の水噴射ノズル６Ｅの水５２ａを、火薬爆発機関銃の弾丸や吹雪のように混合噴射加速して、過熱蒸気や燃焼ガスのマイクロバブルを生成して摩擦損失を低減します。
【００８８】
大気圧重力仕事能力を夫々燃焼ガスの１０００倍に近付け、夫々の霧吹きの原理１１１Ｉ・１１１Ｊにより、夫々前方の空気を吸引噴射し、既存ガスタービンの１０００倍噴射推進出力に近付け、合体機関噴射部外箱７７Ｆの円筒回転部７７Ｇと、飛行翼３８ｂ及び飛行尾翼３８ｃに設けた磁気摩擦動力伝達装置７６や公知技術により、合体機関噴射部外箱７７Ｆを用途に合せて９０〜１８０度以上回転可能にして、垂直上昇や垂直降下や逆噴射を可能にし、既存技術の１０倍速度を狙う、各種ジェット機や各種ジェット戦闘機や各種超高速船舶や各種超高速戦闘船舶等の空気吸引噴射出力発生とします。
【実施例８】
【００８９】
図８の合体機関噴射部７７Ｌは、図７の合体機関噴射部７７Ｋより高速噴射に使用するもので、同様に最適温度４００ＭＰａ過熱蒸気爆発力＋５００〜８００度Ｃ２００ＭＰａ燃焼ガス爆発力に分割して、その一部により前記同様に選択した合体機関燃焼部２９Ｘを駆動し、大部分を合体機関噴射部外箱７７Ｆ内の、１以上の筒形外箱７７ｂ内の、気化膜や撥水作用により摩擦損失を低減した流線型過熱蒸気燃焼ガス噴射ノズル６Ｈや、用途に合わせて摩擦損失を低減した流線型過熱蒸気燃焼ガス噴射ノズル６Ｘの、流線型過熱蒸気溜９５ｃ及び帯状燃焼ガス溜９５ａに、夫々過熱蒸気爆発力及び燃焼ガス爆発力を供給して、流線型過熱蒸気燃焼ガス噴射ノズル６Ｈ又は６Ｘの、過熱蒸気爆発力＋燃焼ガス爆発力と霧吹きの原理により、過熱蒸気含有の高温水を混合噴射加速します。
【００９０】
適宜に摩擦損失を低減した１以上の、流線型過熱蒸気燃焼ガス噴射ノズル６Ｈ又は６Ｘ内では過熱蒸気含有の高温水を、火薬爆発機関銃の弾丸や吹雪のように混合噴射加速して、過熱蒸気や燃焼ガスのマイクロバブルを生成して摩擦損失を低減し、大気圧重力仕事能力を燃焼ガスの１０００倍に近付け、霧吹きの原理１１１Ｘにより、前方の空気や真空を大仕事能力で吸引噴射して、同一燃料量既存ガスタービンの１０００倍噴射推進出力に近付け、構造を極限まで簡単にすることで最高速噴射推進の用途に使用し、合体機関噴射部外箱７７Ｆの円筒回転部７７Ｇと、図６の飛行翼３８ｂ及び飛行尾翼３８ｃに設けた磁気摩擦動力伝達装置７６又は公知技術により、合体機関噴射部外箱７７Ｆを用途に合せて９０〜１８０度以上回転可能にして、垂直上昇や垂直降下や逆噴射を可能にし、超音速マッハ３２の地球脱出速度以上等を狙う、各種宇宙往還旅客機や各種宇宙往還親飛行機や各種超音速ジェット機や、各種超音速ジェット戦闘機等の空気吸引噴射出力発生とします。
【実施例９】
【００９１】
図９の空気噴射船舶３８Ｂの空気吸引噴射の出力発生は、図１から図５や図１５から図２１のＡ型等各種合体機関燃焼部から、用途に合せて選択した合体機関燃焼部２９Ｘを、合体機関噴射部７７Ｋより分離して船体内に適宜に具備して、高速高圧の空気を飛行翼３８ｂの翼前縁心３８ｅより吸入して１以上の余圧圧縮機や予圧圧縮室兼熱交換器１Ａを含めて排気熱量を回収冷却した空気を吸入圧縮して、縮径主燃焼室兼熱交換器１により限り無く高圧燃焼熱交換冷却燃焼し、最適温度４００ＭＰａ過熱蒸気爆発力＋５００〜８００度Ｃ２００ＭＰａ燃焼ガス爆発力に分割して、その一部により合体機関燃焼部２９Ｘを駆動し、大部分により合体機関噴射部７７Ｋを駆動して、船前浮揚板９Ａの後方や船後浮揚板９Ｂの前方に夫々１以上分割して具備し、船体前方斜め上や船体中央斜め上等の空気を吸引して、夫々船体前部の底部斜め下や船体後部の底部斜め下の平行垂直板９ｃ内に噴射して船体を空気圧で浮揚します。
【００９２】
船体後部の空気噴口９Ｄ等より空気噴射して噴射推進の過程で、空気噴口９Ｄや垂直翼３８ｄの方向舵４０Ａ・４０Ａを駆動制御操舵して、既存の飛行機より大幅な大重量の車両や戦闘機等を超高速輸送するため、飛行翼３８ｂと飛行尾翼３８ｃを一体として昇降制御操舵し、水上との距離を一定に安定して、飛行胴３８ａや船室１０Ａには操縦室１０ｂや客室１０ｄや、制御室１０ｃや貨物室１０ｅを設け、制御室１０ｃには総括制御装置２０を具備して既存技術で全体を制御し、４００ＭＰａ過熱蒸気爆発力＋２００ＭＰａ燃焼ガス爆発力を貯蔵して、燃料切れ時に使用可能とし、燃料搭載量を１／１０００に近付け、大部分を水搭載量として火災の場合は即時噴射可能とした非常に安全便利として、飛行翼３８ｂと飛行尾翼３８ｃを一体として既存船舶の２０倍速度を狙う、各種客船や各種フェリーボートや各種貨物船舶や各種航空母艦や各種戦闘艦船等にします。
【実施例１０】
【００９３】
図１０の水噴射船舶３８Ｃの水吸引噴射出力の発生は、図１から図５や図１５から図２１のＡ型等各種合体機関燃焼部から、用途に合せて選択した合体機関燃焼部２９Ｘをウォータージェット７７Ｍや７７Ｎから分離して具備して、前記同様に縮径主燃焼室兼熱交換器１で限り無く高圧燃焼熱交換冷却燃焼し、例えば最適温度４００ＭＰａ過熱蒸気爆発力＋５００〜８００度Ｃ２００ＭＰａ燃焼ガス爆発力に分割して、その一部により前記同様に選択した合体機関燃焼部２９Ｘを駆動し、大部分により船底に具備した夫々１以上の霧吹きの原理１１１ｇ・１１１ｈで成る、図１１・図１２のウォータージェット７７Ｍ又は７７Ｎを駆動して、船底前方の水を吸引して船底後方に噴射し、噴射推進の過程で噴射部に具備した方向舵４０Ａを駆動制御操舵して、水上を超高速で浮上推進します。
【００９４】
既存の貨物船と同重量を超高速浮上輸送するため、水上翼３８ｇを昇降自在変形可能に具備して、複数の油圧シリンダ４８ａにより最適位置形状に移動変形し、速度に合せた最適位置に最適変形して、船体速度による水上翼３８ｇの水圧により大重量船体を浮上させた水噴射推進とします。そして操縦室１０ｂには客室１０ｄ等を設け、船室１０Ａに貨物室１０ｅや制御室１０ｃを設けて、総括制御装置２０により既存技術で総括制御し、４００ＭＰａ過熱蒸気爆発力＋２００ＭＰａ燃焼ガス爆発力を貯蔵して、燃料切れ時に使用可能とし、燃料搭載量を１／１０００に近付け、大部分を水搭載量として火災の場合は即時噴射可能とした非常に安全便利として、既存船舶の１０倍速度を狙う各種船舶や各種フェリーボートや各種貨物船舶や、各種航空母艦や各種戦闘艦船等にします。
【実施例１１】
【００９５】
図１１のウォータージェット７７Ｍは、用途に合せて選択した合体機関燃焼部２９Ｘの、縮径主燃焼室兼熱交換器１で限り無く高圧燃焼熱交換冷却燃焼して、最適温度４００ＭＰａ過熱蒸気爆発力＋５００〜８００度Ｃ２００ＭＰａ燃焼ガス爆発力に分割し、夫々の温度や圧力の上昇時に過熱蒸気制御弁２５＋燃焼ガス制御弁２４を開放制御して、その一部により選択した合体機関燃焼部２９Ｘを駆動し、大部分をウォータージェット外箱７７Ｄ内に最適配置した、夫々１以上の筒形外箱７７ｂ内の、撥水作用により摩擦損失を低減した流線型過熱蒸気噴射ノズル６Ｂ又は、加熱高温手段１０１を追加して高温気化膜や撥水作用により摩擦損失を低減した、流線型過熱蒸気噴射ノズル６Ｉの過熱蒸気溜９５ｃ及び、同様に撥水作用により摩擦損失を低減した流線型燃焼ガス噴射ノズル６Ｄ又は、高温気化膜＋撥水作用により摩擦損失を低減した、流線型燃焼ガス噴射ノズル６Ｊの燃焼ガス溜９５ａに、夫々過熱蒸気爆発力及び燃焼ガス爆発力を供給します。
【００９６】
送水ポンプ兼磁気摩擦動力伝達装置５５等により昇圧した水５２ａを、夫々１以上の水制御弁２５ｃを開放制御して夫々１以上の帯状水溜９５ｂに供給し、１以上の過熱蒸気溜９５ｃの過熱蒸気爆発力及び１以上の燃焼ガス溜９５ａの燃焼ガス爆発力と、夫々の霧吹きの原理により、１以上の水噴射ノズル６Ｅの水５２ａを、火薬爆発機関銃の弾丸や吹雪のように混合噴射加速して、大気圧重力仕事能力を夫々燃焼ガスの１０００倍に近付け、夫々の霧吹きの原理１１１ｇ・１１１ｈにより、夫々前方の水５２ａを大仕事能力で吸引噴射するウォータージェット７７Ｍとし、夫々前方の水を進行方向下流に噴射して、既存ウォータージェットの１０００倍噴射推進出力に近付け、既存技術水噴射推進船舶の１０倍速度を狙う、各種高速船舶や各種高速戦闘船舶や各種航空母艦や各種高速水上輸送移動機器等を、水吸引噴射して噴射推進駆動する、各種エネルギ保存サイクル合体機関とします。
【実施例１２】
【００９７】
図１２のウォータージェット７７Ｎは前記同様に、用途に合せて選択した合体機関燃焼部２９Ｘの、縮径主燃焼室兼熱交換器１で限り無く高圧燃焼熱交換冷却燃焼し、例えば最適温度４００ＭＰａ過熱蒸気爆発力＋５００〜８００度Ｃ２００ＭＰａ燃焼ガス爆発力に分割して、その一部により選択した合体機関燃焼部２９Ｘを駆動し、大部分を夫々のウォータージェット外箱７７Ｄ内に最適配置した、夫々１以上の筒形外箱７７ｂ内の、撥水作用により摩擦損失を低減した流線型過熱蒸気噴射ノズル６Ｂ又は、加熱高温手段１０１を追加して高温気化膜や撥水作用により摩擦損失を低減した流線型過熱蒸気噴射ノズル６Ｉの過熱蒸気溜９５ｃ及び、同様に撥水作用により摩擦損失を低減した流線型燃焼ガス噴射ノズル６Ｄ又は、高温気化膜＋撥水作用により摩擦損失を低減した流線型燃焼ガス噴射ノズル６Ｊの燃焼ガス溜９５ａに、夫々過熱蒸気爆発力及び燃焼ガス爆発力を供給します。
【００９８】
そして送水ポンプ兼磁気摩擦動力伝達装置５５等により昇圧した水５２ａを、夫々１以上の水制御弁２５ｃを開放制御して夫々１以上の帯状水溜９５ｂに供給し、１以上の過熱蒸気溜９５ｃの過熱蒸気爆発力及び１以上の燃焼ガス溜９５ａの燃焼ガス爆発力と、夫々の霧吹きの原理により、１以上の水噴射ノズル６Ｅの水５２ａを、火薬爆発機関銃の弾丸や吹雪のように混合噴射加速して、大気圧重力仕事能力を夫々燃焼ガスの１０００倍に近付け、夫々の霧吹きの原理１１１ｇ・１１１ｈにより、夫々前方の水５２ａを大仕事能力で吸引噴射するウォータージェット７７Ｎとし、夫々前方の水５２ａを進行方向下流に噴射して、既存ウォータージェットの１０００倍噴射推進出力に近付け、既存技術水噴射推進船舶の１０倍速度を狙う、各種高速船舶や各種高速戦闘船舶や各種航空母艦や各種高速水上輸送移動機器等を、水吸引噴射して噴射推進駆動する、各種エネルギ保存サイクル合体機関とします。
【実施例１３】
【００９９】
図１３により本発明による地球温暖化防止を説明する。世界の火力発電所や原子力発電所の回転出力発生は、回転出力を発生で充分な頃の時代遅れの発明を改良で、超臨界圧力過熱蒸気を蒸気タービンにより断熱膨張させて、膨大過ぎる蒸気速度を膨大な静翼を多段に設けて、多段に堰き止めて実用速度に減速する無茶苦茶をし、使用した熱量全部で海水温度を上昇して、日本近海の海水温度を１〜２度Ｃ上昇してマイワシ生息数を１／２００に激減する無茶苦茶をしております。更に火力発電所では１００００倍容積に増大して重力仕事能力を１／１００００に低減して、単位動翼面積の出力を１／１００００に近付けて仮説出力を１／１０００に近付ける無茶苦茶を重ねて、ＣＯ２等の燃焼ガスを排気して地球温暖化を加速しております。
【０１００】
例えば教育テレビで放映の米国カリフォルニアの海では、２０年間海水を採取研究して、海水表面温度１度Ｃの上昇により植物プランクトンの珪藻が死滅し、珪藻を食物とする動物プランクトンが死滅して、動物プランクトンを食物とする魚類が激減し、その魚類を食物とする鳥が８年で１／１０に激減した研究報告があります。例えば日本近海の海水温度上昇速度を中国等と共に限り無く増大し、海水温度の上昇速度を１０倍に近付けて限り無く上昇して、ＣＯ２の２０倍の温暖化ガスのメタンハイドレート大分解が始まると制御不可能となり、集中豪雨やハリケーン等が巨大化する異常気象は限り無く増大し、灼熱地球の危険も増大して、人類絶滅の危険が増大します。
【０１０１】
そこで各種エネルギ保存サイクル機関と全動翼蒸気ガスタービン合体機関を合体して、各種エネルギ保存サイクル合体機関とし、予圧を含む圧縮専用の各種エネルギ保存圧縮機２０Ｘとして、１以上の余圧圧縮機や予圧圧縮室兼熱交換器１Ａを含めて気化熱空気回収器２Ｂで排気熱量を回収冷却した空気で排気熱量を回収して本圧圧縮して、例えば１／５０Ｘ１／５０Ｘ１／５０＝１／１２５０００容積圧縮空気等、縮径主燃焼室兼熱交換器１で限り無く高圧燃焼熱交換冷却燃焼して、燃焼温度と容積の障害を最少とし、用途に合せて４００ＭＰａ過熱蒸気爆発力＋２００ＭＰａ燃焼ガス爆発力に分割を可能にして、過熱蒸気爆発力及び燃焼ガス爆発力と霧吹きの原理により、夫々水を混合噴射加速して夫々の爆発速度をタービン周速度近傍の水の速度に変換し、大気圧重力仕事能力を夫々燃焼ガスの１０００倍に近付け、弾み車蒸気タービン８ｂ・８ｂ及び弾み車ガスタービン８ａ・８ａの接線垂直方向に連続噴射して、既存往復機関最大の欠点の死点を皆無とし、既存往復機関死点後９０度１ＭＰａＸ燃焼ガス質量断続静圧駆動を、４００ＭＰａＸ１０００倍水質量連続動圧駆動として、余裕充分で同一燃料量既存往復機関の１０００倍回転出力や発電量を狙います。
【０１０２】
回転出力発生排気の過程では、過熱蒸気噴射ノズルの４００ＭＰａ過熱蒸気爆発力と霧吹きの原理により、高温水を混合噴射加速して重力仕事能力を燃焼ガスの１０００倍に近付け、弾み車蒸気タービン８ｂ・８ｂを駆動し、大気圧まで使用して１００度Ｃの高温水及び凝縮水を限り無く循環使用して、供給熱量略全部を気化熱水回収器で１００度Ｃの水道水温熱で回収して需要家に供給すると共に、１００度Ｃ近傍の水道水温熱を利用して電力消費０から１／１０を狙う、業務用や家庭用の各種暖房設備機器や各種調理設備機器や各種温水設備機器や各種洗濯乾燥機や、各種食器洗い機や各種海水淡水化設備機器等を製造販売等し、海水温度の上昇を全廃して、世界の火力発電所や原子力発電所が供給使用熱量全部で海水温度を上昇、メタンハイドレート大分解・灼熱地球・人類絶滅の危険を増大しており、海水温度上昇の全廃により順次阻止します。
【０１０３】
そして燃焼ガス噴射ノズルの例えば２００ＭＰａ５０度Ｃ燃焼ガス爆発力と霧吹きの原理により、不凍水を混合噴射加速して重力仕事能力を燃焼ガスの１０００倍に近付け、弾み車ガスタービン８ａ・８ａを駆動し、温度と容積の障害を最低とした燃焼ガス爆発力の排気温度を−２７３度Ｃに近付け、その燃焼ガス排気全部を冷熱回収器で熱交換回収して、０度Ｃに近い水道水冷熱にして需要家に供給すると共に、０度Ｃ近傍の水道水冷熱を利用して電力消費０から１／１０を狙う、業務用や家庭用の各種冷房設備機器や各種冷蔵設備機器や各種冷凍設備機器や、各種冷却設備機器や製氷設備機器や断熱冷水タンクや温熱冷熱配管ビル等を、製造販売して都市部を丸ごと冷却してヒート・アイランド現象を逆転します。
【０１０４】
ＣＯ２等燃焼ガス全部を水に溶解して燃焼ガス溶解水として回収して、泥土や植物片や残飯等にバクテリア等の微生物で、公知技術等により分解溶解固定して肥料にする過程でメタンガス等を発生回収販売し、肥料の製造等新規産業を創出して農作物の増産を図ると共に、膨大過ぎる０度Ｃに近い燃焼ガス溶解水で海水を冷却してＣＯ２等を海水に供給する過程で、霧吹きの原理により空気を吸引して海水に酸素や窒素を供給して、植物プランクトンの珪藻や海藻等を先ず増殖し、食物連鎖等で魚介類や海草などを増殖して食料の増産を図る等、新規産業の創出を図ります。
【実施例１４】
【０１０５】
図１４の回転出力や噴射推進出力で用途に合せて駆動する、各種エネルギ保存サイクル合体機関の出力発生は、既存技術制御装置の各種エネルギ保存サイクル合体機関制御装置２０により、予圧圧縮機を含めて圧力制御して限り無い高圧燃焼熱交換冷却燃焼し、既存技術の１０倍回転数を狙う、送水ポンプ兼磁気摩擦動力伝達装置等の制御により、用途に合せた温度の４００ＭＰａ過熱蒸気爆発力＋２００ＭＰａ燃焼ガス爆発力等に分割して、その全部により合体機関燃焼部２９Ｘを駆動し、過熱蒸気爆発力及び燃焼ガス爆発力と夫々の霧吹きの原理により、夫々水を混合噴射加速して夫々弾み車蒸気タービン８ｂ・８ｂ及び弾み車ガスタービン８ａ・８ａの接線垂直方向に噴射して、既存往復機関死点後９０度の絶好機の４０万倍仕事能力で連続動圧駆動とし、既存往復機関の１０００倍仮説回転出力を狙い、各種熱と電気と冷熱の供給設備や各種自動車や各種プロペラ飛行機や各種陸上輸送移動機器や各種汎用機関や各種機械類や各種戦闘車両や各種プロペラ推進船舶や各種プロペラ推進戦闘船舶等、駆動可能なもの全部を駆動します。
【０１０６】
例えば４００ＭＰａ過熱蒸気爆発力＋２００ＭＰａ燃焼ガス爆発力に分割し、その一部により選択した合体機関燃焼部２９Ｘを駆動して、大部分により合体機関噴射部７７Ｋ又は７７Ｌを駆動して前方の空気や真空を吸引して噴射推進し、又は大部分によりウォータージェット７７Ｍ又は７７Ｎを駆動して、前方の水を吸引して噴射推進し、既存技術の１０倍速度を狙う各種超音速飛行機や各種宇宙往還旅客機や、各種宇宙往還親飛行機や各種空中輸送移動機器や各種超音速戦闘飛行機や、各種飛行船舶や各種垂直上昇降下飛行機等を駆動します。そして水を吸引して噴射推進する各種超高速船舶や各種超高速戦闘船舶や各種超高速航空母艦や各種高速船舶や各種高速戦闘船舶や各種高速航空母艦や各種水上輸送移動機器等、駆動可能なもの全部を駆動します。
【実施例１５】
【０１０７】
図１５のＢ型合体機関燃焼部２９Ｂは、Ａ型合体機関燃焼部２９Ａのシリンダヘッド１５と、逆止弁９７や一方向空気流路９を含む、一方向流路の縮径主燃焼室兼熱交換器１を同様に左右に設けて、全動翼圧縮機２０Ｊ又は各種エネルギ保存圧縮機２０Ｘ又は公知の圧縮機で、用途に合せて１以上の余圧圧縮機や予圧圧縮室兼熱交換器１Ａを含めて気化熱空気回収器２Ｂで排気熱量を回収冷却した空気で更に排気熱量を回収圧縮して、縮径主燃焼室兼熱交換器１で限り無く高圧燃焼熱交換冷却燃焼とし、用途に合せた温度の４００ＭＰａ過熱蒸気爆発力＋２００ＭＰａ燃焼ガス爆発力に分割する、Ａ型・Ｂ型・Ｃ型・Ｄ型・Ｅ型・Ｆ型・Ｇ型・Ｈ型から、用途に合せて選択した合体機関燃焼部２９Ｘを使用します。そして合体機関燃焼部２９Ｘを合体機関噴射部７７Ｋ・７７Ｌや、ウォータージェット７７Ｍ・７７Ｎで共通使用し、各種エネルギ保存圧縮機２０Ａ・２０Ｂ・２０Ｃ・２０Ｄ・２０Ｅ・２０Ｆ・２０Ｇ・２０Ｈ＝各種エネルギ保存圧縮機より、用途に合せて選択したエネルギ保存圧縮機２０Ｘを使用して、各種用途に最適対応します。
【０１０８】
従ってＢ型合体機関燃焼部２９Ｂは、縮径主燃焼室兼熱交換器１を左右に夫々１以上具備し、Ａ型エネルギ保存圧縮機２０Ａに換えて、Ｂ型エネルギ保存圧縮機２０Ｂを使用し、ディーゼル機関の往復運動による運動エネルギ減少損失最大を最少にするため、クランク軸１６の回転運動による両頭拡径ピストン２１の往復運動を、振り子腕４０ａによる振り子運動で運動エネルギの減少損失最少で拡大増幅して、両頭拡径ピストン２１のピストン行程を拡大し、ピストンの側圧を最低で圧縮比をディーゼル機関並に最も簡単に増大して、弾み車タービン８を振り子腕４０ａの支点又はクランク軸１６に設けて、直接又は減速してクランク軸１６を駆動し、図１図５のように弾み車タービン８・８を拡大して、タービン翼８ｃ・８ｃを対向に接近又は噛合せて無接触同期させて具備し、同期回転させる同径の送水ポンプ兼磁気摩擦動力伝達装置５５又は、歯車装置等を設けます。そして多気筒で使用の場合にはクランク軸１６・１６の増設により、（２気筒＋２気筒）ＸＸと増設して多気筒にし、弾み車タービン単独使用では２気筒ＸＸで多気筒にして、予圧圧縮機で使用します。
【実施例１６】
【０１０９】
図１６のＣ型合体機関燃焼部２９Ｃは、Ｂ型エネルギ保存圧縮機２０Ｂを対向に設けたＣ型エネルギ保存圧縮機２０Ｃとして、用途に合せて１以上の余圧圧縮機や予圧圧縮室兼熱交換器１Ａを含めて気化熱空気回収器２Ｂで排気熱量を回収冷却した空気で更に排気熱量を回収圧縮して、限り無く高圧燃焼熱交換冷却燃焼する縮径主燃焼室兼熱交換器１を左右と中央に夫々１以上具備し、予圧圧縮室兼熱交換器１Ａとしても使用して、クランク軸１６・１６が同期回転可能に、送水ポンプ兼磁気摩擦動力伝達装置５５又は歯車装置を設けて、振動を極限まで相殺僅少にし、両頭拡径ピストン２１・２１径を１０ｍ等の大径に近付け、クランク軸１６に直接又は変速して弾み車タービン８・８を対向に接近又は噛合せて無接触同期させて具備（図の弾み車タービン８を他方のクランク軸にも具備する）して、クランク軸１６を変速又は直接回転駆動し、ディーゼル機関の圧縮構造を極限まで簡単にして、振動を極限まで僅少にして前記同様に回転出力を発生する、Ｃ型合体機関燃焼部２９Ｃにします。
【０１１０】
図１図５のように弾み車タービン８・８を拡大して、タービン翼８ｃ・８ｃを対向に接近又は噛合せて無接触同期させて具備し、同期回転させる同径の送水ポンプ兼磁気摩擦動力伝達装置５５又は歯車装置を設け、弾み車タービン８・８を同期回転させます。例えば両頭拡径ビストン２１・２１の対向往復運動を完璧に同期させるため、図５のクランク軸１６・１６に同径の送水ポンプ兼磁気摩擦動力伝達装置５５・５５を具備して、４００ＭＰａ過熱蒸気爆発力等水圧を上昇制御し、用途に合せて適宜に駆動する送水ポンプ７５や既存技術ポンプを設けます。図１６では紙面の都合で弾み車タービン８を小径に１台図示しておりますが、大径の弾み車タービン８・８を対向に接近又は噛合せて無接触同期回転させる図５同径の、送水ポンプ兼磁気摩擦動力伝達装置５５・５５又は歯車装置として、クランク軸１６・１６を互いに反対方向に同期回転させ、対向往復運動と弾み車タービン８・８の回転を同時に同期させます。そして多気筒で使用の場合には４気筒ＸＸと増設して多気筒にして、予圧圧縮機で使用します。
【実施例１７】
【０１１１】
図１７のＤ型合体機関燃焼部２９Ｄは、Ａ型エネルギ保存圧縮機２０Ａに換えて、Ｄ型エネルギ保存圧縮機２０Ｄを使用して既存ガソリン機関に対応し、縮径主燃焼室兼熱交換器１を左右に夫々１以上具備して、クランク軸１６の回転運動により直接両頭拡径ピストン２１を往復運動させて、構造が最も簡単な空気圧縮機とし、圧縮比を用途に合せて最も簡単に増大してピストンの側圧を０に近付けて、弾み車タービン８・８を夫々のクランク軸１６に（図１図５のように図を拡大して）設けて、直接又は変速してクランク軸１６・１６を夫々回転駆動し、Ｄ型合体機関燃焼部２９Ｄ・２９Ｄを構成して、用途に合せて１以上の余圧圧縮機や予圧圧縮室兼熱交換器１Ａを含めて、気化熱空気回収器２Ｂで排気熱量を回収冷却した空気で更に排気熱量を回収、対向ピストンにより本圧圧縮して、縮径主燃焼室兼熱交換器１で限り無く高圧燃焼熱交換冷却燃焼とし、用途に合せた温度の４００ＭＰａ過熱蒸気爆発力＋２００ＭＰａ燃焼ガス爆発力に分割します。図１図５のように弾み車タービン８・８を大径にして対向に接近又は噛合せて、無接触同期回転させる図５の同径の送水ポンプ兼磁気摩擦動力伝達装置５５・５５又は歯車装置を具備して、多気筒で使用の場合には、クランク軸１６・１６の増設により、（２気筒＋２気筒）ＸＸと増設して多気筒にし、弾み車タービン単独使用では２気筒ＸＸで多気筒にして、予圧圧縮機で使用します。
【実施例１８】
【０１１２】
図１８のＥ型合体機関燃焼部２９Ｅは、Ｄ型エネルギ保存圧縮機２０Ｄを対向に設けて、Ｅ型エネルギ保存圧縮機２０Ｅを構成し、対向往復運動により振動を相殺して、縮径主燃焼室兼熱交換器１を左右と中央に夫々１以上具備し、予圧圧縮室兼熱交換器１Ａとしても使用して、振動を相殺することで両頭拡径ピストン２１径を１０ｍ等の大径を可能にし、構造が極限まで簡単な圧縮機を対向に具備したＥ型合体機関燃焼部２９Ｅにします。用途に合せて１以上の余圧圧縮機や予圧圧縮室兼熱交換器１Ａを含めて、気化熱空気回収器２Ｂで排気熱量を回収冷却した空気で更に排気熱量を回収、対向ピストンにより本圧圧縮して、縮径主燃焼室兼熱交換器１で限り無く高圧燃焼熱交換冷却燃焼とし、用途に合せた温度の４００ＭＰａ過熱蒸気爆発力＋２００ＭＰａ燃焼ガス爆発力に分割します。図１図５のように弾み車タービン８・８を拡大して、対向に接近又は噛合せて無接触同期回転とするものです。
【０１１３】
従って両頭拡径ビストン２１・２１の対向往復運動を完璧に同期させる、中央の同期軸１６ａと送水ポンプ兼磁気摩擦動力伝達装置５５又は歯車装置により、夫々適宜に変速する同期軸１６ａ・１６ａ又はクランク軸１６・１６に、弾み車タービン８・８を具備してクランク軸を変速駆動又は直接駆動し、クランク軸１６により直接両頭拡径ビストン２１を往復駆動することで、図１８のように構造が非常に簡単な対向往復運動空気圧縮機として、夫々の弾み車タービン８・８の回転を最適回転数に制定し、Ｅ型合体機関燃焼部２９Ｅを構成します。そして弾み車タービン８・８を対向に接近又は噛合せて、無接触同期回転させる（図１図５のように図１８の８を拡大して）同径の送水ポンプ兼磁気摩擦動力伝達装置５５・５５又は歯車装置を具備します。多気筒で同期軸１６ａ・１６ａに弾み車タービン８・８を具備の場合には（４気筒＋４気筒）ＸＸと増設して多気筒にし、クランク軸１６・１６に弾み車タービン８・８を具備の場合は４気筒ＸＸで多気筒にして、予圧圧縮機で使用します。
【実施例１９】
【０１１４】
図１９のＦ型合体機関燃焼部２９Ｆは、Ｄ型エネルギ保存圧縮機２０Ｄを対向に設けて、Ｆ型エネルギ保存圧縮機２０Ｆを構成して対向往復運動により振動を相殺して、縮径主燃焼室兼熱交換器１を左右に夫々１以上具備し、予圧圧縮室熱交換器１Ａとしても使用して、中央の一方向空気流路９から、左右の縮径主燃焼室兼熱交換器１に空気を供給する構成とし、振動を相殺することで両頭拡径ピストン２１径を１０ｍ等の大径を可能にして、構造が極限まで簡単な圧縮機を対向に具備した、Ｆ型合体機関燃焼部２９Ｆ・２９Ｆを対向に具備し、用途に合せて１以上の余圧圧縮機や予圧圧縮室兼熱交換器１Ａを含めて、気化熱空気回収器２Ｂで排気熱量を回収冷却した空気で更に排気熱量を回収、対向ピストンにより本圧圧縮して、縮径主燃焼室兼熱交換器１で限り無く高圧燃焼熱交換冷却燃焼とし、用途に合せた温度の４００ＭＰａ過熱蒸気爆発力＋２００ＭＰａ燃焼ガス爆発力に分割します。図１図５のように弾み車タービン８・８を拡大して、対向に接近又は噛合せて無接触同期回転とするものです。
【０１１５】
従って両頭拡径ビストン２１・２１の対向往復運動を完璧に同期させる、中央の同期軸１６ａと送水ポンプ兼磁気摩擦動力伝達装置５５又は歯車装置により、夫々適宜に変速する同期軸１６ａ・１６ａ叉はクランク軸１６・１６に、弾み車タービン８・８を具備してクランク軸を変速駆動又は直接駆動し、クランク軸１６により直接両頭拡径ビストン２１を往復駆動することで、図１９のように構造が非常に簡単な対向往復運動空気圧縮機として、夫々の弾み車タービン８・８の回転を最適回転数に制定し、Ｆ型合体機関燃焼部２９Ｆ・２９Ｆを構成します。そして弾み車タービン８・８を対向に接近又は噛合せて、無接触同期回転させる図５の、同径の送水ポンプ兼磁気摩擦動力伝達装置５５・５５又は歯車装置を具備します。多気筒で同期軸１６ａ・１６ａに弾み車タービン８・８を具備の場合には（４気筒＋４気筒）ＸＸと増設して多気筒にし、クランク軸１６・１６に弾み車タービン８・８を具備の場合は４気筒ＸＸで多気筒にして、予圧圧縮機で使用します。
【実施例２０】
【０１１６】
図２０のＧ型合体機関燃焼部２９Ｇは、Ｄ型エネルギ保存圧縮機２０Ｄを対向に設けて、Ｇ型エネルギ保存圧縮機２０Ｇを構成して対向往復運動により振動を相殺して、縮径主燃焼室兼熱交換器１を中央に１以上具備し、左右の一方向空気流路９から中央１以上の縮径主燃焼室兼熱交換器１に圧縮空気を供給する構成として、振動を相殺することで両頭拡径ピストン２１径を１０ｍ等の大径を可能にして、構造が極限まで簡単な圧縮機を対向に具備した、Ｇ型合体機関燃焼部２９Ｇ・２９Ｇを対向に具備し、用途に合せて１以上の余圧圧縮機や予圧圧縮室兼熱交換器１Ａを含めて、気化熱空気回収器２Ｂで排気熱量を回収冷却した空気で更に排気熱量を回収、対向ピストンにより本圧圧縮して、縮径主燃焼室兼熱交換器１で限り無く高圧燃焼熱交換冷却燃焼とし、用途に合せた温度の４００ＭＰａ過熱蒸気爆発力＋２００ＭＰａ燃焼ガス爆発力に分割します。図１図５のように弾み車タービン８・８を拡大して、対向に接近又は噛合せて無接触同期回転とするものです。
【０１１７】
従って両頭拡径ビストン２１・２１の対向往復運動を完璧に同期させる、中央の同期軸１６ａと送水ポンプ兼磁気摩擦動力伝達装置５５又は歯車装置により、夫々適宜に変速する同期軸１６ａ・１６ａ又はクランク軸１６・１６に、弾み車タービン８・８を具備してクランク軸を変速駆動し、クランク軸１６により直接両頭拡径ビストン２１を往復駆動することで、図２０のように構造が非常に簡単な対向往復運動空気圧縮機として、夫々の弾み車タービン８・８の回転を最適回転数に制定し、Ｇ型合体機関燃焼部２９Ｇ・２９Ｇを構成します。そして弾み車タービン８・８を対向に接近又は噛合せて、無接触同期回転させる図５の、同径の送水ポンプ兼磁気摩擦動力伝達装置５５・５５又は歯車装置を具備します。多気筒で同期軸１６ａ・１６ａに弾み車タービン８・８を具備の場合には（４気筒＋４気筒）ＸＸと増設して多気筒にし、クランク軸１６・１６に弾み車タービン８・８を具備の場合は４気筒ＸＸで多気筒にして、予圧圧縮機で使用します。
【実施例２１】
【０１１８】
図２１のＨ型合体機関燃焼部２９Ｈは、Ｄ型エネルギ保存圧縮機２０Ｄを設けて、例えば縮径主燃焼室兼熱交換器１を左側（片方）に１以上具備し、右側（他方）の一方向空気流路９から左側の縮径主燃焼室兼熱交換器１に圧縮空気を供給する構成として、Ｈ型エネルギ保存圧縮機２０Ｈとし、クランク軸１６の回転運動により直接両頭拡径ビストン２１を往復運動させて、図２１のように構造が最も簡単な往復運動空気圧縮機として、圧縮比を用途に合せて最も簡単に増大し、ピストンの側圧を簡単に低減して、弾み車タービン８・８をクランク軸１６・１６に設けて、直接又は変速してクランク軸１６・１６を夫々回転駆動し、Ｈ型合体機関燃焼部２９Ｈ・２９Ｈを構成し、用途に合せて１以上の余圧圧縮機や予圧圧縮室兼熱交換器１Ａを含めて、気化熱空気回収器２Ｂで排気熱量を回収冷却した空気で更に排気熱量を回収、対向ピストンにより本圧圧縮して、縮径主燃焼室兼熱交換器１で限り無く高圧燃焼熱交換冷却燃焼とし、用途に合せた温度の４００ＭＰａ過熱蒸気爆発力＋２００ＭＰａ燃焼ガス爆発力に分割します。図１図５のように弾み車タービン８・８を拡大して対向に接近又は噛合せて、無接触同期回転させる図５の、同径の送水ポンプ兼磁気摩擦動力伝達装置５５・５５又は歯車装置を具備します。多気筒で使用の場合にはクランク軸１６・１６の増設により、４気筒ＸＸと増設して多気筒にし、弾み車タービン単独使用の場合は２気筒ＸＸと増設して多気筒にして、予圧圧縮機で使用します。
【実施例２２】
【０１１９】
図２２の全動翼圧縮機２０Ｊは、大量の空気を余圧する用途に使用するもので、各種全動翼蒸気ガスタービン合体機関の全動翼圧縮機の内側軸装置に、クランク軸１６を結合して送水ポンプ兼二重反転磁気摩擦動力伝達装置８４を駆動して、内側軸装置と外側軸装置を互いに反対方向に回転し、全動翼圧縮機の外側圧縮機動翼群４ａと内側圧縮機動翼群４ｂを二重反転して、右方の空気を吸引して用途に合せた圧力に余圧圧縮し、冷却した圧縮空気が必要な用途では給水管３により冷却した圧縮空気を、冷却しない用途では圧縮空気を其の侭夫々圧縮空気制御弁２４ａを開放制御して、圧縮空気室１０ｂより図１の吸気弁２８等に送気し、選択したエネルギ保存圧縮機２０Ｘで高圧圧縮します。そして選択した合体機関燃焼部２９Ｘの送水ポンプ兼磁気摩擦動力伝達装置５５等により昇圧して、給水制御弁２５ａを開放制御して熱回収した給水管３の給水５２は、縮径主燃焼室熱交換器２に供給し、前記同様に用途に合せて高圧燃焼熱交換冷却燃焼します。
【産業上の利用可能性】
【０１２０】
発電量が既存往復機関の１０００倍仮説発電量に近付き、排気熱量を繰返し回収利用するため、回収利用した熱量により供給熱量が減少して、供給熱量全部＋圧縮空気保有熱量が１００度Ｃに近い水道水温熱となり、−２７３度Ｃに近付く燃焼ガス排気全部が０度Ｃに近い水道水冷熱と、ＣＯ２等の燃焼ガス溶解水になるため、業務用や家庭用の熱と電気と冷熱の供給設備となり、海水温度上昇とＣＯ２の排気が０になる可能性がある。
【０１２１】
発電量が既存往復機関の１０００倍仮説発電量に近付き、排気熱量を繰返し回収利用するため、回収利用した熱量により供給熱量が減少して、供給熱量全部＋圧縮空気保有熱量が１００度Ｃに近い水道水温熱となるため、１００度Ｃに近い水道水温熱を発電の副産物として需要家に販売すると共に、水道水温熱を利用して電力消費０〜１／１０等を狙う、業務用や家庭用の各種暖房設備機器や各種調理設備機器や各種温水設備機器や、各種食器洗い機や各種洗濯乾燥機や各種海水淡水化設備機器等を製造販売する可能性がある。
【０１２２】
発電量が既存往復機関の１０００倍仮説発電量に近付き、排気熱量を繰返し回収利用するため、回収利用した熱量により供給熱量が減少して、供給熱量全部＋圧縮空気保有熱量が１００度Ｃに近い水道水温熱となるため、１００度Ｃに近い水道水温熱を利用して海水を淡水化し、発電の副産物の水道水として販売する可能性がある。
【０１２３】
発電量が既存往復機関の１０００倍仮説発電量に近付き、排気熱量を繰返し回収利用するため、回収利用した熱量により供給熱量が減少して、−２７３度Ｃに近付く燃焼ガス排気全部が０度Ｃに近い水道水冷熱となるため、０度Ｃに近い水道水冷熱を発電の副産物として需要家に販売すると共に、水道水冷熱を利用して電力消費０〜１／１０等を狙う、業務用や家庭用の各種冷凍設備機器や各種冷蔵設備機器や各種冷房設備機器や、各種製氷設備機器や温熱冷熱配管ビル等を製造販売して大気加熱を止め、都市部を丸ごと冷却してヒート・アイランド現象を逆転する可能性がある。
【０１２４】
回転出力が既存往復機関の１０００倍仮説回転出力に近付き、排気熱量を繰返し回収利用するため、回収利用した熱量により供給熱量が減少して、ＣＯ２等の燃焼ガスを排気しない公害低減のため、各種自動車や各種プロペラ飛行機や各種プロペラ船舶や各種回転力駆動の機械機器類等を、製造販売してＣＯ２排気を０に近付ける可能性がある。
【０１２５】
空気や真空の吸引噴射推進出力が、既存ガスタービンの１０００倍仮説空気吸引噴射推進出力に近付き、排気熱量を繰返し回収利用するため、回収利用した熱量により供給熱量が減少して、ＣＯ２等の燃焼ガス排気を僅少にする公害低減のため、各種超音速ジェット機や各種ジェット戦闘機や各種超高速船舶や各種超高速戦闘船舶や、各種超高速航空母艦や各種宇宙往還旅客機や各種宇宙往還旅客親飛行機や各種空中輸送移動機器等を、製造販売してＣＯ２等の排気を０に近付ける可能性がある。
【０１２６】
水吸引噴射推進出力が、既存ガスタービンや既存往復機関の１０００倍仮説水吸引噴射推進出力に近付き、排気熱量を繰返し回収利用するため、回収利用した熱量により供給熱量が減少して、ＣＯ２等の燃焼ガスを排気しない公害低減のため、各種大中小高速船舶や各種大中小高速戦闘船舶や各種高速航空母艦や、各種大中小高速水上輸送移動機器等を製造販売して、ＣＯ２等の燃焼ガス溶解水で海水を冷却し、珪藻を増殖して食物連鎖により魚類の生息数を増大する可能性がある。
【図面の簡単な説明】
【０１２７】
【図１】Ａ型合体機関燃焼部２９Ａを示す断面図（実施例１）
【図２】２９Ａの弾み車タービン８・８を示す断面図（実施例２）
【図３】２９Ａの弾み車タービン８・８を示す別断面図（実施例３）
【図４】過熱蒸気燃焼ガス噴射ノズル６Ｈ・６Ｘを示す断面図（実施例４）
【図５】弾み車タービン８・８を示す断面図（実施例５）
【図６】合体機関飛行機３８Ａを示す説明図（実施例６）
【図７】合体機関噴射部７７Ｋを示す断面図（実施例７）
【図８】合体機関噴射部７７Ｌを示す断面図（実施例８）
【図９】空気噴射船舶３８Ｂを示す断面図（実施例９）
【図１０】水噴射船舶３８Ｃを示す断面図（実施例１０）
【図１１】ウォータージェット７７Ｍを示す断面図（実施例１１）
【図１２】ウォータージェット７７Ｎを示す断面図（実施例１２）
【図１３】各種エネルギ保存サイクル合体機関の可能性説明図（実施例１３）
【図１４】各種エネルギ保存サイクル合体機関で駆動可能性の説明図（実施例１４）
【図１５】Ｂ型合体機関燃焼部２９Ｂを示す断面図（実施例１５）
【図１６】Ｃ型合体機関燃焼部２９Ｃを示す断面図（実施例１６）
【図１７】Ｄ型合体機関燃焼部２９Ｄを示す断面図（実施例１７）
【図１８】Ｅ型合体機関燃焼部２９Ｅを示す断面図（実施例１８）
【図１９】Ｆ型合体機関燃焼部２９Ｆを示す断面図（実施例１９）
【図２０】Ｇ型合体機関燃焼部２９Ｇを示す断面図（実施例２０）
【図２１】Ｈ型合体機関燃焼部２９Ｈを示す断面図（実施例２１）
【図２２】全動翼圧縮機２０Ｊを示す断面図（実施例２２）
【符号の説明】
【０１２８】
１：縮径主燃焼室兼熱交換器、  １Ａ：予圧圧縮室兼熱交換器、  １ａ：燃焼部、  ２：縮径主燃焼室熱交換器、  ２Ａ：予圧圧縮室熱交換器、  ２ａ：廃熱回収熱交換器、  ２ｂ：気化熱水回収器、  ２Ｂ：気化熱空気回収器、  ３：給水管、  ３ａ：撥水鍍金（撥水性光沢鍍金・撥水性サテン鍍金・複合金鍍金皮膜・超撥水性複合鍍金皮膜・超撥水性皮膜・高耐水性高撥水性複合鍍金皮膜等）、  ４：給気穴、  ４ａ：外側圧縮機動翼群    ４ｂ：内側圧縮機動翼群    ５：排気穴、  ５ａ：蒸気排気室、  ５ｂ：排気庇、  ５ｃ：ガス排気室、  ６：ノズル、  ６ａ：ノズル噴射部、  ６Ａ：過熱蒸気噴射ノズル（加熱高温で摩擦低減し過熱蒸気爆発力で水を混合噴射加速）    ６Ｂ：過熱蒸気噴射ノズル（撥水鍍金で摩擦低減し過熱蒸気爆発力で水を混合噴射加速）    ６Ｃ：燃焼ガス噴射ノズル（加熱高温で摩擦低減し燃焼ガス爆発力で水を混合噴射加速）    ６Ｄ：燃焼ガス噴射ノズル（撥水鍍金で摩擦低減し燃焼ガス爆発力で水を混合噴射加速）    ６Ｅ：水噴射ノズル、  ６Ｆ：不用燃焼ガス噴射ノズル、  ６Ｇ：冷水噴射ノズル、  ６Ｈ：過熱蒸気燃焼ガス噴射ノズル（６Ｉ＋６Ｊ）  ６Ｉ：過熱蒸気噴射ノズル（６Ａ＋６Ｂ）  ６Ｊ：燃焼ガス噴射ノズル（６Ｃ＋６Ｄ）  ６Ｘ：過熱蒸気燃焼ガス噴射ノズル（６Ｉ＋６Ｊから用途に合せて節約）  ７：燃料蒸気噴射電磁弁、  ７Ｃ：燃料噴射電磁弁、  ７Ｄ：燃料水噴射電磁弁、  ７Ｅ：水噴射電磁弁、  ８：弾み車タービン  ８ａ：弾み車ガスタービン、  ８ｂ：弾み車蒸気タービン、  ８ｃ：タービン翼、  ８ｄ：側板、  ８ｅ：円筒胴、  ９：一方向空気流路、  ９Ａ：船前浮揚板、  ９Ｂ：船後浮揚板、  ９Ｃ：平行垂直板、  ９Ｄ：空気噴口、  １０：拡径燃焼室、  １０Ａ：船室、  １０ａ：拡径圧縮室、  １０ｂ：操縦室    １０ｃ：制御室、  １０ｄ：客室、  １０ｅ：貨物室、  １１：排気ダクト、  １２：ターボ過給機、  １３：給気ダクト、  １４：機械式過給機、  １５：シリンダヘッド、  １５ａ：シリンダ、  １６：クランク軸、  １６ａ：同期軸、  １６ｂ：クランク穴、  １７：始動電動機兼発電機、  １８：入力軸、  １９：出力軸、  ２０：エネルギ保存サイクル合体機関制御装置、  ２０Ａ：Ａ型エネルギ保存圧縮機、  ２０Ｂ：Ｂ型エネルギ保存圧縮機、  ２０Ｃ：Ｃ型エネルギ保存圧縮機、  ２０Ｄ：Ｄ型エネルギ保存圧縮機、  ２０Ｅ：Ｅ型エネルギ保存圧縮機、  ２０Ｆ：Ｆ型エネルギ保存圧縮機、  ２０Ｇ：Ｇ型エネルギ保存圧縮機、  ２０Ｈ：Ｈ型エネルギ保存圧縮機、  ２０Ｊ：全動翼圧縮機、  ２０Ｘ：選択したエネルギ保存圧縮機、  ２１：拡径ピストン、  ２２：電磁加熱縮径ピストン、  ２３：弁棒、  ２４：燃焼ガス制御弁、  ２４ａ：圧縮空気制御弁    ２５：過熱蒸気制御弁、  ２５ａ：給水制御弁    ２５Ｂ：高温水制御弁、  ２５Ｃ：水制御弁、  ２６：掃気弁、  ２７：過給ピストン、  ２８：吸気弁、  ２８ａ：空気、  ２８ｂ：予圧した空気    ２９：各種エネルギ保存サイクル合体機関、  ２９ａ：Ａ型エネルキ保存サイクル合体機関（合体機関燃焼部２９Ａ使用）    ２９ｂ：Ｂ型エネルキ保存サイクル合体機関（合体機関燃焼部２９Ｂ使用）    ２９ｃ：Ｃ型エネルキ保存サイクル合体機関（合体機関燃焼部２９Ｃ使用）    ２９ｄ：Ｄ型エネルキ���存サイクル合体機関（合体機関燃焼部２９Ｄ使用）    ２９ｅ：Ｅ型エネルキ保存サイクル合体機関（合体機関燃焼部２９Ｅ使用）    ２９ｆ：Ｆ型エネルキ保存サイクル合体機関（合体機関燃焼部２９Ｆ使用）    ２９ｇ：Ｇ型エネルキ保存サイクル合体機関（合体機関燃焼部２９Ｇ使用）    ２９ｈ：Ｈ型エネルキ保存サイクル合体機関（合体機関燃焼部２９Ｈ使用）  ２９Ａ：Ａ型合体機関燃焼部、  ２９Ｂ：Ｂ型合体機関燃焼部、  ２９Ｃ：Ｃ型合体機関燃焼部、  ２９Ｄ：Ｄ型合体機関燃焼部、  ２９Ｅ：Ｅ型合体機関燃焼部、  ２９Ｆ：Ｆ型合体機関燃焼部、  ２９Ｇ：Ｇ型合体機関燃焼部、  ２９Ｈ：Ｈ型合体機関燃焼部、  ２９Ｘ：選択した合体機関燃焼部、  ３０：断熱材、  ３１：多段減圧漏洩面、  ３２：減圧溜、  ３４：クランク軸受、  ３５：水平継手、  ３６：拡径燃焼室シリンダ、  ３７：両頭拡径ピストン、  ３８：案内具、  ３８Ａ：合体機関飛行機、  ３８Ｂ：空気噴射船舶、  ３８Ｃ：水噴射船舶、  ３８ａ：飛行胴、  ３８ｂ：飛行翼、  ３８ｃ：飛行尾翼、  ３８ｄ：垂直翼、  ３８ｅ：翼前縁吸入口、  ３８ｇ：水上翼、  ３９：固定用溝、  ４０：駆動具、  ４０Ａ：方向舵、  ４０ａ：振り子腕、  ４１：案内溝、  ４１ａ：案内溝、  ４２：案内穴、  ４３：クランク穴、  ４４：凹凸、  ４５：過給室、  ４６：Ｈ型エネルキ保存サイクル合体機関、  ４７：過給室蓋、  ４８：過給室シリンダ、  ４８ａ：油圧シリンダ、  ４９：燃焼ガス、  ４９ａ：燃焼ガス攪拌板、  ４９ｂ：洗浄燃焼ガス、  ５０：過熱蒸気、  ５１：空気抽出器、  ５１ａ：ガス抽出器、  ５２：給水、  ５２ａ：水、  ５２ｂ：高温水（超臨界温度等複数温度の高温水）    ５２ｃ：水道水、  ５２ｄ：水道水温熱、  ５２ｅ：水道水冷熱、  ５２ｆ：凝縮水、  ５２ｇ：燃焼ガス溶解水、  ５２ｈ：冷水、  ５３：公知物質、  ５４：安全弁、  ５５：送水ポンプ兼磁気摩擦動力伝達装置、  ５６：動力伝達面、  ５７：棒磁石、  ５８：電磁石、  ５９：回転方向、  ６０：磁極、  ６１：着磁摩擦車、  ６２：内着磁摩擦車、  ６３：磁着摩擦車、  ６４：内磁着摩擦車、  ６５：着磁摩擦車装置、  ６６：内着磁摩擦車装置、  ６７：磁着摩擦車装置、  ６８：内磁着摩擦車装置、  ６９：低凹凸、  ７０：平凹凸、  ７１：ハスバ凹凸、  ７２：ヤマバ凹凸、  ７３：磁石部、  ７４：ヨーク、  ７５：送水ポンプ、  ７６：磁気摩擦動力伝達装置、  ７７：外箱、  ７７ａ：タービン外箱、  ７７ｂ：筒形外箱、  ７７Ｃ：ジェットエンジン外箱、  ７７Ｄ：ウォータージェット外箱    ７７Ｆ：合体機関噴射部外箱、  ７７Ｇ：円筒回転部、  ７７Ｋ：合体機関噴射部、  ７７Ｌ：合体機関噴射部、  ７７Ｍ：ウォータージェット、  ７７Ｎ：ウォータージェット、  ７８：吸水路、  ７９：送水路、  ８０：摩擦増大手段、  ８１：支軸、  ８１ａ：支点、  ８２：コイル、  ８３：磁力線、  ８４：送水ポンプ兼二重反転磁気摩擦動力伝達装置、  ８５：二重反転磁気摩擦動力伝達装置  ８６：嵌入用凹部  ８７：電磁弁  ８７Ａａ：高温水噴射電磁弁    ８８：公知の燃料噴射弁、  ８９：磁石室、  ９０：断熱壁、  ９０ａ：隔壁、  ９１：冷却室、  ９２：閉弁装置、  ９３：電磁弁装着部、  ９３ａ：電磁弁装着部、  ９４：ノズル噴口部、  ９４ａ：末広���ズル噴口部、  ９４ｂ：公知ノズル、  ９５：高温水溜、  ９５ａ：燃焼ガス溜、  ９５ｂ：水溜、  ９５ｃ：過熱蒸気溜、  ９５ｄ：不用燃焼ガス溜、  ９６：発条、  ９７：逆止弁、  ９８：弁座、  ９９：弁体、  １００：公知の各種流用噴射弁、  １０１：加熱高温手段、  １０２：着火装置、  １０３：冷熱回収器、  １０３ａ：冷熱回収器、  １０４：燃焼ガス液化分離装置、  １０５：液化二酸化炭素、  １０６：液体窒素、  １０７：不用液化燃焼ガス、  １０７ａ：不用冷却燃焼ガス、  １０８：特定液化燃焼ガス、  １１１ａ：霧吹きの原理（６Ａで空気吸引噴射）  １１１ｂ：霧吹きの原理（６Ｃで空気吸引噴射）  １１１ｃ：霧吹きの原理（６Ａで水を吸引噴射）  １１１ｄ：霧吹きの原理（６Ｃで水を吸引噴射）  １１１ｅ：霧吹きの原理（６Ｂで空気吸引噴射）  １１１ｆ：霧吹きの原理（６Ｄで空気吸引噴射）  １１１ｇ：霧吹きの原理（６Ｂで水を吸引噴射）  １１１ｈ：霧吹きの原理（６Ｄで水を吸引噴射）  １１１Ｉ：霧吹きの原理（６Ｉで空気を吸引噴射）  １１１Ｊ：霧吹きの原理（６Ｊで空気を吸引噴射）  １１１Ｋ：霧吹きの原理（６Ｉで水を吸引噴射）  １１１Ｌ：霧吹きの原理（６Ｊで水を吸引噴射）  １１１：用途に合せた霧吹きの原理、  １１１Ｘ：霧吹きの原理（６Ｘで空気を吸引噴射）
【図１】
2006144765.tif 000003
【図２】
2006144765.tif 000004
【図３】
2006144765.tif 000005
【図４】
2006144765.tif 000006
【図５】
2006144765.tif 000007
【図６】
2006144765.tif 000008
【図７】
2006144765.tif 000009
【図８】
2006144765.tif 000010
【図９】
2006144765.tif 000011
【図１０】
2006144765.tif 000012
【図１１】
2006144765.tif 000013
【図１２】
2006144765.tif 000014
【図１３】
2006144765.tif 000015
【図１４】
2006144765.tif 000016
【図１５】
2006144765.tif 000017
【図１６】
2006144765.tif 000018
【図１７】
2006144765.tif 000019
【図１８】
2006144765.tif 000020
【図１９】
2006144765.tif 000021
【図２０】
2006144765.tif 000022
【図２１】
2006144765.tif 000023
【図２２】
2006144765.tif 000024